(57)【要約】【課題】エッセイ形式（論文、文章形式）の試験で、実践的な内容の視点からの方法で答案を作成することにある。また、答案採点、答案解説、答案作成技術・技法解説の方法も、実践的な内容の視点からの方法で実施することにある。【解決手段】  実際のエッセイ形式（論文、文章形式）試験問題を受信配信型試験システムの読取抽出判断手段、読取抽出実行手段からキーワード、書取抽出判断手段、書取抽出実行手段からキーワード検討対象を抽出する方法を利用しながら、システム画面作成方法、操作方法を利用したエッセイ形式（論文、文章形式）試験の様々な技術・技法を利用して答案作成を実施する。また、答案採点は答案を模範答案作成後の答案と比較した相違に応じて採点比較検討内容ごとに重み付けしながら採点、答案解説、答案作成技術・技法解説は解説を映像音声解説を付けて多機能編集指定装置・機器に編集表示配信（含む拡大縮小調整配信）などを実施する。【選択図】なし【特許請求の範囲】
【請求項１】
読取装置・機器（通信ネットワーク型を含める）を介して実際のエッセイ形式（論文、文章形式）試験問題、校正前答案（ＣＢＴのエッセイ形式（論文、文章形式）試験問題、校正前答案を含む）を受信する受信手段、
エッセイ形式（論文、文章形式）試験問題の中にあるキーワードを抽出判断する読取抽出判断手段、
上記のキーワードを抽出実行する読取抽出実行手段、
答案を書き取りする書取手段、
答案、書取答案の答案書取のキーワード検討対象を抽出判断する書取抽出判断手段、
上記のキーワード検討対象を抽出実行する書取抽出実行手段、
答案、書取答案の答案書取を追加する書取追加手段、
答案、書取答案の答案書取を修正する書取修正手段、
答案、書取答案の答案書取を削除する書取削除手段、
答案、書取答案の答案書取を選択する選択手段、
答案、書取答案の答案書取を書き換えする書換手段、
答案、書取答案の答案書取を調整する調整手段、
答案、書取答案の答案書取を表示装置・機器（通信ネットワーク型を含める）に配信（含む拡大縮小調整配信）させる配信（含む拡大縮小調整配信）手段、
上記の各手段を制御する制御手段、
を備えた受信配信型システムにおけるエッセイ形式（論文、文章形式）試験の答案作成方法において、
読取装置・機器（通信ネットワーク型を含める）を介して実際のエッセイ形式（論文、文章形式）試験問題、校正前答案（ＣＢＴのエッセイ形式（論文、文章形式）試験問題、校正前答案を含む）を受信手段が受信するステップ、
エッセイ形式（論文、文章形式）試験問題の中にあるキーワードを読取抽出判断手段が抽出判断するステップ、
読取抽出判断手段が、エッセイ形式（論文、文章形式）試験問題に所定のキーワードが存在するか否かの判断において、存在した場合に抽出指令を読取抽出実行手段に与えるステップ、
上記読取抽出実行手段から抽出されたキーワードを上記制御手段が受け取りするステップ、
上記制御手段が上記のキーワードを書取手段、書取抽出判断手段に出力するステップ
上記のキーワードに従って書取手段が答案を書き取りする（すべての機器の保存装置、すべての機器の記憶装置、記憶媒体の保存答案や記憶情報、受信配信型システムの人工知能機能を利用して答案を書き取りする場合も含む）ステップ、
上記のキーワードに従って書取抽出判断手段が答案、書取答案の答案書取のキーワード検討対象を抽出判断するステップ、
上記書取抽出判断手段が、答案、書取答案に答案書取の所定のキーワード検討対象が存在するか否かの判断において、存在した場合に抽出指令を書取抽出実行手段に与えるステップ、
上記書取抽出実行手段から抽出されたキーワード検討対象を上記制御手段が受け取りするステップ、
上記制御手段が上記のキーワードとキーワード検討対象を書取追加手段、書取修正手段、書取削除手段に出力するステップ
上記のキーワードとキーワード検討対象に従って書取追加手段が答案、書取答案の答案書取を追加（有効追加を含む）する（すべての機器の保存装置、すべての機器の記憶装置、記憶媒体の保存答案や記憶情報、受信配信型システムの人工知能機能を利用して答案、書取答案の答案書取を追加（有効追加を含む）する場合も含む）ステップ、
上記のキーワードとキーワード検討対象に従って書取修正手段が答案、書取答案の答案書取を修正する（すべての機器の保存装置、すべての機器の記憶装置、記憶媒体の保存答案や記憶情報、受信配信型システムの人工知能機能を利用して答案、書取答案の答案書取を修正する場合も含む）ステップ、
上記のキーワードとキーワード検討対象に従って書取削除手段が答案、書取答案の答案書取を削除（無効削除を含む）する（すべての機器の保存装置、すべての機器の記憶装置、記憶媒体の保存答案や記憶情報、受信配信型システムの人工知能機能を利用して答案、書取答案の答案書取を削除（無効削除を含む）する場合も含む）ステップ、
答案、書取答案の答案書取を選択手段が選択するステップ、
答案、書取答案の答案書取を書換手段が書き換えするステップ、
答案、書取答案の答案書取を調整手段が調整するステップ、
上記制御手段が答案、書取答案の答案書取の選択、書換、調整結果（選択、書き換え、調整処理が実施されない時の結果を含む）を受け取るステップ、
上記制御手段が上記答案、書取答案の答案書取の選択、書換、調整結果を上記配信（含む拡大縮小調整配信）手段によって表示装置・機器（通信ネットワーク型を含める）に配信（含む拡大縮小調整配信）させるステップ、
を含む、受信配信型システムにおけるシステム画面作成方法、操作方法を利用したエッセイ形式（論文、文章形式）試験の技術・技法の組み合わせを利用した模範答案作成方法。
【請求項２】
請求項１の読取装置・機器（通信ネットワーク型を含める）を介して実際のエッセイ形式（論文、文章形式）試験問題、校正前答案（ＣＢＴのエッセイ形式（論文、文章形式）試験問題、校正前答案を含む）を受信する受信手段を、読取装置・機器、多機能編集指定装置・機器（ともに通信ネットワーク型を含める）を介して実際のエッセイ形式（論文、文章形式）試験問題、答案（ＣＢＴのエッセイ形式（論文、文章形式）試験問題、答案を含む）を受信する受信手段、
請求項１の答案、書取答案の答案書取を表示装置・機器（通信ネットワーク型を含める）に配信（含む拡大縮小調整配信）させる配信（含む拡大縮小調整配信）手段を、答案、書取答案の答案書取を表示装置・機器、多機能編集指定装置・機器（ともに通信ネットワーク型を含める）に配信（含む拡大縮小調整配信）させる配信（含む拡大縮小調整配信）手段、
請求項１の読取装置・機器（通信ネットワーク型を含める）を介して実際のエッセイ形式（論文、文章形式）試験問題、校正前答案（ＣＢＴのエッセイ形式（論文、文章形式）試験問題、校正前答案を含む）を受信手段が受信するステップを、読取装置・機器、多機能編集指定装置・機器（ともに通信ネットワーク型を含める）を介して実際のエッセイ形式（論文、文章形式）試験問題、答案（ＣＢＴのエッセイ形式（論文、文章形式）試験問題、答案を含む）を受信手段が受信するステップ、
上記制御手段が上記答案、書取答案の答案書取の選択、書換、調整結果を上記配信（含む拡大縮小調整配信）手段によって表示装置・機器（通信ネットワーク型を含める）に配信（含む拡大縮小調整配信）させるステップを、上記制御手段が上記答案、書取答案の答案書取の選択、書換、調整結果を上記配信（含む拡大縮小調整配信）手段によって表示装置・機器、多機能編集指定装置・機器（ともに通信ネットワーク型を含める）に配信（含む拡大縮小調整配信）させるステップ、
と追加変更して、請求項１の上記変更事項以外と上記を含む、受信配信型システムにおけるシステム画面作成方法、操作方法を利用したエッセイ形式（論文、文章形式）試験の技術・技法の組み合わせを利用した解答作成途中の答案（ＣＢＴの答案を含む）からも含めた模範答案作成方法。
【請求項３】
請求項１、２の上記制御手段が答案、書取答案の答案書取の選択、書換、調整結果（選択、書き換え、調整処理が実施されない時の結果を含む）を受け取るステップの後に、
制御手段がエッセイ形式（論文、文章形式）試験問題の中にあるキーワードを読取抽出判断手段が抽出判断するステップから繰り返し処理するように制御して、選択、書換、調整の処理が完全に終了したことが確認できた時に繰り返し処理を終了するステップを挿入追加して、
請求項１、２の事項と上記を含む、受信配信型システムにおけるシステム画面作成方法、操作方法を利用したエッセイ形式（論文、文章形式）試験の技術・技法の組み合わせの繰り返し確認を利用した模範答案作成方法、解答作成途中の答案（ＣＢＴの答案を含む）からも含めた模範答案作成方法。
【請求項４】
請求項１、３の読取装置・機器（通信ネットワーク型を含める）を介して実際のエッセイ形式（論文、文章形式）試験問題、校正前答案（ＣＢＴのエッセイ形式（論文、文章形式）試験問題、校正前答案を含む）を受信する受信手段、請求項２、３の読取装置・機器、多機能編集指定装置・機器（ともに通信ネットワーク型を含める）を介して実際のエッセイ形式（論文、文章形式）試験問題、答案（ＣＢＴのエッセイ形式（論文、文章形式）試験問題、答案を含む）を受信する受信手段を、ともに読取装置・機器、多機能編集指定装置・機器（ともに通信ネットワーク型を含める）を介して実際のエッセイ形式（論文、文章形式）試験問題、校正前答案（ＣＢＴのエッセイ形式（論文、文章形式）試験問題、校正前答案を含む）及び多機能編集指定装置・機器（通信ネットワーク型を含める）を介して指定した答案例作成数を受信する受信手段、
請求項１、３の読取装置・機器（通信ネットワーク型を含める）を介して実際のエッセイ形式（論文、文章形式）試験問題、校正前答案（ＣＢＴのエッセイ形式（論文、文章形式）試験問題、校正前答案を含む）を受信手段が受信するステップ、請求項２、３の読取装置・機器、多機能編集指定装置・機器（ともに通信ネットワーク型を含める）を介して実際のエッセイ形式（論文、文章形式）試験問題、校正前答案（ＣＢＴのエッセイ形式（論文、文章形式）試験問題、校正前答案を含む）を受信手段が受信するステップを、ともに読取装置・機器、多機能編集指定装置・機器（ともに通信ネットワーク型を含める）を介して実際のエッセイ形式（論文、文章形式）試験問題、校正前答案（ＣＢＴのエッセイ形式（論文、文章形式）試験問題、校正前答案を含む）及び多機能編集指定装置・機器（通信ネットワーク型を含める）を介して指定した答案例作成数を受信手段が受信するステップ、
請求項１〜３の上記のキーワードに従って書取手段が答案を書き取りする（すべての機器の保存装置、すべての機器の記憶装置、記憶媒体の保存答案や記憶情報、受信配信型システムの人工知能機能を利用して答案を書き取りする場合も含む）ステップを、請求項１〜３の上記のキーワードに従って書取手段が指定した答案例作成数に応じて答案を書き取りする（すべての機器の保存装置、すべての機器の記憶装置、記憶媒体の保存答案や記憶情報、受信配信型システムの人工知能機能を利用して答案を書き取りする場合も含む）ステップ、
請求項１〜３の上記のキーワードとキーワード検討対象に従って書取追加手段が答案、書取答案の答案書取を追加（有効追加を含む）する（すべての機器の保存装置、すべての機器の記憶装置、記憶媒体の保存答案や記憶情報、受信配信型システムの人工知能機能を利用して答案、書取答案の答案書取を追加（有効追加を含む）する場合も含む）ステップを、上記のキーワードとキーワード検討対象に従って書取追加手段が指定した答案例作成数に応じて答案、書取答案の答案書取を追加（有効追加を含む）する（すべての機器の保存装置、すべての機器の記憶装置、記憶媒体の保存答案や記憶情報、受信配信型システムの人工知能機能を利用して答案、書取答案の答案書取を追加（有効追加を含む）する場合も含む）ステップ、
請求項１〜３の上記のキーワードとキーワード検討対象に従って書取修正手段が答案、書取答案の答案書取を修正（すべての機器の保存装置、すべての機器の記憶装置、記憶媒体の保存答案や記憶情報、受信配信型システムの人工知能機能を利用して答案、書取答案の答案書取を修正する場合も含む）するステップを、上記のキーワードとキーワード検討対象に従って書取修正手段が指定した答案例作成数に応じて答案、書取答案の答案書取を修正（すべての機器の保存装置、すべての機器の記憶装置、記憶媒体の保存答案や記憶情報、受信配信型システムの人工知能機能を利用して答案、書取答案の答案書取を修正する場合も含む）するステップ、
請求項１〜３の上記のキーワードとキーワード検討対象に従って書取削除手段が答案、書取答案の答案書取を削除（無効削除を含む）する（すべての機器の保存装置、すべての機器の記憶装置、記憶媒体の保存答案や記憶情報、受信配信型システムの人工知能機能を利用して答案、書取答案の答案書取を削除（無効削除を含む）する場合も含む）ステップを、上記のキーワードとキーワード検討対象に従って書取削除手段が指定した答案例作成数に応じて答案、書取答案の答案書取を削除（無効削除を含む）する（すべての機器の保存装置、すべての機器の記憶装置、記憶媒体の保存答案や記憶情報、受信配信型システムの人工知能機能を利用して答案、書取答案の答案書取を削除（無効削除を含む）する場合も含む）ステップ、
請求項１〜３の答案、書取答案の答案書取を選択手段が選択するステップを、答案、書取答案の答案書取を選択手段が指定した答案例作成数に応じて選択するステップ、
請求項１〜３の答案、書取答案の答案書取を書換手段が書き換えするステップを、答案、書取答案の答案書取を書換手段が指定した答案例作成数に応じて書き換えするステップ、
請求項１〜３の答案、書取答案の答案書取を調整手段が調整するステップを、答案、書取答案の答案書取を調整手段が指定した答案例作成数に応じて調整するステップ、
と追加変更して、請求項１〜３の上記変更事項以外と上記を含む、受信配信型システムにおけるシステム画面作成方法、操作方法を利用したエッセイ形式（論文、文章形式）試験の技術・技法の組み合わせ、組み合わせの繰り返し確認を利用した別解も含めた模範答案作成方法、解答作成途中の答案（ＣＢＴの答案を含む）からも含めた別解も含めた模範答案作成方法。
【請求項５】
請求項２、３の読取装置・機器、多機能編集指定装置・機器（ともに通信ネットワーク型を含める）を介して実際のエッセイ形式（論文、文章形式）試験問題、答案（ＣＢＴのエッセイ形式（論文、文章形式）試験問題、答案を含む）を受信する受信手段を、読取装置・機器、多機能編集指定装置・機器（ともに通信ネットワーク型を含める）を介して実際のエッセイ形式（論文、文章形式）試験問題、校正前答案（ＣＢＴのエッセイ形式（論文、文章形式）試験問題、校正前答案を含む）及び多機能編集指定装置・機器（通信ネットワーク型を含める）を介して指定したキーワードを受信する受信手段、
請求項４の読取装置・機器、多機能編集指定装置・機器（ともに通信ネットワーク型を含める）を介して実際のエッセイ形式（論文、文章形式）試験問題、校正前答案（ＣＢＴのエッセイ形式（論文、文章形式）試験問題、校正前答案を含む）及び多機能編集指定装置・機器（通信ネットワーク型を含める）を介して指定した答案例作成数を受信する受信手段を、読取装置・機器、多機能編集指定装置・機器（ともに通信ネットワーク型を含める）を介して実際のエッセイ形式（論文、文章形式）試験問題、校正前答案（ＣＢＴのエッセイ形式（論文、文章形式）試験問題、校正前答案を含む）及び多機能編集指定装置・機器（通信ネットワーク型を含める）を介して指定した答案例作成数、指定したキーワードを受信する受信手段、
請求項２、３の読取装置・機器、多機能編集指定装置・機器（ともに通信ネットワーク型を含める）を介して実際のエッセイ形式（論文、文章形式）試験問題、校正前答案（ＣＢＴのエッセイ形式（論文、文章形式）試験問題、校正前答案を含む）を受信手段が受信するステップを、読取装置・機器、多機能編集指定装置・機器（ともに通信ネットワーク型を含める）を介して実際のエッセイ形式（論文、文章形式）試験問題、校正前答案（ＣＢＴのエッセイ形式（論文、文章形式）試験問題、校正前答案を含む）及び多機能編集指定装置・機器（通信ネットワーク型を含める）を介して指定したキーワードを受信手段が受信するステップ、
請求項４の読取装置・機器、多機能編集指定装置・機器（ともに通信ネットワーク型を含める）を介して実際のエッセイ形式（論文、文章形式）試験問題、校正前答案（ＣＢＴのエッセイ形式（論文、文章形式）試験問題、校正前答案を含む）及び多機能編集指定装置・機器（通信ネットワーク型を含める）を介して指定した答案例作成数を受信手段が受信するステップを、読取装置・機器、多機能編集指定装置・機器（ともに通信ネットワーク型を含める）を介して実際のエッセイ形式（論文、文章形式）試験問題、校正前答案（ＣＢＴのエッセイ形式（論文、文章形式）試験問題、校正前答案を含む）及び多機能編集指定装置・機器（通信ネットワーク型を含める）を介して指定した答案例作成数、指定したキーワードを受信手段が受信するステップ、
上記読取抽出実行手段から抽出されたキーワードを上記制御手段が受け取りするステップを、上記読取抽出実行手段から抽出されたキーワード及び指定したキーワードを上記制御手段が受け取りするステップ、
と追加変更して、請求項１〜４の上記変更事項以外と上記を含む、受信配信型システムにおけるシステム画面作成方法、操作方法を利用したエッセイ形式（論文、文章形式）試験の技術・技法の組み合わせ、組み合わせの繰り返し確認を利用した別解も含めた模範答案作成調整方法、解答作成途中の答案（ＣＢＴの答案を含む）からも含めた別解も含めた模範答案作成調整方法。
【請求項６】
読取装置・機器、多機能編集指定装置・機器（ともに通信ネットワーク型を含める）を介して校正前や解答作成途中などの答案（ＣＢＴの答案を含む）、請求項１〜５の処理後の模範答案作成後の答案（ＣＢＴの答案を含む）を受信する受信手段、
校正前や解答作成途中などの答案（ＣＢＴの答案を含む）と模範答案作成後の答案（ＣＢＴの答案を含む）を比較検討する比較検討手段、
校正前や解答作成途中などの答案（ＣＢＴの答案を含む）を模範答案作成後の答案（ＣＢＴの答案を含む）と比較した相違に応じて採点比較検討内容ごとに重み付けしながら採点する採点手段、
校正前や解答作成途中などの答案（ＣＢＴの答案を含む）、模範答案作成後の答案（ＣＢＴの答案を含む）とともに、校正前や解答作成途中などの答案（ＣＢＴの答案を含む）を採点比較検討内容ごとにすべて重み付けしながら採点した採点結果を表示装置・機器、多機能編集指定装置・機器（ともに通信ネットワーク型を含める）に配信（含む拡大縮小調整配信）させる配信（含む拡大縮小調整配信）手段、
上記の各手段を制御する制御手段、
を備えた受信配信型システムにおけるエッセイ形式（論文、文章形式）試験の答案採点方法において、
読取装置・機器、多機能編集指定装置・機器（ともに通信ネットワーク型を含める）を介して校正前や解答作成途中などの答案（ＣＢＴの答案を含む）、請求項１〜５の処理後の模範答案作成後の答案（ＣＢＴの答案を含む）を受信手段が受信するステップ、
校正前や解答作成途中などの答案（ＣＢＴの答案を含む）と模範答案作成後の答案（ＣＢＴの答案を含む）を比較検討手段が比較検討するステップ、
上記の校正前や解答作成途中などの答案（ＣＢＴの答案を含む）と模範答案作成後の答案（ＣＢＴの答案を含む）の比較検討した採点比較検討内容を制御手段が受け取るステップ、
上記制御手段が上記採点比較検討内容ごとに採点手段に出力するステップ、
校正前や解答作成途中などの答案（ＣＢＴの答案を含む）を模範答案作成後の答案（ＣＢＴの答案を含む）と比較した相違に応じて採点比較検討内容ごとに採点手段が重み付けしながら採点するステップ、
校正前や解答作成途中などの答案（ＣＢＴの答案を含む）を採点比較検討内容ごとにすべて重み付けしながら採点した採点結果を上記制御手段が受け取るステップ、
上記制御手段が校正前や解答作成途中などの答案（ＣＢＴの答案を含む）、模範答案作成後の答案（ＣＢＴの答案を含む）とともに、校正前や解答作成途中などの答案（ＣＢＴの答案を含む）を採点比較検討内容ごとにすべて重み付けしながら採点した採点結果を上記配信（含む拡大縮小調整配信）手段によって表示装置・機器、多機能編集指定装置・機器（ともに通信ネットワーク型を含める）に配信（含む拡大縮小調整配信）させるステップ、
を含む、受信配信型システムにおけるシステム画面作成方法、操作方法を利用したエッセイ形式（論文、文章形式）試験の技術・技法の組み合わせを利用して作成した模範答案を利用した答案採点方法。
【請求項７】
請求項１〜６の各手段の他に、
受信した校正前や解答作成途中などの答案（ＣＢＴの答案を含む）を記憶装置に保存する保存手段、
を備えた受信配信型システムにおけるエッセイ形式（論文、文章形式）試験の答案採点方法において、
請求項１〜５の受信手段が受信するステップの後に、
受信した校正前や解答作成途中などの答案（ＣＢＴの答案を含む）を記憶装置に保存するステップ、
請求項１〜５の上記制御手段が答案、書取答案の答案書取の選択、書換、調整結果（選択、書き換え、調整処理が実施されない時の結果を含む）を受け取るステップの後に、
上記制御手段が記憶装置に保存中の校正前や解答作成途中などの答案（ＣＢＴの答案を含む）を受け取るステップ、
校正前や解答作成途中などの答案（ＣＢＴの答案を含む）と答案、書取答案の答案書取の選択、書換、調整結果（選択、書き換え、調整処理が実施されない時の結果を含む）を比較検討手段が比較検討するステップ、
上記の校正前や解答作成途中などの答案（ＣＢＴの答案を含む）と答案、書取答案の答案書取の選択、書換、調整結果（選択、書き換え、調整処理が実施されない時の結果を含む）の比較検討した採点比較検討内容を制御手段が受け取るステップ、
上記制御手段が上記採点比較検討内容ごとに採点手段に出力するステップ、
校正前や解答作成途中などの答案（ＣＢＴの答案を含む）を答案、書取答案の答案書取の選択、書換、調整結果（選択、書き換え、調整処理が実施されない時の結果を含む）と比較した相違に応じて採点比較検討内容ごとに採点手段が重み付けしながら採点するステップ、
校正前や解答作成途中などの答案（ＣＢＴの答案を含む）を採点比較検討内容ごとにすべて重み付けしながら採点した採点結果を上記制御手段が受け取るステップ、
上記制御手段が校正前や解答作成途中などの答案（ＣＢＴの答案を含む）、答案、書取答案の答案書取の選択、書換、調整結果（選択、書き換え、調整処理が実施されない時の結果を含む）とともに、校正前や解答作成途中などの答案（ＣＢＴの答案を含む）を採点比較検討内容ごとにすべて重み付けしながら採点した採点結果を上記配信（含む拡大縮小調整配信）手段によって表示装置・機器、多機能編集指定装置・機器（ともに通信ネットワーク型を含める）に配信（含む拡大縮小調整配信）させるステップ、
を追加して、上記を含む、受信配信型システムにおけるシステム画面作成方法、操作方法を利用したエッセイ形式（論文、文章形式）試験の技術・技法の組み合わせ、組み合わせの繰り返し確認を利用した別解も含めた模範答案作成方法、模範答案作成調整方法、解答作成途中の答案（ＣＢＴの答案を含む）からも含めた別解も含めた模範答案作成方法、模範答案作成調整方法と答案採点方法の答案一括処理方法。
【請求項８】
請求項１〜７の各手段の他に、
受信から配信（含む拡大縮小調整配信）までの処理経過を制御する処理経過制御手段、
受信から配信（含む拡大縮小調整配信）までの処理経過の映像音声解説（多機能編集指定装置・機器を介した映像音声解説を含む）を受信・制御する映像音声解説受信・制御手段、
受信から配信（含む拡大縮小調整配信）までの処理経過と受信から配信（含む拡大縮小調整配信）までの処理経過の映像音声解説を保存装置に保存する保存手段、
保存装置を制御する保存制御手段、
受信から配信（含む拡大縮小調整配信）までの処理経過を受信から配信（含む拡大縮小調整配信）までの処理経過の映像音声解説を付けて多機能編集指定装置・機器（通信ネットワーク型を含める）に編集表示配信（含む拡大縮小調整配信）させる編集表示配信（含む拡大縮小調整配信）手段、
を備えた受信配信型システムにおけるエッセイ形式（論文、文章形式）試験の答案解説方法において、
請求項１〜７の各ステップ実行の後に、
請求項１〜７のステップの処理経過を上記処理経過制御手段が受け取り制御するステップ、
上記処理経過制御手段が上記処理経過を上記保存装置に保存制御するステップ、
請求項１〜７のステップの処理経過の映像音声解説（多機能編集指定装置・機器を介した映像音声解説を含む）を上記映像音声解説受信・制御手段が受け取り制御するステップ、
上記映像音声解説受信・制御手段が上記映像音声解説を上記保存装置に保存制御するステップ、
上記保存装置の上記処理経過と上記映像音声解説を上記保存制御手段が受け取り制御するステップ、
上記保存制御手段が上記処理経過を上記映像音声解説を付けて上記編集表示配信（含む拡大縮小調整配信）手段によって多機能編集指定装置・機器（通信ネットワーク型を含める）に編集表示配信（含む拡大縮小調整配信）させるステップ、
を含む、受信配信型システムにおけるシステム画面作成方法、操作方法を利用したエッセイ形式（論文、文章形式）試験の技術・技法の組み合わせ、組み合わせの繰り返し確認を利用した別解も含めた模範答案作成方法、模範答案作成調整方法、解答作成途中の答案（ＣＢＴの答案を含む）からも含めた別解も含めた模範答案作成方法、模範答案作成調整方法、答案採点方法、答案一括処理方法の答案解説方法。
【請求項９】
請求項８の保存制御手段が請求項８の保存装置の処理経過に映像音声解説を付けて外部保存装置・機器（通信ネットワーク型を含める）、記憶媒体に保存制御するステップ、
を含む、受信配信型システムにおけるシステム画面作成方法、操作方法を利用したエッセイ形式（論文、文章形式）試験の技術・技法の組み合わせ、組み合わせの繰り返し確認を利用した別解も含めた模範答案作成方法、模範答案作成調整方法、解答作成途中の答案（ＣＢＴの答案を含む）からも含めた別解も含めた模範答案作成方法、模範答案作成調整方法、答案採点方法、答案一括処理方法の答案解説保存方法。
【請求項１０】
請求項８の受信配信型システムの保存装置、請求項９の外部保存装置・機器（通信ネットワーク型を含める）、記憶媒体のシステム画面作成方法、操作方法を利用したエッセイ形式（論文、文章形式）試験の技術・技法の組み合わせ、組み合わせの繰り返し確認を利用した別解も含めた模範答案作成方法、模範答案作成調整方法、解答作成途中の答案（ＣＢＴの答案を含む）からも含めた別解も含めた模範答案作成方法、模範答案作成調整方法、答案採点方法、答案一括処理方法の解説（含む映像音声解説付き）を受信する受信手段、
システム画面作成方法、操作方法を利用したエッセイ形式（論文、文章形式）試験の技術・技法の組み合わせ、組み合わせの繰り返し確認を利用した別解も含めた模範答案作成方法、模範答案作成調整方法、解答作成途中の答案（ＣＢＴの答案を含む）からも含めた別解も含めた模範答案作成方法、模範答案作成調整方法、答案採点方法、答案一括処理方法の解説（含む映像音声解説付き）を表示編集する表示編集手段、
表示編集されたシステム画面作成方法、操作方法を利用したエッセイ形式（論文、文章形式）試験の技術・技法の組み合わせ、組み合わせの繰り返し確認を利用した別解も含めた模範答案作成方法、模範答案作成調整方法、解答作成途中の答案（ＣＢＴの答案を含む）からも含めた別解も含めた模範答案作成方法、模範答案作成調整方法、答案採点方法、答案一括処理方法の解説（含む映像音声解説付き）を答案解説ごとに答案解説表示編集制御する答案解説表示編集制御手段、
表示編集されたシステム画面作成方法、操作方法を利用したエッセイ形式（論文、文章形式）試験の技術・技法の組み合わせ、組み合わせの繰り返し確認を利用した別解も含めた模範答案作成方法、模範答案作成調整方法、解答作成途中の答案（ＣＢＴの答案を含む）からも含めた別解も含めた模範答案作成方法、模範答案作成調整方法、答案採点方法、答案一括処理方法の解説（含む映像音声解説付き）を表示編集頁ごとに表示編集頁制御する表示編集頁制御手段、
を備えた紹介表示編集機器における答案解説紹介表示編集方法において、
請求項８の受信配信型システムの保存装置、請求項９の外部保存装置・機器のシステム画面作成方法、操作方法を利用したエッセイ形式（論文、文章形式）試験の技術・技法の組み合わせ、組み合わせの繰り返し確認を利用した別解も含めた模範答案作成方法、模範答案作成調整方法、解答作成途中の答案（ＣＢＴの答案を含む）からも含めた別解も含めた模範答案作成方法、模範答案作成調整方法、答案採点方法、答案一括処理方法の解説（含む映像音声解説付き）を受信手段が受信するステップ、
システム画面作成方法、操作方法を利用したエッセイ形式（論文、文章形式）試験の技術・技法の組み合わせ、組み合わせの繰り返し確認を利用した別解も含めた模範答案作成方法、模範答案作成調整方法、解答作成途中の答案（ＣＢＴの答案を含む）からも含めた別解も含めた模範答案作成方法、模範答案作成調整方法、答案採点方法、答案一括処理方法の解説（含む映像音声解説付き）を表示編集手段が表示編集するステップ、
表示編集されたシステム画面作成方法、操作方法を利用したエッセイ形式（論文、文章形式）試験の技術・技法の組み合わせ、組み合わせの繰り返し確認を利用した別解も含めた模範答案作成方法、模範答案作成調整方法、解答作成途中の答案（ＣＢＴの答案を含む）からも含めた別解も含めた模範答案作成方法、模範答案作成調整方法、答案採点方法、答案一括処理方法の解説（含む映像音声解説付き）を答案解説ごとに答案解説表示編集制御手段が答案解説表示編集制御するステップ、
表示編集されたシステム画面作成方法、操作方法を利用したエッセイ形式（論文、文章形式）試験の技術・技法の組み合わせ、組み合わせの繰り返し確認を利用した別解も含めた模範答案作成方法、模範答案作成調整方法、解答作成途中の答案（ＣＢＴの答案を含む）からも含めた別解も含めた模範答案作成方法、模範答案作成調整方法、答案採点方法、答案一括処理方法の解説（含む映像音声解説付き）を表示編集頁ごとに表示編集頁制御手段が表示編集頁制御するステップ、
を含む、紹介表示編集機器におけるシステム画面作成方法、操作方法を利用したエッセイ形式（論文、文章形式）試験の技術・技法の組み合わせ、組み合わせの繰り返し確認を利用した別解も含めた模範答案作成方法、模範答案作成調整方法、解答作成途中の答案（ＣＢＴの答案を含む）からも含めた別解も含めた模範答案作成方法、模範答案作成調整方法、答案採点方法、答案一括処理方法の解説（含む映像音声解説付き）の答案解説紹介表示編集方法。
【請求項１１】
受信配信型システムにおけるシステム画面作成方法、操作方法を利用したエッセイ形式（論文、文章形式）試験の技術・技法の索引、それらの技術・技法（含む既存映像音声解説付き）、それらの映像音声解説（多機能編集指定装置・機器を介した映像音声解説を含む）を受信配信型システムの保存装置にすべて保存しているものとして、
上記保存装置の上記技術・技法の索引、上記技術・技法（含む既存映像音声解説付き）と上記映像音声解説（多機能編集指定装置・機器を介した映像音声解説を含む）を請求項８の保存制御手段が受け取り制御するステップ、
上記保存制御手段が上記技術・技法の索引、上記技術・技法（含む既存映像音声解説付き）を上記映像音声解説を付けて上記編集表示配信（含む拡大縮小調整配信）手段によって多機能編集指定装置・機器（通信ネットワーク型を含める）に編集表示配信（含む拡大縮小調整配信）させるステップ、
を含む、受信配信型システムにおける受信配信型システムにおけるシステム画面作成方法、操作方法を利用したエッセイ形式（論文、文章形式）試験の技術・技法の索引、それらの技術・技法（含む既存映像音声解説付き）の答案作成技術・技法解説方法。
【請求項１２】
請求項１１の保存制御手段が請求項１１の保存装置の技術・技法の索引、技術・技法（含む既存映像音声解説付き）に映像音声解説を付けて外部保存装置・機器（通信ネットワーク型を含める）、記憶媒体に保存制御するステップ、
を含む、受信配信型システムにおけるシステム画面作成方法、操作方法を利用したエッセイ形式（論文、文章形式）試験の技術・技法の索引、それらの技術・技法（含む既存映像音声解説付き）の答案作成技術・技法解説保存方法。
【請求項１３】
請求項１１の受信配信型システムの保存装置、請求項１２の外部保存装置・機器（通信ネットワーク型を含める）、記憶媒体のシステム画面作成方法、操作方法を利用したエッセイ形式（論文、文章形式）試験の技術・技法の索引、それらの技術・技法の解説（含む映像音声解説付き）を受信（含む差分受信）する受信手段、
システム画面作成方法、操作方法を利用したエッセイ形式（論文、文章形式）試験の技術・技法の索引、それらの技術・技法の解説（含む映像音声解説付き）を表示編集する表示編集手段、
表示編集されたシステム画面作成方法、操作方法を利用したエッセイ形式（論文、文章形式）試験の技術・技法の索引、それらの技術・技法の解説（含む映像音声解説付き）を技術・技法解説ごと（含む索引の利用）に技術・技法解説表示編集制御する技術・技法解説表示編集制御手段、
表示編集されたシステム画面作成方法、操作方法を利用したエッセイ形式（論文、文章形式）試験の技術・技法の索引、それらの技術・技法の解説（含む映像音声解説付き）を表示編集頁ごとに表示編集頁制御する表示編集頁制御手段、
を備えた紹介表示編集機器における答案作成技術・技法解説紹介表示編集方法において、
受信配信型システムの保存装置、外部保存装置・機器のシステム画面作成方法、操作方法を利用したエッセイ形式（論文、文章形式）試験の技術・技法の索引、それらの技術・技法の解説（含む映像音声解説付き）を受信手段が受信（含む差分受信）するステップ、
システム画面作成方法、操作方法を利用したエッセイ形式（論文、文章形式）試験の技術・技法の索引、それらの技術・技法の解説（含む映像音声解説付き）を表示編集手段が表示編集するステップ、
表示編集されたシステム画面作成方法、操作方法を利用したエッセイ形式（論文、文章形式）試験の技術・技法の索引、それらの技術・技法の解説（含む映像音声解説付き）を技術・技法解説ごと（含む索引の利用）に技術・技法解説表示編集制御手段が技術・技法解説表示編集制御するステップ、
表示編集されたシステム画面作成方法、操作方法を利用したエッセイ形式（論文、文章形式）試験の技術・技法の索引、それらの技術・技法の解説（含む映像音声解説付き）を表示編集頁ごとに表示編集頁制御手段が表示編集頁制御するステップ、
を含む、紹介表示編集機器におけるシステム画面作成方法、操作方法を利用したエッセイ形式（論文、文章形式）試験の技術・技法の索引、それらの技術・技法の解説（含む映像音声解説付き）の答案作成技術・技法解説紹介表示編集方法。
【請求項１４】
請求項５の読取装置・機器、多機能編集指定装置・機器（ともに通信ネットワーク型を含める）を介して実際のエッセイ形式（論文、文章形式）試験問題、校正前答案（ＣＢＴのエッセイ形式（論文、文章形式）試験問題、校正前答案を含む）及び多機能編集指定装置・機器（通信ネットワーク型を含める）を介して指定した答案例作成数、指定したキーワードを受信する受信手段を、読取装置・機器、多機能編集指定装置・機器（ともに通信ネットワーク型を含める）を介して実際のエッセイ形式（論文、文章形式）試験問題、校正前答案、アウトライン（ＣＢＴのエッセイ形式（論文、文章形式）試験問題、校正前答案を含む）及び多機能編集指定装置・機器（通信ネットワーク型を含める）を介して指定した答案例作成数、指定したキーワードを受信する受信手段、
請求項５の読取装置・機器、多機能編集指定装置・機器（ともに通信ネットワーク型を含める）を介して実際のエッセイ形式（論文、文章形式）試験問題、校正前答案（ＣＢＴのエッセイ形式（論文、文章形式）試験問題、校正前答案を含む）及び多機能編集指定装置・機器（通信ネットワーク型を含める）を介して指定した答案例作成数、指定したキーワードを受信手段が受信するステップを、読取装置・機器、多機能編集指定装置・機器（ともに通信ネットワーク型を含める）を介して実際のエッセイ形式（論文、文章形式）試験問題、校正前答案、アウトライン（ＣＢＴのエッセイ形式（論文、文章形式）試験問題、校正前答案を含む）及び多機能編集指定装置・機器（通信ネットワーク型を含める）を介して指定した答案例作成数、指定したキーワードを受信手段が受信するステップ、
請求項１〜５のエッセイ形式（論文、文章形式）試験問題の中にあるキーワードを読取抽出判断手段が抽出判断するステップを、エッセイ形式（論文、文章形式）試験問題の中にあるキーワード及びアウトラインの中にあるキーワードを読取抽出判断手段が抽出判断するステップ、
請求項１〜５の読取抽出判断手段が、エッセイ形式（論文、文章形式）試験問題に所定のキーワードが存在するか否かの判断において、存在した場合に抽出指令を読取抽出実行手段に与えるステップを、エッセイ形式（論文、文章形式）試験問題及びアウトラインに所定のキーワードが存在するか否かの判断において、存在した場合に抽出指令を読取抽出実行手段に与えるステップ、
と追加変更して、請求項１〜５の上記変更事項以外と上記を含む、受信配信型システムにおけるシステム画面作成方法、操作方法を利用したエッセイ形式（論文、文章形式）試験の技術・技法の組み合わせ、組み合わせの繰り返し確認を利用した別解も含めたアウトラインに基づく模範答案作成調整方法、解答作成途中の答案（ＣＢＴの答案を含む）からも含めた別解も含めたアウトラインに基づく模範答案作成調整方法。
【請求項１５】
エッセイ形式（論文、文章形式）試験の複数の別問題（ＣＢＴの問題を含む）を受信配信型システムの保存装置にすべて保存しているものとして、
請求項１〜５、１４で抽出したキーワード及び多機能編集指定装置・機器（通信ネットワーク型を含める）を介して指定したキーワードに基づいて、エッセイ形式（論文、文章形式）試験の問題（ＣＢＴの問題を含む）を受信配信型システムの保存装置から選択する選択手段、
選択手段が選択したエッセイ形式（論文、文章形式）試験の問題（ＣＢＴの問題を含む）の参照索引を作成する参照索引作成手段、
上記の問題と索引を表示装置・機器、多機能編集指定装置・機器（ともに通信ネットワーク型を含める）に配信（含む拡大縮小調整配信）させる配信手段
を備えた受信配信型システムにおけるエッセイ形式（論文、文章形式）試験関連問題参照方法において、
請求項１〜５、１４で抽出したキーワード及び多機能編集指定装置・機器（通信ネットワーク型を含める）を介して指定したキーワードに基づいて、エッセイ形式（論文、文章形式）試験の問題（ＣＢＴの問題を含む）を受信配信型システムの保存装置から選択手段が選択するステップ、
選択手段が選択したエッセイ形式（論文、文章形式）試験の問題（ＣＢＴの問題を含む）の参照索引を参照索引作成手段が作成するステップ、
上記の問題と索引を表示装置・機器、多機能編集指定装置・機器（ともに通信ネットワーク型を含める）に配信手段が配信（含む拡大縮小調整配信）させるステップ、
を含む、受信配信型システムにおけるエッセイ形式（論文、文章形式）試験関連問題参照方法。
【請求項１６】
請求項１５の受信配信型システムの保存装置のエッセイ形式（論文、文章形式）試験の問題（ＣＢＴの問題を含む）を受信（含む差分受信）する受信手段、
エッセイ形式（論文、文章形式）試験の問題（ＣＢＴの問題を含む）の索引、それらの問題（ＣＢＴの問題を含む）を表示編集する表示編集手段、
表示編集されたエッセイ形式（論文、文章形式）試験の問題（ＣＢＴの問題を含む）の索引、それらの問題（ＣＢＴの問題を含む）を問題ごと（含む索引の利用）に問題表示編集制御する問題表示編集制御手段、
表示編集されたエッセイ形式（論文、文章形式）試験の問題（ＣＢＴの問題を含む）の索引、それらの問題（ＣＢＴの問題を含む）を表示編集頁ごとに表示編集頁制御する表示編集頁制御手段、
を備えた紹介表示編集機器における試験問題紹介表示編集方法において、
受信配信型システムの保存装置のエッセイ形式（論文、文章形式）試験の問題（ＣＢＴの問題を含む）の索引、それらの問題（ＣＢＴの問題を含む）を受信手段が受信（含む差分受信）するステップ、
エッセイ形式（論文、文章形式）試験の問題（ＣＢＴの問題を含む）の索引、それらの問題（ＣＢＴの問題を含む）を表示編集手段が表示編集するステップ、
表示編集されたエッセイ形式（論文、文章形式）試験の問題（ＣＢＴの問題を含む）の索引、それらの問題（ＣＢＴの問題を含む）を問題ごと（含む索引の利用）に問題表示編集制御手段が問題表示編集制御するステップ、
表示編集されたエッセイ形式（論文、文章形式）試験の問題（ＣＢＴの問題を含む）の索引、それらの問題（ＣＢＴの問題を含む）を表示編集頁ごとに表示編集頁制御手段が表示編集頁制御するステップ、
を含む、紹介表示編集機器におけるエッセイ形式（論文、文章形式）試験の問題（ＣＢＴの問題を含む）の索引、それらの問題（ＣＢＴの問題を含む）の試験問題紹介表示編集方法。
【発明の詳細な説明】
【技術分野】
【０００１】
本発明は、答案作成、答案採点、答案解説、答案作成技術・技法解説を実施するソフトウェアに関する。
【背景技術】
【０００２】
従来のシステムによるエッセイ形式（論文、文章形式）の答案などの作成方法は、キーワードを利用したものは存在する。（例えば、特許文献１参照。）。しかし、キーワードを利用した機械的、理論的な方法が中心で、それらに加えて実際の試験の模範的な答案という実践的な内容の視点からの方法という点では、明確に作成されていないという問題があった。
また、上記に関連して、答案採点、答案解説、答案作成技術・技法解説も、実践的な内容の視点からの方法が明確にされていない問題があった。
【特許文献１】特開２００２−２８８１５６号公報
【特許文献２】特開２００３−４４３４８号公報
【非特許文献１】「特・実の審査基準及び審査の運用−資料編−平成１４年度」特許庁、Ｐ．４４−４７、Ｐ．１２６−１２８
【発明の開示】
【発明が解決しようとする課題】
【０００３】
したがって、本発明が解決しようとする課題は、利用価値の高い実際のエッセイ形式（論文、文章形式）の試験で、問題文の趣旨に沿って解答するため、指定制限字数内に書くため、はっきりした字で書くため、きれいに書くため、頭書きの出題タイトルに沿って解答するため、出題の説明文に沿って解答するため、設問に沿って解答するため、などの実践的な内容の視点からの方法で答案を作成することにある。
また、答案採点、答案解説、答案作成技術・技法解説の方法も、答案作成方法と同様により実践的な内容の視点からの方法で実施することにある。
【課題を解決するための手段】
【０００４】
上記の実践的な内容の視点からの方法で答案を作成する際に、受信配信型試験システムにおいて、実際のエッセイ形式（論文、文章形式）試験問題、校正前答案を読み取り、読取抽出判断手段、読取抽出実行手段から試験問題の中にあるキーワード、書取抽出判断手段、書取抽出実行手段から答案、書取答案のキーワード検討対象の抽出して、答案、書取答案の答案書取を実施する。その際、問題文の趣旨に沿って解答するため、指定制限字数内に書くため、はっきりした字で書くため、きれいに書くため、頭書きの出題タイトルに沿って解答するため、出題の説明文に沿って解答するため、設問に沿って解答するため、などの模範答案作成のために、答案、書取答案ごとに、システム画面作成方法、操作方法を利用した技術・技法（アイデア）の組み合わせを利用して模範答案作成を実施することによって、課題を解決させる。
【０００５】
また、受信配信型試験システムで適時に模範答案作成を実施できるようにするために、受信配信型試験システムにおいて、多機能編集指定装置・機器（通信ネットワーク型を含める）も利用して解答作成途中の答案（ＣＢＴの答案を含む）からも含めて模範答案作成できるようにすることによって、課題を解決させる。
また、受信配信型試験システムの模範答案作成の精度を向上させるために、受信配信型試験システムにおいて、システム画面作成方法、操作方法を利用した技術・技法（アイデア）の組み合わせの繰り返し確認を利用して模範答案作成、解答作成途中の答案（ＣＢＴの答案を含む）からも含めた模範答案作成を実施することによって、課題を解決させる。
【０００６】
また、受信配信型試験システムの模範答案作成に幅を持たせるために、受信配信型試験システムにおいて、多機能編集指定装置・機器（通信ネットワーク型を含める）で指定した答案例作成数に応じて別解も含めて模範答案作成、解答作成途中の答案（ＣＢＴの答案を含む）からも含めて別解も含めて模範答案作成できるようにすることによって、課題を解決させる。
【０００７】
また、模範答案に調整を加えたい場合のために、受信配信型試験システムにおいて、多機能編集指定装置・機器（通信ネットワーク型を含める）で指定したキーワードに応じて別解も含めて模範答案作成調整、解答作成途中の答案（ＣＢＴの答案を含む）からも含めて別解も含めて模範答案作成調整できるようにすることによって、課題を解決させる。
【０００８】
次に、答案採点に関しても実践的な内容の視点から実施するために、受信配信型試験システムにおいて、校正前や解答作成途中などの答案（ＣＢＴの答案を含む）を模範答案作成後の答案（ＣＢＴの答案を含む）と比較した相違に応じて採点比較検討内容ごとに重み付けしながら採点することによって、課題を解決させる。
【０００９】
また、模範答案作成などと答案採点を一緒に実施したい場合のために、受信配信型試験システムにおいて、模範答案作成などの処理に続いて、校正前や解答作成途中などの答案（ＣＢＴの答案を含む）を答案、書取答案の答案書取の選択、書換、調整結果（選択、書き換え、調整処理が実施されない時の結果を含む）と比較した相違に応じて採点比較検討内容ごとに重み付けしながら採点する処理を一括して実施することによって、課題を解決させる。
【００１０】
次に、答案解説に関しても実践的な内容の視点から実施するために、受信配信型試験システムにおいて、受信から配信（含む拡大縮小調整配信）までの答案の各処理経過を映像音声解説を付けて多機能編集指定装置・機器（通信ネットワーク型を含める）に編集表示配信（含む拡大縮小調整配信）させることによって、課題を解決させる。
【００１１】
また、何度も答案解説を利用して復習したい場合のために、受信配信型試験システムにおいて、受信から配信（含む拡大縮小調整配信）までの答案の各処理経過を映像音声解説を付けて外部保存装置・機器（通信ネットワーク型を含める）、記憶媒体に保存制御することによって、課題を解決させる。
【００１２】
また、答案解説を携帯性も含めて手軽に表示編集したい場合のために、紹介表示編集機器において、答案解説ごと、表示編集頁ごとに答案解説表示編集できるように制御することによって、課題を解決させる。
【００１３】
次に、答案作成技術・技法解説に関しても実践的な内容の視点から実施するために、受信配信型試験システムにおいて、技術・技法解説を映像音声解説を付けて多機能編集指定装置・機器（通信ネットワーク型を含める）に編集表示配信（含む拡大縮小調整配信）させることによって、課題を解決させる。
【００１４】
また、何度も答案作成技術・技法解説を利用して復習したい場合のために、受信配信型試験システムにおいて、技術・技法解説を映像音声解説を付けて外部保存装置・機器（通信ネットワーク型を含める）、記憶媒体に保存制御することによって、課題を解決させる。
【００１５】
また、答案作成技術・技法解説を携帯性も含めて手軽に表示編集したい場合のために、紹介表示編集機器において、技術・技法解説ごと、表示編集頁ごとに技術・技法解説表示編集できるように制御することによって、課題を解決させる。
【００１６】
さらに、模範答案をアウトラインに基づいて作成調整を加えたい場合のために、受信配信型試験システムにおいて、読取装置・機器、多機能編集指定装置・機器（ともに通信ネットワーク型を含める）を介してアウトラインも受信して別解も含めたアウトラインに基づく模範答案作成調整、解答作成途中の答案（ＣＢＴの答案を含む）からも含めた別解も含めたアウトラインに基づく模範答案作成調整できるようにすることによって、課題を解決させる。
【００１７】
さらに、エッセイ形式（論文、文章形式）の問題の関連問題を参照したい場合のために、キーワードに基づいてエッセイ形式（論文、文章形式）試験の問題（ＣＢＴの問題を含む）を選択して関連問題を配信させることによって、課題を解決させる。
【００１８】
また、試験問題を携帯性も含めて手軽に表示編集したい場合のために、紹介表示編集機器において、試験問題ごと、表示編集頁ごとに試験問題表示編集できるように制御することによって、課題を解決させる。
（なお、請求項の記載は、非特許文献１を参照。ただし、動作主体に関しては、簡潔な記載を優先したため（特許法第３６条第６項第３号）、受信配信型システムにおける・・・、紹介表示編集機器における・・・と各請求項の最後のほうにまとめて動作主体の特定の記載をした。また、請求項１〜１３については、平成１５年７月２４日に発明協会東京支部において試験を実施した。但し、請求項１については、明細書に新規追加分がある。）
【発明の効果】
【００１９】
本発明は、比較的簡単に大学入試、司法試験、公認会計士試験、国家公務員試験、ＴＯＦＥＬ、弁理士試験、情報処理技術者試験などの利用価値の高い実際の試験の模範的な答案を作成することができる。
【００２０】
また、答案作成に付随する様々な実践的な処理を、効果的に実施することができる。
【００２１】
また、今回の方法を応用すれば、様々な試験の選択式試験や記述式試験にも応用利用できる可能性がある。
【発明を実施するための最良の形態】
【００２２】
第１図は本発明の実施の形態の説明にお利用する想定システム構成図である。想定システムは、読取装置・機器（スキャナ等）１台、多機能編集指定装置・機器（多機能編集指定端末）１台、受信配信型システム（汎用機・サーバ等の受信配信型試験システム）１台、表示装置・機器（プリンタ等）1台、外部保存装置・機器１台、紹介表示編集機器（タブレット機能付電子ブック等）１台、その他多機能編集指定装置・機器（パソコン等）（スライドモニタ等）（ディジタルテレビ等）複数台で構成される。（システム構成図は特許文献２を参考）
【実施例１】
【００２３】
本発明の実施例１を以下に記載する。
今回は、平成９年度秋期システム監査技術者試験の午後ＩＩ問１の出題（記号補正）を例として、私の著作物兼米国等特許検討案件（平成１０年８月原案作成、平成１５年５月案追加（読み重視、未来の公認会計士試験、新技法（新アイデア１，２）対応の追加非公開分）、一部改訂）に更に新技法兼米国等特許検討案件（新アイデア３、４，５、６、７（ここまでの新アイデアは平成１５年７月２４日案但し新アイデア４は修正）、８、９、１０、１１）を追加したものを参考に実施する。
課題を解決させるために、問題文の趣旨に沿って解答するため、指定制限字数内に書くため、はっきりした字で書くため、きれいに書くため、頭書きの出題タイトルに沿って解答するため、出題の説明文に沿って解答するため、設問に沿って解答するため、などの実践的な内容の視点からの方法で模範答案作成の際に、答案、書取答案ごとに、システム画面作成方法、操作方法を利用した技術・技法（アイデア）の組み合わせを利用して答案作成を実施する。（図面２参照）
平成９年度秋期システム監査技術者試験の午後ＩＩ問１の出題（記号補正）
問１  情報システムを取り巻く環境変化を踏まえた監査対象領域の選定について
経済のグローバル化や規制緩和などを背景として、情報システムの適用範囲が拡大している。また、ネットワークの普及によって、例えばエクストラネットと呼ばれる一企業の枠を越えた情報システムが出現している。このような経営環境の変化に対応するための情報システムは、組織内部の効率化を主な目的とするだけでなく、他企業の情報システムとの連携や、更には広く一般市民を含めたコミュニケーションを目的として、社会的基盤となったネットワークも利用することが求められる。その結果、情報システムのリスクも変化し、増大することが想定される。
システム監査人は、このような社会的な広がりをもつようになった情報システムの特質を認識するとともに、経営戦略を踏まえて、監査対象領域を適切に選定することが求められている。
あなたの経験と考えに基づいて、設問ア、イ、ウについてそれぞれ述べよ。
設問ア  あなたがかかわった情報システムの概要と、そのシステムが経済のグローバル化、規制緩和、ネットワークの普及などによって変化した、又は今後変化すると思われる点について、経営戦略と対応させて800字以内で述べよ。
設問イ  設問アで述べた情報システムについて、想定されるリスクと、それに基づく監査対象領域にはどのようなものがあるか。他企業の情報システムとの連携や、 一般市民とのコミュニケーションをも視野に入れたネットワークとの関係を踏まえて述べよ。
設問ウ  設問ア及び設問イの解答を踏まえ、社会的な広がりをもつようになった情報システムを監査する場合の監査ポイントを述べよ。
なお、表紙の注意事項の中に、以下の記述があります。
注意事項
4.  解答欄
(1) 解答は、設問ア〜設問ウに従って、2,400字〜4,000字で記述すること。文中に箇条書きを含めることは差し支えないが、箇条書には終始しないこと。
(2) 解答以外の記述に使用しないこと。
(3) 解答は、はっきりした字できれいに書くこと。読みにくい場合は、減点の対象になります。
なお、最近の問題（例、平成１２年度）の表紙の注意事項の記述は、以下のとおりに変更しています。
注意事項
4.  解答欄
(1) 問題文の趣旨に沿って解答すること。
(2) 解答字数について、
・設問アは800字以内で記述すること。
・設問イ・ウは併せて1,600字以上3,200字以内で記述すること。
なお、文中に箇条書を含めることは差し支えないが、箇条書には終始しないこと。
(3) 解答は、はっきりした字できれいに書くこと。読みにくい場合は、減点の対象になります。
はじめに、読取装置・機器（多機能編集指定端末の読取装置・機器機能）から出題されたエッセイ形式（論文、文章形式）試験問題（表紙も含む）と校正前答案を読み取り、それを介して（通信ネットワーク型を含む）読み取った実際のエッセイ形式（論文、文章形式）試験問題、校正前答案（ＣＢＴのエッセイ形式（論文、文章形式）試験問題、校正前答案を含む）を、受信配信型試験システムの受信手段が受信する。
次に、エッセイ形式（論文、文章形式）試験問題の中にあるキーワードを受信配信型試験システムの読取抽出判断手段が抽出判断する。
そして、受信配信型試験システムの読取抽出判断手段が、エッセイ形式（論文、文章形式）試験問題に所定のキーワードが存在するか否かの判断において、存在した場合に抽出指令を受信配信型試験システムの読取抽出実行手段に与える。
その際、答案、書取答案ごとに、システム画面作成方法、操作方法を利用した技術・技法（アイデア）の組み合わせを利用する。
キーワード読取抽出判断、実行例
エッセイ形式（論文、文章形式）試験問題の中にあるａ．問題文の趣旨に沿って解答するため、１．指定制限字数内に書くため、２．はっきりした字で書くため、３．きれいに書くため、４．頭書きの出題タイトルに沿って解答するため、５．出題の説明文に沿って解答するため、６．設問に沿って解答するため、などの模範答案作成のためのキーワードを受信配信型試験システムの読取抽出判断手段が抽出判断する。
そして、受信配信型試験システムの読取抽出判断手段が、エッセイ形式（論文、文章形式）試験問題に所定のキーワードが存在するか否かの判断において、存在した場合に抽出指令を受信配信型試験システムの読取抽出実行手段に与える。
その際、答案、書取答案ごとに、下記のシステム画面作成方法、操作方法を利用した技術・技法（アイデア）の組み合わせを利用する。
１、まとまった文章で構成される一つの設問全体の解答や一つの設問全体の解答につける設問名称を選択、書き換え、調整などをする技術・技法（Ｆｏｒｍ）＊１で抽出するキーワード
１、１  まとまった文章で構成される一つの設問全体の解答を取捨選択する技術・技法（Ｆｏｒｍ．Ｖｉｓｉｂｌｅ（表示アイデア））で抽出するキーワード
１．指定制限字数内に書くため
エッセイ形式（論文、文章形式）試験問題の中にある指定制限字数内に書くためのキーワードを読取抽出判断手段が抽出判断する。
実施例１キーワード抽出判断実施例の一つ
図３‐１‐１‐１‐１‐Ａ
最近の問題（例、平成１２年度）の場合
図３‐１‐１‐１‐１‐Ｂ
そして、読取抽出判断手段が、エッセイ形式（論文、文章形式）試験問題に指定制限字数内に書くための所定のキーワードが存在するか否かの判断において、存在した場合に抽出指令を読取抽出実行手段に与える。上記では、指定制限字数内に書くための所定のキーワードが2,400字〜4,000字で記述すること（最近の問題（例、平成１２年度）の場合は、設問アは800字以内で記述すること及び設問イ・ウは併せて1,600字以上3,200字以内で記述すること）と存在するので、抽出指令を読取抽出実行手段に与えてキーワードの抽出実行する。
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
２．はっきりした字で書くため
エッセイ形式（論文、文章形式）試験問題の中にあるはっきりした字で書くためのキーワードを読取抽出判断手段が抽出判断する。
実施例１キーワード抽出判断実施例の一つ
図３‐１‐１‐１‐２‐Ａ
そして、読取抽出判断手段が、エッセイ形式（論文、文章形式）試験問題にはっきりした字で書くための所定のキーワードが存在するか否かの判断において、存在した場合に抽出指令を読取抽出実行手段に与える。上記では、はっきりした字で書くための所定のキーワードがはっきりした字、監査と存在するので、抽出指令を読取抽出実行手段に与えてキーワードの抽出実行する。
キーワード＝はっきりした字。
キーワード＝監査。
３．きれいに書くため
エッセイ形式（論文、文章形式）試験問題の中にあるきれいに書くためのキーワードを読取抽出判断手段が抽出判断する。
実施例１キーワード抽出判断実施例の一つ
図３‐１‐１‐１‐３‐Ａ
そして、読取抽出判断手段が、エッセイ形式（論文、文章形式）試験問題にきれいに書くための所定のキーワードが存在するか否かの判断において、存在した場合に抽出指令を読取抽出実行手段に与える。上記では、きれいに書くための所定のキーワードがきれいに書くことと存在するので、抽出指令を読取抽出実行手段に与えてキーワードの抽出実行する。
キーワード＝きれいに書きこと。
４．頭書きの出題タイトルに沿って解答するため
エッセイ形式（論文、文章形式）試験問題の中にある頭書きの出題タイトルに沿って解答するためのキーワードを読取抽出判断手段が抽出判断する。
実施例１キーワード抽出判断実施例の一つ
図３‐１‐１‐１‐４‐Ａ
そして、読取抽出判断手段が、エッセイ形式（論文、文章形式）試験問題に頭書きの出題タイトルに沿って解答するための所定のキーワードが存在するか否かの判断において、存在した場合に抽出指令を読取抽出実行手段に与える。上記では、頭書きの出題タイトルに沿って解答するための所定のキーワードが環境変化を踏まえたと存在するので、抽出指令を読取抽出実行手段に与えてキーワードの抽出実行する。
キーワード＝環境変化を踏まえた。
５．出題の説明文に沿って解答するため
エッセイ形式（論文、文章形式）試験問題の中にある出題の説明文に沿って解答するためのキーワードを読取抽出判断手段が抽出判断する。
実施例１キーワード抽出判断実施例の一つ
図３‐１‐１‐１‐５‐Ａ
そして、読取抽出判断手段が、エッセイ形式（論文、文章形式）試験問題に出題の説明文に沿って解答するための所定のキーワードが存在するか否かの判断において、存在した場合に抽出指令を読取抽出実行手段に与える。上記では、出題の説明文に沿って解答するための所定のキーワードが他企業の情報システムとの連携や、更には広く一般市民を含めたコミュニケーションを目的として、社会的基盤となったネットワークも利用することが求められると存在するので、抽出指令を読取抽出実行手段に与えてキーワードの抽出実行する。
キーワード＝他企業の情報システムとの連携や、更には広く一般市民を含めたコミュニケーションを目的として、社会的基盤となったネットワークも利用することが求められる。
６．設問に沿って解答するため
エッセイ形式（論文、文章形式）試験問題の中にある設問に沿って解答するためのキーワードを読取抽出判断手段が抽出判断する。
実施例１キーワード抽出判断実施例の一つ
図３‐１‐１‐１‐６‐Ａ
そして、読取抽出判断手段が、エッセイ形式（論文、文章形式）試験問題に設問に沿って解答するための所定のキーワードが存在するか否かの判断において、存在した場合に抽出指令を読取抽出実行手段に与える。上記では、設問に沿って解答するための所定のキーワードが設問アは800字以内で述べよ、設問イは他企業の情報システムとの連携や、一般市民とのコミュニケーションをも視野に入れたネットワークとの関係を踏まえて述べよとそれぞれ存在するので、抽出指令を読取抽出実行手段に与えてキーワードの抽出実行する。
設問ア
キーワード＝800字以内で述べよ。
設問イ
キーワード＝他企業の情報システムとの連携や、一般市民とのコミュニケーションをも視野に入れたネットワークとの関係を踏まえて述べよ。
（以下、ａ．問題文の趣旨に沿って解答するためは後述で説明して、その他は詳細な説明は省略する。）
１、２  まとまった文章で構成される一つの設問全体の解答に付ける設問名称を書き換える技術・技法（Ｆｏｒｍ．Ｔｅｘｔ）で抽出するキーワード
１．指定制限字数内に書くため
実施例１キーワード抽出判断実施例の一つ
図３‐１‐１‐２‐１‐Ａ
最近の問題（例、平成１２年度）の場合
図３‐１‐１‐２‐１‐Ｂ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
２．はっきりした字で書くため
実施例１キーワード抽出判断実施例の一つ
図３‐１‐１‐２‐２‐Ａ
キーワード＝はっきりした字。
キーワード＝監査。
３．きれいに書くため
実施例１キーワード抽出判断実施例の一つ
図３‐１‐１‐２‐３‐Ａ
キーワード＝きれいに書きこと。
４．頭書きの出題タイトルに沿って解答するため
実施例１キーワード抽出判断実施例の一つ
図３‐１‐１‐２‐４‐Ａ
キーワード＝監査対象領域の選定。
５．出題の説明文に沿って解答するため
実施例１キーワード抽出判断実施例の一つ
図３‐１‐１‐２‐５‐Ａ
キーワード＝監査対象領域を適切に選定すること。
６．設問に沿って解答するため
実施例１キーワード抽出判断実施例の一つ
図３‐１‐１‐２‐６‐Ａ
設問ア
キーワード＝800字以内で述べよ。
設問イ
キーワード＝監査対象領域。
１、３  まとまった文章で構成される一つの設問全体の解答に使用する行数を調整する技術・技法（Ｆｏｒｍ．ＳｃａｌｅＨｅｉｇｈｔ）で抽出するキーワード
１．指定制限字数内に書くため
実施例１キーワード抽出判断実施例の一つ
図３‐１‐１‐３‐１‐Ａ
最近の問題（例、平成１２年度）の場合
図３‐１‐１‐３‐１‐Ｂ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
３．きれいに書くため
実施例１キーワード抽出判断実施例の一つ
図３‐１‐１‐３‐３‐Ａ
キーワード＝きれいに書きこと。
６．設問に沿って解答するため
実施例１キーワード抽出判断実施例の一つ
図３‐１‐１‐３‐６‐Ａ
設問ア
キーワード＝800字以内で述べよ。
１、４  まとまった文章で構成される一つの設問全体の解答の開始行を調整する技術・技法（Ｆｏｒｍ．ＳｃａｌｅＴｏｐ）で抽出するキーワード
１．指定制限字数内に書くため
実施例１キーワード抽出判断実施例の一つ
図３‐１‐１‐４‐１‐Ａ
最近の問題（例、平成１２年度）の場合
図３‐１‐１‐４‐１‐Ｂ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
３．きれいに書くため
実施例１キーワード抽出判断実施例の一つ
図３‐１‐１‐４‐３‐Ａ
キーワード＝きれいに書きこと。
１、５  まとまった文章で構成される一つの設問全体の解答や一つの設問全体の解答に付ける設問名称に使用するサイズや太さや下線付きなどのフォントを調整する技術・技法（Ｆｏｒｍ．Ｆｏｎｔ）で抽出するキーワード
１．指定制限字数内に書くため
実施例１キーワード抽出判断実施例の一つ
図３‐１‐１‐５‐１‐Ａ
最近の問題（例、平成１２年度）の場合
図３‐１‐１‐５‐１‐Ｂ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
２．はっきりした字で書くため
実施例１キーワード抽出判断実施例の一つ
図３‐１‐１‐５‐２‐Ａ
キーワード＝はっきりした字。
キーワード＝社会的な広がりをもつようになった情報システムを監査する場合の監査ポイント。
３．きれいに書くため
実施例１キーワード抽出判断実施例の一つ
図３‐１‐１‐５‐３‐Ａ
キーワード＝きれいに書きこと。
６．設問に沿って解答するため
実施例１キーワード抽出判断実施例の一つ
図３‐１‐１‐５‐６‐Ａ
設問ア
キーワード＝800字以内で述べよ。
１、６  解答や設問名称に使用するキーワードを抽出して、まとまった文章で構成される一つの設問全体の解答や一つの設問全体の解答につける設問名称にキーワードを使用したものを選択する技術・技法（Ｆｏｒｍの新アイデア１（検索））で抽出するキーワード
ａ．問題文の趣旨に沿って解答するため
エッセイ形式（論文、文章形式）試験問題の中にある問題文の趣旨に沿って解答するためのキーワードを読取抽出判断手段が抽出判断する。
実施例１キーワード抽出判断実施例の一つ
図３‐１‐１‐６‐ａ‐Ａ
そして、読取抽出判断手段が、エッセイ形式（論文、文章形式）試験問題に問題文の趣旨に沿って解答するための所定のキーワードが存在するか否かの判断において、存在した場合に抽出指令を読取抽出実行手段に与える。上記では、問題文の趣旨に沿って解答するための所定のキーワードが問題文の趣旨に沿って解答すること及び監査対象領域と存在するので、抽出指令を読取抽出実行手段に与えてキーワードの抽出実行する。
最近の問題（例、平成１２年度）の場合
キーワード＝問題文の趣旨に沿って解答すること。
キーワード＝監査対象領域。
（以下、ａ．問題文の趣旨に沿って解答するためも詳細な説明は省略する。）
２．はっきりした字で書くため
実施例１キーワード抽出判断実施例の一つ
図３‐１‐１‐６‐２‐Ａ
キーワード＝はっきりした字。
キーワード＝監査。
４．頭書きの出題タイトルに沿って解答するため
実施例１キーワード抽出判断実施例の一つ
図３‐１‐１‐６‐４‐Ａ
キーワード＝監査対象領域。
５．出題の説明文に沿って解答するため
実施例１キーワード抽出判断実施例の一つ
図３‐１‐１‐６‐５‐Ａ
キーワード＝リスク。
６．設問に沿って解答するため
実施例１キーワード抽出判断実施例の一つ
図３‐１‐１‐６‐６‐Ａ
設問イ
キーワード＝リスク。
１、７  解答や設問名称に使用するキーワードを抽出して、まとまった文章で構成される一つの設問全体の解答や一つの設問全体の解答につける設問名称にキーワードを使用したものに書き換え、調整する技術・技法（Ｆｏｒｍの新アイデア２（置換））で抽出するキーワード
ａ．問題文の趣旨に沿って解答するため
実施例１キーワード抽出判断実施例の一つ
図３‐１‐１‐７‐ａ‐Ａ
最近の問題（例、平成１２年度）の場合
キーワード＝問題文の趣旨に沿って解答すること。
キーワード＝監査対象領域。
２．はっきりした字で書くため
実施例１キーワード抽出判断実施例の一つ
図３‐１‐１‐７‐２‐Ａ
キーワード＝はっきりした字。
キーワード＝監査。
４．頭書きの出題タイトルに沿って解答するため
実施例１キーワード抽出判断実施例の一つ
図３‐１‐１‐７‐４‐Ａ
キーワード＝監査対象領域。
５．出題の説明文に沿って解答するため
実施例１キーワード抽出判断実施例の一つ
図３‐１‐１‐７‐５‐Ａ
キーワード＝リスク。
６．設問に沿って解答するため
実施例１キーワード抽出判断実施例の一つ
図３‐１‐１‐７‐６‐Ａ
設問イ
キーワード＝リスク。
１、８  まとまった文章で構成される一つの設問全体の解答の指定した位置部分を切り取り書き換えする技術・技法（Ｆｏｒｍの新アイデア３（指定位置部分切り取り））で抽出するキーワード
１．指定制限字数内に書くため
実施例１キーワード抽出判断実施例の一つ
図３‐１‐１‐８‐１‐Ａ
最近の問題（例、平成１２年度）の場合
図３‐１‐１‐８‐１‐Ｂ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
１、９  まとまった文章で構成される一つの設問全体の解答の指定した位置に設問の解答の部分を貼り付け書き換えする技術・技法（Ｆｏｒｍの新アイデア４（指定位置部分貼り付け））で抽出するキーワード
３．きれいに書くため
実施例１キーワード抽出判断実施例の一つ
図３‐１‐１‐９‐３‐Ａ
キーワード＝きれいに書きこと。
１、１０  まとまった文章で構成される一つの設問全体の解答を順序を整列して書き換えする技術・技法（Ｆｏｒｍの新アイデア５（整列））で抽出するキーワード
６．設問に沿って解答するため
実施例１キーワード抽出判断実施例の一つ
図３‐１‐１‐１０‐６‐Ａ
設問ウ
キーワード＝設問ア及び設問イの解答を踏まえ。
１、１１  まとまった文章で構成される一つの設問全体の解答の指定した位置に他の答案や解答の部分をコピーして書き換えする技術・技法（Ｆｏｒｍの新アイデア８（指定位置部分コピー））で抽出するキーワード
３．きれいに書くため
実施例１キーワード抽出判断実施例の一つ
図３‐１‐１‐１１‐３‐Ａ
キーワード＝きれいに書きこと。
１、１２  まとまった文章で構成される一つの設問全体の解答で使用している解答の語句や内容を継承してまとまった文章で構成される一つの設問全体の解答や一つの設問全体の解答につける設問名称を書き換えする技術・技法（Ｆｏｒｍの新アイデア９（継承））で抽出するキーワード
設問ウを、設問ア及び設問イの解答を踏まえ、社会的な広がりをもつようになった情報システムを監査する場合の監査ポイントを述べよ。ではなく、設問ア及び設問イの解答を踏まえ、社会的な広がりをもつようになった情報システムを監査する場合の以下の監査ポイントを述べよ。設問ウ‐１他企業との情報システムの連携  設問ウ‐２一般市民とのコミュニケーション  設問ウ‐３その他のネットワークとの関係であると仮定する。
６．設問に沿って解答するため
実施例１キーワード抽出判断実施例の一つ
図３‐１‐１‐１２‐６‐Ａ
設問ウ‐１
キーワード＝監査ポイント。
設問ウ‐２
キーワード＝監査ポイント。
設問ウ‐３
キーワード＝監査ポイント。
１、１３  まとまった文章で構成される一つの設問全体の解答がまとまった文章で構成される複数の項目の解答の形態を集約選択して書き換えする技術・技法（Ｆｏｒｍの新アイデア１０（多態））で抽出するキーワード
６．設問に沿って解答するため
実施例１キーワード抽出判断実施例の一つ
図３‐１‐１‐１３‐６‐Ａ
設問ウ
キーワード＝監査ポイント。
２、まとまった文章で構成される一つの項目の解答や一つの項目の解答につける項目名称を選択、書き換え、調整などをする技術・技法（ＧｒｏｕｐＢｏｘ）＊２で抽出するキーワード
２、１  まとまった文章で構成される一つの項目の解答を取捨選択する技術・技法（ＧｒｏｕｐＢｏｘ．Ｖｉｓｉｂｌｅ（表示アイデア））で抽出するキーワード
１．指定制限字数内に書くため
実施例１キーワード抽出判断実施例の一つ
図３‐１‐２‐１‐１‐Ａ
最近の問題（例、平成１２年度）の場合
図３‐１‐２‐１‐１‐Ｂ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
２．はっきりした字で書くため
実施例１キーワード抽出判断実施例の一つ
図３‐１‐２‐１‐２‐Ａ
キーワード＝はっきりした字。
キーワード＝監査。
３．きれいに書くため
実施例１キーワード抽出判断実施例の一つ
図３‐１‐２‐１‐３‐Ａ
キーワード＝きれいに書きこと。
４．頭書きの出題タイトルに沿って解答するため
実施例１キーワード抽出判断実施例の一つ
図３‐１‐２‐１‐４‐Ａ
キーワード＝環境変化を踏まえた。
５．出題の説明文に沿って解答するため
実施例１キーワード抽出判断実施例の一つ
図３‐１‐２‐１‐５‐Ａ
キーワード＝他企業の情報システムとの連携や、更には広く一般市民を含めたコミュニケーションを目的として、社会的基盤となったネットワークも利用することが求められる。
６．設問に沿って解答するため
実施例１キーワード抽出判断実施例の一つ
図３‐１‐２‐１‐６‐Ａ
設問ア
キーワード＝800字以内で述べよ。
設問イ
キーワード＝他企業の情報システムとの連携や、一般市民とのコミュニケーションをも視野に入れたネットワークとの関係を踏まえて述べよ。
２、２  まとまった文章で構成される一つの項目の解答に付ける項目名称を書き換える技術・技法（ＧｒｏｕｐＢｏｘ．Ｔｅｘｔ）で抽出するキーワード
１．指定制限字数内に書くため
実施例１キーワード抽出判断実施例の一つ
図３‐１‐２‐２‐１‐Ａ
最近の問題（例、平成１２年度）の場合
図３‐１‐２‐２‐１‐Ｂ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
２．はっきりした字で書くため
実施例１キーワード抽出判断実施例の一つ
図３‐１‐２‐２‐２‐Ａ
キーワード＝はっきりした字。
キーワード＝監査。
３．きれいに書くため
実施例１キーワード抽出判断実施例の一つ
図３‐１‐２‐２‐３‐Ａ
キーワード＝きれいに書きこと。
４．頭書きの出題タイトルに沿って解答するため
実施例１キーワード抽出判断実施例の一つ
図３‐１‐２‐２‐４‐Ａ
キーワード＝環境変化を踏まえた。
５．出題の説明文に沿って解答するため
実施例１キーワード抽出判断実施例の一つ
図３‐１‐２‐２‐５‐Ａ
キーワード＝社会的基盤となったネットワーク。
６．設問に沿って解答するため
実施例１キーワード抽出判断実施例の一つ
図３‐１‐２‐２‐６‐Ａ
設問ア
キーワード＝800字以内で述べよ。
設問イ
キーワード＝ネットワークとの関係。
２、３  まとまった文章で構成される一つの項目の解答に使用する行数を調整する技術・技法（ＧｒｏｕｐＢｏｘ．Ｈｅｉｇｈｔ）で抽出するキーワード
１．指定制限字数内に書くため
実施例１キーワード抽出判断実施例の一つ
図３‐１‐２‐３‐１‐Ａ
最近の問題（例、平成１２年度）の場合
図３‐１‐２‐３‐１‐Ｂ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
３．きれいに書くため
実施例１キーワード抽出判断実施例の一つ
図３‐１‐２‐３‐３‐Ａ
キーワード＝きれいに書きこと。
６．設問に沿って解答するため
実施例１キーワード抽出判断実施例の一つ
図３‐１‐２‐３‐６‐Ａ
設問ア
キーワード＝800字以内で述べよ。
２、４  まとまった文章で構成される一つの項目の解答の一行当たりに使用する解答字数を調整する技術・技法（ＧｒｏｕｐＢｏｘ．Ｗｉｄｔｈ）で抽出するキーワード
１．指定制限字数内に書くため
実施例１キーワード抽出判断実施例の一つ
図３‐１‐２‐４‐１‐Ａ
最近の問題（例、平成１２年度）の場合
図３‐１‐２‐４‐１‐Ｂ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
３．きれいに書くため
実施例１キーワード抽出判断実施例の一つ
図３‐１‐２‐４‐３‐Ａ
キーワード＝きれいに書きこと。
６．設問に沿って解答するため
実施例１キーワード抽出判断実施例の一つ
図３‐１‐２‐４‐６‐Ａ
設問ア
キーワード＝800字以内で述べよ。
２、５  まとまった文章で構成される一つの項目の解答の開始行を調整する技術・技法（ＧｒｏｕｐＢｏｘ．Ｔｏｐ）で抽出するキーワード
１．指定制限字数内に書くため
実施例１キーワード抽出判断実施例の一つ
図３‐１‐２‐５‐１‐Ａ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
３．きれいに書くため
実施例１キーワード抽出判断実施例の一つ
図３‐１‐２‐５‐３‐Ａ
キーワード＝きれいに書きこと。
４．頭書きの出題タイトルに沿って解答するため
頭書きの出題タイトルを、情報システムを取り巻く環境変化を踏まえた監査対象領域の選定についてではなく、他企業との連携や一般市民とのコミュニケーションなどを踏まえた監査対象領域の選定についてであると仮定する。
実施例１キーワード抽出判断実施例の一つ
図３‐１‐２‐５‐４‐Ａ
キーワード＝他企業との連携や一般市民とのコミュニケーション。
５．出題の説明文に沿って解答するため
実施例１キーワード抽出判断実施例の一つ
図３‐１‐２‐５‐５‐Ａ
キーワード＝他企業の情報システムとの連携や、更には広く一般市民を含めたコミュニケーション。
６．設問に沿って解答するため
実施例１キーワード抽出判断実施例の一つ
図３‐１‐２‐５‐６‐Ａ
設問ア
キーワード＝800字以内で述べよ。
設問イ
キーワード＝他企業の情報システムとの連携や、一般市民とのコミュニケーション。
２、６  まとまった文章で構成される一つの項目の解答の行の開始解答位置を調整する技術・技法（ＧｒｏｕｐＢｏｘ．Ｌｅｆｔ）で抽出するキーワード
１．指定制限字数内に書くため
実施例１キーワード抽出判断実施例の一つ
図３‐１‐２‐６‐１‐Ａ
キーワード＝2,400字〜4,000字で記述すること。
最近の問題（例、平成１２年度）の場合
図３‐１‐２‐６‐１‐Ａ
キーワード＝設問アは800字以内で記述すること。
キーワード＝設問イ・ウは併せて1,600字以上3,200字以内で記述すること。
３．きれいに書くため
実施例１キーワード抽出判断実施例の一つ
図３‐１‐２‐６‐３‐Ａ
キーワード＝きれいに書きこと。
６．設問に沿って解答するため
実施例１キーワード抽出判断実施例の一つ
図３‐１‐２‐６‐６‐Ａ  
設問ア
キーワード＝800字以内で述べよ。
２、７  まとまった文章で構成される一つの項目の解答に付ける項目名称に使用するサイズや太さや下線付きなどのフォントを調整する技術・技法（ＧｒｏｕｐＢｏｘ．Ｆｏｎｔ）で抽出するキーワード
１．指定制限字数内に書くため
実施例１キーワード抽出判断実施例の一つ
図３‐１‐２‐７‐１‐Ａ  
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
２．はっきりした字で書くため
実施例１キーワード抽出判断実施例の一つ
図３‐１‐２‐７‐２‐Ａ
キーワード＝はっきりした字。
３．きれいに書くため
実施例１キーワード抽出判断実施例の一つ
図３‐１‐２‐７‐３‐Ａ
キーワード＝きれいに書きこと。
６．設問に沿って解答するため
実施例１キーワード抽出判断実施例の一つ
図３‐１‐２‐７‐６‐Ａ
設問ア
キーワード＝800字以内で述べよ。
２、８  解答や項目名称に使用するキーワードを抽出して、まとまった文章で構成される一つの項目の解答や一つの項目の解答につける項目名称にキーワードを使用したものを選択する技術・技法（ＧｒｏｕｐＢｏｘの新アイデア１（検索））で抽出するキーワード
ａ．問題文の趣旨に沿って解答するため
実施例１キーワード抽出判断実施例の一つ
図３‐１‐２‐８‐ａ‐Ａ
最近の問題（例、平成１２年度）の場合
キーワード＝問題文の趣旨に沿って解答すること。
キーワード＝監査対象領域。
２．はっきりした字で書くため
実施例１キーワード抽出判断実施例の一つ
図３‐１‐２‐８‐２‐Ａ
キーワード＝はっきりした字。
キーワード＝監査。
４．頭書きの出題タイトルに沿って解答するため
実施例１キーワード抽出判断実施例の一つ
図３‐１‐２‐８‐４‐Ａ
キーワード＝監査対象領域。
５．出題の説明文に沿って解答するため
実施例１キーワード抽出判断実施例の一つ
図３‐１‐２‐８‐５‐Ａ
キーワード＝リスク。
６．設問に沿って解答するため
実施例１キーワード抽出判断実施例の一つ
図３‐１‐２‐８‐６‐Ａ
設問イ
キーワード＝リスク。
２、９  解答や項目名称に使用するキーワードを抽出して、まとまった文章で構成される一つの項目の解答や一つの項目の解答につける項目名称にキーワードを使用したものに書き換え、調整する技術・技法（ＧｒｏｕｐＢｏｘの新アイデア２（置換））で抽出するキーワード
ａ．問題文の趣旨に沿って解答するため
実施例１キーワード抽出判断実施例の一つ
図３‐１‐２‐９‐ａ‐Ａ
最近の問題（例、平成１２年度）の場合
キーワード＝問題文の趣旨に沿って解答すること。
キーワード＝監査対象領域。
２．はっきりした字で書くため
実施例１キーワード抽出判断実施例の一つ
図３‐１‐２‐９‐２‐Ａ
キーワード＝はっきりした字。
キーワード＝監査。
４．頭書きの出題タイトルに沿って解答するため
実施例１キーワード抽出判断実施例の一つ
図３‐１‐２‐９‐４‐Ａ
キーワード＝監査対象領域。
５．出題の説明文に沿って解答するため
実施例１キーワード抽出判断実施例の一つ
図３‐１‐２‐９‐５‐Ａ
キーワード＝リスク。
６．設問に沿って解答するため
実施例１キーワード抽出判断実施例の一つ
図３‐１‐２‐９‐６‐Ａ
設問イ
キーワード＝リスク。
２、１０  まとまった文章で構成される一つの項目の解答の指定した位置部分を切り取り書き換えする技術・技法（ＧｒｏｕｐＢｏｘの新アイデア３（指定位置部分切り取り））で抽出するキーワード
１．指定制限字数内に書くため
図３‐１‐２‐１０‐１‐Ａ
最近の問題（例、平成１２年度）の場合
図３‐１‐２‐１０‐１‐Ｂ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
２、１１  まとまった文章で構成される一つの項目の解答の指定した位置に項目の解答の部分を貼り付け書き換えする技術・技法（ＧｒｕｏｐＢｏｘの新アイデア４（指定位置部分貼り付け））で抽出するキーワード
３．きれいに書くため
実施例１キーワード抽出判断実施例の一つ
図３‐１‐２‐１１‐３‐Ａ
キーワード＝きれいに書きこと。            
２、１２  まとまった文章で構成される一つの項目の解答を順序を整列して書き換えする技術・技法（ＧｒｏｕｐＢｏｘの新アイデア５（整列））で抽出するキーワード
６．設問に沿って解答するため
実施例１キーワード抽出判断実施例の一つ
設問イ
図３‐１‐２‐１２‐６‐Ａ
設問イ
キーワード＝他企業の情報システムとの連携や、一般市民とのコミュニケーション。
２、１３  まとまった文章で構成される一つの項目の解答をまとまった文章で構成される複数の項目の解答に分割して書き換えする技術・技法（ＧｒｕｏｐＢｏｘの新アイデア６（分割））で抽出するキーワード
３．きれいに書くため
実施例１キーワード抽出判断実施例の一つ
図３‐１‐２‐１３‐３‐Ａ
キーワード＝きれいに書きこと。
２、１４  まとまった文章で構成される複数の項目の解答をまとまった文章で構成される一つの項目の解答に併合して書き換えする技術・技法（ＧｒｕｏｐＢｏｘの新アイデア７（併合））で抽出するキーワード
３．きれいに書くため
実施例１キーワード抽出判断実施例の一つ
図３‐１‐２‐１４‐３‐Ａ
キーワード＝きれいに書きこと。
２、１５  まとまった文章で構成される一つの項目の解答の指定した位置に他の答案や解答の部分をコピーして書き換えする技術・技法（ＧｒｕｏｐＢｏｘの新アイデア８（指定位置部分コピー））で抽出するキーワード
３．きれいに書くため
実施例１キーワード抽出判断実施例の一つ
図３‐１‐２‐１５‐３‐Ａ
キーワード＝きれいに書きこと。
２、１６  まとまった文章で構成される一つの設問全体の解答やまとまった文章で構成される一つの項目の解答で使用している解答の語句や内容を継承してまとまった文章で構成される一つの項目の解答や一つの項目の解答につける項目名称を書き換えする技術・技法（ＧｒｏｕｐＢｏｘの新アイデア９（継承））で抽出するキーワード
６．設問に沿って解答するため
実施例１キーワード抽出判断実施例の一つ
図３‐１‐２‐１６‐６‐Ａ
設問ウ
キーワード＝監査ポイント。
２、１７  まとまった文章で構成される一つの項目の解答が複数の文や語句、名称（含む数字）の形態を集約選択して書き換えする技術・技法（ＧｒｏｕｐＢｏｘの新アイデア１０（多態））で抽出するキーワード
６．設問に沿って解答するため
実施例１キーワード抽出判断実施例の一つ
図３‐１‐２‐１７‐６‐Ａ
設問ウ
キーワード＝監査ポイント。
３、文章中で使用されている文や語句、名称（含む数字）を選択、書き換え、調整などをする技術・技法（Ｌａｂｅｌ）で抽出するキーワード
３、１  文章中で使用されている文や語句、名称（含む数字）を取捨選択する技術・技法（Ｌａｂｅｌ．Ｖｉｓｉｂｌｅ（表示アイデア））で抽出するキーワード
１．指定制限字数内に書くため
実施例１キーワード抽出判断実施例の一つ
図３‐１‐３‐１‐１‐Ａ
最近の問題（例、平成１２年度）の場合
図３‐１‐３‐１‐１‐Ｂ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
２．はっきりした字で書くため
実施例１キーワード抽出判断実施例の一つ
図３‐１‐３‐１‐２‐Ａ
キーワード＝はっきりした字。
３．きれいに書くため
実施例１キーワード抽出判断実施例の一つ
図３‐１‐３‐１‐３‐Ａ
キーワード＝きれいに書きこと。
４．頭書きの出題タイトルに沿って解答するため
実施例１キーワード抽出判断実施例の一つ
図３‐１‐３‐１‐４‐Ａ
キーワード＝環境変化を踏まえた。
５．出題の説明文に沿って解答するため
実施例１キーワード抽出判断実施例の一つ
図３‐１‐３‐１‐５‐Ａ
キーワード＝経営戦略を踏まえて。
６．設問に沿って解答するため
実施例１キーワード抽出判断実施例の一つ
図３‐１‐３‐１‐６‐Ａ
設問ア
キーワード＝800字以内で述べよ。
設問イ
キーワード＝リスク。
３、２  文章中で使用されている文や語句、名称（含む数字）を書き換える技術・技法（Ｌａｂｅｌ．Ｔｅｘｔ）で抽出するキーワード
１．指定制限字数内に書くため
実施例１キーワード抽出判断実施例の一つ
図３‐１‐３‐２‐１‐Ａ
最近の問題（例、平成１２年度）の場合
図３‐１‐３‐２‐１‐Ｂ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
２．はっきりした字で書くため
実施例１キーワード抽出判断実施例の一つ
図３‐１‐３‐２‐２‐Ａ
キーワード＝はっきりした字。
３．きれいに書くため
実施例１キーワード抽出判断実施例の一つ
図３‐１‐３‐２‐３‐Ａ
キーワード＝きれいに書きこと。
４．頭書きの出題タイトルに沿って解答するため
実施例１キーワード抽出判断実施例の一つ
図３‐１‐３‐２‐４‐Ａ
キーワード＝監査対象領域。
５．出題の説明文に沿って解答するため
実施例１キーワード抽出判断実施例の一つ
図３‐１‐３‐２‐５‐Ａ
キーワード＝監査対象領域。
６．設問に沿って解答するため
実施例１キーワード抽出判断実施例の一つ
図３‐１‐３‐２‐６‐Ａ
設問ア
キーワード＝800字以内で述べよ。
設問イ
キーワード＝監査対象領域。
３、３  文章中で使用されている文や語句、名称（含む数字）に使用する解答字数を調整する技術・技法（Ｌａｂｅｌ．Ｗｉｄｔｈ）で抽出するキーワード
１．指定制限字数内に書くため
実施例１キーワード抽出判断実施例の一つ
図３‐１‐３‐３‐１‐Ａ
最近の問題（例、平成１２年度）の場合
図３‐１‐３‐３‐１‐Ｂ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
３．きれいに書くため
実施例１キーワード抽出判断実施例の一つ
図３‐１‐３‐３‐３‐Ａ
キーワード＝きれいに書きこと。
６．設問に沿って解答するため
実施例１キーワード抽出判断実施例の一つ
図３‐１‐３‐３‐６‐Ａ
キーワード＝800字以内で述べよ。
３、４  文章中で使用されている文や語句、名称（含む数字）の開始行を調整する技術・技法（Ｌａｂｅｌ．Ｔｏｐ）で抽出するキーワード
１．指定制限字数内に書くため
実施例１キーワード抽出判断実施例の一つ
図３‐１‐３‐４‐１‐Ａ
最近の問題（例、平成１２年度）の場合
図３‐１‐３‐４‐１‐Ｂ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
３．きれいに書くため
実施例１キーワード抽出判断実施例の一つ
図３‐１‐３‐４‐３‐Ａ
キーワード＝きれいに書きこと。
４．頭書きの出題タイトルに沿って解答するため
頭書きの出題タイトルを、情報システムを取り巻く環境変化を踏まえた監査対象領域の選定についてではなく、他企業との連携や一般市民とのコミュニケーションなどを踏まえた監査対象領域の選定についてであると仮定する。
実施例１キーワード抽出判断実施例の一つ
図３‐１‐３‐４‐４‐Ａ
キーワード＝他企業との連携や一般市民とのコミュニケーション。
５．出題の説明文に沿って解答するため
実施例１キーワード抽出判断実施例の一つ
図３‐１‐３‐４‐５‐Ａ
キーワード＝他企業の情報システムとの連携や、更には広く一般市民を含めたコミュニケーション。
６．設問に沿って解答するため              
実施例１キーワード抽出判断実施例の一つ
図３‐１‐３‐４‐６‐Ａ
設問ア            
キーワード＝800字以内で述べよ。
設問イ
キーワード＝他企業の情報システムとの連携や、一般市民とのコミュニケーション。
３、５  文章中で使用されている文や語句、名称（含む数字）の行の開始解答位置を調整する技術・技法（Ｌａｂｅｌ．Ｌｅｆｔ）で抽出するキーワード
１．指定制限字数内に書くため
実施例１キーワード抽出判断実施例の一つ
図３‐１‐３‐５‐１‐Ａ
最近の問題（例、平成１２年度）の場合
図３‐１‐３‐５‐１‐Ｂ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
３．きれいに書くため
実施例１キーワード抽出判断実施例の一つ
図３‐１‐３‐５‐３‐Ａ
キーワード＝きれいに書きこと。
４．頭書きの出題タイトルに沿って解答するため
頭書きの出題タイトルを、情報システムを取り巻く環境変化を踏まえた監査対象領域の選定についてではなく、他企業との連携や一般市民とのコミュニケーションなどを踏まえた監査対象領域の選定についてであると仮定する。
実施例１キーワード抽出判断実施例の一つ
図３‐１‐３‐５‐４‐Ａ
キーワード＝他企業との連携や一般市民とのコミュニケーション。
５．出題の説明文に沿って解答するため
実施例１キーワード抽出判断実施例の一つ
図３‐１‐３‐５‐５‐Ａ
キーワード＝他企業の情報システムとの連携や、更には広く一般市民を含めたコミュニケーション。
６．設問に沿って解答するため
実施例１キーワード抽出判断実施例の一つ
図３‐１‐３‐５‐６‐Ａ
設問ア
キーワード＝800字以内で述べよ。
設問イ
キーワード＝他企業の情報システムとの連携や、一般市民とのコミュニケーション。
３、６  文章中で使用されている文や語句、名称（含む数字）に使用するサイズや太さや下線付きなどのフォントを調整する技術・技法（Ｌａｂｅｌ．Ｆｏｎｔ）で抽出するキーワード
１．指定制限字数内に書くため
実施例１キーワード抽出判断実施例の一つ
図３‐１‐３‐６‐１‐Ａ
最近の問題（例、平成１２年度）の場合
図３‐１‐３‐６‐１‐Ｂ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
２．はっきりした字で書くため
実施例１キーワード抽出判断実施例の一つ
図３‐１‐３‐６‐２‐Ａ
キーワード＝はっきりした字。
キーワード＝監査ポイント。
３．きれいに書くため
実施例１キーワード抽出判断実施例の一つ
図３‐１‐３‐６‐３‐Ａ
キーワード＝きれいに書きこと。
６．設問に沿って解答するため
実施例１キーワード抽出判断実施例の一つ
図３‐１‐３‐６‐６‐Ａ
設問ア
キーワード＝800字以内で述べよ。
３、７  解答の文や語句、名称（含む数字）に使用するキーワードを抽出して、文章中で使用されている文や語句、名称（含む数字）にキーワードを使用したものを選択する技術・技法（Ｌａｂｅｌの新アイデア１（検索））で抽出するキーワード
実施例１キーワード抽出判断実施例の一つ
図３‐１‐３‐７‐ａ‐Ａ
最近の問題（例、平成１２年度）の場合
キーワード＝問題文の趣旨に沿って解答すること。
キーワード＝監査対象領域。
２．はっきりした字で書くため
実施例１キーワード抽出判断実施例の一つ
図３‐１‐３‐７‐２‐Ａ
キーワード＝はっきりした字。
キーワード＝監査。
４．頭書きの出題タイトルに沿って解答するため
実施例１キーワード抽出判断実施例の一つ
図３‐１‐３‐７‐４‐Ａ
キーワード＝監査対象領域。
５．出題の説明文に沿って解答するため
実施例１キーワード抽出判断実施例の一つ
図３‐１‐３‐７‐５‐Ａ
キーワード＝リスク。
６．設問に沿って解答するため
実施例１キーワード抽出判断実施例の一つ
図３‐１‐３‐７‐６‐Ａ
設問イ
キーワード＝リスク。
３、８  解答の文や語句、名称（含む数字）に使用するキーワードを抽出して、文章中で使用されている文や語句、名称（含む数字）にキーワードを使用したものに書き換え、調整する技術・技法（Ｌａｂｅｌの新アイデア２（置換））で抽出するキーワード
実施例１キーワード抽出判断実施例の一つ
図３‐１‐３‐８‐ａ‐Ａ
最近の問題（例、平成１２年度）の場合
キーワード＝問題文の趣旨に沿って解答すること。
キーワード＝監査対象領域。
２．はっきりした字で書くため
実施例１キーワード抽出判断実施例の一つ
図３‐１‐３‐８‐２‐Ａ
キーワード＝はっきりした字。
キーワード＝監査。
４．頭書きの出題タイトルに沿って解答するため
実施例１キーワード抽出判断実施例の一つ
図３‐１‐３‐８‐４‐Ａ
キーワード＝監査対象領域。
５．出題の説明文に沿って解答するため
実施例１キーワード抽出判断実施例の一つ
図３‐１‐３‐８‐５‐Ａ
キーワード＝リスク。
６．設問に沿って解答するため
実施例１キーワード抽出判断実施例の一つ
図３‐１‐３‐８‐６‐Ａ
設問イ
キーワード＝リスク。
３、９  文章中で使用されている文や語句、名称（含む数字）の指定した位置部分を切り取り書き換えする技術・技法（Ｌａｂｅｌの新アイデア３（指定位置部分切り取り））で抽出するキーワード
１．指定制限字数内に書くため
実施例１キーワード抽出判断実施例の一つ
図３‐１‐３‐９‐１‐Ａ
最近の問題（例、平成１２年度）の場合
図３‐１‐３‐９‐１‐Ｂ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
３、１０  文章中で使用されている文や語句、名称（含む数字）の指定した位置に文や語句、名称（含む数字）の部分を貼り付け書き換えする技術・技法（Ｌａｂｅｌの新アイデア４（指定位置部分貼り付け））で抽出するキーワード
６．設問に沿って解答するため
実施例１キーワード抽出判断実施例の一つ
図３‐１‐３‐１０‐６‐Ａ
設問ウ
キーワード＝監査ポイント。
３、１１  文章中で使用されている文や語句、名称（含む数字）を順序を整列して書き換えする技術・技法（Ｌａｂｅｌの新アイデア５（整列））で抽出するキーワード
６．設問に沿って解答するため
実施例１キーワード抽出判断実施例の一つ
図３‐１‐３‐１１‐６‐Ａ
設問イ            
キーワード＝他企業の情報システムとの連携や、一般市民とのコミュニケーション。
３、１２  文章中で使用されている文や語句、名称（含む数字）の指定した位置に他の設問や解答の部分をコピーして書き換えする技術・技法（Ｌａｂｅｌの新アイデア８（指定位置部分コピー））で抽出するキーワード
６．設問に沿って解答するため
実施例１キーワード抽出判断実施例の一つ
図３‐１‐３‐１２‐６‐Ａ
設問ウ
キーワード＝監査ポイント。
３、１３  まとまった文章で構成される一つの設問全体の解答やまとまった文章で構成される一つの項目の解答で使用している解答の語句や内容を継承して文章中で使用されている文や語句、名称（含む数字）を書き換えする技術・技法（Ｌａｂｅｌの新アイデア９（継承））で抽出するキーワード
６．設問に沿って解答するため
実施例１キーワード抽出判断実施例の一つ
図３‐１‐３‐１３‐６‐Ａ
設問ウ
キーワード＝監査ポイント。
３、１４  キーワードと文章中で使用する文や語句、名称（含む数字）を一体化してキーワードに基づいて解答するように書き換えする技術・技法（Ｌａｂｅｌの新アイデア１１（カプセル化））で抽出するキーワード
６．設問に沿って解答するため
実施例１キーワード抽出判断実施例の一つ
図３‐１‐３‐１４‐６‐Ａ
設問ウ
キーワード＝監査ポイント。
上記の技術・技法（アイデア）の組み合わせ例
１、６  解答や設問名称に使用するキーワードを抽出して、まとまった文章で構成される一つの設問全体の解答や一つの設問全体の解答につける設問名称にキーワードを使用したものを選択する技術・技法（Ｆｏｒｍの新アイデア１（検索））で抽出するキーワード
ａ．問題文の趣旨に沿って解答するため
２、２  まとまった文章で構成される一つの項目の解答に付ける項目名称を書き換える技術・技法（ＧｒｏｕｐＢｏｘ．Ｔｅｘｔ）で抽出するキーワード
４．頭書きの出題タイトルに沿って解答するため
３、５  文章中で使用されている文や語句、名称（含む数字）の行の開始解答位置を調整する技術・技法（Ｌａｂｅｌ．Ｌｅｆｔ）で抽出するキーワード
５．出題の説明文に沿って解答するため
実施例１キーワード抽出判断実施例の一つ
図３‐１‐Ｚ‐Ｚ‐Ｚ‐Ａ
１、６
ａ．問題文の趣旨に沿って解答するため
最近の問題（例、平成１２年度）の場合
キーワード＝問題文の趣旨に沿って解答すること。
キーワード＝監査対象領域。
２、３
４．頭書きの出題タイトルに沿って解答するため
キーワード＝環境変化を踏まえた。
３、５
５．出題の説明文に沿って解答するため
キーワード＝他企業の情報システムとの連携や、更には広く一般市民を含めたコミュニケーション。
次に、受信配信型試験システムの読取抽出実行手段から抽出されたキーワードを受信配信型試験システムの制御手段が受け取る。
そして、受信配信型試験システムの制御手段が抽出されたキーワードを受信配信型試験システムの書取手段、書取抽出判断手段に出力する。
続いて、キーワードに従って受信配信型試験システムの書取手段が、校正前などの答案とは別に、キーワードの他にすべての機器の保存装置、すべての機器の記憶装置、記憶媒体の知識データベースなどにある保存答案や記憶情報、受信配信型試験システムの人工知能機能を利用して答案を書き取りする場合なども含めて、選択対象（複数可）や追加対象（複数可）などの答案を書き取りする。
その際、答案、書取答案ごとに、下記のシステム画面作成方法、操作方法を利用した技術・技法（アイデア）の組み合わせを利用する。
選択対象（追加対象）の答案書き取りの実施例
１、まとまった文章で構成される一つの設問全体の解答や一つの設問全体の解答につける設問名称を選択、書き換え、調整などをする技術・技法（Ｆｏｒｍ）＊１で選択対象（追加対象）の答案書き取り
１、１  まとまった文章で構成される一つの設問全体の解答を取捨選択する技術・技法（Ｆｏｒｍ．Ｖｉｓｉｂｌｅ（表示アイデア））で選択対象（追加対象）の答案書き取り
１．指定制限字数内に書くため
実施例１選択対象（追加対象）の答案書き取りの一つ
校正前などの答案
図４‐１‐１‐１‐１‐Ａ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワードに従って、選択対象（追加対象）の答案を書き取る。
選択対象（追加対象）の答案
図４‐１‐１‐１‐１‐Ｂ
２．はっきりした字で書くため
実施例１選択対象（追加対象）の答案書き取りの一つ
校正前などの答案
図４‐１‐１‐１‐２‐Ａ
キーワード＝はっきりした字。
キーワード＝監査。
キーワードに従って、選択対象（追加対象）の答案を書き取る。
選択対象（追加対象）の答案
図４‐１‐１‐１‐２‐Ｂ
３．きれいに書くため
実施例１選択対象（追加対象）の答案書き取りの一つ
校正前などの答案
図４‐１‐１‐１‐３‐Ａ
キーワード＝きれいに書くこと。
キーワードに従って、選択対象（追加対象）の答案を書き取る。
選択対象（追加対象）の答案
図４‐１‐１‐１‐３‐Ｂ
４．頭書きの出題タイトルに沿って解答するため
実施例１選択対象（追加対象）の答案書き取りの一つ
校正前などの答案
図４‐１‐１‐１‐４‐Ａ
キーワード＝環境変化を踏まえた。
キーワードに従って、選択対象（追加対象）の答案を書き取る。
選択対象（追加対象）の答案
図４‐１‐１‐１‐４‐Ｂ
５．出題の説明文に沿って解答するため
実施例１選択対象（追加対象）の答案書き取りの一つ
校正前などの答案
図４‐１‐１‐１‐５‐Ａ
キーワード＝他企業の情報システムとの連携や、更には広く一般市民を含めたコミュニケーションを目的として、社会的基盤となったネットワークも利用することが求められる。
キーワードに従って、選択対象（追加対象）の答案を書き取る。
選択対象（追加対象）の答案
図４‐１‐１‐１‐５‐Ｂ
６．設問に沿って解答するため
実施例１選択対象（追加対象）の答案書き取りの一つ
校正前などの答案
設問ア
図４‐１‐１‐１‐６‐Ａ１
設問イ
図４‐１‐１‐１‐６‐Ａ２
設問ア
キーワード＝800字以内で述べよ。
設問イ
キーワード＝他企業の情報システムとの連携や、一般市民とのコミュニケーションをも視野に入れたネットワークとの関係を踏まえて述べよ。
キーワードに従って、選択対象（追加対象）の答案を書き取る。
選択対象（追加対象）の答案
設問ア
図４‐１‐１‐１‐６‐Ｂ１
設問イ
図４‐１‐１‐１‐６‐Ｂ２
２、まとまった文章で構成される一つの項目の解答や一つの項目の解答につける項目名称を選択、書き換え、調整などをする技術・技法（ＧｒｏｕｐＢｏｘ）＊２で選択対象（追加対象）の答案書き取り
２、１  まとまった文章で構成される一つの項目の解答を取捨選択する技術・技法（ＧｒｏｕｐＢｏｘ．Ｖｉｓｉｂｌｅ（表示アイデア））で選択対象（追加対象）の答案書き取り
１．指定制限字数内に書くため
実施例１選択対象（追加対象）の答案書き取りの一つ
校正前などの答案
設問ウ
図４‐１‐２‐１‐１‐Ａ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワードに従って、選択対象（追加対象）の答案を書き取る。
選択対象（追加対象）の答案
設問ウ
図４‐１‐２‐１‐１‐Ｂ
２．はっきりした字で書くため
実施例１選択対象（追加対象）の答案書き取りの一つ
校正前などの答案
設問ウ
図４‐１‐２‐１‐２‐Ａ
キーワード＝はっきりした字。
キーワード＝監査。
キーワードに従って、選択対象（追加対象）の答案を書き取る。
選択対象（追加対象）の答案
設問ウ
図４‐１‐２‐１‐２‐Ｂ
３．きれいに書くため
実施例１選択対象（追加対象）の答案書き取りの一つ
校正前などの答案
設問ウ
図４‐１‐２‐１‐３‐Ａ
キーワード＝きれいに書きこと。
キーワードに従って、選択対象（追加対象）の答案を書き取る。
選択対象（追加対象）の答案
設問ウ
図４‐１‐２‐１‐３‐Ｂ
４．頭書きの出題タイトルに沿って解答するため
実施例１選択対象（追加対象）の答案書き取りの一つ
校正前などの答案
設問イ
図４‐１‐２‐１‐４‐Ａ
キーワード＝環境変化を踏まえた。
キーワードに従って、選択対象（追加対象）の答案を書き取る。
選択対象（追加対象）の答案
設問イ
図４‐１‐２‐１‐４‐Ｂ
５．出題の説明文に沿って解答するため
実施例１選択対象（追加対象）の答案書き取りの一つ
校正前などの答案
設問イ
図４‐１‐２‐１‐５‐Ａ
キーワード＝他企業の情報システムとの連携や、更には広く一般市民を含めたコミュニケーションを目的として、社会的基盤となったネットワークも利用することが求められる。
キーワードに従って、選択対象（追加対象）の答案を書き取る。
選択対象（追加対象）の答案
設問イ
図４‐１‐２‐１‐５‐Ｂ
６．設問に沿って解答するため
実施例１選択対象（追加対象）の答案書き取りの一つ
校正前などの答案
設問ア
図４‐１‐２‐１‐６‐Ａ１
設問イ
図４‐１‐２‐１‐６‐Ａ２
設問ア
キーワード＝800字以内で述べよ。
設問イ
キーワード＝他企業の情報システムとの連携や、一般市民とのコミュニケーションをも視野に入れたネットワークとの関係を踏まえて述べよ。
キーワードに従って、選択対象（追加対象）の答案を書き取る。
選択対象（追加対象）の答案
設問ア
設問ア
図４‐１‐２‐１‐６‐Ｂ１
設問イ
設問イ
図４‐１‐２‐１‐６‐Ｂ２
３、文章中で使用されている文や語句、名称（含む数字）を選択、書き換え、調整などをする技術・技法（Ｌａｂｅｌ）で選択対象（追加対象）の答案書き取り
３、１  文章中で使用されている文や語句、名称（含む数字）を取捨選択する技術・技法（Ｌａｂｅｌ．Ｖｉｓｉｂｌｅ（表示アイデア））で選択対象（追加対象）の答案書き取り
１．指定制限字数内に書くため
実施例１選択対象（追加対象）の答案書き取りの一つ
校正前などの答案
設問ウ
図４‐１‐３‐１‐１‐Ａ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワードに従って、選択対象（追加対象）の答案を書き取る。
選択対象（追加対象）の答案
設問ウ
図４‐１‐３‐１‐１‐Ｂ
２．はっきりした字で書くため
実施例１選択対象（追加対象）の答案書き取りの一つ
校正前などの答案
設問ウ
図４‐１‐３‐１‐２‐Ａ
キーワードに従って、選択対象（追加対象）の答案を書き取る。
選択対象（追加対象）の答案
設問ウ
図４‐１‐３‐１‐２‐Ｂ
３．きれいに書くため
実施例１選択対象（追加対象）の答案書き取りの一つ
校正前などの答案
設問ウ
図４‐１‐３‐１‐３‐Ａ
キーワード＝きれいに書きこと。
キーワードに従って、選択対象（追加対象）の答案を書き取る。
選択対象（追加対象）の答案
設問ウ
図４‐１‐３‐１‐３‐Ｂ
４．頭書きの出題タイトルに沿って解答するため
実施例１選択対象（追加対象）の答案書き取りの一つ
校正前などの答案
設問イ
図４‐１‐３‐１‐４‐Ａ
キーワード＝環境変化を踏まえた。
キーワードに従って、選択対象（追加対象）の答案を書き取る。
選択対象（追加対象）の答案
設問イ
図４‐１‐３‐１‐４‐Ｂ
５．出題の説明文に沿って解答するため
実施例１選択対象（追加対象）の答案書き取りの一つ
校正前などの答案
設問イ
図４‐１‐３‐１‐５‐Ａ
キーワード＝経営戦略を踏まえて。
キーワードに従って、選択対象（追加対象）の答案を書き取る。
選択対象（追加対象）の答案
設問イ
図４‐１‐３‐１‐５‐Ｂ
６．設問に沿って解答するため
実施例１選択対象（追加対象）の答案書き取りの一つ
校正前などの答案
設問ア
図４‐１‐３‐１‐６‐Ａ１
設問イ
図４‐１‐３‐１‐６‐Ａ２
設問ア
キーワード＝800字以内で述べよ。
設問イ
キーワード＝リスク。
キーワードに従って、選択対象（追加対象）の答案を書き取る。
選択対象（追加対象）の答案
設問ア
設問ア
図４‐１‐３‐１‐６‐Ｂ１
設問イ
設問イ
図４‐１‐３‐１‐６‐Ｂ２
次に、抽出されたキーワードに従って、受信配信型試験システムの書取抽出判断手段が、答案、書取答案の答案書取のキーワード検討対象（判断材料）を抽出判断する。
そして、受信配信型試験システムの書取抽出判断」手段が、これらの答案、書取答案に答案書取の所定のキーワード検討対象（判断材料）が存在するか否かの判断において、存在した場合に抽出指令を受信配信型試験システムの書取抽出実行手段に与える。
その際、答案、書取答案ごとに、システム画面作成方法、操作方法を利用した技術・技法（アイデア）の組み合わせを利用する。
キーワード検討対象抽出判断、実行例
抽出されたキーワードに従って、受信配信型試験システムの書取抽出判断手段が、答案、答案書取のａ．問題文の趣旨に沿って解答するため、１．指定制限字数内に書くため、２．はっきりした字で書くため、３．きれいに書くため、４．頭書きの出題タイトルに沿って解答するため、５．出題の説明文に沿って解答するため、６．設問に沿って解答するため、などの模範答案作成のためのキーワード検討対象（判断材料）を抽出判断する。
そして、受信配信型試験システムの書取抽出判断手段が、これらの答案、書取答案に答案書取の所定のキーワード検討対象（判断材料）が存在するか否かの判断において、存在した場合に抽出指令を受信配信型試験システムの書取抽出実行手段に与える。
その際、答案、書取答案ごとに、下記のシステム画面作成方法、操作方法を利用した技術・技法（アイデア）の組み合わせを利用する。
１、まとまった文章で構成される一つの設問全体の解答や一つの設問全体の解答につける設問名称を選択、書き換え、調整などをする技術・技法（Ｆｏｒｍ）＊１で抽出するキーワード検討対象
１、１  まとまった文章で構成される一つの設問全体の解答を取捨選択する技術・技法（Ｆｏｒｍ．Ｖｉｓｉｂｌｅ（表示アイデア））で抽出するキーワード検討対象
１．指定制限字数内に書くため
抽出されたキーワードに従って、受信配信型試験システムの書取抽出判断手段が答案、書取答案の答案書取の指定制限字数内に書くためのキーワード検討対象（判断材料）を抽出判断する。
実施例１キーワード検討対象抽出判断実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワードに従って、キーワード検討対象（判断材料）を抽出判断
図５‐１‐１‐１‐１‐Ａ‐Ａ
図５‐１‐１‐１‐１‐Ａ‐Ｉ
図５‐１‐１‐１‐１‐Ａ‐Ｕ
図５‐１‐１‐１‐１‐Ｂ‐Ａ
図５‐１‐１‐１‐１‐Ｂ‐Ｉ
図５‐１‐１‐１‐１‐Ｂ‐Ｕ
そして、受信配信型試験システムの書取抽出判断手段が、これらの答案、書取答案に答案書取の指定制限字数内に書くための所定のキーワード検討対象（判断材料）が存在するか否かの判断において、存在した場合に抽出指令を受信配信型試験システムの書取抽出実行手段に与える。上記では、指定制限字数内に書くための所定のキーワード検討対象（判断材料）が図５‐１‐１‐１‐１‐Ａ‐Ａ、図５‐１‐１‐１‐１‐Ａ‐Ｉ、図５‐１‐１‐１‐１‐Ａ‐Ｕ及び図５‐１‐１‐１‐１‐Ｂ‐Ａ、図５‐１‐１‐１‐１‐Ｂ‐Ｉ、図５‐１‐１‐１‐１‐Ｂ‐Ｕと存在するので、抽出指令を書取抽出実行手段に与えてキーワード検討対象（判断材料）の抽出実行する。
キーワード検討対象＝図５‐１‐１‐１‐１‐Ａ‐Ａ。
キーワード検討対象＝図５‐１‐１‐１‐１‐Ａ‐Ｉ。
キーワード検討対象＝図５‐１‐１‐１‐１‐Ａ‐Ｕ。
キーワード検討対象＝図５‐１‐１‐１‐１‐Ｂ‐Ａ。
キーワード検討対象＝図５‐１‐１‐１‐１‐Ｂ‐Ｉ。
キーワード検討対象＝図５‐１‐１‐１‐１‐Ｂ‐Ｕ。
２．はっきりした字で書くため
抽出されたキーワードに従って、受信配信型試験システムの書取抽出判断手段が答案、書取答案の答案書取のはっきりした字で書くためのキーワード検討対象（判断材料）を抽出判断する。
実施例１キーワード検討対象抽出判断実施例の一つ
キーワード＝きれいに書くこと。
キーワード＝監査。
キーワードに従って、キーワード検討対象（判断材料）を抽出判断
図５‐１‐１‐１‐２‐Ａ
図５‐１‐１‐１‐２‐Ｂ
そして、受信配信型試験システムの書取抽出判断手段が、これらの答案、書取答案に答案書取のはっきりした字で書くための所定のキーワード検討対象（判断材料）が存在するか否かの判断において、存在した場合に抽出指令を受信配信型試験システムの書取抽出実行手段に与える。上記では、はっきりした字で書くための所定のキーワード検討対象（判断材料）が図５‐１‐１‐１‐２‐Ａ及び図５‐１‐１‐１‐２‐Ｂと存在するので、抽出指令を書取抽出実行手段に与えてキーワード検討対象（判断材料）の抽出実行する。
キーワード検討対象＝図５‐１‐１‐１‐２‐Ａ。
キーワード検討対象＝図５‐１‐１‐１‐２‐Ｂ。
３．きれいに書くため
抽出されたキーワードに従って、受信配信型試験システムの書取抽出判断手段が答案、書取答案の答案書取のきれいに書くためのキーワード検討対象（判断材料）を抽出判断する。
実施例１キーワード検討対象抽出判断実施例の一つ
キーワード＝きれいに書くこと。
キーワードに従って、キーワード検討対象（判断材料）を抽出判断
図５‐１‐１‐１‐３‐Ａ
図５‐１‐１‐１‐３‐Ｂ
そして、受信配信型試験システムの書取抽出判断手段が、これらの答案、書取答案に答案書取のきれいに書くための所定のキーワード検討対象（判断材料）が存在するか否かの判断において、存在した場合に抽出指令を受信配信型試験システムの書取抽出実行手段に与える。上記では、きれいに書くための所定のキーワード検討対象（判断材料）が図５‐１‐１‐１‐３‐Ａ及び図５‐１‐１‐１‐３‐Ｂと存在するので、抽出指令を書取抽出実行手段に与えてキーワード検討対象（判断材料）の抽出実行する。
キーワード検討対象＝図５‐１‐１‐１‐３‐Ａ。
キーワード検討対象＝図５‐１‐１‐１‐３‐Ｂ。
４．頭書きの出題タイトルに沿って解答するため
抽出されたキーワードに従って、受信配信型試験システムの書取抽出判断手段が答案、書取答案の答案書取の頭書きの出題タイトルに沿って解答するためのキーワード検討対象（判断材料）を抽出判断する。
実施例１キーワード検討対象抽出判断実施例の一つ
キーワード＝環境変化を踏まえた。
キーワードに従って、キーワード検討対象（判断材料）を抽出判断
図５‐１‐１‐１‐４‐Ａ
図５‐１‐１‐１‐４‐Ｂ
そして、受信配信型試験システムの書取抽出判断手段が、これらの答案、書取答案に答案書取の頭書きの出題タイトルに沿って解答するための所定のキーワード検討対象（判断材料）が存在するか否かの判断において、存在した場合に抽出指令を受信配信型試験システムの書取抽出実行手段に与える。上記では、頭書きの出題タイトルに沿って解答するための所定のキーワード検討対象（判断材料）が図５‐１‐１‐１‐４‐Ａ及び図５‐１‐１‐１‐４‐Ｂと存在するので、抽出指令を書取抽出実行手段に与えてキーワード検討対象（判断材料）の抽出実行する。
キーワード検討対象＝図５‐１‐１‐１‐４‐Ａ。
キーワード検討対象＝図５‐１‐１‐１‐４‐Ｂ。
５．出題の説明文に沿って解答するため
抽出されたキーワードに従って、受信配信型試験システムの書取抽出判断手段が答案、書取答案の答案書取の出題の説明文に沿って解答するためのキーワード検討対象（判断材料）を抽出判断する。
実施例１キーワード検討対象抽出判断実施例の一つ
図５‐１‐１‐１‐５‐Ａ
図５‐１‐１‐１‐５‐Ｂ
キーワード＝他企業の情報システムとの連携や、更には広く一般市民を含めたコミュニケーションを目的として、社会的基盤となったネットワークも利用することが求められる。
キーワードに従って、キーワード検討対象（判断材料）を抽出判断
そして、受信配信型試験システムの書取抽出判断手段が、これらの答案、書取答案に答案書取の出題の説明文に沿って解答するための所定のキーワード検討対象（判断材料）が存在するか否かの判断において、存在した場合に抽出指令を受信配信型試験システムの書取抽出実行手段に与える。上記では、出題の説明文に沿って解答するための所定のキーワード検討対象（判断材料）が図５‐１‐１‐１‐５‐Ａ及び図５‐１‐１‐１‐５‐Ｂと存在するので、抽出指令を書取抽出実行手段に与えてキーワード検討対象（判断材料）の抽出実行する。
キーワード検討対象＝図５‐１‐１‐１‐５‐Ａ。
キーワード検討対象＝図５‐１‐１‐１‐５‐Ｂ。
６．設問に沿って解答するため
抽出されたキーワードに従って、受信配信型試験システムの書取抽出判断手段が答案、書取答案の答案書取の設問に沿って解答するためのキーワード検討対象（判断材料）を抽出判断する。
実施例１キーワード検討対象抽出判断実施例の一つ
設問ア
キーワード＝800字以内で述べよ。
設問イ
キーワード＝他企業の情報システムとの連携や、一般市民とのコミュニケーションをも視野に入れたネットワークとの関係を踏まえて述べよ。
キーワードに従って、キーワード検討対象（判断材料）を抽出判断
設問ア
図５‐１‐１‐１‐６‐Ａ１
図５‐１‐１‐１‐６‐Ｂ１
設問イ
図５‐１‐１‐１‐６‐Ａ２
図５‐１‐１‐１‐６‐Ｂ２
そして、受信配信型試験システムの書取抽出判断手段が、これらの答案、書取答案に答案書取の設問に沿って解答するための所定のキーワード検討対象（判断材料）が存在するか否かの判断において、存在した場合に抽出指令を受信配信型試験システムの書取抽出実行手段に与える。上記では、設問に沿って解答するための所定のキーワード検討対象（判断材料）が設問アは図５‐１‐１‐１‐６‐Ａ１及び図５‐１‐１‐１‐６‐Ｂ１、設問イは図５‐１‐１‐１‐６‐Ａ２及び図５‐１‐１‐１‐６‐Ｂ２と存在するので、抽出指令を書取抽出実行手段に与えてキーワード検討対象（判断材料）の抽出実行する。
設問ア
キーワード検討対象＝図５‐１‐１‐１‐６‐Ａ１。
キーワード検討対象＝図５‐１‐１‐１‐６‐Ｂ１。
設問イ
キーワード検討対象＝図５‐１‐１‐１‐６‐Ａ２。
キーワード検討対象＝図５‐１‐１‐１‐６‐Ｂ２。
（以下、ａ．問題文の趣旨に沿って解答するためは後述で説明して、その他は詳細な説明は省略する。）
１、２  まとまった文章で構成される一つの設問全体の解答に付ける設問名称を書き換える技術・技法（Ｆｏｒｍ．Ｔｅｘｔ）で抽出するキーワード検討対象
１．指定制限字数内に書くため
実施例１キーワード検討対象抽出判断実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワードに従って、キーワード検討対象（判断材料）を抽出判断
図５‐１‐１‐２‐１‐Ａ‐Ａ
図５‐１‐１‐２‐１‐Ａ‐Ｉ
図５‐１‐１‐２‐１‐Ａ‐Ｕ
キーワード検討対象＝図５‐１‐１‐２‐１‐Ａ‐Ａ。
キーワード検討対象＝図５‐１‐１‐２‐１‐Ａ‐Ｉ。
キーワード検討対象＝図５‐１‐１‐２‐１‐Ａ‐Ｕ。
２．はっきりした字で書くため
実施例１キーワード検討対象抽出判断実施例の一つ
キーワード＝はっきりした字。
キーワード＝監査。
キーワードに従って、キーワード検討対象（判断材料）を抽出判断
図５‐１‐１‐２‐２‐Ａ
キーワード検討対象＝図５‐１‐１‐２‐２‐Ａ。
３．きれいに書くため
実施例１キーワード検討対象抽出判断実施例の一つ
キーワード＝きれいに書くこと。
キーワードに従って、キーワード検討対象（判断材料）を抽出判断
図５‐１‐１‐２‐３‐Ａ
キーワード検討対象＝図５‐１‐１‐２‐３‐Ａ。
４．頭書きの出題タイトルに沿って解答するため
実施例１キーワード検討対象抽出判断実施例の一つ
キーワード＝監査対象領域の選定。
キーワードに従って、キーワード検討対象（判断材料）を抽出判断
図５‐１‐１‐２‐４‐Ａ
キーワード検討対象＝図５‐１‐１‐２‐４‐Ａ。
５．出題の説明文に沿って解答するため
実施例１キーワード検討対象抽出判断実施例の一つ
キーワード＝監査対象領域を適切に選定すること。
キーワードに従って、キーワード検討対象（判断材料）を抽出判断
図５‐１‐１‐２‐５‐Ａ
キーワード検討対象＝図５‐１‐１‐２‐５‐Ａ。
６．設問に沿って解答するため
実施例１キーワード検討対象抽出判断実施例の一つ
設問ア
キーワード＝800字以内で述べよ。
設問イ
キーワード＝監査対象領域。
キーワードに従って、キーワード検討対象（判断材料）を抽出判断
設問ア
図５‐１‐１‐２‐６‐Ａ１
設問イ
図５‐１‐１‐２‐６‐Ａ２
設問ア
キーワード検討対象＝図５‐１‐１‐２‐６‐Ａ１。
設問イ
キーワード検討対象＝図５‐１‐１‐２‐６‐Ａ２。
１、３  まとまった文章で構成される一つの設問全体の解答に使用する行数を調整する技術・技法（Ｆｏｒｍ．ＳｃａｌｅＨｅｉｇｈｔ）で抽出するキーワード検討対象
１．指定制限字数内に書くため
実施例１キーワード検討対象抽出判断実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワードに従って、キーワード検討対象（判断材料）を抽出判断
図５‐１‐１‐３‐１‐Ａ‐Ａ
図５‐１‐１‐３‐１‐Ａ‐Ｉ
図５‐１‐１‐３‐１‐Ａ‐Ｕ
キーワード検討対象＝図５‐１‐１‐３‐１‐Ａ‐Ａ。
キーワード検討対象＝図５‐１‐１‐３‐１‐Ａ‐Ｉ。
キーワード検討対象＝図５‐１‐１‐３‐１‐Ａ‐Ｕ。
３．きれいに書くため
実施例１キーワード検討対象抽出判断実施例の一つ
キーワード＝きれいに書きこと。
キーワードに従って、キーワード検討対象（判断材料）を抽出判断
図５‐１‐１‐３‐３‐Ａ‐Ｉ
図５‐１‐１‐３‐３‐Ａ‐Ｕ
キーワード検討対象＝図５‐１‐１‐３‐３‐Ａ‐Ｉ。
キーワード検討対象＝図５‐１‐１‐３‐３‐Ａ‐Ｕ。
６．設問に沿って解答するため
実施例１キーワード検討対象抽出判断実施例の一つ
設問ア
キーワード＝800字以内で述べよ。
キーワードに従って、キーワード検討対象（判断材料）を抽出判断
設問ア
図５‐１‐１‐３‐６‐Ａ
設問ア
キーワード検討対象＝図５‐１‐１‐３‐６‐Ａ。
１、４  まとまった文章で構成される一つの設問全体の解答の開始行を調整する技術・技法（Ｆｏｒｍ．ＳｃａｌｅＴｏｐ）で抽出するキーワード検討対象
１．指定制限字数内に書くため
実施例１キーワード検討対象抽出判断実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワードに従って、キーワード検討対象（判断材料）を抽出判断
図５‐１‐１‐４‐１‐Ａ‐Ｉ
図５‐１‐１‐４‐１‐Ａ‐Ｕ
キーワード検討対象＝図５‐１‐１‐４‐１‐Ａ‐Ｉ。
キーワード検討対象＝図５‐１‐１‐４‐１‐Ａ‐Ｕ。
３．きれいに書くため
実施例１キーワード検討対象抽出判断実施例の一つ
キーワード＝きれいに書きこと。
キーワードに従って、キーワード検討対象（判断材料）を抽出判断
図５‐１‐１‐４‐３‐Ａ‐Ｉ
図５‐１‐１‐４‐３‐Ａ‐Ｕ
キーワード検討対象＝図５‐１‐１‐４‐３‐Ａ‐Ｉ。
キーワード検討対象＝図５‐１‐１‐４‐３‐Ａ‐Ｕ。
１、５  まとまった文章で構成される一つの設問全体の解答や一つの設問全体の解答に付ける設問名称に使用するサイズや太さや下線付きなどのフォントを調整する技術・技法（Ｆｏｒｍ．Ｆｏｎｔ）で抽出するキーワード検討対象
１．指定制限字数内に書くため
実施例１キーワード検討対象抽出判断実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワードに従って、キーワード検討対象（判断材料）を抽出判断
図５‐１‐１‐５‐１‐Ａ‐Ａ
図５‐１‐１‐５‐１‐Ａ‐Ｉ
図５‐１‐１‐５‐１‐Ａ‐Ｕ
キーワード検討対象＝図５‐１‐１‐５‐１‐Ａ‐Ａ。
キーワード検討対象＝図５‐１‐１‐５‐１‐Ａ‐Ｉ。
キーワード検討対象＝図５‐１‐１‐５‐１‐Ａ‐Ｕ。
２．はっきりした字で書くため
実施例１キーワード検討対象抽出判断実施例の一つ
キーワード＝はっきりした字。
キーワード＝社会的な広がりをもつようになった情報システムを監査する場合の監査ポイント。
キーワードに従って、キーワード検討対象（判断材料）を抽出判断
図５‐１‐１‐５‐２‐Ａ
キーワード検討対象＝図５‐１‐１‐５‐２‐Ａ。
３．きれいに書くため
実施例１キーワード検討対象抽出判断実施例の一つ
キーワード＝きれいに書きこと。
キーワードに従って、キーワード検討対象（判断材料）を抽出判断
図５‐１‐１‐５‐３‐Ａ
キーワード検討対象＝図５‐１‐１‐５‐３‐Ａ。
６．設問に沿って解答するため
実施例１キーワード検討対象抽出判断実施例の一つ
設問ア
キーワード＝800字以内で述べよ。
キーワードに従って、キーワード検討対象（判断材料）を抽出判断
設問ア
図５‐１‐１‐５‐６‐Ａ
設問ア
キーワード検討対象＝図５‐１‐１‐５‐６‐Ａ。
１、６  解答や設問名称に使用するキーワードを抽出して、まとまった文章で構成される一つの設問全体の解答や一つの設問全体の解答につける設問名称にキーワードを使用したものを選択する技術・技法（Ｆｏｒｍの新アイデア１（検索））で抽出するキーワード検討対象
ａ．問題文の趣旨に沿って解答するため
抽出されたキーワードに従って、受信配信型試験システムの書取抽出判断手段が答案、書取答案の答案書取の問題文の趣旨に沿って解答するためのキーワード検討対象（判断材料）を抽出判断する。
実施例１キーワード検討対象抽出判断実施例の一つ
最近の問題（例、平成１２年度）の場合
キーワード＝問題文の趣旨に沿って解答すること。
キーワード＝監査対象領域。
キーワードに従って、キーワード検討対象（判断材料）を抽出判断
図５‐１‐１‐６‐ａ‐Ａ
図５‐１‐１‐６‐ａ‐Ｂ
そして、受信配信型試験システムの書取抽出判断手段が、これらの答案、書取答案に答案書取の問題文の趣旨に沿って解答するための所定のキーワード検討対象（判断材料）が存在するか否かの判断において、存在した場合に抽出指令を受信配信型試験システムの書取抽出実行手段に与える。上記では、問題文の趣旨に沿って解答するための所定のキーワード検討対象（判断材料）が図５‐１‐１‐６‐１‐Ａ及び図５‐１‐１‐６‐１‐Ｂと存在するので、抽出指令を書取抽出実行手段に与えてキーワード検討対象（判断材料）の抽出実行する。
キーワード検討対象＝図５‐１‐１‐６‐ａ‐Ａ。
キーワード検討対象＝図５‐１‐１‐６‐ａ‐Ｂ。
（以下、ａ．問題文の趣旨に沿って解答するためも詳細な説明は省略する。）
２．はっきりした字で書くため
実施例１キーワード検討対象抽出判断実施例の一つ
キーワード＝はっきりした字。
キーワード＝監査。
キーワードに従って、キーワード検討対象（判断材料）を抽出判断
図５‐１‐１‐６‐２‐Ａ
図５‐１‐１‐６‐２‐Ｂ
キーワード検討対象＝図５‐１‐１‐６‐２‐Ａ。
キーワード検討対象＝図５‐１‐１‐６‐２‐Ｂ。
４．頭書きの出題タイトルに沿って解答するため
実施例１キーワード検討対象抽出判断実施例の一つ
キーワード＝監査対象領域。
キーワードに従って、キーワード検討対象（判断材料）を抽出判断
図５‐１‐１‐６‐４‐Ａ
図５‐１‐１‐６‐４‐Ｂ
キーワード検討対象＝図５‐１‐１‐６‐４‐Ａ。
キーワード検討対象＝図５‐１‐１‐６‐４‐Ｂ。
５．出題の説明文に沿って解答するため
実施例１キーワード検討対象抽出判断実施例の一つ
キーワード＝リスク。
キーワードに従って、キーワード検討対象（判断材料）を抽出判断
図５‐１‐１‐６‐５‐Ａ
図５‐１‐１‐６‐５‐Ｂ
キーワード検討対象＝図５‐１‐１‐６‐５‐Ａ。
キーワード検討対象＝図５‐１‐１‐６‐５‐Ｂ。
６．設問に沿って解答するため
実施例１キーワード検討対象抽出判断実施例の一つ
設問イ
キーワード＝リスク。
キーワードに従って、キーワード検討対象（判断材料）を抽出判断
設問イ
図５‐１‐１‐６‐６‐Ａ
図５‐１‐１‐６‐６‐Ｂ
設問イ
キーワード検討対象＝図５‐１‐１‐６‐６‐Ａ。
キーワード検討対象＝図５‐１‐１‐６‐６‐Ｂ。
１、７  解答や設問名称に使用するキーワードを抽出して、まとまった文章で構成される一つの設問全体の解答や一つの設問全体の解答につける設問名称にキーワードを使用したものに書き換え、調整する技術・技法（Ｆｏｒｍの新アイデア２（置換））で抽出するキーワード検討対象
ａ．問題文の趣旨に沿って解答するため
実施例１キーワード検討対象抽出判断実施例の一つ
最近の問題（例、平成１２年度）の場合
キーワード＝問題文の趣旨に沿って解答すること。
キーワード＝監査対象領域。
キーワードに従って、キーワード検討対象（判断材料）を抽出判断
図５‐１‐１‐７‐ａ‐Ａ
キーワード検討対象＝図５‐１‐１‐７‐ａ‐Ａ。
２．はっきりした字で書くため
実施例１キーワード検討対象抽出判断実施例の一つ
キーワード＝はっきりした字。
キーワード＝監査。
キーワードに従って、キーワード検討対象（判断材料）を抽出判断
図５‐１‐１‐７‐２‐Ａ
キーワード検討対象＝図５‐１‐１‐７‐２‐Ａ。
４．頭書きの出題タイトルに沿って解答するため
実施例１キーワード検討対象抽出判断実施例の一つ
キーワード＝監査対象領域。
キーワードに従って、キーワード検討対象（判断材料）を抽出判断
図５‐１‐１‐７‐４‐Ａ
キーワード検討対象＝図５‐１‐１‐７‐４‐Ａ。
５．出題の説明文に沿って解答するため
実施例１キーワード検討対象抽出判断実施例の一つ
キーワード＝リスク。
キーワードに従って、キーワード検討対象（判断材料）を抽出判断
図５‐１‐１‐７‐５‐Ａ
キーワード検討対象＝図５‐１‐１‐７‐５‐Ａ。
６．設問に沿って解答するため
実施例１キーワード検討対象抽出判断実施例の一つ
設問イ
キーワード＝リスク。
キーワードに従って、キーワード検討対象（判断材料）を抽出判断
設問イ
図５‐１‐１‐７‐６‐Ａ
設問イ
キーワード検討対象＝図５‐１‐１‐７‐６‐Ａ。
１、８  まとまった文章で構成される一つの設問全体の解答の指定した位置部分を切り取り書き換えする技術・技法（Ｆｏｒｍの新アイデア３（指定位置部分切り取り））で抽出するキーワード検討対象
１．指定制限字数内に書くため
実施例１キーワード検討対象抽出判断実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワードに従って、キーワード検討対象（判断材料）を抽出判断
図５‐１‐１‐８‐１‐Ａ‐Ａ
図５‐１‐１‐８‐１‐Ａ‐Ｉ
図５‐１‐１‐８‐１‐Ａ‐Ｕ
キーワード検討対象＝図５‐１‐１‐８‐１‐Ａ‐Ａ。
キーワード検討対象＝図５‐１‐１‐８‐１‐Ａ‐Ｉ。
キーワード検討対象＝図５‐１‐１‐８‐１‐Ａ‐Ｕ。
１、９  まとまった文章で構成される一つの設問全体の解答の指定した位置に設問の解答の部分を貼り付け書き換えする技術・技法（Ｆｏｒｍの新アイデア４（指定位置部分貼り付け））で抽出するキーワード検討対象
３．きれいに書くため
実施例１キーワード検討対象抽出判断実施例の一つ
キーワード＝きれいに書きこと。
キーワードに従って、キーワード検討対象（判断材料）を抽出判断
図５‐１‐１‐９‐３‐Ａ‐Ｉ
図５‐１‐１‐９‐３‐Ａ‐Ｕ
キーワード検討対象＝図５‐１‐１‐９‐３‐Ａ‐Ｉ。
キーワード検討対象＝図５‐１‐１‐９‐３‐Ａ‐Ｕ。
１、１０  まとまった文章で構成される一つの設問全体の解答を順序を整列して書き換えする技術・技法（Ｆｏｒｍの新アイデア５（整列））で抽出するキーワード検討対象
６．設問に沿って解答するため
実施例１キーワード検討対象抽出判断実施例の一つ
設問ウ
キーワード＝設問ア及び設問イの解答を踏まえ。
キーワードに従って、キーワード検討対象（判断材料）を抽出判断
設問ウ
図５‐１‐１‐１０‐６‐Ａ‐Ａ
図５‐１‐１‐１０‐６‐Ａ‐Ｕ
図５‐１‐１‐１０‐６‐Ａ‐Ｉ
設問ウ
キーワード検討対象＝図５‐１‐１‐１０‐６‐Ａ‐Ａ。
キーワード検討対象＝図５‐１‐１‐１０‐６‐Ａ‐Ｕ。
キーワード検討対象＝図５‐１‐１‐１０‐６‐Ａ‐Ｉ。
１、１１  まとまった文章で構成される一つの設問全体の解答の指定した位置に他の答案や解答の部分をコピーして書き換えする技術・技法（Ｆｏｒｍの新アイデア８（指定位置部分コピー））で抽出するキーワード検討対象
３．きれいに書くため
実施例１キーワード検討対象抽出判断実施例の一つ
キーワード＝きれいに書きこと。
キーワードに従って、キーワード検討対象（判断材料）を抽出判断
図５‐１‐１‐１１‐３‐Ａ
キーワード検討対象＝図５‐１‐１‐１１‐３‐Ａ。
１、１２  まとまった文章で構成される一つの設問全体の解答で使用している解答の語句や内容を継承してまとまった文章で構成される一つの設問全体の解答や一つの設問全体の解答につける設問名称を書き換えする技術・技法（Ｆｏｒｍの新アイデア９（継承））で抽出するキーワード検討対象
６．設問に沿って解答するため
実施例１キーワード検討対象抽出判断実施例の一つ
設問ウ‐１
キーワード＝監査ポイント。
設問ウ‐２
キーワード＝監査ポイント。
設問ウ‐３
キーワード＝監査ポイント。
キーワードに従って、キーワード検討対象（判断材料）を抽出判断
設問ウ‐１
図５‐１‐１‐１２‐６‐Ａ１
設問ウ‐２
図５‐１‐１‐１２‐６‐Ａ２
設問ウ‐３
図５‐１‐１‐１２‐６‐Ａ３
設問ウ‐１
キーワード検討対象＝図５‐１‐１‐１２‐６‐Ａ１。
設問ウ‐２
キーワード検討対象＝図５‐１‐１‐１２‐６‐Ａ２。
設問ウ‐３
キーワード検討対象＝図５‐１‐１‐１２‐６‐Ａ３。
１、１３  まとまった文章で構成される一つの設問全体の解答がまとまった文章で構成される複数の項目の解答の形態を集約選択して書き換えする技術・技法（Ｆｏｒｍの新アイデア１０（多態））で抽出するキーワード検討対象
６．設問に沿って解答するため
実施例１キーワード検討対象抽出判断実施例の一つ
設問ウ
キーワード＝監査ポイント。
キーワードに従って、キーワード検討対象（判断材料）を抽出判断
設問ウ
図５‐１‐１‐１３‐６‐Ａ
２、まとまった文章で構成される一つの項目の解答や一つの項目の解答につける項目名称を選択、書き換え、調整などをする技術・技法（ＧｒｏｕｐＢｏｘ）＊２で抽出するキーワード検討対象
２、１  まとまった文章で構成される一つの項目の解答を取捨選択する技術・技法（ＧｒｏｕｐＢｏｘ．Ｖｉｓｉｂｌｅ（表示アイデア））で抽出するキーワード検討対象
１．指定制限字数内に書くため
実施例１キーワード検討対象抽出判断実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワードに従って、キーワード検討対象（判断材料）を抽出判断
設問ウ
図５‐１‐２‐１‐１‐Ａ‐１
設問ウ
図５‐１‐２‐１‐１‐Ａ‐２
設問ウ
図５‐１‐２‐１‐１‐Ａ‐３
設問ウ
図５‐１‐２‐１‐１‐Ｂ‐１
設問ウ
図５‐１‐２‐１‐１‐Ｂ‐２
設問ウ
図５‐１‐２‐１‐１‐Ｂ‐３
キーワード検討対象＝図５‐１‐２‐１‐１‐Ａ‐１。
キーワード検討対象＝図５‐１‐２‐１‐１‐Ａ‐２。
キーワード検討対象＝図５‐１‐２‐１‐１‐Ａ‐３。
キーワード検討対象＝図５‐１‐２‐１‐１‐Ｂ‐１。
キーワード検討対象＝図５‐１‐２‐１‐１‐Ｂ‐２。
キーワード検討対象＝図５‐１‐２‐１‐１‐Ｂ‐３。
２．はっきりした字で書くため
実施例１キーワード検討対象抽出判断実施例の一つ
キーワード＝はっきりした字。
キーワード＝監査。
キーワードに従って、キーワード検討対象（判断材料）を抽出判断
設問ウ
図５‐１‐２‐１‐２‐Ａ
設問ウ
図５‐１‐２‐１‐２‐Ｂ
キーワード検討対象＝図５‐１‐２‐１‐２‐Ａ。
キーワード検討対象＝図５‐１‐２‐１‐２‐Ｂ。
３．きれいに書くため
実施例１キーワード検討対象抽出判断実施例の一つ
キーワード＝きれいに書きこと。
キーワードに従って、キーワード検討対象（判断材料）を抽出判断
設問ウ
図５‐１‐２‐１‐３‐Ａ
設問ウ
図５‐１‐２‐１‐３‐Ｂ
キーワード検討対象＝図５‐１‐２‐１‐３‐Ａ。
キーワード検討対象＝図５‐１‐２‐１‐３‐Ｂ。
４．頭書きの出題タイトルに沿って解答するため
実施例１キーワード検討対象抽出判断実施例の一つ
キーワード＝環境変化を踏まえた。
キーワードに従って、キーワード検討対象（判断材料）を抽出判断
設問イ
図５‐１‐２‐１‐４‐Ａ
設問イ
図５‐１‐２‐１‐４‐Ｂ
キーワード検討対象＝図５‐１‐２‐１‐４‐Ａ。
キーワード検討対象＝図５‐１‐２‐１‐４‐Ｂ。
５．出題の説明文に沿って解答するため
実施例１キーワード検討対象抽出判断実施例の一つ
キーワード＝他企業の情報システムとの連携や、更には広く一般市民を含めたコミュニケーションを目的として、社会的基盤となったネットワークも利用することが求められる。
キーワードに従って、キーワード検討対象（判断材料）を抽出判断
設問イ
図５‐１‐２‐１‐５‐Ａ
設問イ
図５‐１‐２‐１‐５‐Ｂ
キーワード検討対象＝図５‐１‐２‐１‐５‐Ａ。
キーワード検討対象＝図５‐１‐２‐１‐５‐Ｂ。
６．設問に沿って解答するため
実施例１キーワード検討対象抽出判断実施例の一つ
設問ア
キーワード＝800字以内で述べよ。
設問イ
キーワード＝他企業の情報システムとの連携や、一般市民とのコミュニケーションをも視野に入れたネットワークとの関係を踏まえて述べよ。
キーワードに従って、キーワード検討対象（判断材料）を抽出判断
設問ア
設問ア
図５‐１‐２‐１‐６‐Ａ１
設問ア
図５‐１‐２‐１‐６‐Ｂ１
設問イ
設問イ
図５‐１‐２‐１‐６‐Ａ２
設問イ
図５‐１‐２‐１‐６‐Ｂ２
設問ア
キーワード検討対象＝図５‐１‐２‐１‐６‐Ａ１。
キーワード検討対象＝図５‐１‐２‐１‐６‐Ｂ１。
設問イ
キーワード検討対象＝図５‐１‐２‐１‐６‐Ａ２。
キーワード検討対象＝図５‐１‐２‐１‐６‐Ｂ２。
２、２  まとまった文章で構成される一つの項目の解答に付ける項目名称を書き換える技術・技法（ＧｒｏｕｐＢｏｘ．Ｔｅｘｔ）で抽出するキーワード検討対象
１．指定制限字数内に書くため
実施例１キーワード検討対象抽出判断実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワードに従って、キーワード検討対象（判断材料）を抽出判断
設問ウ
図５‐１‐２‐２‐１‐Ａ
キーワード検討対象＝図５‐１‐２‐２‐１‐Ａ。
２．はっきりした字で書くため
実施例１キーワード検討対象抽出判断実施例の一つ
キーワード＝はっきりした字。
キーワード＝監査。
キーワードに従って、キーワード検討対象（判断材料）を抽出判断
設問ウ
図５‐１‐２‐２‐２‐Ａ
キーワード検討対象＝図５‐１‐２‐２‐２‐Ａ。
３．きれいに書くため
実施例１キーワード検討対象抽出判断実施例の一つ
キーワード＝きれいに書きこと。
キーワードに従って、キーワード検討対象（判断材料）を抽出判断
設問ウ
図５‐１‐２‐２‐３‐Ａ
キーワード検討対象＝図５‐１‐２‐２‐３‐Ａ。
４．頭書きの出題タイトルに沿って解答するため
実施例１キーワード検討対象抽出判断実施例の一つ
キーワード＝環境変化を踏まえた。
キーワードに従って、キーワード検討対象（判断材料）を抽出判断
設問イ
図５‐１‐２‐２‐４‐Ａ
キーワード検討対象＝図５‐１‐２‐２‐４‐Ａ。
５．出題の説明文に沿って解答するため
実施例１キーワード検討対象抽出判断実施例の一つ
キーワード＝社会的基盤となったネットワーク。
キーワードに従って、キーワード検討対象（判断材料）を抽出判断
設問イ
図５‐１‐２‐２‐５‐Ａ
キーワード検討対象＝図５‐１‐２‐２‐５‐Ａ。
６．設問に沿って解答するため
実施例１キーワード検討対象抽出判断実施例の一つ
設問ア
キーワード＝800字以内で述べよ。
設問イ
キーワード＝ネットワークとの関係。
キーワードに従って、キーワード検討対象（判断材料）を抽出判断
設問ア
設問ア
図５‐１‐２‐２‐６‐Ａ１
設問イ
設問イ
図５‐１‐２‐２‐６‐Ａ２
設問ア
キーワード検討対象＝図５‐１‐２‐２‐６‐Ａ１。
設問イ
キーワード検討対象＝図５‐１‐２‐２‐６‐Ａ２。
２、３  まとまった文章で構成される一つの項目の解答に使用する行数を調整する技術・技法（ＧｒｏｕｐＢｏｘ．Ｈｅｉｇｈｔ）で抽出するキーワード検討対象
１．指定制限字数内に書くため
実施例１キーワード検討対象抽出判断実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワードに従って、キーワード検討対象（判断材料）を抽出判断
設問ウ
図５‐１‐２‐３‐１‐Ａ
キーワード検討対象＝図５‐１‐２‐３‐１‐Ａ。
３．きれいに書くため
実施例１キーワード検討対象抽出判断実施例の一つ
キーワード＝きれいに書きこと。
キーワードに従って、キーワード検討対象（判断材料）を抽出判断
設問ウ
図５‐１‐２‐３‐３‐Ａ
キーワード検討対象＝図５‐１‐２‐３‐３‐Ａ。
６．設問に沿って解答するため
実施例１キーワード検討対象抽出判断実施例の一つ
設問ア
キーワード＝800字以内で述べよ。
キーワードに従って、キーワード検討対象（判断材料）を抽出判断
設問ア
設問ア
図５‐１‐２‐３‐６‐Ａ
設問ア
キーワード検討対象＝図５‐１‐２‐３‐６‐Ａ。
２、４  まとまった文章で構成される一つの項目の解答の一行当たりに使用する解答字数を調整する技術・技法（ＧｒｏｕｐＢｏｘ．Ｗｉｄｔｈ）で抽出するキーワード検討対象
１．指定制限字数内に書くため
実施例１キーワード検討対象抽出判断実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワードに従って、キーワード検討対象（判断材料）を抽出判断
設問ウ
図５‐１‐２‐４‐１‐Ａ‐１
設問ウ
図５‐１‐２‐４‐１‐Ａ‐２
設問ウ
図５‐１‐２‐４‐１‐Ａ‐３
キーワード検討対象＝図５‐１‐２‐４‐１‐Ａ‐１。
キーワード検討対象＝図５‐１‐２‐４‐１‐Ａ‐２。
キーワード検討対象＝図５‐１‐２‐４‐１‐Ａ‐３。
３．きれいに書くため
実施例１キーワード検討対象抽出判断実施例の一つ
キーワード＝きれいに書きこと。
キーワードに従って、キーワード検討対象（判断材料）を抽出判断
設問ウ
図５‐１‐２‐４‐３‐Ａ‐１
設問ウ
図５‐１‐２‐４‐３‐Ａ‐２
設問ウ
図５‐１‐２‐４‐３‐Ａ‐３
キーワード検討対象＝図５‐１‐２‐４‐３‐Ａ‐１。
キーワード検討対象＝図５‐１‐２‐４‐３‐Ａ‐２。
キーワード検討対象＝図５‐１‐２‐４‐３‐Ａ‐３。
６．設問に沿って解答するため
実施例１キーワード検討対象抽出判断実施例の一つ
キーワード＝800字以内で述べよ。
キーワードに従って、キーワード検討対象（判断材料）を抽出判断
設問ア
設問ア
図５‐１‐２‐４‐６‐Ａ
設問ア
キーワード検討対象＝図５‐１‐２‐４‐６‐Ａ。
２、５  まとまった文章で構成される一つの項目の解答の開始行を調整する技術・技法（ＧｒｏｕｐＢｏｘ．Ｔｏｐ）で抽出するキーワード検討対象
１．指定制限字数内に書くため
実施例１キーワード検討対象抽出判断実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワードに従って、キーワード検討対象（判断材料）を抽出判断
設問ウ
図５‐１‐２‐５‐１‐Ａ‐１
設問ウ
図５‐１‐２‐５‐１‐Ａ‐２
設問ウ
図５‐１‐２‐５‐１‐Ａ‐３
キーワード検討対象＝図５‐１‐２‐５‐１‐Ａ‐１。
キーワード検討対象＝図５‐１‐２‐５‐１‐Ａ‐２。
キーワード検討対象＝図５‐１‐２‐５‐１‐Ａ‐３。
３．きれいに書くため
実施例１キーワード検討対象抽出判断実施例の一つ
キーワード＝きれいに書きこと。
キーワードに従って、キーワード検討対象（判断材料）を抽出判断
設問ウ
図５‐１‐２‐５‐３‐Ａ‐２
設問ウ
図５‐１‐２‐５‐３‐Ａ‐３
キーワード検討対象＝図５‐１‐２‐５‐３‐Ａ‐２。
キーワード検討対象＝図５‐１‐２‐５‐３‐Ａ‐３。
４．頭書きの出題タイトルに沿って解答するため
頭書きの出題タイトルを、情報システムを取り巻く環境変化を踏まえた監査対象領域の選定についてではなく、他企業との連携や一般市民とのコミュニケーションなどを踏まえた監査対象領域の選定についてであると仮定する。
実施例１キーワード検討対象抽出判断実施例の一つ
キーワード＝他企業との連携や一般市民とのコミュニケーション。
キーワードに従って、キーワード検討対象（判断材料）を抽出判断
設問イ
図５‐１‐２‐５‐４‐Ａ‐Ｘ
設問イ
図５‐１‐２‐５‐４‐Ａ‐Ｙ
キーワード検討対象＝図５‐１‐２‐５‐４‐Ａ‐Ｘ。
キーワード検討対象＝図５‐１‐２‐５‐４‐Ａ‐Ｙ。
５．出題の説明文に沿って解答するため
キーワード＝他企業の情報システムとの連携や、更には広く一般市民を含めたコミュニケーション。
実施例１キーワード検討対象抽出判断実施例の一つ
キーワードに従って、キーワード検討対象（判断材料）を抽出判断
設問イ
図５‐１‐２‐５‐５‐Ａ‐Ｘ
設問イ
図５‐１‐２‐５‐５‐Ａ‐Ｙ
キーワード検討対象＝図５‐１‐２‐５‐５‐Ａ‐Ｘ。
キーワード検討対象＝図５‐１‐２‐５‐５‐Ａ‐Ｙ。
６．設問に沿って解答するため
実施例１キーワード検討対象抽出判断実施例の一つ
設問ア
キーワード＝800字以内で述べよ。
設問イ
キーワード＝他企業の情報システムとの連携や、一般市民とのコミュニケーション。
キーワードに従って、キーワード検討対象（判断材料）を抽出判断
設問ア
設問ア
図５‐１‐２‐５‐６‐Ａ１‐１
設問ア
図５‐１‐２‐５‐６‐Ａ１‐２
設問イ
設問イ
図５‐１‐２‐５‐６‐Ａ２‐Ｘ
設問イ
図５‐１‐２‐５‐６‐Ａ２‐Ｙ
設問ア
キーワード検討対象＝図５‐１‐２‐５‐６‐Ａ１‐１。
キーワード検討対象＝図５‐１‐２‐５‐６‐Ａ１‐２。
設問イ
キーワード検討対象＝図５‐１‐２‐５‐６‐Ａ２‐Ｘ。
キーワード検討対象＝図５‐１‐２‐５‐６‐Ａ２‐Ｙ。
２、６  まとまった文章で構成される一つの項目の解答の行の開始解答位置を調整する技術・技法（ＧｒｏｕｐＢｏｘ．Ｌｅｆｔ）で抽出するキーワード検討対象
１．指定制限字数内に書くため
実施例１キーワード検討対象抽出判断実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワードに従って、キーワード検討対象（判断材料）を抽出判断
設問ウ
図５‐１‐２‐６‐１‐Ａ‐１
設問ウ
図５‐１‐２‐６‐１‐Ａ‐２
設問ウ
図５‐１‐２‐６‐１‐Ａ‐３
キーワード検討対象＝図５‐１‐２‐６‐１‐Ａ‐１。
キーワード検討対象＝図５‐１‐２‐６‐１‐Ａ‐２。
キーワード検討対象＝図５‐１‐２‐６‐１‐Ａ‐３。
３．きれいに書くため
実施例１キーワード検討対象抽出判断実施例の一つ
キーワード＝きれいに書きこと。
キーワードに従って、キーワード検討対象（判断材料）を抽出判断
設問ウ
図５‐１‐２‐６‐３‐Ａ‐１
設問ウ
図５‐１‐２‐６‐３‐Ａ‐２
設問ウ
図５‐１‐２‐６‐３‐Ａ‐３
キーワード検討対象＝図５‐１‐２‐６‐３‐Ａ‐１。
キーワード検討対象＝図５‐１‐２‐６‐３‐Ａ‐２。
キーワード検討対象＝図５‐１‐２‐６‐３‐Ａ‐３。
６．設問に沿って解答するため
実施例１キーワード検討対象抽出判断実施例の一つ
設問ア
キーワード＝800字以内で述べよ。
キーワードに従って、キーワード検討対象（判断材料）を抽出判断
設問ア
設問ア
図５‐１‐２‐６‐６‐Ａ
設問ア
キーワード検討対象＝図５‐１‐２‐６‐６‐Ａ。
２、７  まとまった文章で構成される一つの項目の解答に付ける項目名称に使用するサイズや太さや下線付きなどのフォントを調整する技術・技法（ＧｒｏｕｐＢｏｘ．Ｆｏｎｔ）で抽出するキーワード検討対象
１．指定制限字数内に書くため
実施例１キーワード検討対象抽出判断実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワードに従って、キーワード検討対象（判断材料）を抽出判断
設問ウ
図５‐１‐２‐７‐１‐Ａ
キーワード検討対象＝図５‐１‐２‐７‐１‐Ａ。
２．はっきりした字で書くため
実施例１キーワード検討対象抽出判断実施例の一つ
キーワード＝はっきりした字。
キーワードに従って、キーワード検討対象（判断材料）を抽出判断
設問ウ
図５‐１‐２‐７‐２‐Ａ
キーワード検討対象＝図５‐１‐２‐７‐２‐Ａ。
３．きれいに書くため
実施例１キーワード検討対象抽出判断実施例の一つ
キーワード＝きれいに書きこと。
キーワードに従って、キーワード検討対象（判断材料）を抽出判断
設問ウ
図５‐１‐２‐７‐３‐Ａ‐１
設問ウ
図５‐１‐２‐７‐３‐Ａ‐２
設問ウ
図５‐１‐２‐７‐３‐Ａ‐３
キーワード検討対象＝図５‐１‐２‐７‐３‐Ａ‐１。
キーワード検討対象＝図５‐１‐２‐７‐３‐Ａ‐２。
キーワード検討対象＝図５‐１‐２‐７‐３‐Ａ‐３。
６．設問に沿って解答するため
実施例１キーワード検討対象抽出判断実施例の一つ
設問ア
キーワード＝800字以内で述べよ。
キーワードに従って、キーワード検討対象（判断材料）を抽出判断
設問ア
設問ア
図５‐１‐２‐７‐６‐Ａ
設問ア
キーワード検討対象＝図５‐１‐２‐７‐６‐Ａ。
２、８  解答や項目名称に使用するキーワードを抽出して、まとまった文章で構成される一つの項目の解答や一つの項目の解答につける項目名称にキーワードを使用したものを選択する技術・技法（ＧｒｏｕｐＢｏｘの新アイデア１（検索））で抽出するキーワード検討対象
ａ．問題文の趣旨に沿って解答するため
実施例１キーワード検討対象抽出判断実施例の一つ
最近の問題（例、平成１２年度）の場合
キーワード＝問題文の趣旨に沿って解答すること。
キーワード＝監査対象領域。
キーワードに従って、キーワード検討対象（判断材料）を抽出判断
設問イ
図５‐１‐２‐８‐ａ‐Ａ
設問イ
図５‐１‐２‐８‐ａ‐Ｂ
キーワード検討対象＝図５‐１‐２‐８‐ａ‐Ａ。
キーワード検討対象＝図５‐１‐２‐８‐ａ‐Ｂ。
２．はっきりした字で書くため
実施例１キーワード検討対象抽出判断実施例の一つ
キーワード＝はっきりした字。
キーワード＝監査。
キーワードに従って、キーワード検討対象（判断材料）を抽出判断
設問イ
図５‐１‐２‐８‐２‐Ａ
設問イ
図５‐１‐２‐８‐２‐Ｂ
キーワード検討対象＝図５‐１‐２‐８‐２‐Ａ。
キーワード検討対象＝図５‐１‐２‐８‐２‐Ｂ。
４．頭書きの出題タイトルに沿って解答するため
実施例１キーワード検討対象抽出判断実施例の一つ
キーワード＝監査対象領域。
キーワードに従って、キーワード検討対象（判断材料）を抽出判断
設問イ
図５‐１‐２‐８‐４‐Ａ
設問イ
図５‐１‐２‐８‐４‐Ｂ
キーワード検討対象＝図５‐１‐２‐８‐４‐Ａ。
キーワード検討対象＝図５‐１‐２‐８‐４‐Ｂ。
５．出題の説明文に沿って解答するため
実施例１キーワード検討対象抽出判断実施例の一つ
キーワード＝リスク。
キーワードに従って、キーワード検討対象（判断材料）を抽出判断
設問イ
図５‐１‐２‐８‐５‐Ａ
設問イ
図５‐１‐２‐８‐５‐Ｂ
キーワード検討対象＝図５‐１‐２‐８‐５‐Ａ。
キーワード検討対象＝図５‐１‐２‐８‐５‐Ｂ。
６．設問に沿って解答するため
実施例１キーワード検討対象抽出判断実施例の一つ
設問イ
キーワード＝リスク。
キーワードに従って、キーワード検討対象（判断材料）を抽出判断
設問イ
設問イ
図５‐１‐２‐８‐６‐Ａ
設問イ
図５‐１‐２‐８‐６‐Ｂ
設問イ
キーワード検討対象＝図５‐１‐２‐８‐６‐Ａ。
キーワード検討対象＝図５‐１‐２‐８‐６‐Ｂ。
２、９  解答や項目名称に使用するキーワードを抽出して、まとまった文章で構成される一つの項目の解答や一つの項目の解答につける項目名称にキーワードを使用したものに書き換え、調整する技術・技法（ＧｒｏｕｐＢｏｘの新アイデア２（置換））で抽出するキーワード検討対象
ａ．問題文の趣旨に沿って解答するため
実施例１キーワード検討対象抽出判断実施例の一つ
最近の問題（例、平成１２年度）の場合
キーワード＝問題文の趣旨に沿って解答すること。
キーワード＝監査対象領域。
キーワードに従って、キーワード検討対象（判断材料）を抽出判断
設問イ
図５‐１‐２‐９‐ａ‐Ａ
キーワード検討対象＝図５‐１‐２‐９‐ａ‐Ａ。
２．はっきりした字で書くため
実施例１キーワード検討対象抽出判断実施例の一つ
キーワード＝はっきりした字。
キーワード＝監査。
キーワードに従って、キーワード検討対象（判断材料）を抽出判断
設問ウ
図５‐１‐２‐９‐２‐Ａ
キーワード検討対象＝図５‐１‐２‐９‐２‐Ａ。
４．頭書きの出題タイトルに沿って解答するため
実施例１キーワード検討対象抽出判断実施例の一つ
キーワード＝監査対象領域。
キーワードに従って、キーワード検討対象（判断材料）を抽出判断
設問イ
図５‐１‐２‐９‐４‐Ａ
キーワード検討対象＝図５‐１‐２‐９‐４‐Ａ。
５．出題の説明文に沿って解答するため
実施例１キーワード検討対象抽出判断実施例の一つ
キーワード＝リスク。
キーワードに従って、キーワード検討対象（判断材料）を抽出判断
設問イ
図５‐１‐２‐９‐５‐Ａ
キーワード検討対象＝図５‐１‐２‐９‐５‐Ａ。
６．設問に沿って解答するため
実施例１キーワード検討対象抽出判断実施例の一つ
設問イ
キーワード＝リスク。
キーワードに従って、キーワード検討対象（判断材料）を抽出判断
設問イ
設問イ
図５‐１‐２‐９‐６‐Ａ
設問イ
キーワード検討対象＝図５‐１‐２‐９‐６‐Ａ。
２、１０  まとまった文章で構成される一つの項目の解答の指定した位置部分を切り取り書き換えする技術・技法（ＧｒｏｕｐＢｏｘの新アイデア３（指定位置部分切り取り））で抽出するキーワード検討対象
１．指定制限字数内に書くため
実施例１キーワード検討対象抽出判断実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワードに従って、キーワード検討対象（判断材料）を抽出判断
設問ウ
図５‐１‐２‐１０‐１‐Ａ
キーワード検討対象＝図５‐１‐２‐１０‐１‐Ａ。
２、１１  まとまった文章で構成される一つの項目の解答の指定した位置に項目の解答の部分を貼り付け書き換えする技術・技法（ＧｒｕｏｐＢｏｘの新アイデア４（指定位置部分貼り付け））で抽出するキーワード検討対象
３．きれいに書くため
実施例１キーワード検討対象抽出判断実施例の一つ
キーワード＝きれいに書きこと。
キーワードに従って、キーワード検討対象（判断材料）を抽出判断
設問ウ
図５‐１‐２‐１１‐３‐Ａ
キーワード検討対象＝図５‐１‐２‐１１‐３‐Ａ。
２、１２  まとまった文章で構成される一つの項目の解答を順序を整列して書き換えする技術・技法（ＧｒｏｕｐＢｏｘの新アイデア５（整列））で抽出するキーワード検討対象
６．設問に沿って解答するため
実施例１キーワード検討対象抽出判断実施例の一つ
設問イ
キーワード＝他企業の情報システムとの連携や、一般市民とのコミュニケーション。
キーワードに従って、キーワード検討対象（判断材料）を抽出判断
設問イ
設問イ
図５‐１‐２‐１２‐６‐Ａ‐Ｘ
設問イ
図５‐１‐２‐１２‐６‐Ａ‐Ｙ
設問イ
キーワード検討対象＝図５‐１‐２‐１２‐６‐Ａ‐Ｘ。
キーワード検討対象＝図５‐１‐２‐１２‐６‐Ａ‐Ｙ。
２、１３  まとまった文章で構成される一つの項目の解答をまとまった文章で構成される複数の項目の解答に分割して書き換えする技術・技法（ＧｒｕｏｐＢｏｘの新アイデア６（分割））で抽出するキーワード検討対象
３．きれいに書くため
実施例１キーワード検討対象抽出判断実施例の一つ
キーワード＝きれいに書きこと。
キーワードに従って、キーワード検討対象（判断材料）を抽出判断
設問ウ
図５‐１‐２‐１３‐３‐Ａ
キーワード検討対象＝図５‐１‐２‐１３‐３‐Ａ。
２、１４  まとまった文章で構成される複数の項目の解答をまとまった文章で構成される一つの項目の解答に併合して書き換えする技術・技法（ＧｒｕｏｐＢｏｘの新アイデア７（併合））で抽出するキーワード検討対象
３．きれいに書くため
実施例１キーワード検討対象抽出判断実施例の一つ
キーワード＝きれいに書きこと。
キーワードに従って、キーワード検討対象（判断材料）を抽出判断
設問ウ
図５‐１‐２‐１４‐３‐Ａ‐Ｙ１
設問ウ
図５‐１‐２‐１４‐３‐Ａ‐Ｙ２
設問ウ
図５‐１‐２‐１４‐３‐Ａ‐Ｙ３
キーワード検討対象＝図５‐１‐２‐１４‐３‐Ａ‐Ｙ１。
キーワード検討対象＝図５‐１‐２‐１４‐３‐Ａ‐Ｙ２。
キーワード検討対象＝図５‐１‐２‐１４‐３‐Ａ‐Ｙ３。
２、１５  まとまった文章で構成される一つの項目の解答の指定した位置に他の答案や解答の部分をコピーして書き換えする技術・技法（ＧｒｕｏｐＢｏｘの新アイデア８（指定位置部分コピー））で抽出するキーワード検討対象
実施例１キーワード検討対象抽出判断実施例の一つ
キーワード＝きれいに書きこと。
キーワードに従って、キーワード検討対象（判断材料）を抽出判断
設問ウ
図５‐１‐２‐１５‐３‐Ａ
２、１６  まとまった文章で構成される一つの設問全体の解答やまとまった文章で構成される一つの項目の解答で使用している解答の語句や内容を継承してまとまった文章で構成される一つの項目の解答や一つの項目の解答につける項目名称を書き換えする技術・技法（ＧｒｏｕｐＢｏｘの新アイデア９（継承））で抽出するキーワード検討対象
６．設問に沿って解答するため
実施例１キーワード検討対象抽出判断実施例の一つ
設問ウ
キーワード＝監査ポイント。
キーワードに従って、キーワード検討対象（判断材料）を抽出判断
設問ウ
設問ウ
図５‐１‐２‐１６‐６‐Ａ‐１
設問ウ
図５‐１‐２‐１６‐６‐Ａ‐２
設問ウ
図５‐１‐２‐１６‐６‐Ａ‐３
設問ウ
キーワード検討対象＝図５‐１‐２‐１６‐６‐Ａ‐１。
キーワード検討対象＝図５‐１‐２‐１６‐６‐Ａ‐２。
キーワード検討対象＝図５‐１‐２‐１６‐６‐Ａ‐３。
２、１７  まとまった文章で構成される一つの項目の解答が複数の文や語句、名称（含む数字）の形態を集約選択して書き換えする技術・技法（ＧｒｏｕｐＢｏｘの新アイデア１０（多態））で抽出するキーワード検討対象
６．設問に沿って解答するため
実施例１キーワード検討対象抽出判断実施例の一つ
設問ウ
キーワード＝監査ポイント。
キーワードに従って、キーワード検討対象（判断材料）を抽出判断
設問ウ
設問ウ
図５‐１‐２‐１７‐６‐Ａ
３、文章中で使用されている文や語句、名称（含む数字）を選択、書き換え、調整などをする技術・技法（Ｌａｂｅｌ）で抽出するキーワード検討対象
３、１  文章中で使用されている文や語句、名称（含む数字）を取捨選択する技術・技法（Ｌａｂｅｌ．Ｖｉｓｉｂｌｅ（表示アイデア））で抽出するキーワード検討対象
１．指定制限字数内に書くため
実施例１キーワード検討対象抽出判断実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワードに従って、キーワード検討対象（判断材料）を抽出判断
設問ウ
図５‐１‐３‐１‐１‐Ａ
設問ウ
図５‐１‐３‐１‐１‐Ｂ
キーワード検討対象＝図５‐１‐３‐１‐１‐Ａ（３）その他のネットワークとの関係。
キーワード検討対象＝図５‐１‐３‐１‐１‐Ａ情報システムの安全性を確保するのに、なりすましなどネットワークを介した不正アクセス防止に必要なファイアウォールやウィルス対策ソフト、ワンタイムパスワードなどの利用によるコントロールを点検・評価することを監査ポイントとする。。
キーワード検討対象＝図５‐１‐３‐１‐１‐Ａまた、そのコントロールの評価の根拠となる無資格者による情報システムの利用や特定のファイルへの偏った利用、異常な回数の利用、異常な時刻での利用などを調査するためのアクセスログを入手することを監査ポイントとする。。
キーワード検討対象＝図５‐１‐３‐１‐１‐Ａまた、そのログを入手するに当たって、調査するのに必要な情報を取得できる監査プログラムを選択・評価することを監査ポイントとする。。
キーワード検討対象＝図５‐１‐３‐１‐１‐Ｂ（３）その他のネットワークとの関係。
キーワード検討対象＝図５‐１‐３‐１‐１‐Ｂ情報システムの安全性を確保するのに、なりすましなどネットワークを介した不正アクセス防止に必要なファイアウォールやウィルス対策ソフト、ワンタイムパスワードなどの利用によるコントロールを点検・評価することを監査ポイントとする。。
キーワード検討対象＝図５‐１‐３‐１‐１‐Ｂまた、そのコントロールの評価の根拠となる無資格者による情報システムの利用や特定のファイルへの偏った利用、異常な時刻での利用などを調査するためのアクセスログを入手することを監査ポイントとする。。
キーワード検討対象＝図５‐１‐３‐１‐１‐Ｂまた、そのログを入手するに当たって、調査するのに必要な情報を取得できる監査プログラムを選択・評価することを監査ポイントとする。。
２．はっきりした字で書くため
実施例１キーワード検討対象抽出判断実施例の一つ
キーワード＝はっきりした字。
キーワードに従って、キーワード検討対象（判断材料）を抽出判断
設問ウ
図５‐１‐３‐１‐２‐Ａ
設問ウ
図５‐１‐３‐１‐２‐Ｂ
キーワード検討対象＝図５‐１‐３‐１‐２‐Ａまた、そのログを入手するを当たって、調査するのを必要な情報を取得できる監査プログラムを選択・評価することを監査ポイントとする。。
キーワード検討対象＝図５‐１‐３‐１‐２‐Ｂまた、そのログを入手するに当たって、調査するのに必要な情報を取得できる監査プログラムを選択・評価することを監査ポイントとする。。
３．きれいに書くため
実施例１キーワード検討対象抽出判断実施例の一つ
キーワード＝きれいに書きこと。
キーワードに従って、キーワード検討対象（判断材料）を抽出判断
設問ウ
図５‐１‐３‐１‐３‐Ａ
設問ウ
図５‐１‐３‐１‐３‐Ｂ
キーワード検討対象＝図５‐１‐３‐１‐３‐Ａまた、そのコントロールの評価の根拠となる無資格者による情報システムの利用や特定のファイルへの偏った利用、異常な回数の利用、異常な時刻での利用などを調査するためのアクセスログを入手することを監査ポイントとする。。
キーワード検討対象＝図５‐１‐３‐１‐３‐Ａまた、そのログを入手するに当たって、調査するのに必要な情報を取得できる監査プログラムを選択・評価することを監査ポイントとする。。
キーワード検討対象＝図５‐１‐３‐１‐３‐Ｂまた、そのコントロールの評価の根拠となる無資格者による情報システムの利用や特定のファイルへの偏った利用、異常な時刻での利用などを調査するためのアクセスログを入手することを監査ポイントとする。。
キーワード検討対象＝図５‐１‐３‐１‐３‐Ｂまた、そのログを入手するに当たって、調査するのに必要な情報を取得できる監査プログラムを選択・評価することを監査ポイントとする。。
４．頭書きの出題タイトルに沿って解答するため
実施例１キーワード検討対象抽出判断実施例の一つ
キーワード＝環境変化を踏まえた。
キーワードに従って、キーワード検討対象（判断材料）を抽出判断
設問イ
図５‐１‐３‐１‐４‐Ａ
設問イ
図５‐１‐３‐１‐４‐Ｂ
キーワード検討対象＝図５‐１‐３‐１‐４‐Ａエクストラネットなどのネットワーク技術は、企業活動に経営戦略上の利便性をもたらしている。。
キーワード検討対象＝図５‐１‐３‐１‐４‐Ａそれは、コミュニケーションツールとしての電子メールの活用など、ネットワーク技術の利活用によって、場所や時間・距離に関係なく、必要なときに情報の収集・提供を円滑に行うことを可能にしている。。
キーワード検討対象＝図５‐１‐３‐１‐４‐Ａしかし、その利便性は、同時に悪意ある者に対してネットワークを介して外部から組織内部へアクセスする手段さえも提供することになる。。
キーワード検討対象＝図５‐１‐３‐１‐４‐Ａその結果、盗聴・改ざん・なりすましといった不正アクセスのリスクが想定される。。
キーワード検討対象＝図５‐１‐３‐１‐４‐Ｂエクストラネットなどのネットワーク技術の環境変化は、企業活動に経営戦略上の利便性をもたらしている。。
キーワード検討対象＝図５‐１‐３‐１‐４‐Ｂそれは、コミュニケーションツールとしての電子メールの活用など、ネットワーク技術の利活用によって、場所や時間・距離に関係なく、必要なときに情報の収集・提供を円滑に行うことを可能にしている。。
キーワード検討対象＝図５‐１‐３‐１‐４‐Ｂしかし、その利便性は、同時に悪意ある者に対してネットワークを介して外部から組織内部へアクセスする手段さえも提供することになる。。
キーワード検討対象＝図５‐１‐３‐１‐４‐Ｂその結果、盗聴・改ざん・なりすましといった不正アクセスのリスクが想定される。。
５．出題の説明文に沿って解答するため
実施例１キーワード検討対象抽出判断実施例の一つ
キーワード＝経営戦略を踏まえて。
キーワードに従って、キーワード検討対象（判断材料）を抽出判断
設問イ
図５‐１‐３‐１‐５‐Ａ
設問イ
図５‐１‐３‐１‐５‐Ｂ
キーワード検討対象＝図５‐１‐３‐１‐５‐Ａエクストラネットなどのネットワーク技術の環境変化は、企業活動に利便性をもたらしている。。
キーワード検討対象＝図５‐１‐３‐１‐５‐Ａそれは、コミュニケーションツールとしての電子メールの活用など、ネットワーク技術の利活用によって、場所や時間・距離に関係なく、必要なときに情報の収集・提供を円滑に行うことを可能にしている。。
キーワード検討対象＝図５‐１‐３‐１‐５‐Ａしかし、その利便性は、同時に悪意ある者に対してネットワークを介して外部から組織内部へアクセスする手段さえも提供することになる。。
キーワード検討対象＝図５‐１‐３‐１‐５‐Ａその結果、盗聴・改ざん・なりすましといった不正アクセスのリスクが想定される。。
キーワード検討対象＝図５‐１‐３‐１‐５‐Ｂエクストラネットなどのネットワーク技術の環境変化は、企業活動に経営戦略上の利便性をもたらしている。。
キーワード検討対象＝図５‐１‐３‐１‐５‐Ｂそれは、コミュニケーションツールとしての電子メールの活用など、ネットワーク技術の利活用によって、場所や時間・距離に関係なく、必要なときに情報の収集・提供を円滑に行うことを可能にしている。。
キーワード検討対象＝図５‐１‐３‐１‐５‐Ｂしかし、その利便性は、同時に悪意ある者に対してネットワークを介して外部から組織内部へアクセスする手段さえも提供することになる。。
キーワード検討対象＝図５‐１‐３‐１‐５‐Ｂその結果、盗聴・改ざん・なりすましといった不正アクセスのリスクが想定される。。
６．設問に沿って解答するため
実施例１キーワード検討対象抽出判断実施例の一つ
設問ア
キーワード＝800字以内で述べよ。
設問イ
キーワード＝リスク。
キーワードに従って、キーワード検討対象（判断材料）を抽出判断
設問ア
設問ア
図５‐１‐３‐１‐１‐Ａ１
設問ア
図５‐１‐３‐１‐１‐Ｂ１
設問イ
設問イ
図５‐１‐３‐１‐１‐Ａ２
設問イ
図５‐１‐３‐１‐１‐Ｂ２
設問ア
キーワード検討対象＝図５‐１‐３‐１‐１‐Ａ１そして、会議時間の短縮や交通費などの削減を目的として、従来時間をかけて人の移動などで実施されていた会議の開催を、エクストラネッエクストラネットの利用による電子会議で実施されるように変化すると思われる。。
キーワード検討対象＝図５‐１‐３‐１‐１‐Ｂ１そして、会議時間の短縮や交通費などの削減を目的として、従来時間をかけて人の移動などで実施されていた会議の開催を、電子会議で実施されるように変化すると思われる。。
設問イ
キーワード検討対象＝図５‐１‐３‐１‐１‐Ａ２その結果、盗聴・改ざん・なりすましといった不正アクセスが想定される。。
キーワード検討対象＝図５‐１‐３‐１‐１‐Ｂ２その結果、盗聴・改ざん・なりすましといった不正アクセスのリスクが想定される。。
３、２  文章中で使用されている文や語句、名称（含む数字）を書き換える技術・技法（Ｌａｂｅｌ．Ｔｅｘｔ）で抽出するキーワード検討対象
１．指定制限字数内に書くため
実施例１キーワード検討対象抽出判断実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワードに従って、キーワード検討対象（判断材料）を抽出判断
設問ウ
図５‐１‐３‐２‐１‐Ａ
キーワード検討対象＝図５‐１‐３‐２‐１‐Ａまた、そのコントロールの評価の根拠となる無資格者による情報システムの利用や特定のファイルへの偏った利用、異常な回数の利用、異常な時刻での利用などを調査するためのアクセスログを入手することを監査ポイントとする。。
キーワード検討対象＝図５‐１‐３‐２‐１‐Ａまた、そのログを入手するに当たって、調査するのに必要な情報を取得できる監査プログラムを選択・評価することを監査ポイントとする。。
２．はっきりした字で書くため
実施例１キーワード検討対象抽出判断実施例の一つ
キーワード＝はっきりした字。
キーワードに従って、キーワード検討対象（判断材料）を抽出判断
設問ウ
図５‐１‐３‐２‐２‐Ａ
キーワード検討対象＝図５‐１‐３‐２‐１‐Ａまた、そのログを入手するを当たって、調査するのを必要な情報を取得できる監査プログラムを選択・評価することを監査ポイントとする。。
３．きれいに書くため
実施例１キーワード検討対象抽出判断実施例の一つ
キーワード＝きれいに書きこと。
キーワードに従って、キーワード検討対象（判断材料）を抽出判断
設問ウ
図５‐１‐３‐２‐３‐Ａ
キーワード検討対象＝図５‐１‐３‐２‐３‐Ａまた、そのコントロールの評価の根拠となる無資格者による情報システムの利用や特定のファイルへの偏った利用、異常な回数の利用、異常な時刻での利用などを調査するためのアクセスログを入手することを監査ポイントとする。。
キーワード検討対象＝図５‐１‐３‐２‐３‐Ａまた、そのログを入手するに当たって、調査するのに必要な情報を取得できる監査プログラムを選択・評価することを監査ポイントとする。。
４．頭書きの出題タイトルに沿って解答するため
実施例１キーワード検討対象抽出判断実施例の一つ
キーワード＝監査対象領域。
キーワードに従って、キーワード検討対象（判断材料）を抽出判断
設問イ
図５‐１‐３‐２‐４‐Ａ
キーワード検討対象＝図５‐１‐３‐２‐４‐Ａ監査範囲とする。。
５．出題の説明文に沿って解答するため
実施例１キーワード検討対象抽出判断実施例の一つ
キーワード＝監査対象領域。
キーワードに従って、キーワード検討対象（判断材料）を抽出判断
設問イ
図５‐１‐３‐２‐５‐Ａ
キーワード検討対象＝図５‐１‐３‐２‐５‐Ａ監査範囲とする。。
６．設問に沿って解答するため
実施例１キーワード検討対象抽出判断実施例の一つ
設問ア
キーワード＝800字以内で述べよ。
設問イ
キーワード＝監査対象領域。
キーワードに従って、キーワード検討対象（判断材料）を抽出判断
設問ア
設問ア
図５‐１‐３‐２‐６‐Ａ１
設問イ
設問イ
図５‐１‐３‐２‐６‐Ａ２
設問ア
キーワード検討対象＝図５‐１‐３‐２‐６‐Ａ１そして、会議時間の短縮や交通費などの削減を目的として、従来時間をかけて人の移動などで実施されていた会議の開催を、エクストラネットの利用による電子会議で実施されるように変化すると思われる。。
設問イ
キーワード検討対象＝図５‐１‐３‐２‐６‐Ａ２監査範囲とする。。
３、３  文章中で使用されている文や語句、名称（含む数字）に使用する解答字数を調整する技術・技法（Ｌａｂｅｌ．Ｗｉｄｔｈ）で抽出するキーワード検討対象
１．指定制限字数内に書くため
実施例１キーワード検討対象抽出判断実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワードに従って、キーワード検討対象（判断材料）を抽出判断
設問ウ
図５‐１‐３‐３‐１‐Ａ
キーワード検討対象＝図５‐１‐３‐３‐１‐Ａ（３）その他社会的基盤となったネットワークとの関係。
３．きれいに書くため
実施例１キーワード検討対象抽出判断実施例の一つ
キーワード＝きれいに書きこと。
キーワードに従って、キーワード検討対象（判断材料）を抽出判断
設問ウ
図５‐１‐３‐３‐３‐Ａ
キーワード検討対象＝図５‐１‐３‐３‐３‐Ａ（３）その他社会的基盤となったネットワークとの関係。
６．設問に沿って解答するため
実施例１キーワード検討対象抽出判断実施例の一つ
設問ア
キーワード＝800字以内で述べよ。
キーワードに従って、キーワード検討対象（判断材料）を抽出判断
設問ア
設問ア
図５‐１‐３‐３‐６‐Ａ
設問ア
キーワード検討対象＝図５‐１‐３‐３‐６‐Ａ（２）変化した又は今後変化すると思われる点について。
３、４  文章中で使用されている文や語句、名称（含む数字）の開始行を調整する技術・技法（Ｌａｂｅｌ．Ｔｏｐ）で抽出するキーワード検討対象
１．指定制限字数内に書くため
実施例１キーワード検討対象抽出判断実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワードに従って、キーワード検討対象（判断材料）を抽出判断
設問ウ
図５‐１‐３‐４‐１‐Ａ
キーワード検討対象＝図５‐１‐３‐４‐１‐Ａ（３）その他のネットワークとの関係以降の解答。
３．きれいに書くため
実施例１キーワード検討対象抽出判断実施例の一つ
キーワード＝きれいに書きこと。
キーワードに従って、キーワード検討対象（判断材料）を抽出判断
設問ウ
図５‐１‐３‐４‐３‐Ａ
キーワード検討対象＝図５‐１‐３‐４‐３‐Ａ（３）その他のネットワークとの関係以降の解答。
４．頭書きの出題タイトルに沿って解答するため
頭書きの出題タイトルを、情報システムを取り巻く環境変化を踏まえた監査対象領域の選定についてではなく、他企業との連携や一般市民とのコミュニケーションなどを踏まえた監査対象領域の選定についてであると仮定する。
実施例１キーワード検討対象抽出判断実施例の一つ
キーワード＝他企業との連携や一般市民とのコミュニケーション。
キーワードに従って、キーワード検討対象（判断材料）を抽出判断
設問ウ
図５‐１‐３‐４‐４‐Ａ
キーワード検討対象＝図５‐１‐３‐４‐４‐Ａ（Ｘ）一般市民とのコミュニケーション以降の解答。
キーワード検討対象＝図５‐１‐３‐４‐４‐Ａ（＊）他企業との連携以降の解答。
５．出題の説明文に沿って解答するため
実施例１キーワード検討対象抽出判断実施例の一つ
キーワード＝他企業の情報システムとの連携や、更には広く一般市民を含めたコミュニケーション。
キーワードに従って、キーワード検討対象（判断材料）を抽出判断
設問ウ
図５‐１‐３‐４‐５‐Ａ
キーワード検討対象＝図５‐１‐３‐４‐５‐Ａ（Ｘ）一般市民とのコミュニケーション以降の解答。
キーワード検討対象＝図５‐１‐３‐４‐５‐Ａ（＊）他企業との連携以降の解答。
６．設問に沿って解答するため
実施例１キーワード検討対象抽出判断実施例の一つ
設問ア
キーワード＝800字以内で述べよ。
設問イ
キーワード＝他企業の情報システムとの連携や、一般市民とのコミュニケーション。
キーワードに従って、キーワード検討対象（判断材料）を抽出判断
設問ア
設問ア
図５‐１‐３‐４‐６‐Ａ１
設問イ
設問イ
図５‐１‐３‐４‐６‐Ａ２
設問ア
キーワード検討対象＝図５‐１‐３‐４‐６‐Ａ１（２）変化した、又は今後変化すると思われる点以降の解答。
設問イ
キーワード検討対象＝図５‐１‐３‐４‐６‐Ａ２（Ｘ）一般市民とのコミュニケーション以降の解答。
キーワード検討対象＝図５‐１‐３‐４‐６‐Ａ２（＊）他企業との連携以降の解答。
３、５  文章中で使用されている文や語句、名称（含む数字）の行の開始解答位置を調整する技術・技法（Ｌａｂｅｌ．Ｌｅｆｔ）で抽出するキーワード検討対象
１．指定制限字数内に書くため
実施例１キーワード検討対象抽出判断実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワードに従って、キーワード検討対象（判断材料）を抽出判断
設問ウ
図５‐１‐３‐５‐１‐Ａ
キーワード検討対象＝図５‐１‐３‐５‐１‐Ａ（３）その他社会的基盤となったネットワークとの関係。
３．きれいに書くため
実施例１キーワード検討対象抽出判断実施例の一つ
キーワード＝きれいに書きこと。
キーワードに従って、キーワード検討対象（判断材料）を抽出判断
設問ウ
図５‐１‐３‐５‐３‐Ａ
キーワード検討対象＝図５‐１‐３‐５‐３‐Ａ（３）その他社会的基盤となったネットワークとの関係。
４．頭書きの出題タイトルに沿って解答するため
頭書きの出題タイトルを、情報システムを取り巻く環境変化を踏まえた監査対象領域の選定についてではなく、他企業との連携や一般市民とのコミュニケーションなどを踏まえた監査対象領域の選定についてであると仮定する。
実施例１キーワード検討対象抽出判断実施例の一つ
キーワード＝他企業との連携や一般市民とのコミュニケーション。
キーワードに従って、キーワード検討対象（判断材料）を抽出判断
設問イ
図５‐１‐３‐５‐４‐Ａ
キーワード検討対象＝図５‐１‐３‐５‐４‐Ａ一般市民とのコミュニケーション。
キーワード検討対象＝図５‐１‐３‐５‐４‐Ａや、。
キーワード検討対象＝図５‐１‐３‐５‐４‐Ａ他企業との情報システムの連携。
５．出題の説明文に沿って解答するため
実施例１キーワード検討対象抽出判断実施例の一つ
キーワード＝他企業の情報システムとの連携や、更には広く一般市民を含めたコミュニケーション。
キーワードに従って、キーワード検討対象（判断材料）を抽出判断
設問イ
図５‐１‐３‐５‐５‐Ａ
キーワード検討対象＝図５‐１‐３‐５‐５‐Ａ一般市民とのコミュニケーション。
キーワード検討対象＝図５‐１‐３‐５‐５‐Ａや、。
キーワード検討対象＝図５‐１‐３‐５‐５‐Ａ他企業との情報システムの連携。
６．設問に沿って解答するため
実施例１キーワード検討対象抽出判断実施例の一つ
設問ア
キーワード＝800字以内で述べよ。
設問イ
キーワード＝他企業の情報システムとの連携や、一般市民とのコミュニケーション。
キーワードに従って、キーワード検討対象（判断材料）を抽出判断
設問ア
設問ア
図５‐１‐３‐５‐６‐Ａ１
設問イ
設問イ
図５‐１‐３‐５‐６‐Ａ２
設問ア
キーワード検討対象＝図５‐１‐３‐５‐６‐Ａ１（２）変化した又は今後変化すると思われる点について。
設問イ
キーワード検討対象＝図５‐１‐３‐５‐６‐Ａ２一般市民とのコミュニケーション。
キーワード検討対象＝図５‐１‐３‐５‐６‐Ａ２や、。
キーワード検討対象＝図５‐１‐３‐５‐６‐Ａ２他企業との情報システムの連携。
３、６  文章中で使用されている文や語句、名称（含む数字）に使用するサイズや太さや下線付きなどのフォントを調整する技術・技法（Ｌａｂｅｌ．Ｆｏｎｔ）で抽出するキーワード検討対象
１．指定制限字数内に書くため
実施例１キーワード検討対象抽出判断実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワードに従って、キーワード検討対象（判断材料）を抽出判断
設問ウ
図５‐１‐３‐６‐１‐Ａ
キーワード検討対象＝図５‐１‐３‐６‐１‐Ａｉｎｄｏｗｓ。
２．はっきりした字で書くため
実施例１キーワード検討対象抽出判断実施例の一つ
キーワード＝はっきりした字。
キーワード＝監査ポイント。
キーワードに従って、キーワード検討対象（判断材料）を抽出判断
設問ウ
図５‐１‐３‐６‐２‐Ａ
キーワード検討対象＝図５‐１‐３‐６‐２‐Ａ監  ポ  ン  。
３．きれいに書くため
実施例１キーワード検討対象抽出判断実施例の一つ
キーワード＝きれいに書きこと。
キーワードに従って、キーワード検討対象（判断材料）を抽出判断
設問ウ
図５‐１‐３‐６‐３‐Ａ
キーワード検討対象＝図５‐１‐３‐６‐３‐Ａｉｎｄｏｗｓ。
６．設問に沿って解答するため
実施例１キーワード検討対象抽出判断実施例の一つ
設問ア
キーワード＝800字以内で述べよ。
キーワードに従って、キーワード検討対象（判断材料）を抽出判断
設問ア
設問ア
図５‐１‐３‐６‐６‐Ａ
設問ア
キーワード検討対象＝図５‐１‐３‐６‐６‐Ａｉｎｄｏｗｓ。
３、７  解答の文や語句、名称（含む数字）に使用するキーワードを抽出して、文章中で使用されている文や語句、名称（含む数字）にキーワードを使用したものを選択する技術・技法（Ｌａｂｅｌの新アイデア１（検索））で抽出するキーワード検討対象
ａ．問題文の趣旨に沿って解答するため
実施例１キーワード検討対象抽出判断実施例の一つ
最近の問題（例、平成１２年度）の場合
キーワード＝問題文の趣旨に沿って解答すること。
キーワード＝監査対象領域。
キーワードに従って、キーワード検討対象（判断材料）を抽出判断
設問イ
図５‐１‐３‐７‐ａ‐Ａ
設問イ
図５‐１‐３‐７‐ａ‐Ｂ
キーワード検討対象＝図５‐１‐３‐７‐ａ‐Ａそこで、なりすましなどによって侵入する不正アクセスをゲートウェイレベルで駆逐するファイアウォール導入、不正アクセス防止のためのワンタイムパスワード製品の使用など、セキュリティ対策を監査手続とする。。
キーワード検討対象＝図５‐１‐３‐７‐ａ‐Ｂそこで、なりすましなどによって侵入する不正アクセスをゲートウェイレベルで駆逐するファイアウォール導入、不正アクセス防止のためのワンタイムパスワード製品の使用など、セキュリティ対策を監査対象領域とする。。
２．はっきりした字で書くため
実施例１キーワード検討対象抽出判断実施例の一つ
キーワード＝はっきりした字。
キーワード＝監査。
キーワードに従って、キーワード検討対象（判断材料）を抽出判断
設問ウ
図５‐１‐３‐７‐２‐Ａ
設問ウ
図５‐１‐３‐７‐２‐Ｂ
キーワード検討対象＝図５‐１‐３‐７‐２‐Ａまた、そのログを入手するに当たって、調査するのに必要な情報を取得できる鑑査プログラムを選択・評価することを鑑査ポイントとする。。
キーワード検討対象＝図５‐１‐３‐７‐２‐Ｂまた、そのログを入手するに当たって、調査するのに必要な情報を取得できる監査プログラムを選択・評価することを監査ポイントとする。。
４．頭書きの出題タイトルに沿って解答するため
実施例１キーワード検討対象抽出判断実施例の一つ
キーワード＝監査対象領域。
キーワードに従って、キーワード検討対象（判断材料）を抽出判断
設問イ
図５‐１‐３‐７‐４‐Ａ
設問イ
図５‐１‐３‐７‐４‐Ｂ
キーワード検討対象＝図５‐１‐３‐７‐４‐Ａそこで、なりすましなどによって侵入する不正アクセスをゲートウェイレベルで駆逐するファイアウォール導入、不正アクセス防止のためのワンタイムパスワード製品の使用など、セキュリティ対策を監査手続とする。。
キーワード検討対象＝図５‐１‐３‐７‐４‐Ｂそこで、なりすましなどによって侵入する不正アクセスをゲートウェイレベルで駆逐するファイアウォール導入、不正アクセス防止のためのワンタイムパスワード製品の使用など、セキュリティ対策を監査対象領域とする。。
５．出題の説明文に沿って解答するため
実施例１キーワード検討対象抽出判断実施例の一つ
キーワード＝リスク。
キーワードに従って、キーワード検討対象（判断材料）を抽出判断
設問イ
図５‐１‐３‐７‐５‐Ａ
設問イ
図５‐１‐３‐７‐５‐Ｂ
キーワード検討対象＝図５‐１‐３‐７‐５‐Ａその結果、盗聴・改ざん・なりすましといった不正アクセスのウィルスが想定される。。
キーワード検討対象＝図５‐１‐３‐７‐５‐Ｂその結果、盗聴・改ざん・なりすましといった不正アクセスのリスクが想定される。。
６．設問に沿って解答するため
実施例１キーワード検討対象抽出判断実施例の一つ
設問イ
キーワード＝リスク。
キーワードに従って、キーワード検討対象（判断材料）を抽出判断
設問イ
設問イ
図５‐１‐３‐７‐６‐Ａ
設問イ
図５‐１‐３‐７‐６‐Ｂ
設問イ
キーワード検討対象＝図５‐１‐３‐７‐６‐Ａその結果、盗聴・改ざん・なりすましといった不正アクセスのウィルスが想定される。。
キーワード検討対象＝図５‐１‐３‐７‐６‐Ｂその結果、盗聴・改ざん・なりすましといった不正アクセスのリスクが想定される。。
３、８  解答の文や語句、名称（含む数字）に使用するキーワードを抽出して、文章中で使用されている文や語句、名称（含む数字）にキーワードを使用したものを書き換え、調整する技術・技法（Ｌａｂｅｌの新アイデア２（置換））で抽出するキーワード検討対象
ａ．問題文の趣旨に沿って解答するため
実施例１キーワード検討対象抽出判断実施例の一つ
最近の問題（例、平成１２年度）の場合
キーワード＝問題文の趣旨に沿って解答すること。
キーワード＝監査対象領域。
キーワードに従って、キーワード検討対象（判断材料）を抽出判断
設問イ
図５‐１‐３‐８‐ａ‐Ａ
キーワード検討対象＝図５‐１‐３‐８‐ａ‐Ａそこで、なりすましなどによって侵入する不正アクセスをゲートウェイレベルで駆逐するファイアウォール導入、ウィルスをチェックするウィルス対策ソフトの導入、不正アクセス防止のためのワンタイムパスワード製品の使用など、セキュリティ対策を監査手続とする。。
２．はっきりした字で書くため
実施例１キーワード検討対象抽出判断実施例の一つ
キーワード＝はっきりした字。
キーワード＝監査。
キーワードに従って、キーワード検討対象（判断材料）を抽出判断
設問ウ
図５‐１‐３‐８‐２‐Ａ
キーワード検討対象＝図５‐１‐３‐８‐２‐Ａまた、そのログを入手するに当たって、調査するのに必要な情報を取得できる鑑査プログラムを選択・評価することを鑑査ポイントとする。。
４．頭書きの出題タイトルに沿って解答するため
実施例１キーワード検討対象抽出判断実施例の一つ
キーワード＝監査対象領域。
キーワードに従って、キーワード検討対象（判断材料）を抽出判断
設問イ
図５‐１‐３‐８‐４‐Ａ
キーワード検討対象＝図５‐１‐３‐８‐４‐Ａそこで、なりすましなどによって侵入する不正アクセスをゲートウェイレベルで駆逐するファイアウォール導入、ウィルスをチェックするウィルス対策ソフトの導入、不正アクセス防止のためのワンタイムパスワード製品の使用など、セキュリティ対策を監査手続とする。。
５．出題の説明文に沿って解答するため
実施例１キーワード検討対象抽出判断実施例の一つ
キーワード＝リスク。
キーワードに従って、キーワード検討対象（判断材料）を抽出判断
設問イ
図５‐１‐３‐８‐５‐Ａ
キーワード検討対象＝図５‐１‐３‐８‐５‐Ａその結果、盗聴・改ざん・なりすましといった不正アクセスのウィルスが想定される。。
６．設問に沿って解答するため
実施例１キーワード検討対象抽出判断実施例の一つ
設問イ
キーワード＝リスク。
キーワードに従って、キーワード検討対象（判断材料）を抽出判断
設問イ
設問イ
図５‐１‐３‐８‐６‐Ａ
設問イ
キーワード検討対象＝図５‐１‐３‐８‐６‐Ａその結果、盗聴・改ざん・なりすましといった不正アクセスのウィルスが想定される。。
３、９  文章中で使用されている文や語句、名称（含む数字）の指定した位置部分を切り取り書き換えする技術・技法（Ｌａｂｅｌの新アイデア３（指定位置部分切り取り））で抽出するキーワード検討対象
１．指定制限字数内に書くため
実施例１キーワード検討対象抽出判断実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワードに従って、キーワード検討対象（判断材料）を抽出判断
設問ウ
図５‐１‐３‐９‐１‐Ａ
キーワード検討対象＝図５‐１‐３‐９‐１‐Ａ（調査は他に異常な回数の利用など）。
３、１０  文章中で使用されている文や語句、名称（含む数字）の指定した位置に文や語句、名称（含む数字）の部分を貼り付け書き換えする技術・技法（Ｌａｂｅｌの新アイデア４（指定位置部分貼り付け））で抽出するキーワード検討対象
６．設問に沿って解答するため
実施例１キーワード検討対象抽出判断実施例の一つ
設問ウ
キーワード＝監査ポイント。
キーワードに従って、キーワード検討対象（判断材料）を抽出判断
設問ウ
設問ウ
図５‐１‐３‐１０‐６‐Ａ
設問ウ
キーワード検討対象＝図５‐１‐３‐１０‐６‐Ａまた、そのログを入手するに当たって、調査するのに必要な情報を取得できる監査プログラムを選択・評価することをする。。
３、１１  文章中で使用されている文や語句、名称（含む数字）を順序を整列して書き換えする技術・技法（Ｌａｂｅｌの新アイデア５（整列））で抽出するキーワード検討対象
６．設問に沿って解答するため
実施例１キーワード検討対象抽出判断実施例の一つ
設問イ
キーワード＝他企業の情報システムとの連携や、一般市民とのコミュニケーション。
キーワードに従って、キーワード検討対象（判断材料）を抽出判断
設問イ
設問イ
図５‐１‐３‐１１‐６‐Ａ
設問イ
キーワード検討対象＝図５‐１‐３‐１１‐６‐Ａ一般市民とのコミュニケーション・。
キーワード検討対象＝図５‐１‐３‐１１‐６‐Ａ他企業との情報システムの連携・。
３、１２  文章中で使用されている文や語句、名称（含む数字）の指定した位置に他の設問や解答の部分をコピーして書き換えする技術・技法（Ｌａｂｅｌの新アイデア８（指定位置部分コピー））で抽出するキーワード検討対象
６．設問に沿って解答するため
実施例１キーワード検討対象抽出判断実施例の一つ
設問ウ
キーワード＝監査ポイント。
キーワードに従って、キーワード検討対象（判断材料）を抽出判断
設問ウ
設問ウ
図５‐１‐３‐１２‐６‐Ａ
設問ウ
キーワード検討対象＝図５‐１‐３‐１２‐６‐Ａまた、そのログを入手するに当たって、調査するのに必要な情報を取得できる監査プログラムを選択・評価することをする。。
３、１３  まとまった文章で構成される一つの設問全体の解答やまとまった文章で構成される一つの項目の解答で使用している解答の語句や内容を継承して文章中で使用されている文や語句、名称（含む数字）を書き換えする技術・技法（Ｌａｂｅｌの新アイデア９（継承））で抽出するキーワード検討対象
実施例１キーワード検討対象抽出判断実施例の一つ
設問ウ
キーワード＝監査ポイント。
キーワードに従って、キーワード検討対象（判断材料）を抽出判断
設問ウ
設問ウ
図５‐１‐３‐１３‐６‐Ａ
設問ウ
キーワード検討対象＝図５‐１‐３‐１３‐６‐Ａまた、そのログを入手するに当たって、調査するのに必要な情報を取得できる監査プログラムを選択・評価することをする。。
３、１４  キーワードと文章中で使用する文や語句、名称（含む数字）を一体化してキーワードに基づいて解答するように書き換えする技術・技法（Ｌａｂｅｌの新アイデア１１（カプセル化））で抽出するキーワード検討対象
実施例１キーワード検討対象抽出判断実施例の一つ
設問ウ
キーワード＝監査ポイント。
キーワードに従って、キーワード検討対象（判断材料）を抽出判断
設問ウ
設問ウ
図５‐１‐３‐１４‐６‐Ａ
設問ウ
キーワード検討対象＝図５‐１‐３‐１４‐６‐Ａ（３）その他のネットワークとの関係。
キーワード検討対象＝図５‐１‐３‐１４‐６‐Ａ情報システムの安全性を確保するのに、なりすましなどネットワークを介した不正アクセス防止に必要なファイアウォールやウィルス対策ソフト、ワンタイムパスワードなどの利用によるコントロールを点検・評価することを監査の留意点とする。。
キーワード検討対象＝図５‐１‐３‐１４‐６‐Ａまた、そのコントロールの評価の根拠となる無資格者による情報システムの利用や特定のファイルへの偏った利用、異常な時刻での利用などを調査するためのアクセスログを入手することを監査の留意点とする。。
キーワード検討対象＝図５‐１‐３‐１４‐６‐Ａまた、そのログを入手するに当たって、調査するのに必要な情報を取得できる監査プログラムを選択・評価することを監査の留意点とする。。
上記の技術・技法（アイデア）の組み合わせ例
１、６  解答や設問名称に使用するキーワードを抽出して、まとまった文章で構成される一つの設問全体の解答や一つの設問全体の解答につける設問名称にキーワードを使用したものを選択する技術・技法（Ｆｏｒｍの新アイデア１（検索））で抽出するキーワード検討対象
ａ．問題文の趣旨に沿って解答するため
２、２  まとまった文章で構成される一つの項目の解答に付ける項目名称を書き換える技術・技法（ＧｒｏｕｐＢｏｘ．Ｔｅｘｔ）で抽出するキーワード検討対象
４．頭書きの出題タイトルに沿って解答するため
３、５  文章中で使用されている文や語句、名称（含む数字）の行の開始解答位置を調整する技術・技法（Ｌａｂｅｌ．Ｌｅｆｔ）で抽出するキーワード検討対象
５．出題の説明文に沿って解答するため
実施例１キーワード抽出判断実施例の一つ
１、６
ａ．問題文の趣旨に沿って解答するため
最近の問題（例、平成１２年度）の場合
キーワード＝問題文の趣旨に沿って解答すること。
キーワード＝監査対象領域。
２、２
４．頭書きの出題タイトルに沿って解答するため
キーワード＝環境変化を踏まえた。
３、５
５．出題の説明文に沿って解答するため
キーワード＝他企業の情報システムとの連携や、更には広く一般市民を含めたコミュニケーション。
キーワードに従って、キーワード検討対象（判断材料）を抽出判断
図５‐１‐Ｚ‐Ｚ‐Ｚ‐Ａ
図５‐１‐Ｚ‐Ｚ‐Ｚ‐Ｂ
１、６
ａ．問題文の趣旨に沿って解答するため
キーワード検討対象＝図５‐１‐Ｚ‐Ｚ‐Ｚ‐Ａ設問イ全体の解答。
キーワード検討対象＝図５‐１‐Ｚ‐Ｚ‐Ｚ‐Ｂ設問イ全体の解答。
２、２
４．頭書きの出題タイトルに沿って解答するため
キーワード検討対象＝図５‐１‐Ｚ‐Ｚ‐Ｚ‐Ａ（３）の解答。
キーワード検討対象＝図５‐１‐Ｚ‐Ｚ‐Ｚ‐Ｂ（３）の解答。
３、５
５．出題の説明文に沿って解答するため
キーワード検討対象＝図５‐１‐Ｚ‐Ｚ‐Ｚ‐Ａ一般市民とのコミュニケーション。
キーワード検討対象＝図５‐１‐Ｚ‐Ｚ‐Ｚ‐Ａや、。
キーワード検討対象＝図５‐１‐Ｚ‐Ｚ‐Ｚ‐Ａ他企業の情報システムとの連携。
キーワード検討対象＝図５‐１‐Ｚ‐Ｚ‐Ｚ‐Ｂ一般市民とのコミュニケーション。
キーワード検討対象＝図５‐１‐Ｚ‐Ｚ‐Ｚ‐Ｂや、。
キーワード検討対象＝図５‐１‐Ｚ‐Ｚ‐Ｚ‐Ｂ他企業の情報システムとの連携。
次に、受信配信型試験システムの書取抽出実行手段から抽出されたキーワード検討対象を受信配信型試験システムの制御手段が受け取りする。
そして、受信配信型試験システムの制御手段が受信配信型試験システムの読取抽出実行手段から抽出されたキーワードと受信配信型試験システムの書取抽出実行手段から抽出されたキーワード検討対象を受信配信型試験システムの書取追加手段、書取修正手段、書取削除手段に出力する。
続いて、上記のキーワードとキーワード検討対象に従って受信配信型試験システムの書取追加手段が答案、書取答案の答案書取を追加（有効追加を含む）する（すべての機器の保存装置、すべての機器の記憶装置、記憶媒体の保存答案や記憶情報、受信配信型試験システムの人工知能機能を利用して答案、書取答案の答案書取を追加（有効追加を含む）する場合も含む）。
また、上記のキーワードとキーワード検討対象に従って受信配信型試験システムの書取修正手段が答案、書取答案の答案書取を修正する（すべての機器の保存装置、すべての機器の記憶装置、記憶媒体の保存答案や記憶情報、受信配信型試験システムの人工知能機能を利用して答案、書取答案の答案書取を修正する場合も含む）。
また、上記のキーワードとキーワード検討対象に従って受信配信型試験システムの書取削除手段が答案、書取答案の答案書取を削除（無効削除を含む）する（すべての機器の保存装置、すべての機器の記憶装置、記憶媒体の保存答案や記憶情報、受信配信型試験システムの人工知能機能を利用して答案、書取答案の答案書取を削除（無効削除を含む）する場合も含む）。
続いて、答案、書取答案の答案書取を受信配信型試験システムの選択手段が選択する。
また、答案、書取答案の答案書取を受信配信型試験システムの書換手段が書き換えする。
また、答案、書取答案の答案書取を受信配信型試験システムの調整手段が調整する。
その際、答案、書取答案ごとに、下記のシステム画面作成方法、操作方法を利用した技術・技法（アイデア）の組み合わせを利用する。
答案書き取り追加、修正、削除及び選択、書き換え、調整実施例
１、まとまった文章で構成される一つの設問全体の解答や一つの設問全体の解答につける設問名称を選択、書き換え、調整などをする技術・技法（Ｆｏｒｍ）＊１で答案、書取答案の答案書取
１、１  まとまった文章で構成される一つの設問全体の解答を取捨選択する技術・技法（Ｆｏｒｍ．Ｖｉｓｉｂｌｅ（表示アイデア））で答案、書取答案の答案書取
１．指定制限字数内に書くため
実施例１答案書き取り追加、修正、削除及び選択、書き換え、調整実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワード検討対象＝図５‐１‐１‐１‐１‐Ａ‐Ａ。
キーワード検討対象＝図５‐１‐１‐１‐１‐Ａ‐Ｉ。
キーワード検討対象＝図５‐１‐１‐１‐１‐Ａ‐Ｕ。
キーワード検討対象＝図５‐１‐１‐１‐１‐Ｂ‐Ａ。
キーワード検討対象＝図５‐１‐１‐１‐１‐Ｂ‐Ｉ。
キーワード検討対象＝図５‐１‐１‐１‐１‐Ｂ‐Ｕ。
指定制限字数内に書くために、キーワードとキーワード検討対象に従って、受信配信型試験システムの（答案書取追加手段、）答案書取削除手段が、答案、書取答案の答案書取を（追加、）削除すると、（設問ア）全体の解答、（設問イ）全体の解答、（設問ウ）全体の解答については（図５‐１‐１‐１‐１‐Ａ‐Ａ、図５‐１‐１‐１‐１‐Ａ‐Ｉ、図５‐１‐１‐１‐１‐Ａ‐Ｕと図５‐１‐１‐１‐１‐Ｂ‐Ａ、図５‐１‐１‐１‐１‐Ｂ‐Ｉ、図５‐１‐１‐１‐１‐Ｂ‐Ｕを書取表示選択対象に有効追加後、）図５‐１‐１‐１‐１‐Ａ‐Ｕを書取表示選択対象から無効削除する。
続いて、答案、書取答案の答案書取を受信配信型試験システムの選択手段が選択すると、（設問ア）全体の解答、（設問イ）全体の解答、（設問ウ）全体の解答については図５‐１‐１‐１‐１‐Ｂ‐Ａ、図５‐１‐１‐１‐１‐Ｂ‐Ｉ、図５‐１‐１‐１‐１‐Ｂ‐Ｕ（（設問ア）全体の解答、（設問イ）全体の解答については図５‐１‐１‐１‐１‐Ｂ‐Ａ、図５‐１‐１‐１‐１‐Ｂ‐Ｉではなく図５‐１‐１‐１‐１‐Ａ‐Ａ、図５‐１‐１‐１‐１‐Ａ‐Ｉとしても可）を書取表示選択する。
書き取り実施後
図６‐１‐１‐１‐１
２．はっきりした字で書くため
実施例１答案書き取り追加、修正、削除及び選択、書き換え、調整実施例の一つ
キーワード＝はっきりした字。
キーワード＝監査。
キーワード検討対象＝図５‐１‐１‐１‐２‐Ａ。
キーワード検討対象＝図５‐１‐１‐１‐２‐Ｂ。
はっきりした字で書くために、キーワードとキーワード検討対象に従って、受信配信型試験システムの（答案書取追加手段、）答案書取削除手段が、答案、書取答案の答案書取を（追加、）削除すると、（設問ウ）全体の解答については（図５‐１‐１‐１‐２‐Ａと図５‐１‐１‐１‐２‐Ｂを書取表示選択対象に有効追加後、）図５‐１‐１‐１‐２‐Ａを書取表示選択対象から無効削除する。
続いて、答案、書取答案の答案書取を受信配信型試験システムの選択手段が選択すると、（設問ウ）全体の解答については図５‐１‐１‐１‐２‐Ｂを書取表示選択する。
書き取り実施後
図６‐１‐１‐１‐２
３．きれいに書くため
実施例１答案書き取り追加、修正、削除及び選択、書き換え、調整実施例の一つ
キーワード＝きれいに書くこと。
キーワード検討対象＝図５‐１‐１‐１‐３‐Ａ。
キーワード検討対象＝図５‐１‐１‐１‐３‐Ｂ。
きれいに書くために、キーワードとキーワード検討対象に従って、受信配信型試験システムの（答案書取追加手段、）答案書取削除手段が、答案、書取答案の答案書取を（追加、）削除すると、（設問ウ）全体の解答については（図５‐１‐１‐１‐３‐Ａと図５‐１‐１‐１‐３‐Ｂを書取表示選択対象に有効追加後、）図５‐１‐１‐１‐３‐Ａを書取表示選択対象から無効削除する。
続いて、答案、書取答案の答案書取を受信配信型試験システムの選択手段が選択すると、（設問ウ）全体の解答については図５‐１‐１‐１‐３‐Ｂを書取表示選択する。
書き取り実施後
図６‐１‐１‐１‐３
４．頭書きの出題タイトルに沿って解答するため
実施例１答案書き取り追加、修正、削除及び選択、書き換え、調整実施例の一つ
キーワード＝環境変化を踏まえた。
キーワード検討対象＝図５‐１‐１‐１‐４‐Ａ。
キーワード検討対象＝図５‐１‐１‐１‐４‐Ｂ。
頭書きの出題タイトルに沿って解答するために、キーワードとキーワード検討対象に従って、受信配信型試験システムの（答案書取追加手段、）答案書取削除手段が、答案、書取答案の答案書取を（追加、）削除すると、（設問イ）全体の解答については（図５‐１‐１‐１‐４‐Ａと図５‐１‐１‐１‐４‐Ａを書取表示選択対象に有効追加後、）図５‐１‐１‐１‐４‐Ａを書取表示選択対象から無効削除する。
続いて、答案、書取答案の答案書取を受信配信型試験システムの選択手段が選択すると、（設問イ）全体の解答については図５‐１‐１‐１‐４‐Ｂを書取表示選択する。
書き取り実施後
図６‐１‐１‐１‐４
５．出題の説明文に沿って解答するため
実施例１答案書き取り追加、修正、削除及び選択、書き換え、調整実施例の一つ
キーワード＝他企業の情報システムとの連携や、更には広く一般市民を含めたコミュニケーションを目的として、社会的基盤となったネットワークも利用することが求められる。
キーワード検討対象＝図５‐１‐１‐１‐５‐Ａ。
キーワード検討対象＝図５‐１‐１‐１‐５‐Ｂ。
出題の説明文に沿って解答するために、キーワードとキーワード検討対象に従って、受信配信型試験システムの（答案書取追加手段、）答案書取削除手段が、答案、書取答案の答案書取を（追加、）削除すると、（設問イ）全体の解答については（図５‐１‐１‐１‐５‐Ａと図５‐１‐１‐１‐５‐Ｂを書取表示選択対象に有効追加後、）図５‐１‐１‐１‐５‐Ａを書取表示選択対象から無効削除する。
続いて、答案、書取答案の答案書取を受信配信型試験システムの選択手段が選択すると、（設問イ）全体の解答については図５‐１‐１‐１‐５‐Ｂを書取表示選択する。
書き取り実施後
図６‐１‐１‐１‐５
６．設問に沿って解答するため
設問ア
キーワード＝800字以内で述べよ。
キーワード検討対象＝図５‐１‐１‐１‐６‐Ａ１。
キーワード検討対象＝図５‐１‐１‐１‐６‐Ｂ１。
設問イ
キーワード＝他企業の情報システムとの連携や、一般市民とのコミュニケーションをも視野に入れたネットワークとの関係を踏まえて述べよ。
キーワード検討対象＝図５‐１‐１‐１‐６‐Ａ２。
キーワード検討対象＝図５‐１‐１‐１‐６‐Ｂ２。
設問ア
設問に沿って解答するために、キーワードとキーワード検討対象に従って、受信配信型試験システムの（答案書取追加手段、）答案書取削除手段が、答案、書取答案の答案書取を（追加、）削除すると、（設問ア）全体の解答については（図５‐１‐１‐１‐６‐Ａ１と図５‐１‐１‐１‐６‐Ｂ１を書取表示選択対象に有効追加後、）図５‐１‐１‐１‐６‐Ａ１を書取表示選択対象から無効削除する。
続いて、答案、書取答案の答案書取を受信配信型試験システムの選択手段が選択すると、（設問ア）全体の解答については図５‐１‐１‐１‐６‐Ｂ１を書取表示選択する。
設問イ
設問に沿って解答するために、キーワードとキーワード検討対象に従って、受信配信型試験システムの（答案書取追加手段、）答案書取削除手段が、答案、書取答案の答案書取を（追加、）削除すると、（設問イ）全体の解答については（図５‐１‐１‐１‐６‐Ａ２と図５‐１‐１‐１‐６‐Ｂ２を書取表示選択対象に有効追加後、）図５‐１‐１‐１‐６‐Ａ２を書取表示選択対象から無効削除する。
続いて、答案、書取答案の答案書取を受信配信型試験システムの選択手段が選択すると、（設問イ）全体の解答については図５‐１‐１‐１‐６‐Ｂ２を書取表示選択する。
設問ア
書き取り実施後
図６‐１‐１‐１‐６‐１
設問イ
書き取り実施後
図６‐１‐１‐１‐６‐２
まとまった文章で構成される一つの設問全体の解答に付ける設問名称を書き換える技術・技法（Ｆｏｒｍ．Ｔｅｘｔ）で答案、書取答案の答案書取
１．指定制限字数内に書くため
実施例１答案書き取り追加、修正、削除及び選択、書き換え、調整実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワード検討対象＝図５‐１‐１‐２‐１‐Ａ‐Ａ。
キーワード検討対象＝図５‐１‐１‐２‐１‐Ａ‐Ｉ。
キーワード検討対象＝図５‐１‐１‐２‐１‐Ａ‐Ｕ。
指定制限字数内に書くために、キーワードとキーワード検討対象に従って、受信配信型試験システムの答案書取修正手段が、答案、書取答案の答案書取を修正すると、（設問ウ）全体の解答については図５‐１‐１‐２‐１‐Ａ‐Ｕ設問名称の（設問ウ）社会的な広がりをもつようになった情報システムを監査する場合の監査ポイントの部分を（設問ウ）監査ポイントに書き取り修正（含むアジャスト修正）する。
続いて、答案、書取答案の答案書取を受信配信型試験システムの書換手段が書き換えすると、（設問ウ）全体の解答については図６‐１‐１‐２‐１に書き換えする。
書き取り実施後
図６‐１‐１‐２‐１
２．はっきりした字で書くため
実施例１答案書き取り追加、修正、削除及び選択、書き換え、調整実施例の一つ
キーワード＝はっきりした字。
キーワード＝監査。
キーワード検討対象＝図５‐１‐１‐２‐２‐Ａ。
はっきりした字で書くために、キーワードとキーワード検討対象に従って、受信配信型試験システムの答案書取修正手段が、答案、書取答案の答案書取を修正すると、（設問ウ）全体の解答については図５‐１‐１‐２‐２‐Ａ設問名称の（設問ウ）鑑査ポイントの部分を（設問ウ）監査ポイントに書き取り修正（含むアジャスト修正）する。
続いて、答案、書取答案の答案書取を受信配信型試験システムの書換手段が書き換えすると、（設問ウ）全体の解答については図６‐１‐１‐２‐２に書き換えする。
書き取り実施後
図６‐１‐１‐２‐２
３．きれいに書くため
実施例１答案書き取り追加、修正、削除及び選択、書き換え、調整実施例の一つ
キーワード＝きれいに書くこと。
キーワード検討対象＝図５‐１‐１‐２‐３‐Ａ。
きれいに書くために、キーワードとキーワード検討対象に従って、受信配信型試験システムの答案書取修正手段が、答案、書取答案の答案書取を修正すると、（設問ウ）全体の解答については図５‐１‐１‐２‐３‐Ａ設問名称の（設問ウ）社会的な広がりをもつようになった情報システムを監査する場合の監査ポイントの部分を（設問ウ）監査ポイントに書き取り修正（含むアジャスト修正）する。
続いて、答案、書取答案の答案書取を受信配信型試験システムの書換手段が書き換えすると、（設問ウ）全体の解答については図６‐１‐１‐２‐３に書き換えする。
書き取り実施後
図６‐１‐１‐２‐３
４．頭書きの出題タイトルに沿って解答するため
実施例１答案書き取り追加、修正、削除及び選択、書き換え、調整実施例の一つ
キーワード＝監査対象領域の選定。
キーワード検討対象＝図５‐１‐１‐２‐４‐Ａ。
頭書きの出題タイトルに沿って解答するために、キーワードとキーワード検討対象に従って、受信配信型試験システムの答案書取修正手段が、答案、書取答案の答案書取を修正すると、（設問イ）全体の解答については図５‐１‐１‐２‐４‐Ａ設問名称の（設問イ）リスクとネットワークとの関係の部分を（設問イ）リスクと監査対象領域に書き取り修正（含むアジャスト修正）する。
続いて、答案、書取答案の答案書取を受信配信型試験システムの書換手段が書き換えすると、（設問イ）全体の解答については図６‐１‐１‐２‐４に書き換えする。
書き取り実施後
図６‐１‐１‐２‐４
５．出題の説明文に沿って解答するため
実施例１答案書き取り追加、修正、削除及び選択、書き換え、調整実施例の一つ
キーワード＝監査対象領域を適切に選定すること。
キーワード検討対象＝図５‐１‐１‐２‐５‐Ａ。
出題の説明文に沿って解答するために、キーワードとキーワード検討対象に従って、受信配信型試験システムの答案書取修正手段が、答案、書取答案の答案書取を修正すると、（設問イ）全体の解答については図５‐１‐１‐２‐５‐Ａ設問名称の（設問イ）リスクとネットワークとの関係の部分を（設問イ）リスクと監査対象領域に書き取り修正（含むアジャスト修正）する。
続いて、答案、書取答案の答案書取を受信配信型試験システムの書換手段が書き換えすると、（設問イ）全体の解答については図６‐１‐１‐２‐５に書き換えする。
書き取り実施後
図６‐１‐１‐２‐５
６．設問に沿って解答するため
実施例１答案書き取り追加、修正、削除及び選択、書き換え、調整実施例の一つ
設問ア
キーワード＝800字以内で述べよ。
キーワード検討対象＝図５‐１‐１‐２‐６‐Ａ１。
設問イ
キーワード＝監査対象領域。
キーワード検討対象＝図５‐１‐１‐２‐６‐Ａ２。
設問ア
設問に沿って解答するために、キーワードとキーワード検討対象に従って、受信配信型試験システムの答案書取修正手段が、答案、書取答案の答案書取を修正すると、（設問ア）全体の解答については図５‐１‐１‐２‐６‐Ａ１設問名称の（設問ア）情報システムの概要と変化した、又は今後変化すると思われる点の部分を（設問ア）情報システムの概要と変化点に書き取り修正（含むアジャスト修正）する。
続いて、答案、書取答案の答案書取を受信配信型試験システムの書換手段が書き換えすると、（設問ア）全体の解答については図６‐１‐１‐２‐６‐１に書き換えする。
設問イ
設問に沿って解答するために、キーワードとキーワード検討対象に従って、受信配信型試験システムの答案書取修正手段が、答案、書取答案の答案書取を修正すると、（設問イ）全体の解答については図５‐１‐１‐２‐６‐Ａ２設問名称の（設問イ）リスクとネットワークとの関係の部分を（設問イ）リスクと監査対象領域に書き取り修正（含むアジャスト修正）する。
続いて、答案、書取答案の答案書取を受信配信型試験システムの書換手段が書き換えすると、（設問イ）全体の解答については図６‐１‐１‐２‐６‐２に書き換えする。
設問ア
書き取り実施後
図６‐１‐１‐２‐６‐１
設問イ
書き取り実施後
図６‐１‐１‐２‐６‐２
１、３  まとまった文章で構成される一つの設問全体の解答に使用する行数を調整する技術・技法（Ｆｏｒｍ．ＳｃａｌｅＨｅｉｇｈｔ）で書き取り抽出する答案、書取答案の答案書取
１．指定制限字数内に書くため
実施例１答案書き取り追加、修正、削除及び選択、書き換え、調整実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワード検討対象＝図５‐１‐１‐３‐１‐Ａ‐Ａ。
キーワード検討対象＝図５‐１‐１‐３‐１‐Ａ‐Ｉ。
キーワード検討対象＝図５‐１‐１‐３‐１‐Ａ‐Ｕ。
指定制限字数内に書くために、キーワードとキーワード検討対象に従って、受信配信型試験システムの答案書取修正手段が、答案、書取答案の答案書取を修正すると、（設問イ）全体の解答、（設問ウ）全体の解答については図５‐１‐１‐３‐１‐Ａ‐Ｉ（４）通信環境以降、図５‐１‐１‐３‐１‐Ａ‐Ｕ（４）通信環境以降の部分をそれぞれ行数短縮するように修正（含むアジャスト修正）する。
続いて、答案、書取答案の答案書取を受信配信型試験システムの調整手段が調整すると、（設問イ）全体の解答、（設問ウ）全体の解答については図６‐１‐１‐３‐１に調整する。
書き取り実施後
図６‐１‐１‐３‐１
３．きれいに書くため
実施例１答案書き取り追加、修正、削除及び選択、書き換え、調整実施例の一つ
キーワード＝きれいに書きこと。
キーワード検討対象＝図５‐１‐１‐３‐３‐Ａ‐Ｉ。
キーワード検討対象＝図５‐１‐１‐３‐３‐Ａ‐Ｕ。
きれいに書くために、キーワードとキーワード検討対象に従って、受信配信型試験システムの答案書取修正手段が、答案、書取答案の答案書取を修正すると、（設問イ）全体の解答、（設問ウ）全体の解答については図５‐１‐１‐３‐３‐Ａ‐Ｉ（４）通信環境以降、図５‐１‐１‐３‐３‐Ａ‐Ｕ（４）通信環境以降の部分をそれぞれ行数短縮するように修正（含むアジャスト修正）する。
続いて、答案、書取答案の答案書取を受信配信型試験システムの調整手段が調整すると、（設問イ）全体の解答、（設問ウ）全体の解答については図６‐１‐１‐３‐３に調整する。
書き取り実施後
図６‐１‐１‐３‐３
６．設問に沿って解答するため
実施例１答案書き取り追加、修正、削除及び選択、書き換え、調整実施例の一つ
設問ア
キーワード＝800字以内で述べよ。
キーワード検討対象＝図５‐１‐１‐３‐６‐Ａ。
設問ア
設問に沿って解答するために、キーワードとキーワード検討対象に従って、受信配信型試験システムの答案書取修正手段が、答案、書取答案の答案書取を修正すると、（設問ア）全体の解答については図５‐１‐１‐３‐６‐Ａ800字以降の部分を行数短縮するように修正（含むアジャスト修正）する。
続いて、答案、書取答案の答案書取を受信配信型試験システムの調整手段が調整すると、（設問ア）全体の解答については図６‐１‐１‐３‐６に調整する。
設問ア
書き取り実施後
図６‐１‐１‐３‐６
１、４  まとまった文章で構成される一つの設問全体の解答の開始行を調整する技術・技法（Ｆｏｒｍ．ＳｃａｌｅＴｏｐ）で答案、書取答案の答案書取
１．指定制限字数内に書くため
実施例１答案書き取り追加、修正、削除及び選択、書き換え、調整実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワード検討対象＝図５‐１‐１‐４‐１‐Ａ‐Ｉ。
キーワード検討対象＝図５‐１‐１‐４‐１‐Ａ‐Ｕ。
指定制限字数内に書くために、キーワードとキーワード検討対象に従って、受信配信型試験システムの答案書取修正手段が、答案、書取答案の答案書取を修正すると、（設問ウ）全体の解答については図５‐１‐１‐４‐１‐Ａ‐Ｕ（設問ウ）全体の解答の開始行を４行繰り上げするように修正（含むアジャスト修正）する。
続いて、答案、書取答案の答案書取を受信配信型試験システムの調整手段が調整すると、（設問ウ）全体の解答については図６‐１‐１‐４‐１に調整する。
書き取り実施後
図６‐１‐１‐４‐１
３．きれいに書くため
実施例１答案書き取り追加、修正、削除及び選択、書き換え、調整実施例の一つ
キーワード＝きれいに書きこと。
キーワード検討対象＝図５‐１‐１‐４‐３‐Ａ‐Ｉ。
キーワード検討対象＝図５‐１‐１‐４‐３‐Ａ‐Ｕ。
きれいに書くために、キーワードとキーワード検討対象に従って、受信配信型試験システムの答案書取修正手段が、答案、書取答案の答案書取を修正すると、（設問ウ）全体の解答については図５‐１‐１‐４‐３‐Ａ‐Ｕ（設問ウ）全体の解答の開始行を４行繰り下げするように修正（含むアジャスト修正）する。
続いて、答案、書取答案の答案書取を受信配信型試験システムの調整手段が調整すると、（設問ウ）全体の解答については図６‐１‐１‐４‐３に調整する。
書き取り実施後
図６‐１‐１‐４‐３
１、５  まとまった文章で構成される一つの設問全体の解答や一つの設問全体の解答に付ける設問名称に使用するサイズや太さや下線付きなどのフォントを調整する技術・技法（Ｆｏｒｍ．Ｆｏｎｔ）で答案、書取答案の答案書取。
１．指定制限字数内に書くため
実施例１答案書き取り追加、修正、削除及び選択、書き換え、調整実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワード検討対象＝図５‐１‐１‐５‐１‐Ａ‐Ａ。
キーワード検討対象＝図５‐１‐１‐５‐１‐Ａ‐Ｉ。
キーワード検討対象＝図５‐１‐１‐５‐１‐Ａ‐Ｕ。
指定制限字数内に書くために、キーワードとキーワード検討対象に従って、受信配信型試験システムの答案書取修正手段が、答案、書取答案の答案書取を修正すると、（設問ウ）全体の解答については図５‐１‐１‐５‐１‐Ａ‐Ａｉｎｄｏｗｓの部分をindowsに修正（含むアジャスト修正）する。
続いて、答案、書取答案の答案書取を受信配信型試験システムの調整手段が調整すると、（設問ウ）全体の解答については図６‐１‐１‐５‐１に調整する。
書き取り実施後
図６‐１‐１‐５‐１
２．はっきりした字で書くため
実施例１答案書き取り追加、修正、削除及び選択、書き換え、調整実施例の一つ
キーワード＝はっきりした字。
キーワード＝社会的な広がりをもつようになった情報システムを監査する場合の監査ポイント。
キーワード検討対象＝図５‐１‐１‐５‐２‐Ａ。
はっきりした字で書くために、キーワードとキーワード検討対象に従って、受信配信型試験システムの答案書取修正手段が、答案、書取答案の答案書取を修正すると、（設問ウ）全体の解答については図５‐１‐１‐５‐２‐Ａ社会的な広がりをもつようになった情報システムを監査する場合に監査ポイントを述べると、以下のとおりである。の部分を社会的な広がりをもつようになった情報システムを監査する場合に監査ポイントを述べると、以下のとおりである。に修正（含むアジャスト修正）する。
続いて、答案、書取答案の答案書取を受信配信型試験システムの調整手段が調整すると、（設問ウ）全体の解答については図６‐１‐１‐５‐２に調整する。
書き取り実施後
図６‐１‐１‐５‐２
３．きれいに書くため
実施例１答案書き取り追加、修正、削除及び選択、書き換え、調整実施例の一つ
キーワード＝きれいに書きこと。
キーワード検討対象＝図５‐１‐１‐５‐３‐Ａ。
きれいに書くために、キーワードとキーワード検討対象に従って、受信配信型試験システムの答案書取修正手段が、答案、書取答案の答案書取を修正すると、（設問ウ）全体の解答については図５‐１‐１‐５‐３‐Ａｉｎｄｏｗｓの部分をindowsに修正（含むアジャスト修正）する。
続いて、答案、書取答案の答案書取を受信配信型試験システムの調整手段が調整すると、（設問ウ）全体の解答については図６‐１‐１‐５‐３に調整する。
書き取り実施後
図６‐１‐１‐５‐３
６．設問に沿って解答するため
実施例１答案書き取り追加、修正、削除及び選択、書き換え、調整実施例の一つ
設問ア
キーワード＝800字以内で述べよ。
キーワード検討対象＝図５‐１‐１‐５‐６‐Ａ。
設問ア
設問に沿って解答するために、キーワードとキーワード検討対象に従って、受信配信型試験システムの答案書取修正手段が、答案、書取答案の答案書取を修正すると、（設問ア）全体の解答については図５‐１‐１‐５‐６‐ＡＸＸの部分をXXに修正（含むアジャスト修正）する。
続いて、答案、書取答案の答案書取を受信配信型試験システムの調整手段が調整すると、（設問ア）全体の解答については図６‐１‐１‐５‐６に調整する。
設問ア
書き取り実施後
図６‐１‐１‐５‐６
１、６  解答や設問名称に使用するキーワードを抽出して、まとまった文章で構成される一つの設問全体の解答や一つの設問全体の解答につける設問名称にキーワードを使用したものを選択する技術・技法（Ｆｏｒｍの新アイデア１（検索））で答案、書取答案の答案書取
ａ．問題文の趣旨に沿って解答するため
実施例１答案書き取り追加、修正、削除及び選択、書き換え、調整実施例の一つ
最近の問題（例、平成１２年度）の場合
キーワード＝問題文の趣旨に沿って解答すること。
キーワード＝監査対象領域。
キーワード検討対象＝図５‐１‐１‐６‐ａ‐Ａ。
キーワード検討対象＝図５‐１‐１‐６‐ａ‐Ｂ。
問題文の趣旨に沿って解答するために、キーワードとキーワード検討対象に従って、受信配信型試験システムの（答案書取追加手段、）答案書取削除手段が、答案、書取答案の答案書取を（追加、）削除すると、（設問イ）全体の解答については（図５‐１‐１‐６‐ａ‐Ａとキーワード監査対象領域を使用（検索）した図５‐１‐１‐６‐ａ‐Ｂを選択対象に有効追加後、）図５‐１‐１‐６‐ａ‐Ａを選択対象から無効削除する。
続いて、答案、書取答案の答案書取を受信配信型試験システムの選択手段が選択すると、（設問イ）全体の解答については図５‐１‐１‐６‐ａ‐Ｂを選択する。
書き取り実施後
図６‐１‐１‐６‐ａ
２．はっきりした字で書くため
実施例１答案書き取り追加、修正、削除及び選択、書き換え、調整実施例の一つ
キーワード＝はっきりした字。
キーワード＝監査。
キーワード検討対象＝図５‐１‐１‐６‐２‐Ａ。
キーワード検討対象＝図５‐１‐１‐６‐２‐Ｂ。
はっきりした字で書くために、キーワードとキーワード検討対象に従って、受信配信型試験システムの（答案書取追加手段、）答案書取削除手段が、答案、書取答案の答案書取を（追加、）削除すると、（設問ウ）全体の解答については（図５‐１‐１‐６‐２‐Ａとキーワード監査を使用（検索）した図５‐１‐１‐６‐２‐Ｂを選択対象に有効追加後、）図５‐１‐１‐６‐２‐Ａを選択対象から無効削除する。
続いて、答案、書取答案の答案書取を受信配信型試験システムの選択手段が選択すると、（設問ウ）全体の解答については図５‐１‐１‐６‐２‐Ｂを選択する。
書き取り実施後
図６‐１‐１‐６‐２
４．頭書きの出題タイトルに沿って解答するため
実施例１答案書き取り追加、修正、削除及び選択、書き換え、調整実施例の一つ
キーワード＝監査対象領域。
キーワード検討対象＝図５‐１‐１‐６‐４‐Ａ。
キーワード検討対象＝図５‐１‐１‐６‐４‐Ｂ。
頭書きの出題タイトルに沿って解答するために、キーワードとキーワード検討対象に従って、受信配信型試験システムの（答案書取追加手段、）答案書取削除手段が、答案、書取答案の答案書取を（追加、）削除すると、（設問イ）全体の解答については（図５‐１‐１‐６‐４‐Ａとキーワード監査対象領域を使用（検索）した図５‐１‐１‐６‐４‐Ｂを選択対象に有効追加後、）図５‐１‐１‐６‐４‐Ａを選択対象から無効削除する。
続いて、答案、書取答案の答案書取を受信配信型試験システムの選択手段が選択すると、（設問イ）全体の解答については図５‐１‐１‐６‐４‐Ｂを選択する。
書き取り実施後
図６‐１‐１‐６‐４
５．出題の説明文に沿って解答するため
実施例１答案書き取り追加、修正、削除及び選択、書き換え、調整実施例の一つ
キーワード＝リスク。
キーワード検討対象＝図５‐１‐１‐６‐５‐Ａ。
キーワード検討対象＝図５‐１‐１‐６‐５‐Ｂ。
出題の説明文に沿って解答するために、キーワードとキーワード検討対象に従って、受信配信型試験システムの（答案書取追加手段、）答案書取削除手段が、答案、書取答案の答案書取を（追加、）削除すると、（設問イ）全体の解答については（図５‐１‐１‐６‐５‐Ａとキーワードリスクを使用（検索）した図５‐１‐１‐６‐５‐Ｂを選択対象に有効追加後、）図５‐１‐１‐６‐５‐Ａを選択対象から無効削除する。
続いて、答案、書取答案の答案書取を受信配信型試験システムの選択手段が選択すると、（設問イ）全体の解答については図５‐１‐１‐６‐５‐Ｂを選択する。
書き取り実施後
図６‐１‐１‐６‐５
６．設問に沿って解答するため
実施例１答案書き取り追加、修正、削除及び選択、書き換え、調整実施例の一つ
設問イ
キーワード＝リスク。
キーワード検討対象＝図５‐１‐１‐６‐６‐Ａ。
キーワード検討対象＝図５‐１‐１‐６‐６‐Ｂ。
設問イ
設問に沿って解答するために、キーワードとキーワード検討対象に従って、受信配信型試験システムの（答案書取追加手段、）答案書取削除手段が、答案、書取答案の答案書取を（追加、）削除すると、（設問イ）全体の解答については（図５‐１‐１‐６‐６‐Ａとキーワードリスクを使用（検索）した図５‐１‐１‐６‐６‐Ｂを選択対象に有効追加後、）図５‐１‐１‐６‐６‐Ａを選択対象から無効削除する。
続いて、答案、書取答案の答案書取を受信配信型試験システムの選択手段が選択すると、（設問イ）全体の解答については図５‐１‐１‐６‐６‐Ｂを選択する。
設問イ
書き取り実施後
図６‐１‐１‐６‐６
１、７  解答や設問名称に使用するキーワードを抽出して、まとまった文章で構成される一つの設問全体の解答や一つの設問全体の解答につける設問名称にキーワードを使用したものに書き換え、調整する技術・技法（Ｆｏｒｍの新アイデア２（置換））で答案、書取答案の答案書取
ａ．問題文の趣旨に沿って解答するため
実施例１答案書き取り追加、修正、削除及び選択、書き換え、調整実施例の一つ
最近の問題（例、平成１２年度）の場合
キーワード＝問題文の趣旨に沿って解答すること。
キーワード＝監査対象領域。
キーワード検討対象＝図５‐１‐１‐７‐ａ‐Ａ。
問題文の趣旨に沿って解答するために、キーワードとキーワード検討対象に従って、受信配信型試験システムの答案書取修正手段が、答案、書取答案の答案書取を修正すると、（設問イ）全体の解答については図５‐１‐１‐７‐ａ‐Ａ監査手続の部分をキーワード監査対象領域に書き取り修正（置換）（含むアジャスト修正）する。
続いて、答案、書取答案の答案書取を受信配信型試験システムの書換手段が書き換えすると、（設問イ）全体の解答については図６‐１‐１‐７‐ａに書き換えする。
書き取り実施後
図６‐１‐１‐７‐ａ
２．はっきりした字で書くため
実施例１答案書き取り追加、修正、削除及び選択、書き換え、調整実施例の一つ
キーワード＝はっきりした字。
キーワード＝監査。
キーワード検討対象＝図５‐１‐１‐７‐２‐Ａ。
はっきりした字で書くために、キーワードとキーワード検討対象に従って、受信配信型試験システムの答案書取修正手段が、答案、書取答案の答案書取を修正すると、（設問ウ）全体の解答については図５‐１‐１‐７‐２‐Ａ鑑査の部分をキーワード監査に書き取り修正（置換）（含むアジャスト修正）する。
続いて、答案、書取答案の答案書取を受信配信型試験システムの書換手段が書き換えすると、（設問イ）全体の解答については図６‐１‐１‐７‐２に書き換えする。
書き取り実施後
図６‐１‐１‐７‐２
４．頭書きの出題タイトルに沿って解答するため
実施例１答案書き取り追加、修正、削除及び選択、書き換え、調整実施例の一つ
キーワード＝監査対象領域。
キーワード検討対象＝図５‐１‐１‐７‐４‐Ａ。
頭書きの出題タイトルに沿って解答するために、キーワードとキーワード検討対象に従って、受信配信型試験システムの答案書取修正手段が、答案、書取答案の答案書取を修正すると、（設問イ）全体の解答については図５‐１‐１‐７‐４‐Ａ監査手続の部分をキーワード監査対象領域に書き取り修正（置換）（含むアジャスト修正）する。
続いて、答案、書取答案の答案書取を受信配信型試験システムの書換手段が書き換えすると、（設問イ）全体の解答については図６‐１‐１‐７‐４に書き換えする。
書き取り実施後
図６‐１‐１‐７‐４
５．出題の説明文に沿って解答するため
実施例１答案書き取り追加、修正、削除及び選択、書き換え、調整実施例の一つ
キーワード＝リスク。
キーワード検討対象＝図５‐１‐１‐７‐５‐Ａ。
出題の説明文に沿って解答するために、キーワードとキーワード検討対象に従って、受信配信型試験システムの答案書取修正手段が、答案、書取答案の答案書取を修正すると、（設問イ）全体の解答については図５‐１‐１‐７‐５‐Ａウィルスの部分をキーワードリスクに書き取り修正（置換）（含むアジャスト修正）する。
続いて、答案、書取答案の答案書取を受信配信型試験システムの書換手段が書き換えすると、（設問イ）全体の解答については図６‐１‐１‐７‐５に書き換えする。
書き取り実施後
図６‐１‐１‐７‐５
６．設問に沿って解答するため
実施例１答案書き取り追加、修正、削除及び選択、書き換え、調整実施例の一つ
設問イ
キーワード＝リスク。
キーワード検討対象＝図５‐１‐１‐７‐６‐Ａ。
設問イ
設問に沿って解答するために、キーワードとキーワード検討対象に従って、受信配信型試験システムの答案書取修正手段が、答案、書取答案の答案書取を修正すると、（設問イ）全体の解答については図５‐１‐１‐７‐６‐Ａウィルスの部分をキーワードリスクに書き取り修正（置換）（含むアジャスト修正）する。
続いて、答案、書取答案の答案書取を受信配信型試験システムの書換手段が書き換えすると、（設問イ）全体の解答については図６‐１‐１‐７‐６に書き換えする。
設問イ
書き取り実施後
図６‐１‐１‐７‐６
１、８  まとまった文章で構成される一つの設問全体の解答の指定した位置部分を切り取り書き換えする技術・技法（Ｆｏｒｍの新アイデア３（指定位置部分切り取り））で答案、書取答案の答案書取
１．指定制限字数内に書くため
実施例１答案書き取り追加、修正、削除及び選択、書き換え、調整実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワード検討対象＝図５‐１‐１‐８‐１‐Ａ‐Ａ。
キーワード検討対象＝図５‐１‐１‐８‐１‐Ａ‐Ｉ。
キーワード検討対象＝図５‐１‐１‐８‐１‐Ａ‐Ｕ。
指定制限字数内に書くために、キーワードとキーワード検討対象に従って、受信配信型試験システムの答案書取削除手段が、答案、書取答案の答案書取を削除すると、（設問イ）全体の解答、（設問ウ）全体の解答については図５‐１‐１‐８‐１‐Ａ‐Ｉ（設問イ）（＊）一般市民とのコミュニケーションの解答と（＊）その他のネットワークとの関係の解答の間の（＊）通信環境の解答、図５‐１‐１‐８‐１‐Ａ‐Ｕ（設問ウ）（＊）一般市民とのコミュニケーション全体の解答と（＊）その他のネットワークとの関係の解答の間の（＊）通信環境の解答の部分をそれぞれ切り取りするように削除する。
続いて、答案、書取答案の答案書取を受信配信型試験システムの書換手段が書き換えすると、（設問イ）全体の解答、（設問ウ）全体の解答については図６‐１‐１‐８‐１に書き換えする。
書き取り実施後
図６‐１‐１‐８‐１
１、９  まとまった文章で構成される一つの設問全体の解答の指定した位置に設問の解答の部分を貼り付け書き換えする技術・技法（Ｆｏｒｍの新アイデア４（指定位置部分貼り付け））で答案、書取答案の答案書取
３．きれいに書くため
実施例１答案書き取り追加、修正、削除及び選択、書き換え、調整実施例の一つ
キーワード＝きれいに書きこと。
キーワード検討対象＝図５‐１‐１‐９‐３‐Ａ‐Ｉ。
キーワード検討対象＝図５‐１‐１‐９‐３‐Ａ‐Ｕ。
きれいに書くために、キーワードとキーワード検討対象に従って、受信配信型試験システムの答案書取追加手段が、答案、書取答案の答案書取を追加すると、（設問イ）全体の解答、（設問ウ）全体の解答については図５‐１‐１‐９‐３‐Ａ‐Ｉ（設問イ）（２）一般市民とのコミュニケーションの解答の後に（設問イ）（３）その他のネットワークとの関係の解答の部分、図５‐１‐１‐９‐３‐Ａ‐Ｕ（設問ウ）（２）一般市民とのコミュニケーションの解答の後に（設問ウ）(３）その他のネットワークとの関係の解答の部分をそれぞれ貼り付けするように追加する。
続いて、答案、書取答案の答案書取を受信配信型試験システムの書換手段が書き換えすると、（設問イ）全体の解答、（設問ウ）全体の解答については図６‐１‐１‐９‐３に書き換えする。
書き取り実施後
図６‐１‐１‐９‐３
１、１０  まとまった文章で構成される一つの設問全体の解答を順序を整列して書き換えする技術・技法（Ｆｏｒｍの新アイデア５（整列））で抽出するキーワード検討対象
６．設問に沿って解答するため
実施例１答案書き取り追加、修正、削除及び選択、書き換え、調整実施例の一つ
設問ウ
キーワード＝設問ア及び設問イの解答を踏まえ。
キーワード検討対象＝図５‐１‐１‐１０‐６‐Ａ‐Ａ。
キーワード検討対象＝図５‐１‐１‐１０‐６‐Ａ‐Ｕ。
キーワード検討対象＝図５‐１‐１‐１０‐６‐Ａ‐Ｉ。
設問ウ
設問に沿って解答するために、キーワードとキーワード検討対象に従って、受信配信型試験システムの答案書取修正手段が、答案、書取答案の答案書取を修正すると、（設問イ）全体の解答、（設問ウ）全体の解答については図５‐１‐１‐１０‐６‐Ａ‐Ｕ（設問ウ）全体の解答を図５‐１‐１‐１０‐６‐Ａ‐Ｉ（設問イ）全体の解答の後にするように修正する。
続いて、答案、書取答案の答案書取を受信配信型試験システムの書換手段が書き換えすると、（設問イ）全体の解答、（設問ウ）全体の解答については図６‐１‐１‐１０‐６に書き換えする。
設問ウ
書き取り実施後
図６‐１‐１‐１０‐６
１、１１  まとまった文章で構成される一つの設問全体の解答の指定した位置に他の答案や解答の部分をコピーして書き換えする技術・技法（Ｆｏｒｍの新アイデア８（指定位置部分コピー））で答案、書取答案の答案書取
３．きれいに書くため
実施例１答案書き取り追加、修正、削除及び選択、書き換え、調整実施例の一つ
キーワード＝きれいに書きこと。
キーワード検討対象＝図５‐１‐１‐１１‐３‐Ａ。
きれいに書くために、キーワードとキーワード検討対象に従って、受信配信型試験システムの答案書取追加手段が、答案、書取答案の答案書取を追加すると、（設問ウ）全体の解答については図５‐１‐１‐１１‐３‐Ａ設問名称の（設問ウ）と（１）他企業の情報システムとの連携の解答の間に保存答案図５‐１‐１‐１１‐３‐Ｂ  情報システムを監査する場合の監・・・述べると、以下のとおりである。の部分をコピーするように追加する。
続いて、答案、書取答案の答案書取を受信配信型試験システムの書換手段が書き換えすると、（設問ウ）全体の解答については図６‐１‐１‐１１‐３に書き換えする。
書き取り実施後
図６‐１‐１‐１１‐３
１、１２  まとまった文章で構成される一つの設問全体の解答で使用している解答の語句や内容を継承してまとまった文章で構成される一つの設問全体の解答や一つの設問全体の解答につける設問名称を書き換えする技術・技法（Ｆｏｒｍの新アイデア９（継承））で答案、書取答案の答案書取
６．設問に沿って解答するため
実施例１答案書き取り追加、修正、削除及び選択、書き換え、調整実施例の一つ
設問ウ‐１
キーワード＝監査ポイント。
キーワード検討対象＝図５‐１‐１‐１２‐６‐Ａ１。
設問ウ‐２
キーワード検討対象＝図５‐１‐１‐１２‐６‐Ａ２。
設問ウ‐３
キーワード検討対象＝図５‐１‐１‐１２‐６‐Ａ３。
設問ウ‐１
設問に沿って解答するために、キーワードとキーワード検討対象に従って、受信配信型試験システムの答案書取修正手段が、答案、書取答案の答案書取を修正すると、（設問ウ‐１）全体の解答については図５‐１‐１‐１２‐６‐Ａ１設問名称の（設問ウ‐１）他企業の情報システムとの連携を図５‐１‐１‐１２‐６‐Ｂ（設問ウ）全体の解答で使用している監査ポイントの語句を継承するように修正する。
続いて、答案、書取答案の答案書取を受信配信型試験システムの書換手段が書き換えすると、（設問ウ‐１）全体の解答については図６‐１‐１‐１２‐６‐１に書き換えする。
設問ウ‐２
設問に沿って解答するために、キーワードとキーワード検討対象に従って、受信配信型試験システムの答案書取修正手段が、答案、書取答案の答案書取を修正すると、（設問ウ‐２）全体の解答については図５‐１‐１‐１２‐６‐Ａ２設問名称の（設問ウ‐２）一般市民とのコミュニケーションを図５‐１‐１‐１２‐６‐Ｂ（設問ウ）全体の解答で使用している監査ポイントの語句を継承するように修正する。
続いて、答案、書取答案の答案書取を受信配信型試験システムの書換手段が書き換えすると、（設問ウ‐２）全体の解答については図６‐１‐１‐１２‐６‐２に書き換えする。
設問ウ‐３
設問に沿って解答するために、キーワードとキーワード検討対象に従って、受信配信型試験システムの答案書取修正手段が、答案、書取答案の答案書取を修正すると、（設問ウ‐３）全体の解答については図５‐１‐１‐１２‐６‐Ａ３設問名称の（設問ウ‐３）その他のネットワークとの関係を図５‐１‐１‐１２‐６‐Ｂ（設問ウ）全体の解答で使用している監査ポイントの語句を継承するように修正する。
続いて、答案、書取答案の答案書取を受信配信型試験システムの書換手段が書き換えすると、（設問ウ‐３）全体の解答については図６‐１‐１‐１２‐６‐３に書き換えする。
設問ウ‐１
書き取り実施後
図６‐１‐１‐１２‐６‐１
設問ウ‐２
書き取り実施後
図６‐１‐１‐１２‐６‐２
設問ウ‐３
書き取り実施後
図６‐１‐１‐１２‐６‐３
１、１３  まとまった文章で構成される一つの設問全体の解答がまとまった文章で構成される複数の項目の解答の形態を集約選択して書き換えする技術・技法（Ｆｏｒｍの新アイデア１０（多態））で抽出する答案、書取答案の答案書取
６．設問に沿って解答するため
実施例１答案書き取り追加、修正、削除及び選択、書き換え、調整実施例の一つ
設問ウ
キーワード＝監査ポイント。
キーワード検討対象＝図５‐１‐１‐１３‐６‐Ａ。
設問ウ
設問に沿って解答するために、キーワードとキーワード検討対象に従って、受信配信型試験システムの答案書取修正手段が、答案、書取答案の答案書取を修正すると、（設問ウ）全体の解答については図５‐１‐１‐１３‐６‐Ａ（設問ウ）全体の解答の形態を（１）の解答と（２）の解答に集約選択するように修正する。
続いて、答案、書取答案の答案書取を受信配信型試験システムの書換手段が書き換えすると、（設問ウ）全体の解答については図６‐１‐１‐１３‐６に書き換えする。
設問ウ
書き取り実施後
図６‐１‐１‐１３‐６
２、まとまった文章で構成される一つの項目の解答や一つの項目の解答につける項目名称を選択、書き換え、調整などをする技術・技法（ＧｒｏｕｐＢｏｘ）＊２で答案、書取答案の答案書取
２、１  まとまった文章で構成される一つの項目の解答を取捨選択する技術・技法（ＧｒｏｕｐＢｏｘ．Ｖｉｓｉｂｌｅ（表示アイデア））で答案、書取答案の答案書取
１．指定制限字数内に書くため
実施例１答案書き取り追加、修正、削除及び選択、書き換え、調整実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワード検討対象＝図５‐１‐２‐１‐１‐Ａ‐１。
キーワード検討対象＝図５‐１‐２‐１‐１‐Ａ‐２。
キーワード検討対象＝図５‐１‐２‐１‐１‐Ａ‐３。
キーワード検討対象＝図５‐１‐２‐１‐１‐Ｂ‐１。
キーワード検討対象＝図５‐１‐２‐１‐１‐Ｂ‐２。
キーワード検討対象＝図５‐１‐２‐１‐１‐Ｂ‐３。
指定制限字数内に書くために、キーワードとキーワード検討対象に従って、受信配信型試験システムの（答案書取追加手段、）答案書取削除手段が、答案、書取答案の答案書取を（追加、）削除すると、設問ウ（１）の解答、（２）の解答、（３）の解答については（設問ウ図５‐１‐２‐１‐１‐Ａ‐１（１）の解答、図５‐１‐２‐１‐１‐Ａ‐２（２）の解答、図５‐１‐２‐１‐１‐Ａ‐３（３）の解答と設問ウ図５‐１‐２‐１‐１‐Ｂ‐１（１）の解答、図５‐１‐２‐１‐１‐Ｂ‐２（２）の解答、図５‐１‐２‐１‐１‐Ｂ‐３（３）の解答を書取表示選択対象に有効追加後、）設問ウ図５‐１‐２‐１‐１‐Ａ‐３（３）の解答を書取表示選択対象から無効削除する。
続いて、答案、書取答案の答案書取を受信配信型試験システムの選択手段が選択すると、設問ウ（１）の解答、（２）の解答、（３）の解答については設問ウ図５‐１‐２‐１‐１‐Ｂ‐１（１）の解答、図５‐１‐２‐１‐１‐Ｂ‐２（２）の解答、図５‐１‐２‐１‐１‐Ｂ‐３（３）の解答（設問ウ（１）の解答、（２）の解答については設問ウ図５‐１‐２‐１‐１‐Ｂ‐１（１）の解答、図５‐１‐２‐１‐１‐Ｂ‐２（２）の解答ではなく設問ウ図５‐１‐２‐１‐１‐Ａ‐１（１）の解答、図５‐１‐２‐１‐１‐Ａ‐２（２）の解答としても可）を書取表示選択する。
書き取り実施後
設問ウ
図６‐１‐２‐１‐１
２．はっきりした字で書くため
実施例１答案書き取り追加、修正、削除及び選択、書き換え、調整実施例の一つ
キーワード＝はっきりした字。
キーワード＝監査。
キーワード検討対象＝図５‐１‐２‐１‐２‐Ａ。
キーワード検討対象＝図５‐１‐２‐１‐２‐Ｂ。
はっきりした字で書くために、キーワードとキーワード検討対象に従って、受信配信型試験システムの（答案書取追加手段、）答案書取削除手段が、答案、書取答案の答案書取を（追加、）削除すると、設問ウ（３）の解答については（設問ウ図５‐１‐２‐１‐２‐Ａ（３）の解答と設問ウ図５‐１‐２‐１‐２‐Ｂ（３）の解答を書取表示選択対象に有効追加後、）設問ウ図５‐１‐２‐１‐２‐Ａ（３）の解答を書取表示選択対象から無効削除する。
続いて、答案、書取答案の答案書取を受信配信型試験システムの選択手段が選択すると、設問ウ（３）の解答については設問ウ図５‐１‐２‐１‐２‐Ｂ（３）の解答を書取表示選択する。
書き取り実施後
設問ウ
図６‐１‐２‐１‐２
３．きれいに書くため
実施例１答案書き取り追加、修正、削除及び選択、書き換え、調整実施例の一つ
キーワード＝きれいに書きこと。
キーワード検討対象＝図５‐１‐２‐１‐３‐Ａ。
キーワード検討対象＝図５‐１‐２‐１‐３‐Ｂ。
きれいに書くために、キーワードとキーワード検討対象に従って、受信配信型試験システムの（答案書取追加手段、）答案書取削除手段が、答案、書取答案の答案書取を（追加、）削除すると、設問ウ（３）の解答については（設問ウ図５‐１‐２‐１‐３‐Ａ（３）の解答と設問ウ図５‐１‐２‐１‐３‐Ｂ（３）の解答を書取表示選択対象に有効追加後、）設問ウ図５‐１‐２‐１‐３‐Ａ（３）の解答を書取表示選択対象から無効削除する。
続いて、答案、書取答案の答案書取を受信配信型試験システムの選択手段が選択すると、設問ウ（３）の解答については設問ウ図５‐１‐２‐１‐３‐Ｂ（３）の解答を書取表示選択する。
書き取り実施後
設問ウ
図６‐１‐２‐１‐３
４．頭書きの出題タイトルに沿って解答するため
実施例１答案書き取り追加、修正、削除及び選択、書き換え、調整実施例の一つ
キーワード＝環境変化を踏まえた。
キーワード検討対象＝図５‐１‐２‐１‐４‐Ａ。
キーワード検討対象＝図５‐１‐２‐１‐４‐Ｂ。
頭書きの出題タイトルに沿って解答するために、キーワードとキーワード検討対象に従って、受信配信型試験システムの（答案書取追加手段、）答案書取削除手段が、答案、書取答案の答案書取を（追加、）削除すると、設問イ（３）の解答については（設問イ図５‐１‐２‐１‐４‐Ａ（３）の解答と設問イ図５‐１‐２‐１‐４‐Ｂ（３）の解答を書取表示選択対象に有効追加後、）設問イ図５‐１‐２‐１‐４‐Ａ（３）の解答を書取表示選択対象から無効削除する。
続いて、答案、書取答案の答案書取を受信配信型試験システムの選択手段が選択すると、設問イ（３）の解答については設問イ図５‐１‐２‐１‐４‐Ｂ（３）の解答を書取表示選択する。
書き取り実施後
設問イ
図６‐１‐２‐１‐４
５．出題の説明文に沿って解答するため
実施例１答案書き取り追加、修正、削除及び選択、書き換え、調整実施例の一つ
キーワード＝他企業の情報システムとの連携や、更には広く一般市民を含めたコミュニケーションを目的として、社会的基盤となったネットワークも利用することが求められる。
キーワード検討対象＝図５‐１‐２‐１‐５‐Ａ。
キーワード検討対象＝図５‐１‐２‐１‐５‐Ｂ。
出題の説明文に沿って解答するために、キーワードとキーワード検討対象に従って、受信配信型試験システムの（答案書取追加手段、）答案書取削除手段が、答案、書取答案の答案書取を（追加、）削除すると、設問イ（３）の解答については（設問イ図５‐１‐２‐１‐５‐Ａ（３）の解答と設問イ図５‐１‐２‐１‐５‐Ｂ（３）の解答を書取表示選択対象に有効追加後、）設問イ図５‐１‐２‐１‐５‐Ａ（３）の解答を書取表示選択対象から無効削除する。
続いて、答案、書取答案の答案書取を受信配信型試験システムの選択手段が選択すると、設問イ（３）の解答については設問イ図５‐１‐２‐１‐５‐Ｂ（３）の解答を書取表示選択する。
書き取り実施後
設問イ
図６‐１‐２‐１‐５
６．設問に沿って解答するため
実施例１答案書き取り追加、修正、削除及び選択、書き換え、調整実施例の一つ
設問ア
キーワード＝800字以内で述べよ。
キーワード検討対象＝図５‐１‐２‐１‐６‐Ａ１。
キーワード検討対象＝図５‐１‐２‐１‐６‐Ｂ１。
設問イ
キーワード＝他企業の情報システムとの連携や、一般市民とのコミュニケーションをも視野に入れたネットワークとの関係を踏まえて述べよ。
キーワード検討対象＝図５‐１‐２‐１‐６‐Ａ２。
キーワード検討対象＝図５‐１‐２‐１‐６‐Ｂ２。
設問ア
設問に沿って解答するために、キーワードとキーワード検討対象に従って、受信配信型試験システムの（答案書取追加手段、）答案書取削除手段が、答案、書取答案の答案書取を（追加、）削除すると、設問ア（２）の解答については（設問ア図５‐１‐２‐１‐６‐Ａ１（２）の解答と設問ア図５‐１‐２‐１‐６‐Ｂ１（２）の解答を書取表示選択対象に有効追加後、）設問ア図５‐１‐２‐１‐６‐Ａ１（２）の解答を書取表示選択対象から無効削除する。
続いて、答案、書取答案の答案書取を受信配信型試験システムの選択手段が選択すると、設問ア（２）の解答については設問ア図５‐１‐２‐１‐６‐Ｂ１（２）の解答を書取表示選択する。
設問イ
設問に沿って解答するために、キーワードとキーワード検討対象に従って、受信配信型試験システムの（答案書取追加手段、）答案書取削除手段が、答案、書取答案の答案書取を（追加、）削除すると、設問イ（３）の解答については（設問イ図５‐１‐２‐１‐６‐Ａ２（３）の解答と設問イ図５‐１‐２‐１‐６‐Ｂ２（３）の解答を書取表示選択対象に有効追加後、）設問イ図５‐１‐２‐１‐６‐Ａ２（３）の解答を書取表示選択対象から無効削除する。
続いて、答案、書取答案の答案書取を受信配信型試験システムの選択手段が選択すると、設問イ（３）の解答については設問イ図５‐１‐２‐１‐６‐Ｂ２（３）の解答を書取表示選択する。
設問ア
書き取り実施後
図６‐１‐２‐１‐６‐１
設問イ
書き取り実施後
図６‐１‐２‐１‐６‐２
２、２  まとまった文章で構成される一つの項目の解答に付ける項目名称を書き換える技術・技法（ＧｒｏｕｐＢｏｘ．Ｔｅｘｔ）で答案、書取答案の答案書取
１．指定制限字数内に書くため
実施例１答案書き取り追加、修正、削除及び選択、書き換え、調整実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワード検討対象＝図５‐１‐２‐２‐１‐Ａ。
指定制限字数内に書くために、キーワードとキーワード検討対象に従って、受信配信型試験システムの答案書取修正手段が、答案、書取答案の答案書取を修正すると、設問ウ（３）の解答については設問ウ図５‐１‐２‐２‐１‐Ａ項目名称の（３）社会的基盤となったネットワークも利用することも視野に入れたネットワークとの関係の部分を（３）その他のネットワークとの関係に書き取り修正（含むアジャスト修正）する。
続いて、答案、書取答案の答案書取を受信配信型試験システムの書換手段が書き換えすると、設問ウ（３）の解答については設問ウ図６‐１‐２‐２‐１（３）の解答に書き換えする。
書き取り実施後
設問ウ
図６‐１‐２‐２‐１
２．はっきりした字で書くため
実施例１答案書き取り追加、修正、削除及び選択、書き換え、調整実施例の一つ
キーワード＝はっきりした字。
キーワード＝監査。
キーワード検討対象＝図５‐１‐２‐２‐２‐Ａ。
はっきりした字で書くために、キーワードとキーワード検討対象に従って、受信配信型試験システムの答案書取修正手段が、答案、書取答案の答案書取を修正すると、設問ウ（３）の解答については設問ウ図５‐１‐２‐２‐２‐Ａ項目名称の（３）その他の鑑査ポイントの部分を（３）その他の監査ポイントに書き取り修正（含むアジャスト修正）する。
続いて、答案、書取答案の答案書取を受信配信型試験システムの書換手段が書き換えすると、設問ウ（３）の解答については設問ウ図６‐１‐２‐２‐２（３）の解答に書き換えする。
書き取り実施後
設問ウ
図６‐１‐２‐２‐２
３．きれいに書くため
実施例１答案書き取り追加、修正、削除及び選択、書き換え、調整実施例の一つ
キーワード＝きれいに書きこと。
キーワード検討対象＝図５‐１‐２‐２‐３‐Ａ。
きれいに書くために、キーワードとキーワード検討対象に従って、受信配信型試験システムの答案書取修正手段が、答案、書取答案の答案書取を修正すると、設問ウ（３）の解答については設問ウ図５‐１‐２‐２‐３‐Ａ項目名称の（３）社会的基盤となったネットワークも利用することも視野に入れたネットワークとの関係の部分を（３）その他のネットワークとの関係に書き取り修正（含むアジャスト修正）する。
続いて、答案、書取答案の答案書取を受信配信型試験システムの書換手段が書き換えすると、設問ウ（３）の解答については設問ウ図６‐１‐２‐２‐３（３）の解答に書き換えする。
書き取り実施後
設問ウ
図６‐１‐２‐２‐３
４．頭書きの出題タイトルに沿って解答するため
実施例１答案書き取り追加、修正、削除及び選択、書き換え、調整実施例の一つ
キーワード＝環境変化を踏まえた。
キーワード検討対象＝図５‐１‐２‐２‐４‐Ａ。
頭書きの出題タイトルに沿って解答するために、キーワードとキーワード検討対象に従って、受信配信型試験システムの答案書取修正手段が、答案、書取答案の答案書取を修正すると、設問イ（３）の解答については設問イ図５‐１‐２‐２‐４‐Ａ項目名称の（３）ネットワークとの関係の部分を（３）環境変化を踏まえたネットワークとの関係に書き取り修正（含むアジャスト修正）する。
続いて、答案、書取答案の答案書取を受信配信型試験システムの書換手段が書き換えすると、設問イ（３）の解答については設問イ図６‐１‐２‐２‐４（３）の解答に書き換えする。
書き取り実施後
設問イ
図６‐１‐２‐２‐４
５．出題の説明文に沿って解答するため
実施例１答案書き取り追加、修正、削除及び選択、書き換え、調整実施例の一つ
キーワード＝社会的基盤となったネットワーク。
キーワード検討対象＝図５‐１‐２‐２‐５‐Ａ。
出題の説明文に沿って解答するために、キーワードとキーワード検討対象に従って、受信配信型試験システムの答案書取修正手段が、答案、書取答案の答案書取を修正すると、設問イ（３）の解答については設問イ図５‐１‐２‐２‐５‐Ａ項目名称の（３）その他の部分を（３）社会的基盤となったネットワークに書き取り修正（含むアジャスト修正）する。
続いて、答案、書取答案の答案書取を受信配信型試験システムの書換手段が書き換えすると、設問イ（３）の解答については設問イ図６‐１‐２‐２‐５（３）の解答に書き換えする。
書き取り実施後
設問イ
図６‐１‐２‐２‐５
６．設問に沿って解答するため
実施例１答案書き取り追加、修正、削除及び選択、書き換え、調整実施例の一つ
設問ア
キーワード＝800字以内で述べよ。
キーワード検討対象＝図５‐１‐２‐２‐６‐Ａ１。
設問イ
キーワード＝ネットワークとの関係。
キーワード検討対象＝図５‐１‐２‐２‐６‐Ａ２。
設問ア
設問に沿って解答するために、キーワードとキーワード検討対象に従って、受信配信型試験システムの答案書取修正手段が、答案、書取答案の答案書取を修正すると、設問ア（２）の解答については設問ア図５‐１‐２‐２‐６‐Ａ１項目名称の（２）そのシステムが変化した、又は今後変化すると思われる点の部分を（２）変化した、又は今後変化すると思われる点に書き取り修正（含むアジャスト修正）する。
続いて、答案、書取答案の答案書取を受信配信型試験システムの書換手段が書き換えすると、設問ア（２）の解答については設問ア図６‐１‐２‐２‐６‐１（２）の解答に書き換えする。
設問イ
設問に沿って解答するために、キーワードとキーワード検討対象に従って、受信配信型試験システムの答案書取修正手段が、答案、書取答案の答案書取を修正すると、設問イ（３）の解答については設問イ図５‐１‐２‐２‐６‐Ａ２項目名称の（３）その他の部分を（３）その他のネットワークとの関係に書き取り修正（含むアジャスト修正）する。
続いて、答案、書取答案の答案書取を受信配信型試験システムの書換手段が書き換えすると、設問イ（３）の解答については設問イ図６‐１‐２‐２‐６‐２（３）の解答に書き換えする。
設問ア
書き取り実施後
図６‐１‐２‐２‐６‐１
設問イ
書き取り実施後
図６‐１‐２‐２‐６‐２
２、３  まとまった文章で構成される一つの項目の解答に使用する行数を調整する技術・技法（ＧｒｏｕｐＢｏｘ．Ｈｅｉｇｈｔ）で答案、書取答案の答案書取
１．指定制限字数内に書くため
実施例１答案書き取り追加、修正、削除及び選択、書き換え、調整実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワード検討対象＝図５‐１‐２‐３‐１‐Ａ。
指定制限字数内に書くために、キーワードとキーワード検討対象に従って、受信配信型試験システムの答案書取修正手段が、答案、書取答案の答案書取を修正すると、設問ウ（３）の解答については設問ウ図５‐１‐２‐３‐１‐Ａ4000字以降の部分を行数短縮するように修正（含むアジャスト修正）する。
続いて、答案、書取答案の答案書取を受信配信型試験システムの調整手段が調整すると、設問ウ（３）の解答については設問ウ図６‐１‐２‐３‐１（３）の解答に調整する。
書き取り実施後
設問ウ
図６‐１‐２‐３‐１
３．きれいに書くため
実施例１答案書き取り追加、修正、削除及び選択、書き換え、調整実施例の一つ
キーワード＝きれいに書きこと。
キーワード検討対象＝図５‐１‐２‐３‐３‐Ａ。
きれいに書くために、キーワードとキーワード検討対象に従って、受信配信型試験システムの答案書取修正手段が、答案、書取答案の答案書取を修正すると、設問ウ（３）の解答については設問ウ図５‐１‐２‐３‐３‐Ａ3200字以降の部分を行数短縮するように修正（含むアジャスト修正）する。
続いて、答案、書取答案の答案書取を受信配信型試験システムの調整手段が調整すると、設問ウ（３）の解答については設問ウ図６‐１‐２‐３‐３（３）の解答に調整する。
書き取り実施後
設問ウ
図６‐１‐２‐３‐３
６．設問に沿って解答するため
実施例１答案書き取り追加、修正、削除及び選択、書き換え、調整実施例の一つ
設問ア
キーワード＝800字以内で述べよ。
キーワード検討対象＝図５‐１‐２‐３‐６‐Ａ。
設問ア
設問に沿って解答するために、キーワードとキーワード検討対象に従って、受信配信型試験システムの答案書取修正手段が、答案、書取答案の答案書取を修正すると、設問ア（２）の解答については設問ア図５‐１‐２‐３‐６‐Ａ800字以降の部分を行数短縮するように修正する。
続いて、答案、書取答案の答案書取を受信配信型試験システムの調整手段が調整すると、設問ア（２）の解答については設問ア図６‐１‐２‐３‐６（２）の解答に調整する。
設問ア
書き取り実施後
設問ア
図６‐１‐２‐３‐６
２、４  まとまった文章で構成される一つの項目の解答の一行当たりに使用する解答字数を調整する技術・技法（ＧｒｏｕｐＢｏｘ．Ｗｉｄｔｈ）で答案、書取答案の答案書取
１．指定制限字数内に書くため
実施例１答案書き取り追加、修正、削除及び選択、書き換え、調整実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワード検討対象＝図５‐１‐２‐４‐１‐Ａ‐１。
キーワード検討対象＝図５‐１‐２‐４‐１‐Ａ‐２。
キーワード検討対象＝図５‐１‐２‐４‐１‐Ａ‐３。
指定制限字数内に書くために、キーワードとキーワード検討対象に従って、受信配信型試験システムの答案書取修正手段が、答案、書取答案の答案書取を修正すると、設問ウ（１）の解答、（２）の解答、（３）の解答については設問ウ図５‐１‐２‐４‐１‐１解答の一行当たりに使用する解答字数２４、図５‐１‐２‐４‐１‐２解答の一行当たりに使用する解答字数２４、図５‐１‐２‐４‐１‐３解答の一行当たりに使用する解答字数２４をそれぞれ２５に修正（含むアジャスト修正）する。
続いて、答案、書取答案の答案書取を受信配信型試験システムの調整手段が調整すると、設問ウ（１）の解答、（２）の解答、（３）の解答については設問ウ図６‐１‐２‐４‐１（１）の解答、（２）の解答、（３）の解答に調整する。
書き取り実施後
設問ウ
図６‐１‐２‐４‐１
３．きれいに書くため
実施例１答案書き取り追加、修正、削除及び選択、書き換え、調整実施例の一つ
キーワード＝きれいに書きこと。
キーワード検討対象＝図５‐１‐２‐４‐３‐Ａ‐１。
キーワード検討対象＝図５‐１‐２‐４‐３‐Ａ‐２。
キーワード検討対象＝図５‐１‐２‐４‐３‐Ａ‐３。
きれいに書くために、キーワードとキーワード検討対象に従って、受信配信型試験システムの答案書取修正手段が、答案、書取答案の答案書取を修正すると、設問ウ（１）の解答、（２）の解答、（３）の解答については設問ウ図５‐１‐２‐４‐３‐Ａ‐１解答の一行当たりに使用する解答字数２４、図５‐１‐２‐４‐３‐Ａ‐２解答の一行当たりに使用する解答字数２４、図５‐１‐２‐４‐３‐Ａ‐３解答の一行当たりに使用する解答字数２４をそれぞれ２５に修正（含むアジャスト修正）する。
続いて、答案、書取答案の答案書取を受信配信型試験システムの調整手段が調整すると、設問ウ（１）の解答、（２）の解答、（３）の解答については設問ウ図６‐１‐２‐４‐３（１）の解答、（２）の解答、（３）の解答に調整する。
書き取り実施後
設問ウ
図６‐１‐２‐４‐３
６．設問に沿って解答するため
実施例１答案書き取り追加、修正、削除及び選択、書き換え、調整実施例の一つ
キーワード＝800字以内で述べよ。
キーワード検討対象＝図５‐１‐２‐４‐６‐Ａ。
設問ア
設問に沿って解答するために、キーワードとキーワード検討対象に従って、受信配信型試験システムの答案書取修正手段が、答案、書取答案の答案書取を修正すると、設問ア（２）の解答については設問ア図５‐１‐２‐４‐６‐Ａ解答の一行当たりに使用する解答字数２４を２５に修正（含むアジャスト修正）する。
続いて、答案、書取答案の答案書取を受信配信型試験システムの調整手段が調整すると、設問ア（２）の解答については設問ア図６‐１‐２‐４‐６（２）の解答に調整する。
設問ア
書き取り実施後
設問ア
図６‐１‐２‐４‐６
２、５  まとまった文章で構成される一つの項目の解答の開始行を調整する技術・技法（ＧｒｏｕｐＢｏｘ．Ｔｏｐ）で答案、書取答案の答案書取
１．指定制限字数内に書くため
実施例１答案書き取り追加、修正、削除及び選択、書き換え、調整実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワード検討対象＝図５‐１‐２‐５‐１‐Ａ‐１。
キーワード検討対象＝図５‐１‐２‐５‐１‐Ａ‐２。
キーワード検討対象＝図５‐１‐２‐５‐１‐Ａ‐３。
指定制限字数内に書くために、キーワードとキーワード検討対象に従って、受信配信型試験システムの答案書取修正手段が、答案、書取答案の答案書取を修正すると、設問ウ（３）の解答については設問ウ図５‐１‐２‐５‐１‐Ａ‐３（３）の解答の開始行を２行繰り上げするように修正（含むアジャスト修正）する。
続いて、答案、書取答案の答案書取を受信配信型試験システムの調整手段が調整すると、設問ウ（３）の解答については設問ウ図６‐１‐２‐５‐１（３）の解答に調整する。
書き取り実施後
設問ウ
図６‐１‐２‐５‐１
３．きれいに書くため
実施例１答案書き取り追加、修正、削除及び選択、書き換え、調整実施例の一つ
キーワード＝きれいに書きこと。
キーワード検討対象＝図５‐１‐２‐５‐３‐Ａ‐２。
キーワード検討対象＝図５‐１‐２‐５‐３‐Ａ‐３。
きれいに書くために、キーワードとキーワード検討対象に従って、受信配信型試験システムの答案書取修正手段が、答案、書取答案の答案書取を修正すると、設問ウ（３）の解答については設問ウ図５‐１‐２‐５‐３‐Ａ‐３（３）の解答の開始行を２行繰り下げするように修正（含むアジャスト修正）する。
続いて、答案、書取答案の答案書取を受信配信型試験システムの調整手段が調整すると、設問ウ（３）の解答については設問ウ図６‐１‐２‐５‐３（３）の解答に調整する。
書き取り実施後
設問ウ
図６‐１‐２‐５‐３
４．頭書きの出題タイトルに沿って解答するため
頭書きの出題タイトルを、情報システムを取り巻く環境変化を踏まえた監査対象領域の選定についてではなく、他企業との連携や一般市民とのコミュニケーションなどを踏まえた監査対象領域の選定についてであると仮定する。
実施例１答案書き取り追加、修正、削除及び選択、書き換え、調整実施例の一つ
キーワード＝他企業との連携や一般市民とのコミュニケーション。
キーワード検討対象＝図５‐１‐２‐５‐４‐Ａ‐Ｘ。
キーワード検討対象＝図５‐１‐２‐５‐４‐Ａ‐Ｙ。
頭書きの出題タイトルに沿って解答するために、キーワードとキーワード検討対象に従って、受信配信型試験システムの答案書取修正手段が、答案、書取答案の答案書取を修正すると、設問イ（Ｘ）の解答、（＊）の解答については設問イ図５‐１‐２‐５‐４‐Ａ‐Ｘ（Ｘ）の解答の開始行を１３行繰り下げ、図５‐１‐２‐５‐４‐Ａ‐Ｙ（＊）の解答の開始行を１３行繰り上げするように修正（含むアジャスト修正）する。
続いて、答案、書取答案の答案書取を受信配信型試験システムの調整手段が調整すると、設問イ（＊）の解答、（Ｘ）の解答については設問イ図６‐１‐２‐５‐４（＊）の解答、（Ｘ）の解答に調整する。
書き取り実施後
設問イ
図６‐１‐２‐５‐４
５．出題の説明文に沿って解答するため
実施例１答案書き取り追加、修正、削除及び選択、書き換え、調整実施例の一つ
キーワード＝他企業の情報システムとの連携や、更には広く一般市民を含めたコミュニケーション。
キーワード検討対象＝図５‐１‐２‐５‐５‐Ａ‐Ｘ。
キーワード検討対象＝図５‐１‐２‐５‐５‐Ａ‐Ｙ。
出題の説明文に沿って解答するために、キーワードとキーワード検討対象に従って、受信配信型試験システムの答案書取修正手段が、答案、書取答案の答案書取を修正すると、設問イ（Ｘ）の解答、（＊）の解答については設問イ図５‐１‐２‐５‐５‐Ａ‐Ｘ（Ｘ）の解答の開始行を１３行繰り下げ、図５‐１‐２‐５‐５‐Ａ‐Ｙ（＊）の解答の開始行を１３行繰り上げするように修正（含むアジャスト修正）する。
続いて、答案、書取答案の答案書取を受信配信型試験システムの調整手段が調整すると、設問イ（＊）の解答、（Ｘ）の解答については設問イ図６‐１‐２‐５‐５（＊）の解答、（Ｘ）の解答に調整する。
書き取り実施後
設問イ
図６‐１‐２‐５‐５
６．設問に沿って解答するため
実施例１答案書き取り追加、修正、削除及び選択、書き換え、調整実施例の一つ
設問ア
キーワード＝800字以内で述べよ。
キーワード検討対象＝図５‐１‐２‐５‐６‐Ａ１‐１。
キーワード検討対象＝図５‐１‐２‐５‐６‐Ａ１‐２。
設問イ
キーワード＝他企業の情報システムとの連携や、一般市民とのコミュニケーション。
キーワード検討対象＝図５‐１‐２‐５‐６‐Ａ２‐Ｘ。
キーワード検討対象＝図５‐１‐２‐５‐６‐Ａ２‐Ｙ。
設問ア
設問に沿って解答するために、キーワードとキーワード検討対象に従って、受信配信型試験システムの答案書取修正手段が、答案、書取答案の答案書取を修正すると、設問ア（２）の解答については設問ア図５‐１‐２‐５‐６‐Ａ１‐２（２）の解答の開始行を２行繰り上げするように修正（含むアジャスト修正）する。
続いて、答案、書取答案の答案書取を受信配信型試験システムの調整手段が調整すると、設問ア（２）の解答については設問ア図６‐１‐２‐５‐６‐１（２）の解答に調整する。
設問イ
設問に沿って解答するために、キーワードとキーワード検討対象に従って、受信配信型試験システムの答案書取修正手段が、答案、書取答案の答案書取を修正すると、設問イ（Ｘ）の解答、（＊）の解答については設問イ図５‐１‐２‐５‐６‐Ａ２‐Ｘ（Ｘ）の解答の開始行を１３行繰り下げ、図５‐１‐２‐５‐６‐Ａ２‐Ｙ（＊）の解答の開始行を１３行繰り上げするように修正（含むアジャスト修正）する。
続いて、答案、書取答案の答案書取を受信配信型試験システムの調整手段が調整すると、設問イ（＊）の解答、（Ｘ）の解答については設問イ図６‐１‐２‐５‐６‐２（＊）の解答、（Ｘ）の解答に調整する。
設問ア
書き取り実施後
設問ア
図６‐１‐２‐５‐６‐１
設問イ
書き取り実施後
設問イ
図６‐１‐２‐５‐６‐２
２、６  まとまった文章で構成される一つの項目の解答の行の開始解答位置を調整する技術・技法（ＧｒｏｕｐＢｏｘ．Ｌｅｆｔ）で答案、書取答案の答案書取
１．指定制限字数内に書くため
実施例１答案書き取り追加、修正、削除及び選択、書き換え、調整実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワード検討対象＝図５‐１‐２‐６‐１‐Ａ‐１。
キーワード検討対象＝図５‐１‐２‐６‐１‐Ａ‐２。
キーワード検討対象＝図５‐１‐２‐６‐１‐Ａ‐３。
指定制限字数内に書くために、キーワードとキーワード検討対象に従って、受信配信型試験システムの答案書取修正手段が、答案、書取答案の答案書取を修正すると、設問ウ（１）の解答、（２）の解答、（３）の解答については設問ウ図５‐１‐２‐６‐１‐Ａ‐１解答の行の開始解答位置２列目（マス目）、図５‐１‐２‐６‐１‐Ａ‐２解答の行の開始解答位置２列目（マス目）、図５‐１‐２‐６‐１‐Ａ‐３解答の行の開始解答位置２列目（マス目）をそれぞれ１列目（マス目）に修正（含むアジャスト修正）する。
続いて、答案、書取答案の答案書取を受信配信型試験システムの調整手段が調整すると、設問ウ（１）の解答、（２）の解答、（３）の解答については設問ウ図６‐１‐２‐６‐１（１）の解答、（２）の解答、（３）の解答に調整する。
書き取り実施後
設問ウ
図６‐１‐２‐６‐１
３．きれいに書くため
実施例１答案書き取り追加、修正、削除及び選択、書き換え、調整実施例の一つ
キーワード＝きれいに書きこと。
キーワード検討対象＝図５‐１‐２‐６‐３‐Ａ‐１。
キーワード検討対象＝図５‐１‐２‐６‐３‐Ａ‐２。
キーワード検討対象＝図５‐１‐２‐６‐３‐Ａ‐３。
きれいに書くために、キーワードとキーワード検討対象に従って、受信配信型試験システムの答案書取修正手段が、答案、書取答案の答案書取を修正すると、設問ウ（１）の解答、（２）の解答、（３）の解答については設問ウ図５‐１‐２‐６‐３‐Ａ‐１解答の行の開始解答位置１列目（マス目）、図５‐１‐２‐６‐３‐Ａ‐３解答の行の開始解答位置１列目（マス目）をそれぞれ２列目（マス目）に修正（含むアジャスト修正）する。
続いて、答案、書取答案の答案書取を受信配信型試験システムの調整手段が調整すると、設問ウ（１）の解答、（２）の解答、（３）の解答については設問ウ図６‐１‐２‐６‐３（１）の解答、（２）の解答、（３）の解答に調整する。
書き取り実施後
設問ウ
図６‐１‐２‐６‐３
６．設問に沿って解答するため
実施例１答案書き取り追加、修正、削除及び選択、書き換え、調整実施例の一つ
設問ア
キーワード＝800字以内で述べよ。
キーワード検討対象＝図５‐１‐２‐６‐６‐Ａ。
設問ア
設問に沿って解答するために、キーワードとキーワード検討対象に従って、受信配信型試験システムの答案書取修正手段が、答案、書取答案の答案書取を修正すると、設問ア（２）の解答については設問ア図５‐１‐２‐６‐６‐Ａ解答の行の開始解答位置２列目（マス目）を１列目（マス目）に修正（含むアジャスト修正）する。
続いて、答案、書取答案の答案書取を受信配信型試験システムの調整手段が調整すると、設問ア（２）の解答については設問ア図６‐１‐２‐６‐６（２）の解答に調整する。
設問ア
書き取り実施後
設問ア
図６‐１‐２‐６‐６
２、７  まとまった文章で構成される一つの項目の解答に付ける項目名称に使用するサイズや太さや下線付きなどのフォントを調整する技術・技法（ＧｒｏｕｐＢｏｘ．Ｆｏｎｔ）で答案、書取答案の答案書取
１．指定制限字数内に書くため
実施例１答案書き取り追加、修正、削除及び選択、書き換え、調整実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワード検討対象＝図５‐１‐２‐７‐１‐Ａ。
指定制限字数内に書くために、キーワードとキーワード検討対象に従って、受信配信型試験システムの答案書取修正手段が、答案、書取答案の答案書取を修正すると、設問ウ（３）の解答については設問ウ図５‐１‐２‐７‐１‐Ａｉｎｄｏｗｓの部分をindowsに修正（含むアジャスト修正）する。
続いて、答案、書取答案の答案書取を受信配信型試験システムの調整手段が調整すると、設問ウ（３）の解答については設問ウ図６‐１‐２‐７‐１（３）の解答に調整する。
書き取り実施後
設問ウ
図６‐１‐２‐７‐１
２．はっきりした字で書くため
実施例１答案書き取り追加、修正、削除及び選択、書き換え、調整実施例の一つ
キーワード＝はっきりした字。
キーワード検討対象＝図５‐１‐２‐７‐２‐Ａ。
はっきりした字で書くために、キーワードとキーワード検討対象に従って、受信配信型試験システムの答案書取修正手段が、答案、書取答案の答案書取を修正すると、設問ウ（３）の解答については設問ウ図５‐１‐２‐７‐２‐Ａ（３）その他のネットワークとの関係の部分を（３）その他のネットワークとの関係に修正（含むアジャスト修正）する。
続いて、答案、書取答案の答案書取を受信配信型試験システムの調整手段が調整すると、設問ウ（３）の解答については設問ウ図６‐１‐２‐７‐２（３）の解答に調整する。
書き取り実施後
設問ウ
図６‐１‐２‐７‐２
３．きれいに書くため
実施例１答案書き取り追加、修正、削除及び選択、書き換え、調整実施例の一つ
キーワード＝きれいに書きこと。
キーワード検討対象＝図５‐１‐２‐７‐３‐Ａ‐１。
キーワード検討対象＝図５‐１‐２‐７‐３‐Ａ‐２。
キーワード検討対象＝図５‐１‐２‐７‐３‐Ａ‐３。
きれいに書くために、キーワードとキーワード検討対象に従って、受信配信型試験システムの答案書取修正手段が、答案、書取答案の答案書取を修正すると、設問ウ（１）の解答、（２）の解答、（３）の解答については設問ウ図５‐１‐２‐７‐３‐Ａ‐１（１）他企業の情報システムとの連携、図５‐１‐２‐７‐３‐Ａ‐２（２）一般市民とのコミュニケーション、図５‐１‐２‐７‐３‐Ａ‐３（３）その他のネットワークとの関係の部分をそれぞれ（１）他企業の情報システムとの連携、（２）一般市民とのコミュニケーション、（３）その他のネットワークとの関係に修正（含むアジャスト修正）する。
続いて、答案、書取答案の答案書取を受信配信型試験システムの調整手段が調整すると、設問ウ（１）の解答、（２）の解答、（３）の解答については設問ウ図６‐１‐２‐７‐３（１）の解答、（２）の解答、（３）の解答に調整する。
書き取り実施後
設問ウ
図６‐１‐２‐７‐３
６．設問に沿って解答するため
実施例１答案書き取り追加、修正、削除及び選択、書き換え、調整実施例の一つ
設問ア
キーワード＝800字以内で述べよ。
キーワード検討対象＝図５‐１‐２‐７‐６‐Ａ。
設問ア
設問に沿って解答するために、キーワードとキーワード検討対象に従って、受信配信型試験システムの答案書取修正手段が、答案、書取答案の答案書取を修正すると、設問ア（２）の解答については設問ア図５‐１‐２‐７‐６‐Ａｉｎｄｏｗｓの部分をindowsに修正（含むアジャスト修正）する。
続いて、答案、書取答案の答案書取を受信配信型試験システムの調整手段が調整すると、設問ア（２）の解答については設問ア図６‐１‐２‐７‐６（２）の解答に調整する。
設問ア
書き取り実施後
設問ア
図６‐１‐２‐７‐６
２、８  解答や項目名称に使用するキーワードを抽出して、まとまった文章で構成される一つの項目の解答や一つの項目の解答につける項目名称にキーワードを使用したものを選択する技術・技法（ＧｒｏｕｐＢｏｘの新アイデア１（検索））で答案、書取答案の答案書取
ａ．問題文の趣旨に沿って解答するため
実施例１答案書き取り追加、修正、削除及び選択、書き換え、調整実施例の一つ
最近の問題（例、平成１２年度）の場合
キーワード＝問題文の趣旨に沿って解答すること。
キーワード＝監査対象領域。
キーワード検討対象＝図５‐１‐２‐８‐ａ‐Ａ。
キーワード検討対象＝図５‐１‐２‐８‐ａ‐Ｂ。
問題文の趣旨に沿って解答するために、キーワードとキーワード検討対象に従って、受信配信型試験システムの（答案書取追加手段、）答案書取削除手段が、答案、書取答案の答案書取を（追加、）削除すると、設問イ（３）の解答については（設問イ図５‐１‐２‐８‐ａ‐Ａ（３）の解答とキーワード監査対象領域を使用（検索）した設問イ図５‐１‐２‐８‐ａ‐Ｂ（３）の解答を選択対象に有効追加後、）設問イ図５‐１‐２‐８‐ａ‐Ａ（３）の解答を選択対象から無効削除する。
続いて、答案、書取答案の答案書取を受信配信型試験システムの選択手段が選択すると、設問イ（３）の解答については設問イ図５‐１‐２‐８‐ａ‐Ｂ（３）の解答を選択する。
書き取り実施後
設問イ
図６‐１‐２‐８‐ａ
２．はっきりした字で書くため
実施例１答案書き取り追加、修正、削除及び選択、書き換え、調整実施例の一つ
キーワード＝はっきりした字。
キーワード＝監査。
キーワード検討対象＝図５‐１‐２‐８‐２‐Ａ。
キーワード検討対象＝図５‐１‐２‐８‐２‐Ｂ。
はっきりした字で書くために、キーワードとキーワード検討対象に従って、受信配信型試験システムの（答案書取追加手段、）答案書取削除手段が、答案、書取答案の答案書取を（追加、）削除すると、設問ウ（３）の解答については（設問ウ図５‐１‐２‐８‐２‐Ａ（３）の解答とキーワード監査を使用（検索）した設問ウ図５‐１‐２‐８‐２‐Ｂ（３）の解答を選択対象に有効追加後、）設問ウ図５‐１‐２‐８‐２‐Ａ（３）の解答を選択対象から無効削除する。
続いて、答案、書取答案の答案書取を受信配信型試験システムの選択手段が選択すると、設問ウ（３）の解答については設問ウ図５‐１‐２‐８‐２‐Ｂ（３）の解答を選択する。
書き取り実施後
設問ウ
図６‐１‐２‐８‐２
４．頭書きの出題タイトルに沿って解答するため
実施例１答案書き取り追加、修正、削除及び選択、書き換え、調整実施例の一つ
キーワード＝監査対象領域。
キーワード検討対象＝図５‐１‐２‐８‐４‐Ａ。
キーワード検討対象＝図５‐１‐２‐８‐４‐Ｂ。
頭書きの出題タイトルに沿って解答するために、キーワードとキーワード検討対象に従って、受信配信型試験システムの（答案書取追加手段、）答案書取削除手段が、答案、書取答案の答案書取を（追加、）削除すると、設問イ（３）の解答については（設問イ図５‐１‐２‐８‐４‐Ａ（３）の解答とキーワード監査対象領域を使用（検索）した設問イ図５‐１‐２‐８‐４‐Ｂ（３）の解答を選択対象に有効追加後、）設問イ図５‐１‐２‐８‐４‐Ａ（３）の解答を選択対象から無効削除する。
続いて、答案、書取答案の答案書取を受信配信型試験システムの選択手段が選択すると、設問イ（３）の解答については設問イ図５‐１‐２‐８‐４‐Ｂ（３）の解答を選択する。
書き取り実施後
設問イ
図６‐１‐２‐８‐４
５．出題の説明文に沿って解答するため
実施例１答案書き取り追加、修正、削除及び選択、書き換え、調整実施例の一つ
キーワード＝リスク。
キーワード検討対象＝図５‐１‐２‐８‐５‐Ａ。
キーワード検討対象＝図５‐１‐２‐８‐５‐Ｂ。
出題の説明文に沿って解答するために、キーワードとキーワード検討対象に従って、受信配信型試験システムの（答案書取追加手段、）答案書取削除手段が、答案、書取答案の答案書取を（追加、）削除すると、設問イ（３）の解答については（設問イ図５‐１‐２‐８‐５‐Ａ（３）の解答とキーワードリスクを使用（検索）した設問イ図５‐１‐２‐８‐５‐Ｂ（３）の解答を選択対象に有効追加後、）設問イ図５‐１‐２‐８‐５‐Ａ（３）の解答を選択対象から無効削除する。
続いて、答案、書取答案の答案書取を受信配信型試験システムの選択手段が選択すると、設問イ（３）の解答については設問イ図５‐１‐２‐８‐５‐Ｂ（３）の解答を選択する。
書き取り実施後
設問イ
図６‐１‐２‐８‐５
６．設問に沿って解答するため
実施例１答案書き取り追加、修正、削除及び選択、書き換え、調整実施例の一つ
設問イ
キーワード＝リスク。
キーワード検討対象＝図５‐１‐２‐８‐６‐Ａ。
キーワード検討対象＝図５‐１‐２‐８‐６‐Ｂ。
設問イ
設問に沿って解答するために、キーワードとキーワード検討対象に従って、受信配信型試験システムの（答案書取追加手段、）答案書取削除手段が、答案、書取答案の答案書取を（追加、）削除すると、設問イ（３）の解答については（設問イ図５‐１‐２‐８‐６‐Ａ（３）の解答とキーワードリスクを使用（検索）した設問イ図５‐１‐２‐８‐６‐Ｂ（３）の解答を選択対象に有効追加後、）設問イ図５‐１‐２‐８‐６‐Ａ（３）の解答を選択対象から無効削除する。
続いて、答案、書取答案の答案書取を受信配信型試験システムの選択手段が選択すると、設問イ（３）の解答については設問イ図５‐１‐２‐８‐６‐Ｂ（３）の解答を選択する。
設問イ
書き取り実施後
設問イ
図６‐１‐２‐８‐６
２、９  解答や項目名称に使用するキーワードを抽出して、まとまった文章で構成される一つの項目の解答や一つの項目の解答につける項目名称にキーワードを使用したものに書き換え、調整する技術・技法（ＧｒｏｕｐＢｏｘの新アイデア２（置換））で答案、書取答案の答案書取
ａ．問題文の趣旨に沿って解答するため
実施例１答案書き取り追加、修正、削除及び選択、書き換え、調整実施例の一つ
最近の問題（例、平成１２年度）の場合
キーワード＝問題文の趣旨に沿って解答すること。
キーワード＝監査対象領域。
キーワード検討対象＝図５‐１‐２‐９‐ａ‐Ａ。
問題文の趣旨に沿って解答するために、キーワードとキーワード検討対象に従って、受信配信型試験システムの答案書取修正手段が、答案、書取答案の答案書取を修正すると、設問イ（３）の解答については設問イ図５‐１‐２‐９‐ａ‐Ａ監査手続の部分をキーワード監査対象領域に書き取り修正（置換）（含むアジャスト修正）する。
続いて、答案、書取答案の答案書取を受信配信型試験システムの書換手段が書き換えすると、設問イ（３）の解答については設問イ図６‐１‐２‐９‐ａ（３）の解答に書き換えする。
書き取り実施後
設問イ
図６‐１‐２‐９‐ａ
２．はっきりした字で書くため
実施例１答案書き取り追加、修正、削除及び選択、書き換え、調整実施例の一つ
キーワード＝はっきりした字。
キーワード＝監査。
キーワード検討対象＝図５‐１‐２‐９‐２‐Ａ。
はっきりした字で書くために、キーワードとキーワード検討対象に従って、受信配信型試験システムの答案書取修正手段が、答案、書取答案の答案書取を修正すると、設問ウ（３）の解答については設問ウ図５‐１‐２‐９‐２‐Ａ鑑査の部分をキーワード監査に書き取り修正（置換）（含むアジャスト修正）する。
続いて、答案、書取答案の答案書取を受信配信型試験システムの書換手段が書き換えすると、設問ウ（３）の解答については設問ウ図６‐１‐２‐９‐２（３）の解答に書き換えする。
書き取り実施後
設問ウ
図６‐１‐２‐９‐２
４．頭書きの出題タイトルに沿って解答するため
実施例１答案書き取り追加、修正、削除及び選択、書き換え、調整実施例の一つ
キーワード＝監査対象領域。
キーワード検討対象＝図５‐１‐２‐９‐４‐Ａ。
頭書きの出題タイトルに沿って解答するために、キーワードとキーワード検討対象に従って、受信配信型試験システムの答案書取修正手段が、答案、書取答案の答案書取を修正すると、設問イ（３）の解答については設問イ図５‐１‐２‐９‐４‐Ａ監査手続の部分をキーワード監査対象領域に書き取り修正（置換）（含むアジャスト修正）する。
続いて、答案、書取答案の答案書取を受信配信型試験システムの書換手段が書き換えすると、設問イ（３）の解答については設問イ図６‐１‐２‐９‐４（３）の解答に書き換えする。
書き取り実施後
設問イ
図６‐１‐２‐９‐４
５．出題の説明文に沿って解答するため
実施例１答案書き取り追加、修正、削除及び選択、書き換え、調整実施例の一つ
キーワード＝リスク。
キーワード検討対象＝図５‐１‐２‐９‐５‐Ａ。
出題の説明文に沿って解答するために、キーワードとキーワード検討対象に従って、受信配信型試験システムの答案書取修正手段が、答案、書取答案の答案書取を修正すると、設問イ（３）の解答については設問イ図５‐１‐２‐９‐５‐Ａウィルスの部分をキーワードリスクに書き取り修正（置換）（含むアジャスト修正）する。
続いて、答案、書取答案の答案書取を受信配信型試験システムの書換手段が書き換えすると、設問イ（３）の解答については設問イ図６‐１‐２‐９‐５（３）の解答に書き換えする。
書き取り実施後
設問イ
図６‐１‐２‐９‐５
６．設問に沿って解答するため
実施例１答案書き取り追加、修正、削除及び選択、書き換え、調整実施例の一つ
設問イ
キーワード＝リスク。
キーワード検討対象＝図５‐１‐２‐９‐６‐Ａ。
設問イ
出題の説明文に沿って解答するために、キーワードとキーワード検討対象に従って、受信配信型試験システムの答案書取修正手段が、答案、書取答案の答案書取を修正すると、設問イ（３）の解答については設問イ図５‐１‐２‐９‐６‐Ａウィルスの部分をキーワードリスクに書き取り修正（置換）（含むアジャスト修正）する。
続いて、答案、書取答案の答案書取を受信配信型試験システムの書換手段が書き換えすると、設問イ（３）の解答については設問イ図６‐１‐２‐９‐６（３）の解答に書き換えする。
設問イ
書き取り実施後
設問イ
図６‐１‐２‐９‐６
２、１０  まとまった文章で構成される一つの項目の解答の指定した位置部分を切り取り書き換えする技術・技法（Ｆｏｒｍの新アイデア３（指定位置部分切り取り））で答案、書取答案の答案書取
１．指定制限字数内に書くため
実施例１答案書き取り追加、修正、削除及び選択、書き換え、調整実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワード検討対象＝図５‐１‐２‐１０‐１‐Ａ。
指定制限字数内に書くために、キーワードとキーワード検討対象に従って、受信配信型試験システムの答案書取削除手段が、答案、書取答案の答案書取を削除すると、設問ウ（３）の解答については設問ウ図５‐１‐２‐１０‐１‐Ａ4000字以降の解答の部分を切り取りするように削除する。
続いて、答案、書取答案の答案書取を受信配信型試験システムの書換手段が書き換えすると、設問ウ（３）の解答については設問ウ図６‐１‐２‐１０‐１（３）の解答に書き換えする。
書き取り実施後
設問ウ
図６‐１‐２‐１０‐１
２、１１  まとまった文章で構成される一つの項目の解答の指定した位置に項目の解答の部分を貼り付け書き換えする技術・技法（ＧｒｕｏｐＢｏｘの新アイデア４（指定位置部分貼り付け））で答案、書取答案の答案書取
３．きれいに書くため
実施例１答案書き取り追加、修正、削除及び選択、書き換え、調整実施例の一つ
キーワード＝きれいに書きこと。
キーワード検討対象＝図５‐１‐２‐１１‐３‐Ａ。
きれいに書くために、キーワードとキーワード検討対象に従って、受信配信型試験システムの答案書取追加手段が、答案、書取答案の答案書取を追加すると、設問ウ（３）の解答については設問ウ図５‐１‐２‐１１‐３‐Ａ１ネットワークの信頼性の監査ポイントの解答の後に２ネットワークの安全性の監査ポイントの解答の部分を貼り付けするように追加する。
続いて、答案、書取答案の答案書取を受信配信型試験システムの書換手段が書き換えすると、設問ウ（３）の解答については設問ウ図６‐１‐２‐１１‐３（３）の解答に書き換えする。
書き取り実施後
設問ウ
図６‐１‐２‐１１‐３
２、１２  まとまった文章で構成される一つの項目の解答を順序を整列して書き換えする技術・技法（ＧｒｏｕｐＢｏｘの新アイデア５（整列））で抽出するキーワード検討対象
６．設問に沿って解答するため
実施例１答案書き取り追加、修正、削除及び選択、書き換え、調整実施例の一つ
設問イ
キーワード＝他企業の情報システムとの連携や、一般市民とのコミュニケーション。
キーワード検討対象＝図５‐１‐２‐１２‐６‐Ａ‐Ｘ。
キーワード検討対象＝図５‐１‐２‐１２‐６‐Ａ‐Ｙ。
設問イ
設問に沿って解答するために、キーワードとキーワード検討対象に従って、受信配信型試験システムの答案書取修正手段が、答案、書取答案の答案書取を修正すると、設問イ（Ｘ）の解答、（＊）の解答については設問イ図５‐１‐２‐１２‐６‐Ａ‐Ｘ（Ｘ）の解答を図５‐１‐２‐１２‐６‐Ａ‐Ｙ（＊）の解答の後にするように修正（含むアジャスト修正）する。
続いて、答案、書取答案の答案書取を受信配信型試験システムの書換手段が書き換えすると、設問イ（＊）の解答、（Ｘ）の解答については設問イ図６‐１‐２‐１２‐６（＊）の解答、（Ｘ）の解答に書き換えする。
設問イ
書き取り実施後
設問イ
図６‐１‐２‐１２‐６
２、１３  まとまった文章で構成される一つの項目の解答をまとまった文章で構成される複数の項目の解答に分割して書き換えする技術・技法（ＧｒｕｏｐＢｏｘの新アイデア６（分割））で答案、書取答案の答案書取
３．きれいに書くため
実施例１答案書き取り追加、修正、削除及び選択、書き換え、調整実施例の一つ
キーワード＝きれいに書きこと。
キーワード検討対象＝図５‐１‐２‐１３‐３‐Ａ。
きれいに書くために、キーワードとキーワード検討対象に従って、受信配信型試験システムの答案書取修正手段が、答案、書取答案の答案書取を修正すると、設問ウ（＊）の解答については設問ウ図５‐１‐２‐１３‐３‐Ａ  情報システムの安全性を確保す・・・することを監査ポイントとする。と  情報システムのコントロールの・・・することを監査ポイントとする。と  アクセスログを入手するに当た・・・することを監査ポイントとする。の部分を別の項目として分割するように修正（含むアジャスト修正）する。
続いて、答案、書取答案の答案書取を受信配信型試験システムの書換手段が書き換えすると、設問ウ（＊）の解答、（＊）の解答、（＊）の解答については設問ウ図６‐１‐２‐１３‐３（＊）の解答、（＊）の解答、（＊）の解答に書き換えする。
書き取り実施後
設問ウ
図６‐１‐２‐１３‐３
２、１４  まとまった文章で構成される複数の項目の解答をまとまった文章で構成される一つの項目の解答に併合して書き換えする技術・技法（ＧｒｕｏｐＢｏｘの新アイデア７（併合））で答案、書取答案の答案書取
３．きれいに書くため
実施例１答案書き取り追加、修正、削除及び選択、書き換え、調整実施例の一つ
キーワード＝きれいに書きこと。
キーワード検討対象＝図５‐１‐２‐１４‐３‐Ａ。
きれいに書くために、キーワードとキーワード検討対象に従って、受信配信型試験システムの答案書取修正手段が、答案、書取答案の答案書取を修正すると、設問ウ（＊）の解答、（＊）の解答、（＊）の解答については設問ウ図５‐１‐２‐１４‐３‐Ａ  情報システムの安全性を確保す・・・ことを監査ポイントとする。の項目と  システムのコントロールの・・・することを監査ポイントとする。の項目と  アクセスログを入手するに当た・・・することを監査ポイントとする。の項目を同じ項目として併合するように修正（含むアジャスト修正）する。
続いて、答案、書取答案の答案書取を受信配信型試験システムの書換手段が書き換えすると、設問ウ（＊）の解答については設問ウ図６‐１‐２‐１４‐３（＊）の解答に書き換えする。
書き取り実施後
設問ウ
図６‐１‐２‐１４‐３
２、１５  まとまった文章で構成される一つの項目の解答の指定した位置に他の答案や解答の部分をコピーして書き換えする技術・技法（Ｆｏｒｍの新アイデア８（指定位置部分コピー））で答案、書取答案の答案書取
３．きれいに書くため
実施例１答案書き取り追加、修正、削除及び選択、書き換え、調整実施例の一つ
キーワード＝きれいに書きこと。
キーワード検討対象＝図５‐１‐２‐１５‐３‐Ａ。
きれいに書くために、キーワードとキーワード検討対象に従って、受信配信型試験システムの答案書取追加手段が、答案、書取答案の答案書取を追加すると、設問ウ（３）の解答については設問ウ図５‐１‐２‐１５‐３‐Ａ（３）その他のネットワークとの関係の解答の後に保存答案図５‐１‐２‐１５‐３‐Ｂ  情報システムの安全性を確保す・・・することを監査ポイントとする。の部分をコピーするように追加する。
続いて、答案、書取答案の答案書取を受信配信型試験システムの書換手段が書き換えすると、（３）の解答については設問ウ図６‐１‐２‐１５‐３（３）の解答に書き換えする。
書き取り実施後
設問ウ
図６‐１‐２‐１５‐３
２、１６  まとまった文章で構成される一つの設問全体の解答やまとまった文章で構成される一つの項目の解答で使用している解答の語句や内容を継承してまとまった文章で構成される一つの項目の解答や一つの項目の解答につける項目名称を書き換えする技術・技法（ＧｒｏｕｐＢｏｘの新アイデア９（継承））で答案、書取答案の答案書取
６．設問に沿って解答するため
実施例１答案書き取り追加、修正、削除及び選択、書き換え、調整実施例の一つ
設問ウ
キーワード＝監査ポイント。
キーワード検討対象＝図５‐１‐２‐１６‐６‐Ａ‐１。
キーワード検討対象＝図５‐１‐２‐１６‐６‐Ａ‐２。
キーワード検討対象＝図５‐１‐２‐１６‐６‐Ａ‐３。
設問ウ
設問に沿って解答するために、キーワードとキーワード検討対象に従って、受信配信型試験システムの答案書取修正手段が、答案、書取答案の答案書取を修正すると、設問ウ（１）の解答、（２）の解答、（３）の解答については設問ウ図５‐１‐２‐１６‐６‐Ａ‐１項目名称の（１）他企業の情報システムとの連携、図５‐１‐２‐１６‐６‐Ａ‐２項目名称の（２）一般市民とのコミュニケーション、図５‐１‐２‐１６‐６‐Ａ‐３項目名称の（３）その他のネットワークとの関係をそれぞれ図５‐１‐２‐１６‐６‐Ｂ（設問ウ）全体の解答で使用している監査ポイントの語句を継承するように修正する。
続いて、答案、書取答案の答案書取を受信配信型試験システムの書換手段が書き換えすると、設問ウ（１）の解答、（２）の解答、（３）の解答については設問ウ図６‐１‐２‐１６‐６（１）の解答、（２）の解答、（３）の解答に書き換えする。
設問ウ
書き取り実施後
設問ウ
図６‐１‐２‐１６‐６
２、１７  まとまった文章で構成される一つの項目の解答が複数の文や語句、名称（含む数字）の形態を集約選択して書き換えする技術・技法（ＧｒｏｕｐＢｏｘの新アイデア１０（多態））で答案、書取答案の答案書取
６．設問に沿って解答するため
実施例１答案書き取り追加、修正、削除及び選択、書き換え、調整実施例の一つ
設問ウ
キーワード＝監査ポイント。
キーワード検討対象＝図５‐１‐２‐１７‐６‐Ａ。
設問ウ
設問に沿って解答するために、キーワードとキーワード検討対象に従って、受信配信型試験システムの答案書取修正手段が、答案、書取答案の答案書取を修正すると、設問ウ（３）の解答については設問ウ図５‐１‐２‐１７‐６‐Ａ（３）の解答の形態を  情報システムの安全性を確保す・・・することを監査ポイントとする。の文とまた、そのコントロールの評価の・・・することを監査ポイントとする。の文に集約選択するように修正する。
続いて、答案、書取答案の答案書取を受信配信型試験システムの書換手段が書き換えすると、設問ウ（３）の解答については設問ウ図６‐１‐２‐１７‐６（３）の解答に書き換えする。
設問ウ
書き取り実施後
設問ウ
図６‐１‐２‐１７‐６
３、文章中で使用されている文や語句、名称（含む数字）を選択、書き換え、調整などをする技術・技法（Ｌａｂｅｌ）で答案、書取答案の答案書取
３、１  文章中で使用されている文や語句、名称（含む数字）を取捨選択する技術・技法（Ｌａｂｅｌ．Ｖｉｓｉｂｌｅ（表示アイデア））で答案、書取答案の答案書取
１．指定制限字数内に書くため
実施例１答案書き取り追加、修正、削除及び選択、書き換え、調整実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワード検討対象＝図５‐１‐３‐１‐１‐Ａ（３）その他のネットワークとの関係。
キーワード検討対象＝図５‐１‐３‐１‐１‐Ａ情報システムの安全性を確保するのに、なりすましなどネットワークを介した不正アクセス防止に必要なファイアウォールやウィルス対策ソフト、ワンタイムパスワードなどの利用によるコントロールを点検・評価することを監査ポイントとする。。
キーワード検討対象＝図５‐１‐３‐１‐１‐Ａまた、そのコントロールの評価の根拠となる無資格者による情報システムの利用や特定のファイルへの偏った利用、異常な回数の利用、異常な時刻での利用などを調査するためのアクセスログを入手することを監査ポイントとする。。
キーワード検討対象＝図５‐１‐３‐１‐１‐Ａまた、そのログを入手するに当たって、調査するのに必要な情報を取得できる監査プログラムを選択・評価することを監査ポイントとする。。
キーワード検討対象＝図５‐１‐３‐１‐１‐Ｂ（３）その他のネットワークとの関係。
キーワード検討対象＝図５‐１‐３‐１‐１‐Ｂ情報システムの安全性を確保するのに、なりすましなどネットワークを介した不正アクセス防止に必要なファイアウォールやウィルス対策ソフト、ワンタイムパスワードなどの利用によるコントロールを点検・評価することを監査ポイントとする。。
キーワード検討対象＝図５‐１‐３‐１‐１‐Ｂまた、そのコントロールの評価の根拠となる無資格者による情報システムの利用や特定のファイルへの偏った利用、異常な時刻での利用などを調査するためのアクセスログを入手することを監査ポイントとする。。
キーワード検討対象＝図５‐１‐３‐１‐１‐Ｂまた、そのログを入手するに当たって、調査するのに必要な情報を取得できる監査プログラムを選択・評価することを監査ポイントとする。。
指定制限字数内に書くために、キーワードとキーワード検討対象に従って、受信配信型試験システムの（答案書取追加手段、）答案書取削除手段が、答案、書取答案の答案書取を（追加、）削除すると、設問ウ（３）その他のネットワークとの関係以降については（設問ウ図５‐１‐３‐１‐１‐Ａ（３）その他のネットワークとの関係以降と設問ウ図５‐１‐３‐１‐１‐Ｂ（３）その他のネットワークとの関係以降を書取表示選択対象に有効追加後、）設問ウまた、そのコントロールの評価の根拠となる・・・することを監査ポイントとする。については設問ウ図５‐１‐３‐１‐１‐Ａ異常な回数の利用、が使用されている文、語句、名称（含む数字）を書取表示選択対象から無効削除する。
続いて、答案、書取答案の答案書取を受信配信型試験システムの選択手段が選択すると、設問ウ図５‐１‐３‐１‐１‐Ｂ（３）その他のネットワークとの関係以降（また、そのコントロールの評価の根拠となる・・・することを監査ポイントとする。以外の文、語句、名称（含む数字）については設問ウ図５‐１‐３‐１‐１‐Ｂまた、そのコントロールの評価の根拠となる・・・することを監査ポイントとする。以外の文、語句、名称（含む数字）ではなく設問ウ図５‐１‐３‐１‐１‐Ａまた、そのコントロールの評価の根拠となる・・・することを監査ポイントとする。以外の文、語句、名称（含む数字）としても可）を書取表示選択する。
書き取り実施後
設問ウ
図６‐１‐３‐１‐１
２．はっきりした字で書くため
実施例１答案書き取り追加、修正、削除及び選択、書き換え、調整実施例の一つ
キーワード＝はっきりした字。
キーワード検討対象＝図５‐１‐３‐１‐２‐Ａまた、そのログを入手するを当たって、調査するのを必要な情報を取得できる監査プログラムを選択・評価することを監査ポイントとする。。
キーワード検討対象＝図５‐１‐３‐１‐２‐Ｂまた、そのログを入手するに当たって、調査するのに必要な情報を取得できる監査プログラムを選択・評価することを監査ポイントとする。。
はっきりした字で書くために、キーワードとキーワード検討対象に従って、受信配信型試験システムの（答案書取追加手段、）答案書取削除手段が、答案、書取答案の答案書取を（追加、）削除すると、設問ウまた、そのログを入手するに当た・・・については（設問ウ図５‐１‐３‐１‐２‐Ａをが使用されている文、語句、名称（含む数字）と設問ウ図５‐１‐３‐１‐２‐Ｂにが使用されている文、語句、名称（含む数字）を書取表示選択対象に有効追加後、）設問ウ図５‐１‐３‐１‐２‐Ａをが使用されている文、語句、名称（含む数字）を書取表示選択対象から無効削除する。
続いて、答案、書取答案の答案書取を受信配信型試験システムの選択手段が選択すると、設問ウまた、そのログを入手するに当た・・・については設問ウ図５‐１‐３‐１‐２‐Ｂまた、そのログを入手するに当た・・・を書取表示選択する。
書き取り実施後
設問ウ
図６‐１‐３‐１‐２
３．きれいに書くため
実施例１答案書き取り追加、修正、削除及び選択、書き換え、調整実施例の一つ
キーワード＝きれいに書きこと。
キーワード検討対象＝図５‐１‐３‐１‐３‐Ａまた、そのコントロールの評価の根拠となる無資格者による情報システムの利用や特定のファイルへの偏った利用、異常な回数の利用、異常な時刻での利用などを調査するためのアクセスログを入手することを監査ポイントとする。。
キーワード検討対象＝図５‐１‐３‐１‐３‐Ａまた、そのログを入手するに当たって、調査するのに必要な情報を取得できる監査プログラムを選択・評価することを監査ポイントとする。。
キーワード検討対象＝図５‐１‐３‐１‐３‐Ｂまた、そのコントロールの評価の根拠となる無資格者による情報システムの利用や特定のファイルへの偏った利用、異常な時刻での利用などを調査するためのアクセスログを入手することを監査ポイントとする。。
キーワード検討対象＝図５‐１‐３‐１‐３‐Ｂまた、そのログを入手するに当たって、調査するのに必要な情報を取得できる監査プログラムを選択・評価することを監査ポイントとする。。
きれいに書くために、キーワードとキーワード検討対象に従って、受信配信型試験システムの（答案書取追加手段、）答案書取削除手段が、答案、書取答案の答案書取を（追加、）削除すると、設問ウまた、そのコントロールの評価の根拠となる・・・については（設問ウ図５‐１‐３‐１‐３‐Ａ異常な回数の利用、が使用されている文、語句、名称（含む数字）と設問ウ図５‐１‐３‐１‐３‐Ｂ異常な回数の利用、が使用されていない文、語句、名称（含む数字）を書取表示選択対象に有効追加後、）設問ウまた、そのコントロールの評価の根拠となる・・・することを監査ポイントとする。については設問ウ図５‐１‐３‐１‐３‐Ａ異常な回数の利用、が使用されている文、語句、名称（含む数字）を書取表示選択対象から無効削除する。
続いて、答案、書取答案の答案書取を受信配信型試験システムの選択手段が選択すると、設問ウまた、そのコントロールの評価の根拠となる・・・については設問ウ図５‐１‐３‐１‐３‐Ｂまた、そのコントロールの評価の根拠となる・・・（設問ウまた、そのログを入手するに当た・・・については設問ウ図５‐１‐３‐１‐３‐Ｂまた、そのログを入手するに当た・・・ではなく設問ウ図５‐１‐３‐１‐３‐Ａまた、そのログを入手するに当た・・・としても可）を書取表示選択する。
書き取り実施後
設問ウ
図６‐１‐３‐１‐３
４．頭書きの出題タイトルに沿って解答するため
実施例１答案書き取り追加、修正、削除及び選択、書き換え、調整実施例の一つ
キーワード＝環境変化を踏まえた。
キーワード検討対象＝図５‐１‐３‐１‐４‐Ａエクストラネットなどのネットワーク技術は、企業活動に経営戦略上の利便性をもたらしている。。
キーワード検討対象＝図５‐１‐３‐１‐４‐Ａそれは、コミュニケーションツールとしての電子メールの活用など、ネットワーク技術の利活用によって、場所や時間・距離に関係なく、必要なときに情報の収集・提供を円滑に行うことを可能にしている。。
キーワード検討対象＝図５‐１‐３‐１‐４‐Ａしかし、その利便性は、同時に悪意ある者に対してネットワークを介して外部から組織内部へアクセスする手段さえも提供することになる。。
キーワード検討対象＝図５‐１‐３‐１‐４‐Ａその結果、盗聴・改ざん・なりすましといった不正アクセスのリスクが想定される。。
キーワード検討対象＝図５‐１‐３‐１‐４‐Ｂエクストラネットなどのネットワーク技術の環境変化は、企業活動に経営戦略上の利便性をもたらしている。。
キーワード検討対象＝図５‐１‐３‐１‐４‐Ｂそれは、コミュニケーションツールとしての電子メールの活用など、ネットワーク技術の利活用によって、場所や時間・距離に関係なく、必要なときに情報の収集・提供を円滑に行うことを可能にしている。。
キーワード検討対象＝図５‐１‐３‐１‐４‐Ｂしかし、その利便性は、同時に悪意ある者に対してネットワークを介して外部から組織内部へアクセスする手段さえも提供することになる。。
キーワード検討対象＝図５‐１‐３‐１‐４‐Ｂその結果、盗聴・改ざん・なりすましといった不正アクセスのリスクが想定される。。
頭書きの出題タイトルに沿って解答するために、キーワードとキーワード検討対象に従って、受信配信型試験システムの（答案書取追加手段、）答案書取削除手段が、答案、書取答案の答案書取を（追加、）削除すると、（設問イエクストラネットなどのネットワ・・・については設問イ図５‐１‐３‐１‐４‐Ａの環境変化が使用されていない文、語句、名称（含む数字）と設問イ図５‐１‐３‐１‐４‐Ｂの環境変化が使用されている文、語句、名称（含む数字）を書取表示選択対象に有効追加後、）設問イエクストラネットなどのネットワ・・・略上の利便性をもたらしている。については設問イ図５‐１‐３‐１‐４‐Ａの環境変化が使用されていない文、語句、名称（含む数字）を書取表示選択対象から無効削除する。
続いて、答案、書取答案の答案書取を受信配信型試験システムの選択手段が選択すると、設問イエクストラネットなどのネットワ・・・については設問イ図５‐１‐３‐１‐４‐Ｂエクストラネットなどのネットワ・・・（設問イそれは、コミュニケーションツー・・・については設問イ図５‐１‐３‐１‐４‐Ｂそれは、コミュニケーションツー・・・ではなく設問イ図５‐１‐３‐１‐４‐Ａそれは、コミュニケーションツー・・・としても可）を書取表示選択する。
書き取り実施後
設問イ
図６‐１‐３‐１‐４
５．出題の説明文に沿って解答するため
実施例１答案書き取り追加、修正、削除及び選択、書き換え、調整実施例の一つ
キーワード＝経営戦略を踏まえて。
キーワード検討対象＝図５‐１‐３‐１‐５‐Ａエクストラネットなどのネットワーク技術の環境変化は、企業活動に利便性をもたらしている。。
キーワード検討対象＝図５‐１‐３‐１‐５‐Ａそれは、コミュニケーションツールとしての電子メールの活用など、ネットワーク技術の利活用によって、場所や時間・距離に関係なく、必要なときに情報の収集・提供を円滑に行うことを可能にしている。。
キーワード検討対象＝図５‐１‐３‐１‐５‐Ａしかし、その利便性は、同時に悪意ある者に対してネットワークを介して外部から組織内部へアクセスする手段さえも提供することになる。。
キーワード検討対象＝図５‐１‐３‐１‐５‐Ａその結果、盗聴・改ざん・なりすましといった不正アクセスのリスクが想定される。。
キーワード検討対象＝図５‐１‐３‐１‐５‐Ｂエクストラネットなどのネットワーク技術の環境変化は、企業活動に経営戦略上の利便性をもたらしている。。
キーワード検討対象＝図５‐１‐３‐１‐５‐Ｂそれは、コミュニケーションツールとしての電子メールの活用など、ネットワーク技術の利活用によって、場所や時間・距離に関係なく、必要なときに情報の収集・提供を円滑に行うことを可能にしている。。
キーワード検討対象＝図５‐１‐３‐１‐５‐Ｂしかし、その利便性は、同時に悪意ある者に対してネットワークを介して外部から組織内部へアクセスする手段さえも提供することになる。。
キーワード検討対象＝図５‐１‐３‐１‐５‐Ｂその結果、盗聴・改ざん・なりすましといった不正アクセスのリスクが想定される。。
出題の説明文に沿って解答するために、キーワードとキーワード検討対象に従って、受信配信型試験システムの（答案書取追加手段、）答案書取削除手段が、答案、書取答案の答案書取を（追加、）削除すると、（設問イエクストラネットなどのネットワ・・・については設問イ図５‐１‐３‐１‐５‐Ａ経営戦略上のが使用されていない文、語句、名称（含む名称）と設問イ図５‐１‐３‐１‐５‐Ｂ経営戦略上のが使用されている文、語句、名称（含む名称）を書取表示選択対象に有効追加後、）設問イエクストラネットなどのネットワ・・・略上の利便性をもたらしている。については設問イ図５‐１‐３‐１‐５‐Ａ経営戦略上のが使用されていない文、語句、名称（含む名称）を書取表示選択対象から無効削除する。
続いて、答案、書取答案の答案書取を受信配信型試験システムの選択手段が選択すると、設問イエクストラネットなどのネットワ・・・については設問イ図５‐１‐３‐１‐５‐Ｂエクストラネットなどのネットワ・・・（設問イそれは、コミュニケーションツー・・・については設問イ図５‐１‐３‐１‐５‐Ｂそれは、コミュニケーションツー・・・ではなく設問イ図５‐１‐３‐１‐５‐Ａそれは、コミュニケーションツー・・・としても可）を書取表示選択する。
書き取り実施後
設問イ
図６‐１‐３‐１‐５
６．設問に沿って解答するため
実施例１答案書き取り追加、修正、削除及び選択、書き換え、調整実施例の一つ
設問ア
キーワード＝800字以内で述べよ。
キーワード検討対象＝図５‐１‐３‐１‐６‐Ａ１そして、会議時間の短縮や交通費などの削減を目的として、従来時間をかけて人の移動などで実施されていた会議の開催を、エクストラネットの利用による電子会議で実施されるように変化すると思われる。。
キーワード検討対象＝図５‐１‐３‐１‐６‐Ｂ１そして、会議時間の短縮や交通費などの削減を目的として、従来時間をかけて人の移動などで実施されていた会議の開催を、電子会議で実施されるように変化すると思われる。。
設問イ
キーワード＝リスク。
キーワード検討対象＝図５‐１‐３‐１‐６‐Ａ２その結果、盗聴・改ざん・なりすましといった不正アクセスが想定される。。
キーワード検討対象＝図５‐１‐３‐１‐６‐Ｂ２その結果、盗聴・改ざん・なりすましといった不正アクセスのリスクが想定される。。
設問ア
設問に沿って解答するために、キーワードとキーワード検討対象に従って、受信配信型試験システムの（答案書取追加手段、）答案書取削除手段が、答案、書取答案の答案書取を（追加、）削除すると、（設問アそして、会議時間の短縮や交通費・・・については設問ア図５‐１‐３‐１‐６‐Ａ１エクストラネットの利用によるが使用されている文、語句、名称（含む数字）と設問ア図５‐１‐３‐１‐６‐Ｂ１エクストラネットの利用によるが使用されていない文、語句、名称（含む数字）を書取表示選択対象に有効追加後、）設問ア図５‐１‐３‐１‐６‐Ａ１エクストラネットの利用によるが使用されている文、語句、名称（含む数字）を書取表示選択対象から無効削除する。
続いて、答案、書取答案の答案書取を受信配信型試験システムの選択手段が選択すると、設問アそして、会議時間の短縮や交通費・・・については設問ア図５‐１‐３‐１‐６‐Ｂ１そして、会議時間の短縮や交通費・・・を書取表示選択する。
設問イ
設問に沿って解答するために、キーワードとキーワード検討対象に従って、受信配信型試験システムの（答案書取追加手段、）答案書取削除手段が、答案、書取答案の答案書取を（追加、）削除すると、設問イその結果、盗聴・改ざん・なりす・・・については設問ア図５‐１‐３‐１‐６‐Ａ２のリスクが使用されていない文、語句、名称（含む数字）と設問ア図５‐１‐３‐１‐６‐Ｂ２のリスクが使用されている文、語句、名称（含む数字）を書取表示選択対象に有効追加後、）設問ア図５‐１‐３‐１‐６‐Ａ２のリスクが使用されていない文、語句、名称（含む数字）を書取表示選択対象から無効削除する。
続いて、答案、書取答案の答案書取を受信配信型試験システムの選択手段が選択すると、設問イその結果、盗聴・改ざん・なりす・・・については設問イ図５‐１‐３‐１‐６‐Ｂ２その結果、盗聴・改ざん・なりす・・・を書取表示選択する。
設問ア
書き取り実施後
設問ア
図６‐１‐３‐１‐６‐１
設問イ
書き取り実施後
設問イ
図６‐１‐３‐１‐６‐２
３、２  文章中で使用されている文や語句、名称（含む数字）を書き換える技術・技法（Ｌａｂｅｌ．Ｔｅｘｔ）で答案、書取答案の答案書取
１．指定制限字数内に書くため
実施例１答案書き取り追加、修正、削除及び選択、書き換え、調整実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワード検討対象＝図５‐１‐３‐２‐１‐Ａまた、そのコントロールの評価の根拠となる無資格者による情報システムの利用や特定のファイルへの偏った利用、異常な回数の利用、異常な時刻での利用などを調査するためのアクセスログを入手することを監査ポイントとする。。
キーワード検討対象＝図５‐１‐３‐２‐１‐Ａまた、そのログを入手するに当たって、調査するのに必要な情報を取得できる監査プログラムを選択・評価することを監査ポイントとする。。
指定制限字数内に書くために、キーワードとキーワード検討対象に従って、受信配信型試験システムの答案書取修正手段が、答案、書取答案の答案書取を修正すると、設問ウまた、そのコントロールの評価の・・・については設問ウ図５‐１‐３‐２‐１‐Ａまた、そのコントロールの評価の根拠となる無資格者による情報システムの利用や特定のファイルへの偏った利用、異常な回数の利用、異常な時刻での利用などを調査するためのアクセスログを入手することを監査ポイントとする。の異常な回数の利用、異常な時刻での利用の部分を異常な回数や時刻での利用に書き取り修正（含むアジャスト修正）する。
続いて、答案、書取答案の答案書取を受信配信型試験システムの書換手段が書き換えすると、設問ウまた、そのコントロールの評価の・・・については設問ウ図６‐１‐３‐２‐１また、そのコントロールの評価の・・・に書き換えする。
書き取り実施後        
設問ウ
図６‐１‐３‐２‐１
２．はっきりした字で書くため
実施例１答案書き取り追加、修正、削除及び選択、書き換え、調整実施例の一つ
キーワード＝はっきりした字。
キーワード検討対象＝図５‐１‐３‐２‐２‐Ａまた、そのログを入手するを当たって、調査するのを必要な情報を取得できる鑑査プログラムを選択・評価することを鑑査ポイントとする。。
はっきりした字で書くために、キーワードとキーワード検討対象に従って、受信配信型試験システムの答案書取修正手段が、答案、書取答案の答案書取を修正すると、設問ウまた、そのログを入手するに当た・・・については設問ウ図５‐１‐３‐２‐２‐Ａまた、そのログを入手するを当たって、調査するのを必要な情報を取得できる鑑査プログラムを選択・評価することを鑑査ポイントとする。のをの部分をにに書き取り修正（含むアジャスト修正）する。
続いて、答案、書取答案の答案書取を受信配信型試験システムの書換手段が書き換えすると、設問ウまた、そのログを入手するに当た・・・については設問ウ図６‐１‐３‐２‐２また、そのログを入手するに当た・・・に書き換えする。
書き取り実施後
設問ウ
図６‐１‐３‐２‐２
３．きれいに書くため
実施例１答案書き取り追加、修正、削除及び選択、書き換え、調整実施例の一つ
キーワード＝きれいに書きこと。
キーワード検討対象＝図５‐１‐３‐２‐３‐Ａまた、そのコントロールの評価の根拠となる無資格者による情報システムの利用や特定のファイルへの偏った利用、異常な回数の利用、異常な時刻での利用などを調査するためのアクセスログを入手することを監査ポイントとする。。
キーワード検討対象＝図５‐１‐３‐２‐３‐Ａまた、そのログを入手するに当たって、調査するのに必要な情報を取得できる監査プログラムを選択・評価することを監査ポイントとする。。
きれいに書くために、キーワードとキーワード検討対象に従って、受信配信型試験システムの答案書取修正手段が、答案、書取答案の答案書取を修正すると、設問ウまた、そのコントロールの評価の・・・については設問ウ図５‐１‐３‐２‐３‐Ａまた、そのコントロールの評価の根拠となる無資格者による情報システムの利用や特定のファイルへの偏った利用、異常な回数の利用、異常な時刻での利用などを調査するためのアクセスログを入手することを監査ポイントとする。の異常な回数の利用、異常な時刻での利用の部分を異常な回数や時刻での利用に書き取り修正（含むアジャスト修正）する。
続いて、答案、書取答案の答案書取を受信配信型試験システムの書換手段が書き換えすると、設問ウまた、そのコントロールの評価の・・・については設問ウ図６‐１‐３‐２‐３また、そのコントロールの評価の・・・に書き換えする。
書き取り実施後
設問ウ
図６‐１‐３‐２‐３
４．頭書きの出題タイトルに沿って解答するため
実施例１答案書き取り追加、修正、削除及び選択、書き換え、調整実施例の一つ
キーワード＝監査対象領域。
キーワード検討対象＝図５‐１‐３‐２‐４‐Ａ監査範囲とする。
頭書きの出題タイトルに沿って解答するために、キーワードとキーワード検討対象に従って、受信配信型試験システムの答案書取修正手段が、答案、書取答案の答案書取を修正すると、設問イ監査範囲とする。については設問イ図５‐１‐３‐２‐４‐Ａ監査範囲の部分を監査対象領域に書き取り修正（含むアジャスト修正）する。
続いて、答案、書取答案の答案書取を受信配信型試験システムの書換手段が書き換えすると、設問イ監査対象領域とする。については設問イ図６‐１‐３‐２‐４監査対象領域とする。に書き換えする。
書き取り実施後
設問イ
図６‐１‐３‐２‐４
５．出題の説明文に沿って解答するため
実施例１答案書き取り追加、修正、削除及び選択、書き換え、調整実施例の一つ
キーワード＝監査対象領域。
キーワード検討対象＝図５‐１‐３‐２‐５‐Ａ監査範囲とする。。
出題の説明文に沿って解答するために、キーワードとキーワード検討対象に従って、受信配信型試験システムの答案書取修正手段が、答案、書取答案の答案書取を修正すると、設問イ監査範囲とする。については設問イ図５‐１‐３‐２‐５‐Ａ監査範囲の部分を監査対象領域に書き取り修正（含むアジャスト修正）する。
続いて、答案、書取答案の答案書取を受信配信型試験システムの書換手段が書き換えすると、設問イ監査対象領域とする。については設問イ図６‐１‐３‐２‐５監査対象領域とする。に書き換えする。
書き取り実施後
設問イ
図６‐１‐３‐２‐５
６．設問に沿って解答するため
実施例１答案書き取り追加、修正、削除及び選択、書き換え、調整実施例の一つ
設問ア
キーワード＝800字以内で述べよ。
キーワード検討対象＝図５‐１‐３‐２‐６‐Ａ１そして、会議時間の短縮や交通費などの削減を目的として、従来時間をかけて人の移動などで実施されていた会議の開催を、エクストラネットの利用による電子会議で実施されるように変化すると思われる。。
設問イ
キーワード＝監査対象領域。
キーワード検討対象＝図５‐１‐３‐２‐６‐Ａ２監査範囲とする。。
設問ア
設問に沿って解答するために、キーワードとキーワード検討対象に従って、受信配信型試験システムの答案書取修正手段が、答案、書取答案の答案書取を修正すると、設問アそして、会議時間の短縮や交通費・・・については設問ア図５‐１‐３‐２‐６‐Ａ１エクストラネットの利用によるの部分をエクストラネット上のに書き取り修正（含むアジャスト修正）する。
続いて、答案、書取答案の答案書取を受信配信型試験システムの書換手段が書き換えすると、設問アそして、会議時間の短縮や交通費・・・については設問ア図６‐１‐３‐２‐６‐１そして、会議時間の短縮や交通費・・・に書き換えする。
設問イ
設問に沿って解答するために、キーワードとキーワード検討対象に従って、受信配信型試験システムの答案書取修正手段が、答案、書取答案の答案書取を修正すると、設問イ監査範囲とする。については設問イ図５‐１‐３‐２‐６‐Ａ２監査範囲の部分を監査対象領域に書き取り修正（含むアジャスト修正）する。
続いて、答案、書取答案の答案書取を受信配信型試験システムの書換手段が書き換えすると、設問イ監査対象領域とする。については設問イ図６‐１‐３‐２‐６‐２監査対象領域とする。に書き換えする。
設問ア
書き取り実施後
設問ア
図６‐１‐３‐２‐６‐１
設問イ
書き取り実施後
設問イ
図６‐１‐３‐２‐６‐２
３、３  文章中で使用されている文や語句、名称（含む数字）に使用する解答字数を調整する技術・技法（Ｌａｂｅｌ．Ｗｉｄｔｈ）で答案、書取答案の答案書取
１．指定制限字数内に書くため
実施例１答案書き取り追加、修正、削除及び選択、書き換え、調整実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワード検討対象＝図５‐１‐３‐３‐１‐Ａ（３）その他社会的基盤となったネットワークとの関係。
指定制限字数内に書くために、キーワードとキーワード検討対象に従って、受信配信型試験システムの答案書取修正手段が、答案、書取答案の答案書取を修正すると、設問ウ（３）その他社会的基盤となったネットワークとの関係については設問ウ図５‐１‐３‐３‐１‐Ａ解答の一行当たりに使用する解答字数２４を２５に修正（含むアジャスト修正）する。
続いて、答案、書取答案の答案書取を受信配信型試験システムの調整手段が調整すると、設問ウ（３）その他社会的基盤となったネットワークとの関係については設問ウ図６‐１‐３‐３‐１（３）その他社会的基盤となったネットワークとの関係に調整する。
書き取り実施後        
設問ウ
図６‐１‐３‐３‐１
３．きれいに書くため
実施例１答案書き取り追加、修正、削除及び選択、書き換え、調整実施例の一つ
キーワード＝きれいに書きこと。
キーワード検討対象＝図５‐１‐３‐３‐３‐Ａ（３）その他社会的基盤となったネットワークとの関係。
きれいに書くために、キーワードとキーワード検討対象に従って、受信配信型試験システムの答案書取修正手段が、答案、書取答案の答案書取を修正すると、設問ウ（３）その他社会的基盤となったネットワークとの関係については設問ウ図５‐１‐３‐３‐３‐Ａ解答の一行当たりに使用する解答字数２４を２５に修正（含むアジャスト修正）する。
続いて、答案、書取答案の答案書取を受信配信型試験システムの調整手段が調整すると、設問ウ（３）その他社会的基盤となったネットワークとの関係については設問ウ図６‐１‐３‐３‐３（３）その他社会的基盤となったネットワークとの関係に調整する。
書き取り実施後
設問ウ
図６‐１‐３‐３‐３
６．設問に沿って解答するため
実施例１答案書き取り追加、修正、削除及び選択、書き換え、調整実施例の一つ
設問ア
キーワード＝800字以内で述べよ。
キーワード検討対象＝図５‐１‐３‐３‐６‐Ａ（２）変化した又は今後変化すると思われる点について。
設問ア
設問に沿って解答するために、キーワードとキーワード検討対象に従って、受信配信型試験システムの答案書取修正手段が、答案、書取答案の答案書取を修正すると、設問ア（２）変化した又は今後変化すると思われる点についてについては設問ア図５‐１‐３‐３‐６‐Ａ解答の一行当たりに使用する解答字数２４を２５に修正（含むアジャスト修正）する。
続いて、答案、書取答案の答案書取を受信配信型試験システムの調整手段が調整すると、設問ア（２）変化した又は今後変化すると思われる点についてについては設問ア図６‐１‐３‐３‐６（２）変化した又は今後変化すると思われる点についてに調整する。
設問ア
書き取り実施後
設問ア
図６‐１‐３‐３‐６
３、４  文章中で使用されている文や語句、名称（含む数字）の開始行を調整する技術・技法（Ｌａｂｅｌ．Ｔｏｐ）で答案、書取答案の答案書取
１．指定制限字数内に書くため
実施例１答案書き取り追加、修正、削除及び選択、書き換え、調整実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワード検討対象＝図５‐１‐３‐４‐１‐Ａ。
指定制限字数内に書くために、キーワードとキーワード検討対象に従って、受信配信型試験システムの答案書取修正手段が、答案、書取答案の答案書取を修正すると、設問ウ（３）その他のネットワークとの関係以降の解答については設問ウ図５‐１‐３‐４‐１‐Ａ（３）その他のネットワークとの関係以降の解答の開始行を２行繰り上げするように修正（含むアジャスト修正）する。
続いて、答案、書取答案の答案書取を受信配信型試験システムの調整手段が調整すると、設問ウ（３）その他のネットワークとの関係以降の解答については設問ウ図６‐１‐３‐４‐１（３）その他のネットワークとの関係以降の解答に調整する。
書き取り実施後
設問ウ
図６‐１‐３‐４‐１
３．きれいに書くため
実施例１答案書き取り追加、修正、削除及び選択、書き換え、調整実施例の一つ
キーワード＝きれいに書きこと。
キーワード検討対象＝図５‐１‐３‐４‐３‐Ａ。
きれいに書くために、キーワードとキーワード検討対象に従って、受信配信型試験システムの答案書取修正手段が、答案、書取答案の答案書取を修正すると、設問ウ（３）その他のネットワークとの関係以降の解答については設問ウ図５‐１‐３‐４‐３‐Ａ（３）その他のネットワークとの関係以降の解答の開始行を２行繰り下げするように修正（含むアジャスト修正）する。
続いて、答案、書取答案の答案書取を受信配信型試験システムの調整手段が調整すると、設問ウ（３）その他のネットワークとの関係以降の解答については設問ウ図６‐１‐３‐４‐３（３）その他のネットワークとの関係以降の解答に調整する。
書き取り実施後
設問ウ
図６‐１‐３‐４‐３
４．頭書きの出題タイトルに沿って解答するため
実施例１答案書き取り追加、修正、削除及び選択、書き換え、調整実施例の一つ
頭書きの出題タイトルを、情報システムを取り巻く環境変化を踏まえた監査対象領域の選定についてではなく、他企業との連携や一般市民とのコミュニケーションなどを踏まえた監査対象領域の選定についてであると仮定する。
キーワード＝他企業との連携や一般市民とのコミュニケーション。
キーワード検討対象＝図５‐１‐３‐４‐４‐Ａ。。
頭書きの出題タイトルに沿って解答するために、キーワードとキーワード検討対象に従って、受信配信型試験システムの答案書取修正手段が、答案、書取答案の答案書取を修正すると、設問イ（Ｘ）一般市民とのコミュニケーション以降の解答、（＊）他企業との連携以降の解答については設問イ図５‐１‐３‐４‐４‐Ａ（Ｘ）一般市民とのコミュニケーション以降の解答の開始行を１３行繰り下げ、（＊）他企業との連携以降の解答の開始行を１３行繰り上げするように修正（含むアジャスト修正）する。
続いて、答案、書取答案の答案書取を受信配信型試験システムの調整手段が調整すると、設問イ（＊）他企業との連携以降の解答、（Ｘ）一般市民とのコミュニケーション以降の解答については設問イ図６‐１‐３‐４‐４（＊）他企業との連携以降の解答、（Ｘ）一般市民とのコミュニケーション以降の解答に調整する。
書き取り実施後
設問イ
図６‐１‐３‐４‐４
５．出題の説明文に沿って解答するため
実施例１答案書き取り追加、修正、削除及び選択、書き換え、調整実施例の一つ
キーワード＝他企業の情報システムとの連携や、更には広く一般市民を含めたコミュニケーション。
キーワード検討対象＝図５‐１‐３‐４‐５‐Ａ。
出題の説明文に沿って解答するために、キーワードとキーワード検討対象に従って、受信配信型試験システムの答案書取修正手段が、答案、書取答案の答案書取を修正すると、設問イ（Ｘ）一般市民とのコミュニケーション以降の解答、（＊）他企業との連携以降の解答については設問イ図５‐１‐３‐４‐５‐Ａ（Ｘ）一般市民とのコミュニケーション以降の解答の開始行を１３行繰り下げ、（＊）他企業との連携以降の解答の開始行を１３行繰り上げするように修正（含むアジャスト修正）する。
続いて、答案、書取答案の答案書取を受信配信型試験システムの調整手段が調整すると、設問イ（＊）他企業との連携以降の解答、（Ｘ）一般市民とのコミュニケーション以降の解答については設問イ図６‐１‐３‐４‐５（＊）他企業との連携以降の解答、（Ｘ）一般市民とのコミュニケーション以降の解答に調整する。
書き取り実施後
設問イ
図６‐１‐３‐４‐５
６．設問に沿って解答するため
実施例１答案書き取り追加、修正、削除及び選択、書き換え、調整実施例の一つ
設問ア
キーワード＝800字以内で述べよ。
キーワード検討対象＝図５‐１‐３‐４‐６‐Ａ１。
設問イ
キーワード＝他企業の情報システムとの連携や、一般市民とのコミュニケーション。
キーワード検討対象＝図５‐１‐３‐４‐６‐Ａ２。
設問ア
設問に沿って解答するために、キーワードとキーワード検討対象に従って、受信配信型試験システムの答案書取修正手段が、答案、書取答案の答案書取を修正すると、設問ア（２）変化した、又は今後変化すると思われる点以降の解答については設問ア図５‐１‐３‐４‐６‐Ａ１（２）変化した、又は今後変化すると思われる点以降の解答の開始行を２行繰り上げするように修正（含むアジャスト修正）する。
続いて、答案、書取答案の答案書取を受信配信型試験システムの調整手段が調整すると、設問ア（２）変化した、又は今後変化すると思われる点以降の解答については設問ア図６‐１‐３‐４‐６‐１（２）変化した、又は今後変化すると思われる点以降の解答に調整する。
設問イ
設問に沿って解答するために、キーワードとキーワード検討対象に従って、受信配信型試験システムの答案書取修正手段が、答案、書取答案の答案書取を修正すると、設問イ（Ｘ）一般市民とのコミュニケーション以降の解答、（＊）他企業との連携以降の解答については設問イ図５‐１‐３‐４‐６‐Ａ２（Ｘ）一般市民とのコミュニケーション以降の解答の開始行を１３行繰り下げ、（＊）他企業との連携以降の解答の開始行を１３行繰り上げするように修正（含むアジャスト修正）する。
続いて、答案、書取答案の答案書取を受信配信型試験システムの調整手段が調整すると、設問イ（＊）他企業との連携以降の解答、（Ｘ）一般市民とのコミュニケーション以降の解答については設問イ図６‐１‐３‐４‐６‐２（＊）他企業との連携以降の解答、（Ｘ）一般市民とのコミュニケーション以降の解答に調整する。
設問ア
書き取り実施後
設問ア
図６‐１‐３‐４‐６‐１
設問イ
書き取り実施後
設問イ
図６‐１‐３‐４‐６‐２
３、５  文章中で使用されている文や語句、名称（含む数字）の行の開始解答位置を調整する技術・技法（Ｌａｂｅｌ．Ｌｅｆｔ）で答案、書取答案の答案書取
１．指定制限字数内に書くため
実施例１答案書き取り追加、修正、削除及び選択、書き換え、調整実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワード検討対象＝図５‐１‐３‐５‐１‐Ａ（３）その他社会的基盤となったネットワークとの関係。
指定制限字数内に書くために、キーワードとキーワード検討対象に従って、受信配信型試験システムの答案書取修正手段が、答案、書取答案の答案書取を修正すると、設問ウ（３）その他社会的基盤となったネットワークとの関係については設問ウ図５‐１‐３‐５‐１‐Ａ解答の行の開始解答位置２列目（マス目）を１列目（マス目）に修正（含むアジャスト修正）する。
続いて、答案、書取答案の答案書取を受信配信型試験システムの調整手段が調整すると、設問ウ（３）その他社会的基盤となったネットワークとの関係については設問ウ図６‐１‐３‐５‐１（３）その他社会的基盤となったネットワークとの関係に調整する。
書き取り実施後
設問ウ
図６‐１‐３‐５‐１
３．きれいに書くため
実施例１答案書き取り追加、修正、削除及び選択、書き換え、調整実施例の一つ
キーワード＝きれいに書きこと。
キーワード検討対象＝図５‐１‐３‐５‐３‐Ａ（３）その他社会的基盤となったネットワークとの関係。
きれいに書くために、キーワードとキーワード検討対象に従って、受信配信型試験システムの答案書取修正手段が、答案、書取答案の答案書取を修正すると、設問ウ（３）その他社会的基盤となったネットワークとの関係については設問ウ図５‐１‐３‐５‐３‐Ａ解答の行の開始解答位置２列目（マス目）を１列目（マス目）に修正（含むアジャスト修正）する。
続いて、答案、書取答案の答案書取を受信配信型試験システムの調整手段が調整すると、設問ウ（３）その他社会的基盤となったネットワークとの関係については設問ウ図６‐１‐３‐５‐３（３）その他社会的基盤となったネットワークとの関係に調整する。
書き取り実施後
設問ウ
図６‐１‐３‐５‐３
４．頭書きの出題タイトルに沿って解答するため
頭書きの出題タイトルを、情報システムを取り巻く環境変化を踏まえた監査対象領域の選定についてではなく、他企業との連携や一般市民とのコミュニケーションなどを踏まえた監査対象領域の選定についてであると仮定する。
実施例１答案書き取り追加、修正、削除及び選択、書き換え、調整実施例の一つ
キーワード＝他企業との連携や一般市民とのコミュニケーション。
キーワード検討対象＝図５‐１‐３‐５‐４‐Ａ一般市民とのコミュニケーション。
キーワード検討対象＝図５‐１‐３‐５‐４‐Ａや、。
キーワード検討対象＝図５‐１‐３‐５‐４‐Ａ他企業との情報システムの連携。
頭書きの出題タイトルに沿って解答するために、キーワードとキーワード検討対象に従って、受信配信型試験システムの答案書取修正手段が、答案、書取答案の答案書取を修正すると、設問イ一般市民とのコミュニケーション、や、、他企業との情報システムの連携ついては設問イ図５‐１‐３‐５‐４‐Ａ他企業との情報システムの連携の解答の行の開始解答位置を１７列（マス）前、や、の解答の行の開始解答位置を他企業との情報システムの連携の後の列（マス目）に修正（含むアジャスト修正）する。
続いて、答案、書取答案の答案書取を受信配信型試験システムの調整手段が調整すると、設問イ他企業との情報システムの連携、や、、一般市民とのコミュニケーションについては設問イ図６‐１‐３‐５‐４他企業との情報システムの連携、や、、一般市民とのコミュニケーションに調整する。
書き取り実施後
設問イ
図６‐１‐３‐５‐４
５．出題の説明文に沿って解答するため
実施例１答案書き取り追加、修正、削除及び選択、書き換え、調整実施例の一つ
キーワード＝他企業の情報システムとの連携や、更には広く一般市民を含めたコミュニケーション。
キーワード検討対象＝図５‐１‐３‐５‐５‐Ａ一般市民とのコミュニケーション。
キーワード検討対象＝図５‐１‐３‐５‐５‐Ａや、。
キーワード検討対象＝図５‐１‐３‐５‐５‐Ａ他企業との情報システムの連携。
出題の説明文に沿って解答するために、キーワードとキーワード検討対象に従って、受信配信型試験システムの答案書取修正手段が、答案、書取答案の答案書取を修正すると、設問イ一般市民とのコミュニケーション、や、、他企業との情報システムの連携ついては設問イ図５‐１‐３‐５‐５‐Ａ他企業との情報システムの連携の解答の行の開始解答位置を１７列（マス）前、や、の解答の行の開始解答位置を他企業との情報システムの連携の後の列（マス目）に修正（含むアジャスト修正）する。
続いて、答案、書取答案の答案書取を受信配信型試験システムの調整手段が調整すると、設問イ他企業との情報システムの連携、や、、一般市民とのコミュニケーションについては設問イ図６‐１‐３‐５‐５他企業との情報システムの連携、や、、一般市民とのコミュニケーションに調整する。
書き取り実施後
設問イ
図６‐１‐３‐５‐５
６．設問に沿って解答するため
実施例１答案書き取り追加、修正、削除及び選択、書き換え、調整実施例の一つ
設問ア
キーワード＝800字以内で述べよ。
キーワード検討対象＝図５‐１‐３‐５‐６‐Ａ１（２）変化した又は今後変化すると思われる点について。
設問イ
キーワード＝他企業の情報システムとの連携や、一般市民とのコミュニケーション。
キーワード検討対象＝図５‐１‐３‐５‐６‐Ａ２一般市民とのコミュニケーション。
キーワード検討対象＝図５‐１‐３‐５‐６‐Ａ２や、。
キーワード検討対象＝図５‐１‐３‐５‐６‐Ａ２他企業との情報システムの連携。
設問ア
設問に沿って解答するために、キーワードとキーワード検討対象に従って、受信配信型試験システムの答案書取修正手段が、答案、書取答案の答案書取を修正すると、設問ア（２）変化した又は今後変化すると思われる点についてについては設問ア図５‐１‐３‐５‐６‐Ａ１解答の行の開始解答位置２列目（マス目）を１列目（マス目）に修正（含むアジャスト修正）する。
続いて、答案、書取答案の答案書取を受信配信型試験システムの調整手段が調整すると、設問ア（２）変化した又は今後変化すると思われる点についてについては設問ア図６‐１‐３‐５‐６‐１（２）変化した又は今後変化すると思われる点についてに調整する。
設問イ
設問に沿って解答するために、キーワードとキーワード検討対象に従って、受信配信型試験システムの答案書取修正手段が、答案、書取答案の答案書取を修正すると、設問イ一般市民とのコミュニケーション、や、、他企業との情報システムの連携ついては設問イ図５‐１‐３‐５‐６‐Ａ２他企業との情報システムの連携の解答の行の開始解答位置を１７列（マス）前、や、の解答の行の開始解答位置を他企業との情報システムの連携の後の列（マス目）に修正（含むアジャスト修正）する。
続いて、答案、書取答案の答案書取を受信配信型試験システムの調整手段が調整すると、設問イ他企業との情報システムの連携、や、、一般市民とのコミュニケーションについては設問イ図６‐１‐３‐５‐６‐２他企業との情報システムの連携、や、、一般市民とのコミュニケーションに調整する。
設問ア
書き取り実施後
設問ア
図６‐１‐３‐５‐６‐１
設問イ
書き取り実施後
設問イ
図６‐１‐３‐５‐６‐２
３、６  文章中で使用されている文や語句、名称（含む数字）に使用するサイズや太さや下線付きなどのフォントを調整する技術・技法（Ｌａｂｅｌ．Ｆｏｎｔ）で書き取り抽出するキーワード検討対象
１．指定制限字数内に書くため
実施例１答案書き取り追加、修正、削除及び選択、書き換え、調整実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワード検討対象＝図５‐１‐３‐６‐１‐Ａｉｎｄｏｗｓ。
指定制限字数内に書くために、キーワードとキーワード検討対象に従って、受信配信型試験システムの答案書取修正手段が、答案、書取答案の答案書取を修正すると、設問ウｉｎｄｏｗｓについては設問ウ図５‐１‐３‐６‐１‐Ａｉｎｄｏｗｓの部分をindowsに修正（含むアジャスト修正）する。
続いて、答案、書取答案の答案書取を受信配信型試験システムの調整手段が調整すると、設問ウindowsについては設問ウ図６‐１‐３‐６‐１indowsに調整する。
書き取り実施後
設問ウ
図６‐１‐３‐６‐１
２．はっきりした字で書くため
実施例１答案書き取り追加、修正、削除及び選択、書き換え、調整実施例の一つ
キーワード＝はっきりした字。
キーワード＝監査ポイント。
キーワード検討対象＝図５‐１‐３‐６‐２‐Ａ監  ポ  ン  。
はっきりした字で書くために、キーワードとキーワード検討対象に従って、受信配信型試験システムの答案書取修正手段が、答案、書取答案の答案書取を修正すると、設問ウ監  ポ  ン  については設問ウ図５‐１‐３‐６‐２‐Ａ監  ポ  ン  の部分を監査ポイントに修正（含むアジャスト修正）する。
続いて、答案、書取答案の答案書取を受信配信型試験システムの調整手段が調整すると、設問ウ監査ポイントについては設問ウ図６‐１‐３‐６‐２監査ポイントに調整する。
書き取り実施後
設問ウ
図６‐１‐３‐６‐２
３．きれいに書くため
実施例１答案書き取り追加、修正、削除及び選択、書き換え、調整実施例の一つ
キーワード＝きれいに書きこと。
キーワード検討対象＝図５‐１‐３‐６‐３‐Ａｉｎｄｏｗｓ。
きれいに書くために、キーワードとキーワード検討対象に従って、受信配信型試験システムの答案書取修正手段が、答案、書取答案の答案書取を修正すると、設問ウｉｎｄｏｗｓについては設問ウ図５‐１‐３‐６‐３‐Ａｉｎｄｏｗｓの部分をindowsに修正（含むアジャスト修正）する。
続いて、答案、書取答案の答案書取を受信配信型試験システムの調整手段が調整すると、設問ウindowsについては設問ウ図６‐１‐３‐６‐３indowsに調整する。
書き取り実施後
設問ウ
図６‐１‐３‐６‐３
６．設問に沿って解答するため
実施例１答案書き取り追加、修正、削除及び選択、書き換え、調整実施例の一つ
設問ア
キーワード＝800字以内で述べよ。
キーワード検討対象＝図５‐１‐３‐６‐６‐Ａｉｎｄｏｗｓ。
設問ア
設問に沿って解答するために、キーワードとキーワード検討対象に従って、受信配信型試験システムの答案書取修正手段が、答案、書取答案の答案書取を修正すると、設問アｉｎｄｏｗｓについては設問ア図５‐１‐３‐６‐６‐Ａｉｎｄｏｗｓの部分をindowsに修正（含むアジャスト修正）する。
続いて、答案、書取答案の答案書取を受信配信型試験システムの調整手段が調整すると、設問アindowsについては設問ア図６‐１‐３‐６‐６indowsに調整する。
設問ア
書き取り実施後
設問ア
図６‐１‐３‐６‐６
３、７  解答の文や語句、名称（含む数字）に使用するキーワードを抽出して、文章中で使用されている文や語句、名称（含む数字）にキーワードを使用したものを選択する技術・技法（Ｌａｂｅｌの新アイデア１（検索））で答案、書取答案の答案書取
ａ．問題文の趣旨に沿って解答するため
実施例１答案書き取り追加、修正、削除及び選択、書き換え、調整実施例の一つ
最近の問題（例、平成１２年度）の場合
キーワード＝問題文の趣旨に沿って解答すること。
キーワード＝監査対象領域。
キーワード検討対象＝図５‐１‐３‐７‐ａ‐Ａそこで、なりすましなどによって侵入する不正アクセスをゲートウェイレベルで駆逐するファイアウォール導入、不正アクセス防止のためのワンタイムパスワード製品の使用など、セキュリティ対策を監査手続とする。。
キーワード検討対象＝図５‐１‐３‐７‐ａ‐Ｂそこで、なりすましなどによって侵入する不正アクセスをゲートウェイレベルで駆逐するファイアウォール導入、不正アクセス防止のためのワンタイムパスワード製品の使用など、セキュリティ対策を監査対象領域とする。。
問題文の趣旨に沿って解答するために、キーワードとキーワード検討対象に従って、受信配信型試験システムの（答案書取追加手段、）答案書取削除手段が、答案、書取答案の答案書取を（追加、）削除すると、設問イそこで、なりすましなどによって・・・については（設問イ図５‐１‐３‐７‐ａ‐Ａそこで、なりすましなどによって・・・とキーワード監査対象領域を使用（検索）した設問イ図５‐１‐３‐７‐ａ‐Ｂそこで、なりすましなどによって・・・を選択対象に有効追加後、）設問イ図５‐１‐３‐７‐ａ‐Ａそこで、なりすましなどによって・・・を選択対象から無効削除する。
続いて、答案、書取答案の答案書取を受信配信型試験システムの選択手段が選択すると、設問イそこで、なりすましなどによって・・・については設問イ図５‐１‐３‐７‐ａ‐Ｂそこで、なりすましなどによって・・・を選択する。
書き取り実施後
設問イ
図６‐１‐３‐７‐ａ
２．はっきりした字で書くため
実施例１答案書き取り追加、修正、削除及び選択、書き換え、調整実施例の一つ
キーワード＝はっきりした字。
キーワード＝監査。
キーワード検討対象＝図５‐１‐３‐７‐２‐Ａまた、そのログを入手するに当たって、調査するのに必要な情報を取得できる鑑査プログラムを選択・評価することを鑑査ポイントとする。。
キーワード検討対象＝図５‐１‐３‐７‐２‐Ｂまた、そのログを入手するに当たって、調査するのに必要な情報を取得できる監査プログラムを選択・評価することを監査ポイントとする。。
はっきりした字で書くために、キーワードとキーワード検討対象に従って、受信配信型試験システムの（答案書取追加手段、）答案書取削除手段が、答案、書取答案の答案書取を（追加、）削除すると、設問ウまた、そのログを入手するに当た・・・については（設問ウ図５‐１‐３‐７‐２‐Ａまた、そのログを入手するに当た・・・とキーワード監査を使用（検索）した設問ウ図５‐１‐３‐７‐２‐Ｂまた、そのログを入手するに当た・・・を選択対象に有効追加後、）設問ウ図５‐１‐３‐７‐２‐Ａまた、そのログを入手するに当た・・・を選択対象から無効削除する。
続いて、答案、書取答案の答案書取を受信配信型試験システムの選択手段が選択すると、設問ウまた、そのログを入手するに当た・・・については設問ウ図５‐１‐３‐７‐２‐Ｂまた、そのログを入手するに当た・・・を選択する。
書き取り実施後
設問ウ
図６‐１‐３‐７‐２
４．頭書きの出題タイトルに沿って解答するため
実施例１答案書き取り追加、修正、削除及び選択、書き換え、調整実施例の一つ
キーワード＝監査対象領域。
キーワード検討対象＝図５‐１‐３‐７‐４‐Ａそこで、なりすましなどによって侵入する不正アクセスをゲートウェイレベルで駆逐するファイアウォール導入、不正アクセス防止のためのワンタイムパスワード製品の使用など、セキュリティ対策を監査手続とする。。
キーワード検討対象＝図５‐１‐３‐７‐４‐Ｂそこで、なりすましなどによって侵入する不正アクセスをゲートウェイレベルで駆逐するファイアウォール導入、不正アクセス防止のためのワンタイムパスワード製品の使用など、セキュリティ対策を監査対象領域とする。。
頭書きの出題タイトルに沿って解答するために、キーワードとキーワード検討対象に従って、受信配信型試験システムの（答案書取追加手段、）答案書取削除手段が、答案、書取答案の答案書取を（追加、）削除すると、設問イそこで、なりすましなどによって・・・については（設問イ図５‐１‐３‐７‐４‐Ａそこで、なりすましなどによって・・・とキーワード監査対象領域を使用（検索）した設問イ図５‐１‐３‐７‐４‐Ｂそこで、なりすましなどによって・・・を選択対象に有効追加後、）設問イ図５‐１‐３‐７‐４‐Ａそこで、なりすましなどによって・・・を選択対象から無効削除する。
続いて、答案、書取答案の答案書取を受信配信型試験システムの選択手段が選択すると、設問イそこで、なりすましなどによって・・・については設問イ図５‐１‐３‐７‐４‐Ｂそこで、なりすましなどによって・・・を選択する。
書き取り実施後
設問イ
図６‐１‐３‐７‐４
５．出題の説明文に沿って解答するため
実施例１答案書き取り追加、修正、削除及び選択、書き換え、調整実施例の一つ
キーワード＝リスク。
キーワード検討対象＝図５‐１‐３‐７‐５‐Ａその結果、盗聴・改ざん・なりすましといった不正アクセスのウィルスが想定される。。
キーワード検討対象＝図５‐１‐３‐７‐５‐Ｂその結果、盗聴・改ざん・なりすましといった不正アクセスのリスクが想定される。。
出題の説明文に沿って解答するために、キーワードとキーワード検討対象に従って、受信配信型試験システムの（答案書取追加手段、）答案書取削除手段が、答案、書取答案の答案書取を（追加、）削除すると、設問イその結果、盗聴・改ざん・なりす・・・については（設問イ図５‐１‐３‐７‐５‐Ａその結果、盗聴・改ざん・なりす・・・とキーワードリスクを使用（検索）した設問イ図５‐１‐３‐７‐５‐Ｂその結果、盗聴・改ざん・なりす・・・を選択対象に有効追加後、）設問イ図５‐１‐３‐７‐５‐Ａその結果、盗聴・改ざん・なりす・・・を選択対象から無効削除する。
続いて、答案、書取答案の答案書取を受信配信型試験システムの選択手段が選択すると、設問イその結果、盗聴・改ざん・なりす・・・については設問イ図５‐１‐３‐７‐５‐Ｂその結果、盗聴・改ざん・なりす・・・を選択する。
書き取り実施後
設問イ
図６‐１‐３‐７‐５
６．設問に沿って解答するため
実施例１答案書き取り追加、修正、削除及び選択、書き換え、調整実施例の一つ
設問イ
キーワード＝リスク。
キーワード検討対象＝図５‐１‐３‐７‐６‐Ａその結果、盗聴・改ざん・なりすましといった不正アクセスのウィルスが想定される。。
キーワード検討対象＝図５‐１‐３‐７‐６‐Ｂその結果、盗聴・改ざん・なりすましといった不正アクセスのリスクが想定される。。
設問イ
出題の説明文に沿って解答するために、キーワードとキーワード検討対象に従って、受信配信型試験システムの（答案書取追加手段、）答案書取削除手段が、答案、書取答案の答案書取を（追加、）削除すると、設問イその結果、盗聴・改ざん・なりす・・・については（設問イ図５‐１‐３‐７‐６‐Ａその結果、盗聴・改ざん・なりす・・・とキーワードリスクを使用（検索）した設問イ図５‐１‐３‐７‐６‐Ｂその結果、盗聴・改ざん・なりす・・・を選択対象に有効追加後、）設問イ図５‐１‐３‐７‐６‐Ａその結果、盗聴・改ざん・なりす・・・を選択対象から無効削除する。
続いて、答案、書取答案の答案書取を受信配信型試験システムの選択手段が選択すると、設問イその結果、盗聴・改ざん・なりす・・・については設問イ図５‐１‐３‐７‐６‐Ｂその結果、盗聴・改ざん・なりす・・・を選択する。
設問イ
書き取り実施後
設問イ
図６‐１‐３‐７‐６
３、８  解答の文や語句、名称（含む数字）に使用するキーワードを抽出して、文章中で使用されている文や語句、名称（含む数字）にキーワードを使用したものを書き換え、調整する技術・技法（Ｌａｂｅｌの新アイデア２（置換））で答案、書取答案の答案書取
ａ．問題文の趣旨に沿って解答するため
実施例１答案書き取り追加、修正、削除及び選択、書き換え、調整実施例の一つ
最近の問題（例、平成１２年度）の場合
キーワード＝問題文の趣旨に沿って解答すること。
キーワード＝監査対象領域。
キーワード検討対象＝図５‐１‐３‐８‐ａ‐Ａそこで、なりすましなどによって侵入する不正アクセスをゲートウェイレベルで駆逐するファイアウォール導入、ウィルスをチェックするウィルス対策ソフトの導入、不正アクセス防止のためのワンタイムパスワード製品の使用など、セキュリティ対策を監査手続とする。。
問題文の趣旨に沿って解答するために、キーワードとキーワード検討対象に従って、受信配信型試験システムの答案書取修正手段が、答案、書取答案の答案書取を修正すると、設問イそこで、なりすましなどによって・・・については設問イ図５‐１‐３‐８‐ａ‐Ａ監査手続の部分をキーワード監査対象領域に書き取り修正（置換）（含むアジャスト修正）する。
続いて、答案、書取答案の答案書取を受信配信型試験システムの書換手段が書き換えすると、設問イそこで、なりすましなどによって・・・については設問イ図６‐１‐３‐８‐ａそこで、なりすましなどによって・・・に書き換えする。
書き取り実施後        
設問イ
図６‐１‐３‐８‐ａ
２．はっきりした字で書くため
実施例１答案書き取り追加、修正、削除及び選択、書き換え、調整実施例の一つ
キーワード＝はっきりした字。
キーワード＝監査。
キーワード検討対象＝図５‐１‐３‐８‐２‐Ａまた、そのログを入手するに当たって、調査するのに必要な情報を取得できる鑑査プログラムを選択・評価することを鑑査ポイントとする。。
はっきりした字で書くために、キーワードとキーワード検討対象に従って、受信配信型試験システムの答案書取修正手段が、答案、書取答案の答案書取を修正すると、設問ウまた、そのログを入手するに当た・・・については設問ウ図５‐１‐３‐８‐２‐Ａ鑑査の部分をキーワード監査に書き取り修正（置換）（含むアジャスト修正）する。
続いて、答案、書取答案の答案書取を受信配信型試験システムの書換手段が書き換えすると、設問ウまた、そのログを入手するに当た・・・については設問ウ図６‐１‐３‐８‐２また、そのログを入手するに当た・・・に書き換えする。
書き取り実施後
設問ウ
図６‐１‐３‐８‐２
４．頭書きの出題タイトルに沿って解答するため
実施例１答案書き取り追加、修正、削除及び選択、書き換え、調整実施例の一つ
キーワード＝監査対象領域。
キーワード検討対象＝図５‐１‐３‐８‐４‐Ａそこで、なりすましなどによって侵入する不正アクセスをゲートウェイレベルで駆逐するファイアウォール導入、ウィルスをチェックするウィルス対策ソフトの導入、不正アクセス防止のためのワンタイムパスワード製品の使用など、セキュリティ対策を監査手続とする。。
頭書きの出題タイトルに沿って解答するために、キーワードとキーワード検討対象に従って、受信配信型試験システムの答案書取修正手段が、答案、書取答案の答案書取を修正すると、設問イそこで、なりすましなどによって・・・については設問イ図５‐１‐３‐８‐４‐Ａ監査手続の部分をキーワード監査対象領域に書き取り修正（置換）（含むアジャスト修正）する。
続いて、答案、書取答案の答案書取を受信配信型試験システムの書換手段が書き換えすると、設問イそこで、なりすましなどによって・・・については設問イ図６‐１‐３‐８‐４そこで、なりすましなどによって・・・に書き換えする。
書き取り実施後
設問イ
図６‐１‐３‐８‐４
５．出題の説明文に沿って解答するため
実施例１答案書き取り追加、修正、削除及び選択、書き換え、調整実施例の一つ
キーワード＝リスク。
キーワード検討対象＝図５‐１‐３‐８‐５‐Ａその結果、盗聴・改ざん・なりすましといった不正アクセスのウィルスが想定される。。
出題の説明文に沿って解答するために、キーワードとキーワード検討対象に従って、受信配信型試験システムの答案書取修正手段が、答案、書取答案の答案書取を修正すると、設問イその結果、盗聴・改ざん・なりす・・・については設問イ図５‐１‐３‐８‐５‐Ａウィルスの部分をキーワードリスクに書き取り修正（置換）（含むアジャスト修正）する。
続いて、答案、書取答案の答案書取を受信配信型試験システムの書換手段が書き換えすると、設問イその結果、盗聴・改ざん・なりす・・・については設問イ図６‐１‐３‐８‐５その結果、盗聴・改ざん・なりす・・・に書き換えする。
書き取り実施後
設問イ
図６‐１‐３‐８‐５
６．設問に沿って解答するため
実施例１答案書き取り追加、修正、削除及び選択、書き換え、調整実施例の一つ
設問イ
キーワード＝リスク。
キーワード検討対象＝図５‐１‐３‐８‐６‐Ａその結果、盗聴・改ざん・なりすましといった不正アクセスのウィルスが想定される。。
設問イ
設問に沿って解答するために、キーワードとキーワード検討対象に従って、受信配信型試験システムの答案書取修正手段が、答案、書取答案の答案書取を修正すると、設問イその結果、盗聴・改ざん・なりす・・・については設問イ図５‐１‐３‐８‐６‐Ａウィルスの部分をキーワードリスクに書き取り修正（置換）（含むアジャスト修正）する。
続いて、答案、書取答案の答案書取を受信配信型試験システムの書換手段が書き換えすると、設問イその結果、盗聴・改ざん・なりす・・・については設問イ図６‐１‐３‐８‐６その結果、盗聴・改ざん・なりす・・・に書き換えする。
設問イ
書き取り実施後
設問イ
図６‐１‐３‐８‐６
３、９  文章中で使用されている文や語句、名称（含む数字）の指定した位置部分を切り取り書き換えする技術・技法（Ｌａｂｅｌの新アイデア３（指定位置部分切り取り））で答案、書取答案の答案書取
１．指定制限字数内に書くため
実施例１答案書き取り追加、修正、削除及び選択、書き換え、調整実施例の一つ
キーワード＝2,400字〜4,000字で記述すること。
最近の問題（例、平成１２年度）の場合
キーワード＝設問アは800字以内で記述すること。
キーワード＝設問イ・ウは併せて1,600字以上3,200字以内で記述すること。
キーワード検討対象＝図５‐１‐３‐９‐１‐Ａ（調査は他に異常な回数の利用など）。
指定制限字数内に書くために、キーワードとキーワード検討対象に従って、受信配信型試験システムの答案書取削除手段が、答案、書取答案の答案書取を削除すると、設問ウ（調査は他に異常な回数の利用など）については設問ウ図５‐１‐３‐９‐１‐Ａ（調査は他に異常な回数の利用など）の部分を切り取りするように削除する。
続いて、答案、書取答案の答案書取を受信配信型試験システムの書換手段が書き換えすると、設問ウについては設問ウ図６‐１‐３‐９‐１に書き換えする。
書き取り実施後
設問ウ
図６‐１‐３‐９‐１
３、１０  文章中で使用されている文や語句、名称（含む数字）の指定した位置に文や語句、名称（含む数字）の部分を貼り付け書き換えする技術・技法（Ｌａｂｅｌの新アイデア４（指定位置部分貼り付け））で答案、書取答案の答案書取
６．設問に沿って解答するため
実施例１答案書き取り追加、修正、削除及び選択、書き換え、調整実施例の一つ
設問ウ
キーワード＝監査ポイント。
キーワード検討対象＝図５‐１‐３‐１０‐６‐Ａまた、そのログを入手するに当たって、調査するのに必要な情報を取得できる監査プログラムを選択・評価することをする。。
設問ウ
設問に沿って解答するために、キーワードとキーワード検討対象に従って、受信配信型試験システムの答案書取追加手段が、答案、書取答案の答案書取を追加すると、設問ウまた、そのログを入手するに当たって、調査するのに必要な情報を取得できる監査プログラムを選択・評価することをする。については設問ウ図５‐１‐３‐１０‐６‐Ａ・・・プログラムを選択・評価することをの文とする。の文の間に監査ポイントとの部分を貼り付けするように追加する。
続いて、答案、書取答案の答案書取を受信配信型試験システムの書換手段が書き換えすると、設問ウまた、そのログを入手するに当た・・・については設問ウ図６‐１‐３‐１０‐６また、そのログを入手するに当た・・・に書き換えする。
設問ウ
書き取り実施後
設問ウ
図６‐１‐３‐１０‐６
３、１１  文章中で使用されている文や語句、名称（含む数字）を順序を整列して書き換えする技術・技法（Ｌａｂｅｌの新アイデア５（整列））で答案、書取答案の答案書取
６．設問に沿って解答するため
実施例１答案書き取り追加、修正、削除及び選択、書き換え、調整実施例の一つ
設問イ
キーワード＝他企業の情報システムとの連携や、一般市民とのコミュニケーション。
キーワード検討対象＝一般市民とのコミュニケーション・。
キーワード検討対象＝他企業との情報システムの連携・。
設問イ
設問に沿って解答するために、キーワードとキーワード検討対象に従って、受信配信型試験システムの答案書取修正手段が、答案、書取答案の答案書取を修正すると、設問イ一般市民とのコミュニケーション・、他企業との情報システムの連携・については設問イ図５‐１‐３‐１１‐６‐Ａ一般市民とのコミュニケーション・を他企業との情報システムの連携・の後にするように修正（含むアジャスト修正）する。
続いて、答案、書取答案の答案書取を受信配信型試験システムの書換手段が書き換えすると、設問イ他企業との情報システムの連携・、一般市民とのコミュニケーション・については設問イ図６‐１‐３‐１１‐６他企業との情報システムの連携・、一般市民とのコミュニケーション・に書き換えする。
設問イ
書き取り実施後
設問イ
図６‐１‐３‐１１‐６
３、１２  文章中で使用されている文や語句、名称（含む数字）の指定した位置に他の設問や解答の部分をコピーして書き換えする技術・技法（Ｌａｂｅｌの新アイデア８（指定位置部分コピー））で答案、書取答案の答案書取
６．設問に沿って解答するため
実施例１答案書き取り追加、修正、削除及び選択、書き換え、調整実施例の一つ
設問ウ
キーワード＝監査ポイント。
キーワード検討対象＝図５‐１‐３‐１２‐６‐Ａまた、そのログを入手するに当たって、調査するのに必要な情報を取得できる監査プログラムを選択・評価することをする。。
設問ウ
設問に沿って解答するために、キーワードとキーワード検討対象に従って、受信配信型試験システムの答案書取追加手段が、答案、書取答案の答案書取を追加すると、設問ウまた、そのログを入手するに当たって、調査するのに必要な情報を取得できる監査プログラムを選択・評価することをする。については設問ウ図５‐１‐３‐１２‐６‐Ａ・・・プログラムを選択・評価することをの文とする。の文の間に他の解答の部分図５‐１‐３‐１２‐６‐B監査ポイントとの部分をコピーするように追加する。
続いて、答案、書取答案の答案書取を受信配信型試験システムの書換手段が書き換えすると、設問ウまた、そのログを入手するに当た・・・については設問ウ図６‐１‐３‐１２‐６また、そのログを入手するに当た・・・に書き換えする。
設問ウ
書き取り実施後
設問ウ
図６‐１‐３‐１２‐６
３、１３  まとまった文章で構成される一つの設問全体の解答やまとまった文章で構成される一つの項目の解答で使用している解答の語句や内容を継承して文章中で使用されている文や語句、名称（含む数字）を書き換えする技術・技法（Ｌａｂｅｌの新アイデア９（継承））で答案、書取答案の答案書取
６．設問に沿って解答するため
実施例１答案書き取り追加、修正、削除及び選択、書き換え、調整実施例の一つ
設問ウ
キーワード＝監査ポイント。
キーワード検討対象＝図５‐１‐３‐１３‐６‐Ａまた、そのログを入手するに当たって、調査するのに必要な情報を取得できる監査プログラムを選択・評価することをする。。
設問ウ
設問に沿って解答するために、キーワードとキーワード検討対象に従って、受信配信型試験システムの答案書取修正手段が、答案、書取答案の答案書取を修正すると、設問ウまた、そのログを入手するに当たって、調査するのに必要な情報を取得できる監査プログラムを選択・評価することをする。については設問ウ図５‐１‐３‐１３‐６‐Ａまた、そのログを入手するに当たって、調査するのに必要な情報を取得できる監査プログラムを選択・評価することをする。の文を図５‐１‐３‐１３‐６‐Ｂ（設問ウ）全体の解答で使用している監査ポイントの語句を継承するように修正する。
続いて、答案、書取答案の答案書取を受信配信型試験システムの書換手段が書き換えすると、設問ウまた、そのログを入手するに当た・・・については設問ウ図６‐１‐３‐１３‐６また、そのログを入手するに当た・・・に書き換えする。
設問ウ
書き取り実施後
設問ウ
図６‐１‐３‐１３‐６
３、１４  キーワードと文章中で使用する文や語句、名称（含む数字）を一体化してキーワードに基づいて解答するように書き換えする技術・技法（Ｌａｂｅｌの新アイデア１１（カプセル化））で答案、書取答案の答案書取
設問ウ
キーワード＝監査ポイント。
キーワード検討対象＝図５‐１‐３‐１４‐６‐Ａ（３）その他のネットワークとの関係。
キーワード検討対象＝図５‐１‐３‐１４‐６‐Ａ情報システムの安全性を確保するのに、なりすましなどネットワークを介した不正アクセス防止に必要なファイアウォールやウィルス対策ソフト、ワンタイムパスワードなどの利用によるコントロールを点検・評価することを監査の留意点とする。。
キーワード検討対象＝図５‐１‐３‐１４‐６‐Ａまた、そのコントロールの評価の根拠となる無資格者による情報システムの利用や特定のファイルへの偏った利用、異常な時刻での利用などを調査するためのアクセスログを入手することを監査の留意点とする。。
キーワード検討対象＝図５‐１‐３‐１４‐６‐Ａまた、そのログを入手するに当たって、調査するのに必要な情報を取得できる監査プログラムを選択・評価することを監査の留意点とする。。
設問ウ
設問に沿って解答するために、キーワードとキーワード検討対象に従って、受信配信型試験システムの答案書取修正手段が、答案、書取答案の答案書取を修正すると、設問ウ（３）その他のネットワークとの関係については設問ウ図５‐１‐３‐１４‐６‐Ａ（３）その他のネットワークとの関係をキーワードの監査ポイントと一体化して、設問ウ情報システムの安全性を確保するのに、なりすましなどネットワークを介した不正アクセス防止に必要なファイアウォールやウィルス対策ソフト、ワンタイムパスワードなどの利用によるコントロールを点検・評価することを監査の留意点とする。また、そのコントロールの評価の根拠となる無資格者による情報システムの利用や特定のファイルへの偏った利用、異常な時刻での利用などを調査するためのアクセスログを入手することを監査の留意点とする。また、そのログを入手するに当たって、調査するのに必要な情報を取得できる監査プログラムを選択・評価することを監査の留意点とする。については、設問ウ図５‐１‐３‐１４‐６‐Ａ情報システムの安全性を確保するのに、なりすましなどネットワークを介した不正アクセス防止に必要なファイアウォールやウィルス対策ソフト、ワンタイムパスワードなどの利用によるコントロールを点検・評価することを監査の留意点とする。の文
、また、そのコントロールの評価の根拠となる無資格者による情報システムの利用や特定のファイルへの偏った利用、異常な時刻での利用などを調査するためのアクセスログを入手することを監査の留意点とする。の文、また、そのログを入手するに当たって、調査するのに必要な情報を取得できる監査プログラムを選択・評価することを監査の留意点とする。の文をそれぞれキーワードの監査ポイントに基づいて解答するように修正する。
続いて、答案、書取答案の答案書取を受信配信型試験システムの書換手段が書き換えすると、設問ウ（３）その他のネットワークとの・・・以降については設問ウ図６‐１‐３‐１４‐６（３）その他のネットワークとの・・・以降に書き換えする。
設問ウ
書き取り実施後
設問ウ
図６‐１‐３‐１４‐６
上記の技術・技法（アイデア）の組み合わせ例
１、６  解答や設問名称に使用するキーワードを抽出して、まとまった文章で構成される一つの設問全体の解答や一つの設問全体の解答につける設問名称にキーワードを使用したものを選択する技術・技法（Ｆｏｒｍの新アイデア１（検索））で答案、書取答案の答案書取
ａ．問題文の趣旨に沿って解答するため
２、２  まとまった文章で構成される一つの項目の解答に付ける項目名称を書き換える技術・技法（ＧｒｏｕｐＢｏｘ．Ｔｅｘｔ）で答案、書取答案の答案書取
４．頭書きの出題タイトルに沿って解答するため
３、５  文章中で使用されている文や語句、名称（含む数字）の行の開始解答位置を調整する技術・技法（Ｌａｂｅｌ．Ｌｅｆｔ）で答案、書取答案の答案書取
５．出題の説明文に沿って解答するため
実施例１答案書き取り追加、修正、削除及び選択、書き換え、調整実施例の一つ
１、６
ａ．問題文の趣旨に沿って解答するため
最近の問題（例、平成１２年度）の場合
キーワード＝問題文の趣旨に沿って解答すること。
キーワード＝監査対象領域。
キーワード検討対象＝図５‐１‐Ｚ‐Ｚ‐Ｚ‐Ａ設問イ全体の解答。
キーワード検討対象＝図５‐１‐Ｚ‐Ｚ‐Ｚ‐Ｂ設問イ全体の解答。
２、２
４．頭書きの出題タイトルに沿って解答するため
キーワード＝環境変化を踏まえた。
キーワード検討対象＝図５‐１‐Ｚ‐Ｚ‐Ｚ‐Ａ（３）の解答。
キーワード検討対象＝図５‐１‐Ｚ‐Ｚ‐Ｚ‐Ｂ（３）の解答。
３、５
５．出題の説明文に沿って解答するため
キーワード＝他企業の情報システムとの連携や、更には広く一般市民を含めたコミュニケーション。
キーワード検討対象＝図５‐１‐Ｚ‐Ｚ‐Ｚ‐Ａ一般市民とのコミュニケーション。
キーワード検討対象＝図５‐１‐Ｚ‐Ｚ‐Ｚ‐Ａや、。
キーワード検討対象＝図５‐１‐Ｚ‐Ｚ‐Ｚ‐Ａ他企業の情報システムとの連携。
キーワード検討対象＝図５‐１‐Ｚ‐Ｚ‐Ｚ‐Ｂ一般市民とのコミュニケーション。
キーワード検討対象＝図５‐１‐Ｚ‐Ｚ‐Ｚ‐Ｂや、。
キーワード検討対象＝図５‐１‐Ｚ‐Ｚ‐Ｚ‐Ｂ他企業の情報システムとの連携。
（問題文の趣旨に沿って解答するために、キーワードとキーワード検討対象に従って、受信配信型試験システムの答案書取追加手段が、答案、書取答案の答案書取を追加すると、（設問イ）全体の解答については図５‐１‐Ｚ‐Ｚ‐Ｚ‐Ａとキーワード監査対象領域を使用（検索）した図５‐１‐Ｚ‐Ｚ‐Ｚ‐Ｂを選択対象に有効追加する。）
頭書きの出題タイトルに沿って解答するために、キーワードとキーワード検討対象に従って、受信配信型試験システムの答案書取修正手段が、答案、書取答案の答案書取を修正すると、設問イ（３）の解答については設問イ図５‐１‐Ｚ‐Ｚ‐Ｚ‐Ａ（３）ネットワークとの関係の部分を（３）環境変化を踏まえたネットワークとの関係、設問イ図５‐１‐Ｚ‐Ｚ‐Ｚ‐Ｂ（３）ネットワークとの関係の部分を（３）環境変化を踏まえたネットワークとの関係に書き取り修正（含むアジャスト修正）する。
出題の説明文に沿って解答するために、キーワードとキーワード検討対象に従って、受信配信型試験システムの答案書取修正手段が、答案、書取答案の答案書取を修正すると、設問イ一般市民とのコミュニケーション、や、、他企業との情報システムの連携ついては設問イ図５‐１‐Ｚ‐Ｚ‐Ｚ‐Ａ他企業との情報システムの連携の解答の行の開始解答位置を１７列（マス）前、や、の解答の行の開始解答位置を他企業との情報システムの連携の後の列（マス目）、設問イ図５‐１‐Ｚ‐Ｚ‐Ｚ‐Ｂ他企業との情報システムの連携の解答の行の開始解答位置を１７列（マス）前、や、の解答の行の開始解答位置を他企業との情報システムの連携の後の列（マス目）に修正（含むアジャスト修正）する。
問題文の趣旨に沿って解答するために、キーワードとキーワード検討対象に従って、受信配信型試験システムの答案書取削除手段が、答案、書取答案の答案書取を削除すると、（設問イ）全体の解答については図５‐１‐Ｚ‐Ｚ‐Ｚ‐Ａを選択対象から無効削除する。
続いて、答案、書取答案の答案書取を受信配信型試験システムの選択手段が選択すると、（設問イ）全体の解答については図５‐１‐Ｚ‐Ｚ‐Ｚ‐Ｂを選択する。
また、答案、書取答案の答案書取を受信配信型試験システムの書換手段が設問イ（３）の解答については設問イ図６‐１‐Ｚ‐Ｚ‐Ｚ（３）の解答に書き換えする。
また、答案、書取答案の答案書取を受信配信型試験システムの調整手段が設問イ他企業との情報システムの連携、や、、一般市民とのコミュニケーションについては設問イ図６‐１‐Ｚ‐Ｚ‐Ｚ他企業との情報システムの連携、や、、一般市民とのコミュニケーションに調整する。
書き取り実施後
図６‐１‐Ｚ‐Ｚ‐Ｚ
次に、受信配信型試験システムの制御手段が答案、書取答案の答案書取の選択、書換、調整結果（選択、書き換え、調整処理が実施されない時の結果を含む）を受け取る。
そして、受信配信型試験システムの制御手段が答案、書取答案の答案書取の選択、書換、調整結果を配信（含む拡大縮小調整配信）手段によって、（受信元の）多機能編集指定端末やプリンタなどの表示装置・機器（通信ネットワーク型を含める）に配信（含む拡大縮小調整配信）させる。
＊１…まとまった文章で構成される一つの設問全体の解答の中に、まとまった文章で構成される一つの設問全体の解答を入れ子にすることもできる。
例…設問の中に、小問の設問がある問題を解答する場合
＊２…まとまった文章で構成される一つの項目の解答の中に、まとまった文章で構成される一つの項目の解答を入れ子にすることもできる。
（１）の項目の解答
（１）の項目の解答
（２）の項目の解答
（３）の項目の解答
（２）の項目の解答
（３）の項目の解答
下線が入れ子部分の項目の解答
【実施例２】
【００２４】
本発明の実施例２を以下に記載する。
解答作成途中の答案（ＣＢＴの答案を含む）からも模範答案作成するなど、適時に模範答案作成を実施したい場合がある。そこで、前述に多機能編集指定装置・機器（通信ネットワーク型を含める）を追加して、答案作成処理の読取装置・機器（通信ネットワーク型を含める）を介して実際のエッセイ形式（論文、文章形式）試験問題、校正前答案（ＣＢＴのエッセイ形式（論文、文章形式）試験問題、校正前答案を含む）を受信配信型試験システムの受信手段が受信する処理を、読取装置・機器、多機能編集指定装置・機器（ともに通信ネットワーク型を含める）を介して実際のエッセイ形式（論文、文章形式）試験問題、答案（ＣＢＴのエッセイ形式（論文、文章形式）試験問題、答案を含む）を受信配信型試験システムの受信手段が受信する処理、受信配信型試験システムの制御手段が答案、書取答案の答案書取の選択、書換、調整結果を受信配信型試験システムの配信（含む拡大縮小調整配信）手段によって表示装置・機器（通信ネットワーク型を含める）に配信（含む拡大縮小調整配信）させる処理を、受信配信型試験システムの制御手段が答案、書取答案の答案書取の選択、書換、調整結果を受信配信型試験システムの配信（含む拡大縮小調整配信）手段によって表示装置・機器、多機能編集指定装置・機器（ともに通信ネットワーク型を含める）に配信（含む拡大縮小調整配信）させる処理と追加変更する。このように、多機能編集指定装置・機器（通信ネットワーク型を含める）も利用して解答作成途中の答案（ＣＢＴの答案を含む）からも含めて模範答案作成できるように追加変更して、受信配信型試験システムが適時に模範答案作成を実施できるようにする。
実施例２解答作成途中の答案（ＣＢＴの答案を含む）からも含めて模範答案作成できる例
図７‐２
【実施例３】
【００２５】
本発明の実施例３を以下に記載する。
実際の試験で人間が作成する答案では、答案を見直して書き直す場合があるように、受信配信型試験システムにおけるシステム画面作成方法、操作方法を利用した技術・技法（アイデア）の組み合わせを利用した模範答案作成でも、受信配信型試験システムの模範答案作成の精度を向上させるために、技術・技法（アイデア）の組み合わせによっては答案を見直して書き直す必要がある。そこで、受信配信型試験システムの選択手段、書換手段、調整手段が選択、書換、調整結果を受信配信型試験システムの制御手段に出力する処理の後に、受信配信型試験システムの制御手段がエッセイ形式（論文、文章形式）試験問題の中にあるキーワードを受信配信型試験システムの読取抽出判断手段が抽出判断するステップから繰り返し処理するように制御して、選択、書換、調整の処理が完全に終了したことが確認できた時に繰り返し処理を終了する処理を挿入追加する。このように、受信配信型試験システムにおいて、技術・技法（アイデア）の組み合わせが完全に終了するまで繰り返し処理を実施するシステム画面作成方法、操作方法を利用したエッセイ形式（論文、文章形式）試験の技術・技法の組み合わせの繰り返し確認を利用して模範答案作成、解答作成途中の答案（ＣＢＴの答案を含む）からも含めた模範答案作成を実施するための処理を挿入追加して、受信配信型試験システムの模範答案作成の精度を向上させる。
実施例３技術・技法の組み合わせの繰り返し確認を利用して模範答案作成の実施例
校正前などの答案
図８‐３‐Ａ
図８‐３‐Ｂ
１回目の処理サイクル（繰り返し前の処理）
１、７  解答や設問名称に使用するキーワードを抽出して、まとまった文章で構成される一つの設問全体の解答や一つの設問全体の解答につける設問名称にキーワードを使用したものに書き換え、調整する技術・技法（Ｆｏｒｍの新アイデア２（置換））で抽出するキーワード
２．はっきりした字で書くため
図９‐３
キーワード＝はっきりした字。
キーワード＝監査。
１、７  解答や設問名称に使用するキーワードを抽出して、まとまった文章で構成される一つの設問全体の解答や一つの設問全体の解答につける設問名称にキーワードを使用したものに書き換え、調整する技術・技法（Ｆｏｒｍの新アイデア２（置換））で抽出するキーワード検討対象
キーワード＝はっきりした字。
キーワード＝監査。
キーワードに従って、キーワード検討対象（判断材料）を抽出判断
図１０‐３‐Ａ
図１０‐３‐Ｂ
キーワード検討対象＝図１０‐３‐Ａ。
キーワード検討対象＝図１０‐３‐Ｂ。
１、７  解答や設問名称に使用するキーワードを抽出して、まとまった文章で構成される一つの設問全体の解答や一つの設問全体の解答につける設問名称にキーワードを使用したものに書き換え、調整する技術・技法（Ｆｏｒｍの新アイデア２（置換））で答案、書取答案の答案書取
２．はっきりした字で書くため
キーワード＝はっきりした字。
キーワード＝監査。
キーワード検討対象＝図１０‐３‐Ａ。
キーワード検討対象＝図１０‐３‐Ｂ。
はっきりした字で書くために、キーワードとキーワード検討対象に従って、受信配信型試験システムの答案書取修正手段が、答案、書取答案の答案書取を修正すると、（設問ウ）全体の解答については図１０‐３‐Ａ鑑査の部分、図１０‐３‐Ｂ鑑査の部分をそれぞれキーワード監査に書き取り修正（置換）（含むアジャスト修正）する。
続いて、答案、書取答案の答案書取を受信配信型試験システムの書換手段が書き換えすると、（設問イ）全体の解答についてはそれぞれ図１１‐３‐Ａ、図１１‐３‐Ｂに書き換えする。
１回目の処理サイクルの書き取り実施後
図１１‐３‐Ａ
図１１‐３‐Ｂ
受信配信型試験システムの制御手段がエッセイ形式（論文、文章形式）試験問題の中にあるキーワードを受信配信型試験システムの読取抽出判断手段が抽出判断するステップから繰り返し処理するように制御する。
２回目の処理サイクル（１回目の繰り返しの処理）
１、６  解答や設問名称に使用するキーワードを抽出して、まとまった文章で構成される一つの設問全体の解答や一つの設問全体の解答につける設問名称にキーワードを使用したものを選択する技術・技法（Ｆｏｒｍの新アイデア１（検索））で抽出するキーワード
ａ．問題文の趣旨に沿って解答するため
エッセイ形式（論文、文章形式）試験問題の中にある問題文の趣旨に沿って解答するためのキーワードを読取抽出判断手段が抽出判断する。
最近の問題（例、平成１２年度）の場合
図１２‐３
最近の問題（例、平成１２年度）の場合
キーワード＝問題文の趣旨に沿って解答すること。
キーワード＝監査。
１、６  解答や設問名称に使用するキーワードを抽出して、まとまった文章で構成される一つの設問全体の解答や一つの設問全体の解答につける設問名称にキーワードを使用したものを選択する技術・技法（Ｆｏｒｍの新アイデア１（検索））で抽出するキーワード検討対象
ａ．問題文の趣旨に沿って解答するため
最近の問題（例、平成１２年度）の場合
キーワード＝問題文の趣旨に沿って解答すること。
キーワード＝監査対象領域。
キーワードに従って、キーワード検討対象（判断材料）を抽出判断
図１３‐３‐Ａ
図１３‐３‐Ｂ
キーワード検討対象＝図１３‐３‐Ａ。
キーワード検討対象＝図１３‐３‐Ｂ。
１、６  解答や設問名称に使用するキーワードを抽出して、まとまった文章で構成される一つの設問全体の解答や一つの設問全体の解答につける設問名称にキーワードを使用したものを選択する技術・技法（Ｆｏｒｍの新アイデア１（検索））で答案、書取答案の答案書取
ａ．問題文の趣旨に沿って解答するため
最近の問題（例、平成１２年度）の場合
キーワード＝問題文の趣旨に沿って解答すること。
キーワード＝監査対象領域。
キーワード検討対象＝図１３‐３‐Ａ。
キーワード検討対象＝図１３‐３‐Ｂ。
問題文の趣旨に沿って解答するために、キーワードとキーワード検討対象に従って、受信配信型試験システムの（答案書取追加手段、）答案書取削除手段が、答案、書取答案の答案書取を（追加、）削除すると、（設問イ）全体の解答については（図１３‐３‐Ａとキーワード監査対象領域を使用（検索）した図１３‐３‐Ｂを選択対象に有効追加後、）図１３‐３‐Ａを選択対象から無効削除する。
続いて、答案、書取答案の答案書取を受信配信型試験システムの選択手段が選択すると、（設問イ）全体の解答については図１３‐３‐Ｂを選択する。
２回目の処理サイクルの書き取り実施後
図１４‐３
受信配信型試験システムの制御手段がエッセイ形式（論文、文章形式）試験問題の中にあるキーワードを受信配信型試験システムの読取抽出判断手段が抽出判断するステップから繰り返し処理するように制御する。
３回目の処理サイクル（２回目の繰り返しの処理）
受信配信型試験システムの制御手段が答案、書取答案の答案書取の選択、書換、調整結果（選択、書き換え、調整処理が実施されない時の結果を含む）を受け取る処理の後に、受信配信型試験システムの制御手段が今回の繰り返し処理でキーワード検討対象が抽出されずに選択、書換、調整の処理が完全に終了したことを確認して繰り返し処理を終了する。
書き取り実施後
図１５‐３
【実施例４】
【００２６】
本発明の実施例４を以下に記載する。
エッセイ形式（論文、文章形式）試験の答案例ではあまり答案を硬直化させたくないなどの時には、受信配信型試験システムの模範答案作成に幅を持たせる必要がある。そこで、読取装置・機器（通信ネットワーク型を含める）を介して実際のエッセイ形式（論文、文章形式）試験問題、校正前答案（ＣＢＴのエッセイ形式（論文、文章形式）試験問題、答案を含む）を受信配信型試験システムの受信手段が受信する処理、読取装置・機器、多機能編集指定装置・機器（ともに通信ネットワーク型を含める）を介して実際のエッセイ形式（論文、文章形式）試験問題、校正前答案（ＣＢＴのエッセイ形式（論文、文章形式）試験問題、答案を含む）を受信配信型試験システムの受信手段が受信する処理を、ともに読取装置・機器、多機能編集指定装置・機器（ともに通信ネットワーク型を含める）を介して実際のエッセイ形式（論文、文章形式）試験問題、校正前答案（ＣＢＴのエッセイ形式（論文、文章形式）試験問題、答案を含む）及び多機能編集指定装置・機器（通信ネットワーク型を含める）を介して指定した答案例作成数を受信配信型試験システムの受信手段が受信する処理、キーワードに従って受信配信型試験システムの書取手段が答案を書き取りする（すべての機器の保存装置、すべての機器の記憶装置、記憶媒体の保存答案や記憶情報、受信配信型試験システムの人工知能機能を利用して答案を書き取りする場合も含む）処理を、キーワードに従って受信配信型試験システムの書取手段が指定した答案例作成数に応じて答案を書き取りする（すべての機器の保存装置、すべての機器の記憶装置、記憶媒体の保存答案や記憶情報、受信配信型試験システムの人工知能機能を利用して答案を書き取りする場合も含む）処理、キーワードとキーワード検討対象に従って受信配信型試験システムの書取追加手段が答案、書取答案の答案書取を追加（有効追加を含む）する（すべての機器の保存装置、すべての機器の記憶装置、記憶媒体の保存答案や記憶情報、受信配信型試験システムの人工知能機能を利用して答案、書取答案の答案書取を追加（有効追加を含む）する場合も含む）処理を、キーワードとキーワード検討対象に従って受信配信型試験システムの書取追加手段が指定した答案例作成数に応じて答案、書取答案の答案書取を追加（有効追加を含む）する（すべての機器の保存装置、すべての機器の記憶装置、記憶媒体の保存答案や記憶情報、受信配信型試験システムの人工知能機能を利用して答案、書取答案の答案書取を追加（有効追加を含む）する場合も含む）処理、キーワードとキーワード検討対象に従って受信配信型試験システムの書取修正手段が答案、書取答案の答案書取を修正（すべての機器の保存装置、すべての機器の記憶装置、記憶媒体の保存答案や記憶情報、受信配信型試験システムの人工知能機能を利用して答案、書取答案の答案書取を修正する場合も含む）する処理を、キーワードとキーワード検討対象に従って受信配信型試験システムの書取修正手段が指定した答案例作成数に応じて答案、書取答案の答案書取を修正（すべての機器の保存装置、すべての機器の記憶装置、記憶媒体の保存答案や記憶情報、受信配信型試験システムの人工知能機能を利用して答案、書取答案の答案書取を修正する場合も含む）する処理、キーワードとキーワード検討対象に従って受信配信型試験システムの書取削除手段が答案、書取答案の答案書取を削除（無効削除を含む）する（すべての機器の保存装置、すべての機器の記憶装置、記憶媒体の保存答案や記憶情報、受信配信型試験システムの人工知能機能を利用して答案、書取答案の答案書取を削除（無効削除を含む）する場合も含む）処理を、キーワードとキーワード検討対象に従って受信配信型試験システムの書取削除手段が指定した答案例作成数に応じて答案、書取答案の答案書取を削除（無効削除を含む）する（すべての機器の保存装置、すべての機器の記憶装置、記憶媒体の保存答案や記憶情報、受信配信型試験システムの人工知能機能を利用して答案、書取答案の答案書取を削除（無効削除を含む）する場合も含む）処理、答案、書取答案の答案書取を受信配信型試験システムの選択手段が選択する処理を、答案、書取答案の答案書取を受信配信型試験システムの選択手段が指定した答案例作成数に応じて選択する処理、答案、書取答案の答案書取を受信配信型試験システムの書換手段が書き換えする処理を、答案、書取答案の答案書取を受信配信型試験システムの書換手段が指定した答案例作成数に応じて書き換えする処理、答案、書取答案の答案書取を受信配信型試験システムの調整手段が調整する処理を、答案、書取答案の答案書取を受信配信型試験システムの調整手段が指定した答案例作成数に応じて調整する処理、と追加変更する。このように、多機能編集指定装置・機器（通信ネットワーク型を含める）で指定した答案例作成数に応じて別解も含めて模範答案作成、解答作成途中の答案（ＣＢＴの答案を含む）からも含めて別解も含めて模範答案作成できるように追加変更して、受信配信型試験システムの模範答案作成に幅を持たせるようにする。
実施例４別解も含めた模範答案作成の実施例
読取装置・機器、多機能編集指定装置・機器（ともに通信ネットワーク型を含める）を介して実際のエッセイ形式（論文、文章形式）試験問題、校正前答案（ＣＢＴのエッセイ形式（論文、文章形式）試験問題、答案を含む）及び多機能編集指定装置・機器（通信ネットワーク型を含める）を介して指定した答案例作成数を受信配信型試験システムの受信手段が受信する
受信結果
平成９年度のシステム監査技術者試験の問題（実施例１と同じ）
校正前答案
設問イ
図１６‐４
指定した答案例作成数＝２。
１、１  まとまった文章で構成される一つの設問全体の解答を取捨選択する技術・技法（Ｆｏｒｍ．Ｖｉｓｉｂｌｅ（表示アイデア））で抽出するキーワード
６．設問に沿って解答するため
２、２  まとまった文章で構成される一つの項目の解答に付ける項目名称を書き換える技術・技法（ＧｒｏｕｐＢｏｘ．Ｔｅｘｔ）で抽出するキーワード
４．頭書きの出題タイトルに沿って解答するため
３、５  文章中で使用されている文や語句、名称（含む数字）の行の開始解答位置を調整する技術・技法（Ｌａｂｅｌ．Ｌｅｆｔ）で抽出するキーワード
５．出題の説明文に沿って解答するため
図１７‐４
１、１
６．設問に沿って解答するため
設問イ
キーワード＝想定されるリスクと、それに基づく監査対象領域。
キーワード＝他企業の情報システムとの連携や、一般市民とのコミュニケーションをも視野に入れたネットワークとの関係。
２、３
４．頭書きの出題タイトルに沿って解答するため
キーワード＝環境変化を踏まえた。
３、５
５．出題の説明文に沿って解答するため
キーワード＝他企業の情報システムとの連携や、更には広く一般市民を含めたコミュニケーション。
１、１  まとまった文章で構成される一つの設問全体の解答を取捨選択する技術・技法（Ｆｏｒｍ．Ｖｉｓｉｂｌｅ（表示アイデア））で選択対象（追加対象）の答案書き取り
６．設問に沿って解答するため
校正前答案
設問イ
図１８‐４‐Ａ
設問イ
キーワード＝想定されるリスクと、それに基づく監査対象領域。
キーワード＝他企業の情報システムとの連携や、一般市民とのコミュニケーションをも視野に入れたネットワークとの関係。
キーワードに従って、選択対象（追加対象）の答案を書き取る（すべての機器の保存装置、すべての機器の記憶装置、記憶媒体の保存答案や記憶情報、受信配信型試験システムの人工知能機能を利用して答案を書き取りする）。
選択対象（追加対象）の答案
設問イ
設問イ
図１８‐４‐Ｂ
設問イ
図１８‐４‐Ｃ
１、１  まとまった文章で構成される一つの設問全体の解答を取捨選択する技術・技法（Ｆｏｒｍ．Ｖｉｓｉｂｌｅ（表示アイデア））で抽出するキーワード検討対象
６．設問に沿って解答するため
２、２  まとまった文章で構成される一つの項目の解答に付ける項目名称を書き換える技術・技法（ＧｒｏｕｐＢｏｘ．Ｔｅｘｔ）で抽出するキーワード検討対象
４．頭書きの出題タイトルに沿って解答するため
３、５  文章中で使用されている文や語句、名称（含む数字）の行の開始解答位置を調整する技術・技法（Ｌａｂｅｌ．Ｌｅｆｔ）で抽出するキーワード検討対象
５．出題の説明文に沿って解答するため
１、１
キーワード＝想定されるリスクと、それに基づく監査対象領域。
キーワード＝他企業の情報システムとの連携や、一般市民とのコミュニケーションをも視野に入れたネットワークとの関係。
２、２
４．頭書きの出題タイトルに沿って解答するため
キーワード＝環境変化を踏まえた。
３、５
５．出題の説明文に沿って解答するため
キーワード＝他企業の情報システムとの連携や、更には広く一般市民を含めたコミュニケーション。
キーワードに従って、キーワード検討対象（判断材料）を抽出判断
図１９‐４‐Ａ
図１９‐４‐Ｂ
図１９‐４‐Ｃ
１、１
６．設問に沿って解答するため
設問イ
キーワード検討対象＝図１９‐４‐Ａ設問イ全体の解答。
キーワード検討対象＝図１９‐４‐Ｂ設問イ全体の解答。
キーワード検討対象＝図１９‐４‐Ｃ設問イ全体の解答。
２、２
３．きれいに書くため
キーワード検討対象＝図１９‐４‐Ｂ（３）の解答。
キーワード検討対象＝図１９‐４‐Ｃ（１）の解答。
３、５
５．出題の説明文に沿って解答するため
キーワード検討対象＝図１９‐４‐Ａ一般市民とのコミュニケーション。
キーワード検討対象＝図１９‐４‐Ａや、。
キーワード検討対象＝図１９‐４‐Ａ他企業の情報システムとの連携。
キーワード検討対象＝図１９‐４‐Ｂ一般市民とのコミュニケーション。
キーワード検討対象＝図１９‐４‐Ｂや、。
キーワード検討対象＝図１９‐４‐Ｂ他企業の情報システムとの連携。
キーワード検討対象＝図１９‐４‐Ｃ一般市民とのコミュニケーション。
キーワード検討対象＝図１９‐４‐Ｃや、。
キーワード検討対象＝図１９‐４‐Ｃ他企業の情報システムとの連携。
１、１  まとまった文章で構成される一つの設問全体の解答を取捨選択する技術・技法（Ｆｏｒｍ．Ｖｉｓｉｂｌｅ（表示アイデア））で答案、書取答案の答案書取
６．設問に沿って解答するため
２、２  まとまった文章で構成される一つの項目の解答に付ける項目名称を書き換える技術・技法（ＧｒｏｕｐＢｏｘ．Ｔｅｘｔ）で答案、書取答案の答案書取
４．頭書きの出題タイトルに沿って解答するため
３、５  文章中で使用されている文や語句、名称（含む数字）の行の開始解答位置を調整する技術・技法（Ｌａｂｅｌ．Ｌｅｆｔ）で答案、書取答案の答案書取
５．出題の説明文に沿って解答するため
１、６
６．設問に沿って解答するため
設問イ
キーワード＝想定されるリスクと、それに基づく監査対象領域。
キーワード＝他企業の情報システムとの連携や、一般市民とのコミュニケーションをも視野に入れたネットワークとの関係。
キーワード検討対象＝図１９‐４‐Ａ設問イ全体の解答。
キーワード検討対象＝図１９‐４‐Ｂ設問イ全体の解答。
キーワード検討対象＝図１９‐４‐Ｃ設問イ全体の解答。
２、２
４．頭書きの出題タイトルに沿って解答するため
キーワード＝環境変化を踏まえた。
キーワード検討対象＝図１９‐４‐Ｂ（３）の解答。
キーワード検討対象＝図１９‐４‐Ｃ（１）の解答。
３、５
５．出題の説明文に沿って解答するため
キーワード＝他企業の情報システムとの連携や、更には広く一般市民を含めたコミュニケーション。
キーワード検討対象＝図１９‐４‐Ａ一般市民とのコミュニケーション。
キーワード検討対象＝図１９‐４‐Ａや、。
キーワード検討対象＝図１９‐４‐Ａ他企業の情報システムとの連携。
キーワード検討対象＝図１９‐４‐Ｂ一般市民とのコミュニケーション。
キーワード検討対象＝図１９‐４‐Ｂや、。
キーワード検討対象＝図１９‐４‐Ｂ他企業の情報システムとの連携。
キーワード検討対象＝図１９‐４‐Ｃ一般市民とのコミュニケーション。
キーワード検討対象＝図１９‐４‐Ｃや、。
キーワード検討対象＝図１９‐４‐Ｃ他企業の情報システムとの連携。
設問イ
（設問に沿って解答するために、キーワードとキーワード検討対象に従って、受信配信型試験システムの答案書取追加手段が、指定した答案例作成数に従って作成答案、書取答案の答案書取を追加すると、（設問イ）全体の解答については図１９‐４‐Ａ（設問イ）全体の解答と図１９‐４‐Ｂ（設問イ）全体の解答と図１９‐４‐Ｃ（設問イ）全体の解答を書取表示選択対象に有効追加する。）
頭書きの出題タイトルに沿って解答するために、受信配信型試験システムの制御手段のキーワードとキーワード検討対象に従って、受信配信型試験システムの答案書取修正手段が、指定した答案例作成数に従って答案、書取答案の答案書取を修正すると、設問イ（１）の解答については設問イ図１９‐４‐Ｃ（１）ネットワーク関係のリスクの部分を（１）環境変化を踏まえたネットワーク関係のリスク、設問イ（３）の解答については設問イ図１９‐４‐Ｂ（３）ネットワークとの関係の部分を（３）環境変化を踏まえたネットワークとの関係に書き取り修正（含むアジャスト修正）する。
出題の説明文に沿って解答するために、受信配信型試験システムの制御手段のキーワードとキーワード検討対象に従って、受信配信型試験システムの答案書取修正手段が、指定した答案例作成数に従って答案、書取答案の答案書取を修正すると、設問イ一般市民とのコミュニケーション、や、、他企業との情報システムの連携ついては設問イ図１９‐４‐Ａ他企業との情報システムの連携の解答の行の開始解答位置を１７列（マス）前、や、の解答の行の開始解答位置を他企業との情報システムの連携の後の列（マス目）、設問イ図１９‐４‐Ｂ他企業との情報システムの連携の解答の行の開始解答位置を１７列（マス）前、や、の解答の行の開始解答位置を他企業との情報システムの連携の後の列（マス目）、設問イ図１９‐４‐Ｃ他企業との情報システムの連携の解答の行の開始解答位置を１７列（マス）前、や、の解答の行の開始解答位置を他企業との情報システムの連携の後の列（マス目）に修正（含むアジャスト修正）する。
設問に沿って解答するために、キーワードとキーワード検討対象に従って、受信配信型試験システムの答案書取削除手段が、指定した答案例作成数に従って作成答案、書取答案の答案書取を削除すると、（設問イ）全体の解答については図１９‐４‐Ａを書取表示選択対象から無効削除する。
続いて、指定した答案例作成数に従って答案、書取答案の答案書取を受信配信型試験システムの選択手段が選択すると、（設問イ）全体の解答については図１９‐４‐Ｂ、図１９‐４‐Ｃを選択する。
また、指定した答案例作成数に従って答案、書取答案の答案書取を受信配信型試験システムの書換手段が書き換えすると、設問イ（１）の解答については設問イ図２０‐４‐Ｃ（１）の解答、設問イ（３）の解答については設問イ図２０‐４‐Ｂ（３）の解答に書き換えする。
また、指定した答案例作成数に従って答案、書取答案の答案書取を受信配信型試験システムの調整手段が調整すると、設問イ他企業との情報システムの連携、や、、一般市民とのコミュニケーションについては設問イ図２０‐４‐Ｂ他企業との情報システムの連携、や、、一般市民とのコミュニケーション、設問イ図２０‐４‐Ｃ他企業との情報システムの連携、や、、一般市民とのコミュニケーションに調整する。
別解を含めた書き取り実施後
書き取り実施後答案１
設問イ
図２０‐４‐Ｂ
書き取り実施後答案２
設問イ
図２０‐４‐Ｃ
【実施例５】
【００２７】
本発明の実施例５を以下に記載する。
特定の語句を強調したい場合や特定の条件を加える場合、ソフトウェアの不具合（技法の不足、不良）の場合などで、模範答案に調整を加えたい場合がある。そこで、読取装置・機器、多機能編集指定装置・機器（ともに通信ネットワーク型を含める）を介して実際のエッセイ形式（論文、文章形式）試験問題、校正前答案（ＣＢＴのエッセイ形式（論文、文章形式）試験問題、校正前答案を含む）を受信配信型試験システムの受信手段が受信する処理を、読取装置・機器、多機能編集指定装置・機器（ともに通信ネットワーク型を含める）を介して実際のエッセイ形式（論文、文章形式）試験問題、校正前答案（ＣＢＴのエッセイ形式（論文、文章形式）試験問題、校正前答案を含む）及び多機能編集指定装置・機器（通信ネットワーク型を含める）を介して指定したキーワードを受信配信型試験システムの受信手段が受信する処理、読取装置・機器、多機能編集指定装置・機器（ともに通信ネットワーク型を含める）を介して実際のエッセイ形式（論文、文章形式）試験問題、校正前答案（ＣＢＴのエッセイ形式（論文、文章形式）試験問題、校正前答案を含む）及び多機能編集指定装置・機器（通信ネットワーク型を含める）を介して指定した答案例作成数、指定したキーワードを受信配信型試験システムの受信手段が受信する処理、受信配信型試験システムの読取抽出実行手段から抽出されたキーワードを受信配信型試験システムの制御手段が受け取りする処理を、受信配信型試験システムの読取抽出実行手段から抽出されたキーワード及び指定したキーワードを制御手段が受け取りする処理、と追加変更する。このように、多機能編集指定装置・機器（通信ネットワーク型を含める）で指定したキーワードに応じて別解も含めて模範答案作成調整、解答作成途中の答案（ＣＢＴの答案を含む）からも含めて別解も含めて模範答案作成調整できるように追加変更して、受信配信型試験システムの模範答案に調整を加えられるようにする。
実施例５模範答案作成調整実施例
読取装置・機器、多機能編集指定装置・機器（ともに通信ネットワーク型を含める）を介して実際のエッセイ形式（論文、文章形式）試験問題、校正前答案（ＣＢＴのエッセイ形式（論文、文章形式）試験問題、答案を含む）及び多機能編集指定装置・機器（通信ネットワーク型を含める）を介して指定した答案例作成数、指定したキーワードを受信配信型試験システムの受信手段が受信する
受信結果
平成９年度のシステム監査技術者試験の問題（実施例１と同じ）
校正前答案
図２１‐５
指定した答案例作成数＝１。
指定したキーワード＝リスク。
指定したキーワードに従って、受信配信型試験システムの書取抽出判断手段が答案、書取答案の答案書取の設問に沿って解答するためのキーワード検討対象（判断材料）を抽出判断する。
１、７  解答や設問名称に使用するキーワードを抽出して、まとまった文章で構成される一つの設問全体の解答や一つの設問全体の解答につける設問名称にキーワードを使用したものに書き換え、調整する技術・技法（Ｆｏｒｍの新アイデア２（置換））で抽出するキーワード検討対象
６．設問に沿って解答するため
以下、実施例１
１、７
６．設問に沿って解答するため
と同処理を実施する。
書き取り実施後
図２２‐５
【実施例６】
【００２８】
本発明の実施例６を以下に記載する。
答案採点に関しても実践的な内容の視点から実施する必要がある。そこで、読取装置・機器、多機能編集指定装置・機器（ともに通信ネットワーク型を含める）を介して校正前や解答作成途中などの答案（ＣＢＴの答案を含む）、答案作成処理の処理後の模範答案作成後の答案（ＣＢＴの答案を含む）を受信配信型試験システムの受信手段が受信する処理、校正前や解答作成途中などの答案（ＣＢＴの答案を含む）と模範答案作成後の答案（ＣＢＴの答案を含む）を受信配信型試験システムの比較検討手段が比較検討する処理、校正前や解答作成途中などの答案（ＣＢＴの答案を含む）と模範答案作成後の答案（ＣＢＴの答案を含む）の比較検討した採点比較検討内容を受信配信型試験システムの制御手段が受け取る処理、受信配信型試験システムの制御手段が採点比較検討内容ごとに受信配信型試験システムの採点手段に出力する処理、校正前や解答作成途中などの答案（ＣＢＴの答案を含む）を模範答案作成後の答案（ＣＢＴの答案を含む）と比較した相違に応じて採点比較検討内容ごとに受信配信型試験システムの採点手段が重み付けしながら採点する処理、校正前や解答作成途中などの答案（ＣＢＴの答案を含む）を採点比較検討内容ごとにすべて重み付けしながら採点した採点結果を受信配信型試験システムの制御手段が受け取る処理、受信配信型試験システムの制御手段が校正前や解答作成途中などの答案（ＣＢＴの答案を含む）、模範答案作成後の答案（ＣＢＴの答案を含む）とともに、校正前や解答作成途中などの答案（ＣＢＴの答案を含む）を採点比較検討内容ごとにすべて重み付けしながら採点した採点結果を受信配信型試験システムの配信（含む拡大縮小調整配信）手段によって表示装置・機器、多機能編集指定装置・機器（ともに通信ネットワーク型を含める）に配信（含む拡大縮小調整配信）させる処理、を実施する。このように、校正前や解答作成途中などの答案（ＣＢＴの答案を含む）を模範答案作成後の答案（ＣＢＴの答案を含む）と比較した相違に応じて採点比較検討内容ごとに重み付けしながら採点することを実施して、答案採点に関しても実践的な内容の視点から実施する。
実施例６答案採点実施例
校正前答案
図２３‐６‐Ａ
図２３‐６‐Ｂ
（図２３‐６‐Ａと図２３‐６‐Ｂで一つの答案）
模範答案作成後答案
図２４‐６‐Ａ
図２４‐６‐Ｂ
（図２３‐６‐Ａと図２３‐６‐Ｂで一つの答案）
読取装置・機器、多機能編集指定装置・機器（ともに通信ネットワーク型を含める）を介して上記の校正前答案と模範答案作成の答案を受信配信型試験システムの受信手段が受信する。
次に、校正前答案と模範答案作成後答案を受信配信型試験システムの比較検討手段が比較検討する。
比較検討内容
１．指定制限字数内で書く
校正前答案
・指定制限字数内。
（設問アは800字以内、設問イ・ウは併せて1600字以上3200字以内）
模範答案作成後答案
・指定制限字数内。
（設問アは800字以内、設問イ・ウは併せて1600字以上3200字以内）
２．はっきりした字で書く
校正前答案
・設問イ３行目８列目（マス目）からの元づくが誤字、その他の誤字はなし。
模範答案作成後答案
・設問イ３行目８列目（マス目）からの元づく→基づく。
３．きれいに書く
校正前答案
・設問ウ（１）と（２）、（３）の解答の行の開始解答位置が１列（マス）ずれている。
・設問ウの解答が3200字で収まる最終行で終了していない。
模範答案作成後答案
・設問ウ（１）の解答の行の開始解答位置２列目（マス目）→１列目（マス目）。
・設問ウの解答が3200字で収まる最終行で終了させるために、設問ウ（３）８行目１５列目（マス目）からの異常な回数の利用、異常な時刻での利用→異常な回数や時刻での利用。
４．頭書きの出題タイトルに沿って解答する
校正前答案
・出題タイトルにある監査対象領域の語句が使用されていない。
模範答案作成後答案
・設問イ１行目１５列目（マス目）、３行目１１列目（マス目）からの監査対象範囲→監査対象領域。
５．出題の説明文に沿って解答する
校正前答案
・説明文にある監査対象領域の語句が使用されていない。
・設問イ４行目６列目（マス目）からの一般市民を含めたコミュニケーションや、他企業の情報システムとの連携は、説明文にある他企業の情報システムとの連携や、更には広く一般市民を含めたコミュニケーションの順番で書いていない。
模範答案作成後答案
・設問イ１行目１５列目（マス目）、３行目１１列目（マス目）からの監査対象範囲→監査対象領域。
・設問イ４行目６列目（マス目）からの一般市民を含めたコミュニケーションや、他企業の情報システムとの連携→他企業の情報システムとの連携や、一般市民を含めたコミュニケーション。
６．設問に沿って解答する
校正前答案
・設問イにある監査対象領域の語句が使用されていない。
・設問イ４行目６列目（マス目）からの一般市民を含めたコミュニケーションや、他企業の情報システムとの連携は、設問イにある他企業の情報システムとの連携や、一般市民を含めたコミュニケーションの順番で書いていない。
・設問イ（２）進捗管理の項目の解答は設問イにあるネットワークとの関係、設問ウ（２）進捗管理の項目の解答は設問ウにある社会的な広がりをもつようになった情報システムに沿って解答していない。
模範答案作成後答案
・設問イ１行目１５列目（マス目）、３行目１１列目（マス目）からの監査対象範囲→監査対象領域。
・設問イ４行目６列目（マス目）からの一般市民を含めたコミュニケーションや、他企業の情報システムとの連携→他企業の情報システムとの連携や、一般市民を含めたコミュニケーション。
・設問イ（２）の項目の解答を（２）進捗管理→（２）一般市民とのコミュニケーション、設問ウ（２）の項目の解答を（２）進捗管理→（２）一般市民とのコミュニケーション。
次に、校正前答案と模範答案作成後答案の比較検討した採点比較検討内容を受信配信型試験システムの制御手段が受け取る。そして、受信配信型試験システムの制御手段が採点比較検討内容ごとに受信配信型試験システムの採点手段に出力する。そして、校正前答案を模範答案作成後答案と比較した相違に応じて採点比較検討内容ごとに受信配信型試験システムの採点手段が重み付けしながら採点する。
採点基準
ランク５・・・模範答案と比較しても同じくらいよくできている
ランク４・・・模範答案と比較してだいたいできている
ランク３・・・模範答案と比較して一部できていない
ランク２・・・模範答案と比較してほとんどできていない
ランク１・・・模範答案と比較して全くできていない
ランク０・・・解答なしもしくは採点不能
校正前答案を模範答案作成後答案と比較した相違に応じて採点比較検討内容ごとに受信配信型試験システムの採点手段が重み付けしながら採点
１．指定制限字数内に書く（重み４）
ランク５と判定され、重みは４で、採点は５×４＝２０。
２．はっきりした字で書く（重み１）
ランク４と判定され、重みは１で、採点は４×１＝４。
３．きれいに書く（重み３）
ランク３と判定され、重みは３で、採点は３×３＝９。
４．頭書きの出題タイトルに沿って解答する（重み２）
ランク３と判定され、重みは２で、採点は３×２＝６。
５．出題の説明文に沿って解答する（重み２）
ランク３と判定され、重みは２で、採点は３×２＝６。
６．設問に沿って解答する（重み８）
ランク３と判定され、重みは８で、採点は３×８＝２４。
校正前答案の採点
２０＋４＋９＋６＋６＋２４＝６９。
採点結果判定基準
Ａ  ・・・８０以上
Ｂ＋・・・７５以上８０未満
Ｂ  ・・・７０以上７５未満
Ｃ＋・・・６５以上７０未満
Ｃ  ・・・６０以上６５未満
Ｄ  ・・・５０以上６０未満
Ｅ  ・・・４０以上５０未満
Ｆ  ・・・４０未満
採点結果＝Ｃ＋。
採点結果例
図２５‐６
次に、校正前答案を採点比較検討内容ごとにすべて重み付けしながら採点した採点結果（採点結果例）を受信配信型試験システムの制御手段が受け取る。そして、受信配信型試験システムの制御手段が校正前答案、模範答案作成後答案とともに、校正前答案を採点比較検討内容ごとにすべて重み付けしながら採点した採点結果（採点結果例）を受信配信型試験システムの配信（含む拡大縮小調整配信）手段によって表示装置・機器、多機能編集指定装置・機器（ともに通信ネットワーク型を含める）に配信（含む拡大縮小調整配信）させる。
【実施例７】
【００２９】
本発明の実施例７を以下に記載する。
模範答案作成などと答案採点を一緒に実施したい場合がある。そこで、答案作成処理の受信配信型試験システムの受信手段が受信する処理の後に、受信した校正前や解答作成途中などの答案（ＣＢＴの答案を含む）を受信配信型試験システムの記憶装置に保存する処理、答案作成処理の受信配信型試験システムの制御手段が答案、書取答案の答案書取の選択、書換、調整結果（選択、書き換え、調整処理が実施されない時の結果を含む）を受け取る処理の後に、受信配信型試験システムの制御手段が受信配信型試験システムの記憶装置に保存中の校正前や解答作成途中などの答案（ＣＢＴの答案を含む）を受け取る処理、校正前や解答作成途中などの答案（ＣＢＴの答案を含む）と答案、書取答案の答案書取の選択、書換、調整結果（選択、書き換え、調整処理が実施されない時の結果を含む）を受信配信型試験システムの比較検討手段が比較検討する処理、校正前や解答作成途中などの答案（ＣＢＴの答案を含む）と答案、書取答案の答案書取の選択、書換、調整結果（選択、書き換え、調整処理が実施されない時の結果を含む）の比較検討した採点比較検討内容を受信配信型試験システムの制御手段が受け取る処理、受信配信型試験システムの制御手段が採点比較検討内容ごとに受信配信型試験システムの採点手段に出力する処理、校正前や解答作成途中などの答案（ＣＢＴの答案を含む）を答案、書取答案の答案書取の選択、書換、調整結果（選択、書き換え、調整処理が実施されない時の結果を含む）と比較した相違に応じて採点比較検討内容ごとに受信配信型試験システムの採点手段が重み付けしながら採点する処理、校正前や解答作成途中などの答案（ＣＢＴの答案を含む）を採点比較検討内容ごとにすべて重み付けしながら採点した採点結果を受信配信型試験システムの制御手段が受け取る処理、受信配信型試験システムの制御手段が校正前や解答作成途中などの答案（ＣＢＴの答案を含む）、答案、書取答案の答案書取の選択、書換、調整結果（選択、書き換え、調整処理が実施されない時の結果を含む）とともに、校正前や解答作成途中などの答案（ＣＢＴの答案を含む）を採点比較検討内容ごとにすべて重み付けしながら採点した採点結果を受信配信型試験システムの配信（含む拡大縮小調整配信）手段によって表示装置・機器、多機能編集指定装置・機器（ともに通信ネットワーク型を含める）に配信（含む拡大縮小調整配信）させる処理を追加する。このように、受信配信型試験システムにおいて、模範答案作成などの処理に続いて、校正前や解答作成途中などの答案（ＣＢＴの答案を含む）を答案、書取答案の答案書取の選択、書換、調整結果（選択、書き換え、調整処理が実施されない時の結果を含む）と比較した相違に応じて採点比較検討内容ごとに重み付けしながら採点する処理を一括して実施することによって、模範答案作成などと答案採点を一緒に実施する。
実施例７模範答案作成などと答案採点の一括実施例
校正前答案
図２６‐７‐Ａ
図２６‐７‐Ｂ
（図２６‐７‐Ａと図２６‐７‐Ｂで一つの答案）
受信配信型試験システムの受信手段が受信する処理の後に、受信した上記の校正前答案を受信配信型試験システムの記憶装置にいったん保存する
そして、答案作成処理の受信配信型試験システムの制御手段が答案、書取答案の答案書取の選択、書換、調整結果（選択、書き換え、調整処理が実施されない時の結果を含む）を受け取るまでの模範答案作成などの各処理を実施する。
答案、書取答案の答案書取の選択、書換、調整結果
選択、書き換え、調整後答案
図２７‐７‐Ａ
図２７‐７‐Ｂ
（図２７‐７‐Ａと図２７‐７‐Ｂで一つの答案）
そして、受信配信型試験システムの制御手段が答案、書取答案の答案書取の選択、書換、調整結果（選択、書き換え、調整処理が実施されない時の結果を含む）の選択、書き換え、調整後答案を受け取った後に、受信配信型試験システムの制御手段が受信配信型試験システムの記憶装置にいったん保存した保存中の校正前答案を受け取る。
次に、校正前答案と選択、書き換え、調整後答案を受信配信型試験システムの比較検討手段が比較検討する。
比較検討内容
１．指定制限字数内で書く
校正前答案
・指定制限字数内。
（設問アは800字以内、設問イ・ウは併せて1600字以上3200字以内）
選択、書き換え、調整後答案
・指定制限字数内。
（設問アは800字以内、設問イ・ウは併せて1600字以上3200字以内）
２．はっきりした字で書く
校正前答案
・設問イ３行目８列目（マス目）からの元づくが誤字、その他の誤字はなし。
選択、書き換え、調整後答案
・設問イ３行目８列目（マス目）からの元づく→基づく。
３．きれいに書く
校正前答案
・設問ウ（１）と（２）、（３）の解答の行の開始解答位置が１列（マス）ずれている。
・設問ウの解答が3200字で収まる最終行で終了していない。
選択、書き換え、調整後答案
・設問ウ（１）の解答の行の開始解答位置２列目（マス目）→１列目（マス目）。
・設問ウの解答が3200字で収まる最終行で終了させるために、設問ウ（３）８行目１５列目（マス目）からの異常な回数の利用、異常な時刻での利用→異常な回数や時刻での利用。
４．頭書きの出題タイトルに沿って解答する
校正前答案
・出題タイトルにある監査対象領域の語句が使用されていない。
選択、書き換え、調整後答案
・設問イ１行目１５列目（マス目）、３行目１１列目（マス目）からの監査対象範囲→監査対象領域。
５．出題の説明文に沿って解答する
校正前答案
・説明文にある監査対象領域の語句が使用されていない。
・設問イ４行目６列目（マス目）からの一般市民を含めたコミュニケーションや、他企業の情報システムとの連携は、説明文にある他企業の情報システムとの連携や、更には広く一般市民を含めたコミュニケーションの順番で書いていない。
選択、書き換え、調整後答案
・設問イ１行目１５列目（マス目）、３行目１１列目（マス目）からの監査対象範囲→監査対象領域。
・設問イ４行目６列目（マス目）からの一般市民を含めたコミュニケーションや、他企業の情報システムとの連携→他企業の情報システムとの連携や、一般市民を含めたコミュニケーション。
６．設問に沿って解答する
校正前答案
・設問イにある監査対象領域の語句が使用されていない。
・設問イ４行目６列目（マス目）からの一般市民を含めたコミュニケーションや、他企業の情報システムとの連携は、設問イにある他企業の情報システムとの連携や、一般市民を含めたコミュニケーションの順番で書いていない。
・設問イ（２）進捗管理の項目の解答は設問イにあるネットワークとの関係、設問ウ（２）進捗管理の項目の解答は設問ウにある社会的な広がりをもつようになった情報システムに沿って解答していない。
選択、書き換え、調整後答案
・設問イ１行目１５列目（マス目）、３行目１１列目（マス目）からの監査対象範囲→監査対象領域。
・設問イ４行目６列目（マス目）からの一般市民を含めたコミュニケーションや、他企業の情報システムとの連携→他企業の情報システムとの連携や、一般市民を含めたコミュニケーション。
・設問イ（２）の項目の解答を（２）進捗管理→（２）一般市民とのコミュニケーション、設問ウ（２）の項目の解答を（２）進捗管理→（２）一般市民とのコミュニケーション。
次に、校正前答案と選択、書き換え、調整後答案の比較検討した採点比較検討内容を受信配信型試験システムの制御手段が受け取る。そして、受信配信型試験システムの制御手段が採点比較検討内容ごとに受信配信型試験システムの採点手段に出力する。そして、校正前答案を選択、書き換え、調整後答案と比較した相違に応じて採点比較検討内容ごとに受信配信型試験システムの採点手段が重み付けしながら採点する。
採点基準
ランク５・・・模範答案と比較しても同じくらいよくできている
ランク４・・・模範答案と比較してだいたいできている
ランク３・・・模範答案と比較して一部できていない
ランク２・・・模範答案と比較してほとんどできていない
ランク１・・・模範答案と比較して全くできていない
ランク０・・・解答なしもしくは採点不能
校正前答案を選択、書き換え、調整後答案と比較した相違に応じて採点比較検討内容ごとに受信配信型試験システムの採点手段が重み付けしながら採点
１．指定制限字数内に書く（重み４）
ランク５と判定され、重みは４で、採点は５×４＝２０。
２．はっきりした字で書く（重み１）
ランク４と判定され、重みは１で、採点は４×１＝４。
３．きれいに書く（重み３）
ランク３と判定され、重みは３で、採点は３×３＝９。
４．頭書きの出題タイトルに沿って解答する（重み２）
ランク３と判定され、重みは２で、採点は３×２＝６。
５．出題の説明文に沿って解答する（重み２）
ランク３と判定され、重みは２で、採点は３×２＝６。
６．設問に沿って解答する（重み８）
ランク３と判定され、重みは８で、採点は３×８＝２４。
校正前答案の採点
２０＋４＋９＋６＋６＋２４＝６９。
採点結果判定基準
Ａ  ・・・８０以上
Ｂ＋・・・７５以上８０未満
Ｂ  ・・・７０以上７５未満
Ｃ＋・・・６５以上７０未満
Ｃ  ・・・６０以上６５未満
Ｄ  ・・・５０以上６０未満
Ｅ  ・・・４０以上５０未満
Ｆ  ・・・４０未満
採点結果＝Ｃ＋。
採点結果例
図２８‐７
次に、校正前答案を採点比較検討内容ごとにすべて重み付けしながら採点した採点結果（採点結果例）を受信配信型試験システムの制御手段が受け取る。そして、受信配信型試験システムの制御手段が校正前答案、選択、書き換え、調整後答案とともに、校正前答案を採点比較検討内容ごとにすべて重み付けしながら採点した採点結果（採点結果例）を受信配信型試験システムの配信（含む拡大縮小調整配信）手段によって表示装置・機器、多機能編集指定装置・機器（ともに通信ネットワーク型を含める）に配信（含む拡大縮小調整配信）させる。
【実施例８】
【００３０】
本発明の実施例８を以下に記載する。
答案解説に関しても実践的な内容の視点から実施する必要がある。そこで、答案作成処理、答案採点処理の各処理実行の後に、答案作成処理、答案採点処理の答案の各処理経過を受信配信型試験システムの処理経過制御手段が受け取り制御する処理、受信配信型試験システムの処理経過制御手段が答案の各処理経過を受信配信型試験システムの保存装置に保存制御する処理、答案作成処理、答案採点処理の答案の各処理経過の映像音声解説（多機能編集指定装置・機器を介した映像音声解説を含む）を受信配信型試験システムの映像音声解説受信・制御手段が受け取り制御する処理、受信配信型試験システムの映像音声解説受信・制御手段が映像音声解説を受信配信型試験システムの保存装置に保存制御する処理、受信配信型試験システムの保存装置の答案の各処理経過と映像音声解説を受信配信型試験システムの保存制御手段が受け取り制御する処理、受信配信型試験システムの保存制御手段が答案の各処理経過を映像音声解説を付けて受信配信型試験システムの編集表示配信（含む拡大縮小調整配信）手段によって多機能編集指定装置・機器（通信ネットワーク型を含める）に編集表示配信（含む拡大縮小調整配信）させる処理を実施する。このように、受信配信型試験システムにおいて、受信から配信（含む拡大縮小調整配信）までの答案の各処理経過を映像音声解説を付けて多機能編集指定装置・機器（通信ネットワーク型を含める）に編集表示配信（含む拡大縮小調整配信）させることによって、答案解説に関しても実践的な内容の視点から実施する。
実施例８答案解説実施例
図２９‐８
【実施例９】
【００３１】
本発明の実施例９を以下に記載する。
何度も答案解説を利用して復習したい場合がある。そこで、受信配信型試験システムの保存制御手段が受信配信型試験システムの保存装置の答案の各処理経過に映像音声解説を付けて外部保存装置・機器（通信ネットワーク型を含める）、記憶媒体に保存制御する処理を実施する。このように、受信配信型試験システムにおいて、受信から配信（含む拡大縮小調整配信）までの答案の各処理経過を映像音声解説を付けて外部保存装置・機器（通信ネットワーク型を含める）、記憶媒体に保存制御することによって、何度も答案解説を利用して復習できるようにする。
実施例９答案解説保存例
図１の５：外部保存装置・機器に保存する。
【実施例１０】
【００３２】
本発明の実施例１０を以下に記載する。
答案解説を携帯性も含めて手軽に表示編集したい場合がある。そこで、受信配信型試験システムの保存装置、外部保存装置・機器のシステム画面作成方法、操作方法を利用したエッセイ形式（論文、文章形式）試験の技術・技法の組み合わせ、組み合わせの繰り返し確認を利用した別解も含めた模範答案作成方法、模範答案作成調整方法、解答作成途中の答案（ＣＢＴの答案を含む）からも含めた別解も含めた模範答案作成方法、模範答案作成調整方法、答案採点方法、答案一括処理方法の解説（含む映像音声解説付き）を紹介表示編集機器の受信手段が受信する処理、システム画面作成方法、操作方法を利用したエッセイ形式（論文、文章形式）試験の技術・技法の組み合わせ、組み合わせの繰り返し確認を利用した別解も含めた模範答案作成方法、模範答案作成調整方法、解答作成途中の答案（ＣＢＴの答案を含む）からも含めた別解も含めた模範答案作成方法、模範答案作成調整方法、答案採点方法、答案一括処理方法の解説（含む映像音声解説付き）を紹介表示編集機器の表示編集手段が表示編集する処理、表示編集されたシステム画面作成方法、操作方法を利用したエッセイ形式（論文、文章形式）試験の技術・技法の組み合わせ、組み合わせの繰り返し確認を利用した別解も含めた模範答案作成方法、模範答案作成調整方法、解答作成途中の答案（ＣＢＴの答案を含む）からも含めた別解も含めた模範答案作成方法、模範答案作成調整方法、答案採点方法、答案一括処理方法の解説（含む映像音声解説付き）を答案解説ごとに紹介表示編集機器の答案解説表示編集制御手段が答案解説表示編集制御する処理、表示編集されたシステム画面作成方法、操作方法を利用したエッセイ形式（論文、文章形式）試験の技術・技法の組み合わせ、組み合わせの繰り返し確認を利用した別解も含めた模範答案作成方法、模範答案作成調整方法、解答作成途中の答案（ＣＢＴの答案を含む）からも含めた別解も含めた模範答案作成方法、模範答案作成調整方法、答案採点方法、答案一括処理方法の解説（含む映像音声解説付き）を表示編集頁ごとに紹介表示編集機器の表示編集頁制御手段が表示編集頁制御する処理を実施する。このように、紹介表示編集機器において、答案解説ごと、表示編集頁ごとに答案解説表示編集できるように制御することによって、答案解説を携帯性も含めて手軽に表示編集できるようにする。
実施例１０答案解説紹介表示編集実施例
図１の６：紹介表示編集機器（タブレット機能付電子ブック等）において、答案解説（含む映像音声解説付き）を紹介表示編集機器（タブレット機能付電子ブック等）の受信手段が受信する。
そして、答案解説（含む映像音声解説付き）の表示編集は、紹介表示編集機器の表示編集手段が表示編集する。
表示編集例
・答案解説紹介表示
・採点解説紹介表示
・答案解説重要箇所蛍光ペン編集
・答案解説補足説明メモ書き編集
など
そして、自分が表示編集したい答案解説を紹介させるために、答案解説ごとに紹介表示編集機器の答案解説表示編集制御手段が答案解説表示編集制御する。
答案解説ごとの答案解説表示編集制御例
・答案解説１〜４の選択対象項目が表示され答案解説１を選択
など
また、同様に、表示編集頁ごとに紹介表示編集機器の表示編集頁表示編集制御手段が表示編集頁表示編集制御する。
表示編集頁ごとの表示編集頁表示編集制御例
・次頁紹介
・前頁紹介
・答案解説の選択対象項目頁に戻る
など
【実施例１１】
【００３３】
本発明の実施例１１を以下に記載する。
答案解説に関しても実践的な内容の視点から実施する必要がある。そこで、受信配信型試験システムにおけるシステム画面作成方法、操作方法を利用したエッセイ形式（論文、文章形式）試験の技術・技法の索引、それらの技術・技法（含む既存映像音声解説付き）、それらの映像音声解説（多機能編集指定装置・機器を介した映像音声解説を含む）を受信配信型試験システムの保存装置にすべて保存しているものとして、受信配信型試験システムの保存装置の技術・技法の索引、技術・技法（含む既存映像音声解説付き）と映像音声解説（多機能編集指定装置・機器を介した映像音声解説を含む）を受信配信型試験システムの保存制御手段が受け取り制御する処理、受信配信型試験システムの保存制御手段が技術・技法の索引、技術・技法（含む既存映像音声解説付き）を映像音声解説を付けて受信配信型試験システムの編集表示配信（含む拡大縮小調整配信）手段によって多機能編集指定装置・機器（通信ネットワーク型を含める）に編集表示配信（含む拡大縮小調整配信）させる処理を実施する。このように、受信配信型試験システムにおいて、技術・技法解説を映像音声解説を付けて多機能編集指定装置・機器（通信ネットワーク型を含める）に編集表示配信（含む拡大縮小調整配信）させることによって、答案作成技術・技法解説に関しても実践的な内容の視点から実施する。
実施例１１答案作成技術・技法解説実施例
図３０‐１１
【実施例１２】
【００３４】
本発明の実施例１２を以下に記載する。
何度も答案作成技術・技法解説を利用して復習したい場合がある。そこで、受信配信型試験システムの保存制御手段が受信配信型試験システムの保存装置の技術・技法の索引、技術・技法（含む既存映像音声解説付き）に映像音声解説を付けて外部保存装置・機器（通信ネットワーク型を含める）、記憶媒体に保存制御する処理を実施する。このように、受信配信型試験システムにおいて、技術・技法解説を映像音声解説を付けて外部保存装置・機器（通信ネットワーク型を含める）、記憶媒体に保存制御することによって、何度も答案作成技術・技法解説を利用して復習できるようにする。
実施例答案作成技術・技法解説保存例
図１の５：外部保存装置・機器に保存する。
【実施例１３】
【００３５】
本発明の実施例１２を以下に記載する。
答案作成技術・技法解説を携帯性も含めて手軽に表示編集したい場合がある。そこで、受信配信型試験システムの保存装置、外部保存装置・機器のシステム画面作成方法、操作方法を利用したエッセイ形式（論文、文章形式）試験の技術・技法の索引、それらの技術・技法の解説（含む映像音声解説付き）を紹介表示編集機器の受信手段が受信（含む差分受信）する処理、システム画面作成方法、操作方法を利用したエッセイ形式（論文、文章形式）試験の技術・技法の索引、それらの技術・技法の解説（含む映像音声解説付き）を紹介表示編集機器の表示編集手段が表示編集する処理、表示編集されたシステム画面作成方法、操作方法を利用したエッセイ形式（論文、文章形式）試験の技術・技法の索引、それらの技術・技法の解説（含む映像音声解説付き）を技術・技法解説ごと（含む索引の利用）に紹介表示編集機器の技術・技法解説表示編集制御手段が技術・技法解説表示編集制御する処理、表示編集されたシステム画面作成方法、操作方法を利用したエッセイ形式（論文、文章形式）試験の技術・技法の索引、それらの技術・技法の解説（含む映像音声解説付き）を表示編集頁ごとに紹介表示編集機器の表示編集頁制御手段が表示編集頁制御する処理を実施する。このように、紹介表示編集機器において、技術・技法解説ごと、表示編集頁ごとに技術・技法解説表示編集できるように制御することによって、答案作成技術・技法解説を携帯性も含めて手軽に表示編集できるようにする。
実施例１３答案作成技術・技法解説紹介表示編集実施例
図１の６：紹介表示編集機器（タブレット機能付電子ブック等）において、答案作成技術・技法解説（含む映像音声解説付き）を紹介表示編集機器（タブレット機能付電子ブック等）の受信手段が受信する。
そして、答案作成技術・技法解説（含む映像音声解説付き）の表示編集は、紹介表示編集機器の表示編集手段が表示編集する。
表示編集例
・答案作成技術・技法解説紹介表示
・答案作成技術・技法解説重要箇所蛍光ペン編集
・答案作成技術・技法解説補足説明メモ書き編集
など
そして、自分が表示編集したい答案作成技術・技法解説を紹介させるために、技術・技法解説ごとに紹介表示編集機器の技術・技法解説表示編集制御手段が技術・技法解説表示編集制御する。
技術・技法解説ごとの技術・技法解説表示編集制御例
・技術・技法解説の索引項目が表示され表示編集したい技術・技法解説を選択
など
また、同様に、表示編集頁ごとに紹介表示編集機器の表示編集頁表示編集制御手段が表示編集頁表示編集制御する。
表示編集頁ごとの表示編集頁表示編集制御例
・次頁紹介
・前頁紹介
・技術・技法解説の索引項目頁に戻る
など
【実施例１４】
【００３６】
本発明の実施例１４を以下に記載する。
模範答案の構成を重視したい場合、模範答案をアウトラインに基づいて作成調整を加えたい場合がある。そこで、読取装置・機器、多機能編集指定装置・機器（ともに通信ネットワーク型を含める）を介して実際のエッセイ形式（論文、文章形式）試験問題、校正前答案（ＣＢＴのエッセイ形式（論文、文章形式）試験問題、校正前答案を含む）及び多機能編集指定装置・機器（通信ネットワーク型を含める）を介して指定した答案例作成数、指定したキーワードを受信配信型試験システムの受信手段が受信する処理を、読取装置・機器、多機能編集指定装置・機器（ともに通信ネットワーク型を含める）を介して実際のエッセイ形式（論文、文章形式）試験問題、校正前答案、アウトライン（ＣＢＴのエッセイ形式（論文、文章形式）試験問題、校正前答案を含む）及び多機能編集指定装置・機器（通信ネットワーク型を含める）を介して指定した答案例作成数、指定したキーワードを受信配信型試験システムの受信手段が受信する処理、エッセイ形式（論文、文章形式）試験問題の中にあるキーワードを受信配信型試験システムの読取抽出判断手段が抽出判断する処理を、エッセイ形式（論文、文章形式）試験問題の中にあるキーワード及びアウトラインの中にあるキーワードを受信配信型試験システムの読取抽出判断手段が抽出判断する処理、受信配信型試験システムの読取抽出判断手段が、エッセイ形式（論文、文章形式）試験問題に所定のキーワードが存在するか否かの判断において、存在した場合に抽出指令を受信配信型試験システムの読取抽出実行手段に与える処理を、エッセイ形式（論文、文章形式）試験問題及びアウトラインに所定のキーワードが存在するか否かの判断において、存在した場合に抽出指令を受信配信型試験システムの読取抽出実行手段に与える処理、と追加変更する。このように、読取装置・機器、多機能編集指定装置・機器（ともに通信ネットワーク型を含める）を介してアウトラインも受信して別解も含めたアウトラインに基づく模範答案作成調整、解答作成途中の答案（ＣＢＴの答案を含む）からも含めた別解も含めたアウトラインに基づく模範答案作成調整できるようにすることによって、模範答案をアウトラインに基づいて作成調整を加えられるようにする。
実施例１４アウトラインに基づく模範答案作成調整実施例
読取装置・機器、多機能編集指定装置・機器（ともに通信ネットワーク型を含める）を介して実際のエッセイ形式（論文、文章形式）試験問題、校正前答案、アウトライン（ＣＢＴのエッセイ形式（論文、文章形式）試験問題、答案を含む）及び多機能編集指定装置・機器（通信ネットワーク型を含める）を介して指定した答案例作成数、指定したキーワードを受信配信型試験システムの受信手段が受信する
受信結果
平成９年度のシステム監査技術者試験の問題（実施例１と同じ）
校正前答案
図３１‐１４
アウトライン
（設問イ）
（１）他企業の情報システムとの連携  225字〜275字
（２）一般市民とのコミュニケーション  350字〜425字
（３）その他のネットワークとの関係  350字〜425字
指定した答案例作成数＝１。
指定したキーワード＝リスク。
１回目の処理サイクル（繰り返し前の処理）
２、１３  まとまった文章で構成される一つの項目の解答をまとまった文章で構成される複数の項目の解答に分割して書き換えする技術・技法（ＧｒｕｏｐＢｏｘの新アイデア６（分割））で抽出するキーワード
３．きれいに書くため
エッセイ形式（論文、文章形式）試験問題の中及びアウトラインの中にあるきれいに書くためのキーワードを受信配信型試験システムの読取抽出判断手段が抽出判断する。
エッセイ形式（論文、文章形式）試験問題の中にあるキーワード抽出判断
図３２‐１４
アウトラインの中にあるキーワード抽出判断
図３３‐１４
そして、エッセイ形式（論文、文章形式）試験問題及びアウトラインに所定のキーワードが存在するか否かの判断において、存在した場合に抽出指令を受信配信型試験システムの読取抽出実行手段に与える。
キーワード＝きれいに書くこと。
キーワード＝（１）他企業の情報システムとの連携  225字〜275字。
キーワード＝（２）一般市民とのコミュニケーション  350字〜425字。
キーワード＝（３）その他のネットワークとの関係  350字〜425字。
次に、受信配信型試験システムの読取抽出実行手段から抽出されたキーワード及び多機能編集指定装置・機器で指定したキーワードを受信配信型試験システムの制御手段が受け取りして、受信配信型試験システムの制御手段が抽出されたキーワード及び指定したキーワードを書取手段、書取抽出判断手段に出力して、抽出されたキーワード及び指定したキーワードに従って、受信配信型試験システムの書取抽出判断手段が答案、書取答案の答案書取の設問に沿って解答するためのキーワード検討対象（判断材料）を抽出判断する。
１、７  解答や設問名称に使用するキーワードを抽出して、まとまった文章で構成される一つの設問全体の解答や一つの設問全体の解答につける設問名称にキーワードを使用したものに書き換え、調整する技術・技法（Ｆｏｒｍの新アイデア２（置換））で抽出するキーワード検討対象
６．設問に沿って解答するため
設問イ
指定したキーワード＝リスク。
２、１３  まとまった文章で構成される一つの項目の解答をまとまった文章で構成される複数の項目の解答に分割して書き換えする技術・技法（ＧｒｕｏｐＢｏｘの新アイデア６（分割））で抽出するキーワード検討対象
３．きれいに書くため
キーワード＝きれいに書くこと。
キーワード＝（１）他企業の情報システムとの連携  225字〜275字。
キーワード＝（２）一般市民とのコミュニケーション  350字〜425字。
キーワード＝（３）その他のネットワークとの関係  350字〜425字。
キーワードに従って、キーワード検討対象（判断材料）を抽出判断
設問イ
図３４‐１４
１、７
６．設問に沿って解答するため
設問イ
キーワード検討対象＝図３４‐１４。
２、１３
３．きれいに書くため
キーワード検討対象＝図３４‐１４項目の解答。
１、７  解答や設問名称に使用するキーワードを抽出して、まとまった文章で構成される一つの設問全体の解答や一つの設問全体の解答につける設問名称にキーワードを使用したものに書き換え、調整する技術・技法（Ｆｏｒｍの新アイデア２（置換））でで答案、書取答案の答案書取
６．設問に沿って解答するため
設問イ
指定したキーワード＝リスク。
キーワード検討対象＝図３４‐１４。
２、１３  まとまった文章で構成される一つの項目の解答をまとまった文章で構成される複数の項目の解答に分割して書き換えする技術・技法（ＧｒｕｏｐＢｏｘの新アイデア６（分割））で答案、書取答案の答案書取
３．きれいに書くため
キーワード＝きれいに書くこと。
キーワード＝（１）他企業の情報システムとの連携  225字〜275字。
キーワード＝（２）一般市民とのコミュニケーション  350字〜425字。
キーワード＝（３）その他のネットワークとの関係  350字〜425字。
キーワード検討対象＝図３４‐１４項目の解答。
設問に沿って解答するために、キーワードとキーワード検討対象に従って、受信配信型試験システムの答案書取修正手段が、答案、書取答案の答案書取を修正すると、（設問イ）全体の解答については図３４‐１４ウィルスの部分をキーワードリスクに書き取り修正（置換）（含むアジャスト修正）する。
きれいに書くために、キーワードとキーワード検討対象に従って、受信配信型試験システムの答案書取修正手段が、答案、書取答案の答案書取を修正すると、設問イ項目の解答については設問ウ図５‐１‐２‐１３‐３‐Ａ  ＸＸＸＸ・・・ＸＸＸＸＸと  ＸＸＸＸＸ・・・ＸＸＸＸＸと  ＸＸＸＸ・・・ＸＸＸＸＸの部分を別の項目として分割するように修正（含むアジャスト修正）する。
続いて、答案、書取答案の答案書取を受信配信型試験システムの書換手段が書き換えすると、（設問イ）全体の解答については図３５‐１４、設問イ項目の解答については図３５‐１４項目の解答、項目の解答、項目の解答に書き換えする。
１回目の処理サイクルの書き取り実施後
設問イ
図３５‐１４
受信配信型試験システムの制御手段がエッセイ形式（論文、文章形式）試験問題の中にあるキーワードを受信配信型試験システムの読取抽出判断手段が抽出判断するステップから繰り返し処理するように制御する。
２回目の処理サイクル（１回目の繰り返しの処理）
２、２  まとまった文章で構成される一つの項目の解答に付ける項目名称を書き換える技術・技法（ＧｒｏｕｐＢｏｘ．Ｔｅｘｔ）で抽出するキーワード
６．設問に沿って解答するため
エッセイ形式（論文、文章形式）試験問題の中及びアウトラインの中にある設問に沿って解答するためのキーワードを読取抽出判断手段が抽出判断する。
設問イ
エッセイ形式（論文、文章形式）試験問題の中にあるキーワード抽出判断
図３６‐１４
アウトラインの中にあるキーワード抽出判断
図３７‐１４
３、２  文章中で使用されている文や語句、名称（含む数字）を書き換える技術・技法（Ｌａｂｅｌ．Ｔｅｘｔ）で抽出するキーワード
１．指定制限字数内に書くため
エッセイ形式（論文、文章形式）試験問題の中にあるキーワード抽出判断
図３６‐１４
アウトラインの中にあるキーワード抽出判断
図３７‐１４
そして、エッセイ形式（論文、文章形式）試験問題及びアウトラインに所定のキーワードが存在するか否かの判断において、存在した場合に抽出指令を受信配信型試験システムの読取抽出実行手段に与える。
２、２
６．設問に沿って解答するため
設問イ
キーワード＝他企業の情報システムとの連携や、一般市民とのコミュニケーションをも視野に入れたネットワークとの関係を踏まえて述べよ。。
キーワード＝（１）他企業の情報システムとの連携  225字〜275字。
キーワード＝（２）一般市民とのコミュニケーション  350字〜425字。
キーワード＝（３）その他のネットワークとの関係  350字〜425字。
３、２
１．指定制限字数内に書くため
キーワード＝（１）他企業の情報システムとの連携  225字〜275字。
キーワード＝（２）一般市民とのコミュニケーション  350字〜425字。
キーワード＝（３）その他のネットワークとの関係  350字〜425字。
２、２  まとまった文章で構成される一つの項目の解答に付ける項目名称を書き換える技術・技法（ＧｒｏｕｐＢｏｘ．Ｔｅｘｔ）で抽出するキーワード検討対象
６．設問に沿って解答するため
設問イ
キーワード＝他企業の情報システムとの連携や、一般市民とのコミュニケーションをも視野に入れたネットワークとの関係を踏まえて述べよ。。
キーワード＝（１）他企業の情報システムとの連携  225字〜275字。
キーワード＝（２）一般市民とのコミュニケーション  350字〜425字。
キーワード＝（３）その他のネットワークとの関係  350字〜425字。
３、２  文章中で使用されている文や語句、名称（含む数字）を書き換える技術・技法（Ｌａｂｅｌ．Ｔｅｘｔ）で抽出するキーワード検討対象
１．指定制限字数内に書くため
キーワード＝（１）他企業の情報システムとの連携  225字〜275字。
キーワード＝（２）一般市民とのコミュニケーション  350字〜425字。
キーワード＝（３）その他のネットワークとの関係  350字〜425字。
キーワードに従って、キーワード検討対象（判断材料）を抽出判断
設問イ
図３８‐１４
２、２
６．設問に沿って解答するため
設問イ
キーワード検討対象＝図３８‐１４項目の解答。
キーワード検討対象＝図３８‐１４項目の解答。
キーワード検討対象＝図３８‐１４項目の解答。
３、２
１．指定制限字数内に書くため
キーワード検討対象＝図３８‐１４ＸＸＸＸＸ・・・ＸＸＸＸＸ。
２、２  まとまった文章で構成される一つの項目の解答に付ける項目名称を書き換える技術・技法（ＧｒｏｕｐＢｏｘ．Ｔｅｘｔ）で答案、書取答案の答案書取
６．設問に沿って解答するため
設問イ
キーワード＝他企業の情報システムとの連携や、一般市民とのコミュニケーションをも視野に入れたネットワークとの関係を踏まえて述べよ。。
キーワード＝（１）他企業の情報システムとの連携  225字〜275字。
キーワード＝（２）一般市民とのコミュニケーション  350字〜425字。
キーワード＝（３）その他のネットワークとの関係  350字〜425字。
キーワード検討対象＝図３８‐１４項目の解答。
キーワード検討対象＝図３８‐１４項目の解答。
キーワード検討対象＝図３８‐１４項目の解答。
３、２  文章中で使用されている文や語句、名称（含む数字）を書き換える技術・技法（Ｌａｂｅｌ．Ｔｅｘｔ）で抽出するキーワード検討対象
１．指定制限字数内に書くため
キーワード＝（１）他企業の情報システムとの連携  225字〜275字。
キーワード＝（２）一般市民とのコミュニケーション  350字〜425字。
キーワード＝（３）その他のネットワークとの関係  350字〜425字。
キーワード検討対象＝図３８‐１４ＸＸＸＸＸ・・・ＸＸＸＸＸ。
設問に沿って解答するために、キーワードとキーワード検討対象に従って、受信配信型試験システムの答案書取追加手段が、答案、書取答案の答案書取を追加すると、設問イ項目の解答、項目の解答、項目の解答についてはそれぞれ設問イ図３８‐１４項目名称の（１）他企業の情報システムとの連携、項目名称の（２）一般市民とのコミュニケーション、項目名称の（３）その他のネットワークとの関係を書き取り追加する。
指定制限字数内に書くために、キーワードとキーワード検討対象に従って、受信配信型試験システムの答案書取修正手段が、答案、書取答案の答案書取を修正すると、設問イＸＸＸＸＸ・・・ＸＸＸＸＸについては設問イ図３８‐１４ＸＸＸＸＸ・・・ＸＸＸＸＸの部分を350字〜425字にするように修正（含むアジャスト修正）する。
続いて、答案、書取答案の答案書取を受信配信型試験システムの書換手段が書き換えすると、設問イ（１）の解答、（２）の解答、（３）の解答については設問イ図３９‐１４（１）の解答、（２）の解答、（３）の解答、設問イＸＸＸＸＸ・・・ＸＸＸＸＸについては設問イ図３９‐１４ＸＸＸＸＸ・・・ＸＸＸＸＸに書き換えする。
２回目の処理サイクルの書き取り実施後
設問イ
図３９‐１４
受信配信型試験システムの制御手段がエッセイ形式（論文、文章形式）試験問題の中にあるキーワードを受信配信型試験システムの読取抽出判断手段が抽出判断するステップから繰り返し処理するように制御する。
３回目の処理サイクル（２回目の繰り返しの処理）
受信配信型試験システムの制御手段が答案、書取答案の答案書取の選択、書換、調整結果（選択、書き換え、調整処理が実施されない時の結果を含む）を受け取る処理の後に、受信配信型試験システムの制御手段が今回の繰り返し処理でキーワード検討対象が抽出されずに選択、書換、調整の処理が完全に終了したことを確認して繰り返し処理を終了する。
書き取り実施後
図４０‐１４
【実施例１５】
【００３７】
本発明の実施例１５を以下に記載する。
反復学習などでエッセイ形式（論文、文章形式）の問題の関連問題を参照したい場合がある。そこで、エッセイ形式（論文、文章形式）試験の複数の別問題（ＣＢＴの問題を含む）を受信配信型システムの保存装置にすべて保存しているものとして、請求項１〜５、１４で抽出したキーワード及び多機能編集指定装置・機器（通信ネットワーク型を含める）を介して指定したキーワードに基づいて、エッセイ形式（論文、文章形式）試験の問題（ＣＢＴの問題を含む）を受信配信型試験システムの保存装置から受信配信型試験システムの選択手段が選択する処理、受信配信型試験システムの選択手段が選択したエッセイ形式（論文、文章形式）試験の問題（ＣＢＴの問題を含む）の参照索引を受信配信型試験システムの参照索引作成手段が作成する処理、上記の問題と索引を表示装置・機器、多機能編集指定装置・機器（ともに通信ネットワーク型を含める）に受信配信型試験システムの配信手段が配信（含む拡大縮小調整配信）させる処理を実施する。このように、キーワードに基づいてエッセイ形式（論文、文章形式）試験の問題（ＣＢＴの問題を含む）を選択して関連問題を配信させることによって、エッセイ形式（論文、文章形式）の問題の関連問題を参照できるようにする。
実施例１５の具体例
多機能編集指定装置・機器で指定したキーワード
指定したキーワード＝平成１０年以降のシステム監査技術者試験の問題。
受信配信型試験システムの保存装置から受信配信型試験システムの選択手段が以下を選択
・平成１０年度秋期  システム監査技術者試験の問題
・平成１１年度秋期  システム監査技術者試験の問題
・平成１２年度秋期  システム監査技術者試験の問題
・平成１３年度春期  システム監査技術者試験の問題
・平成１４年度春期  システム監査技術者試験の問題
・平成１５年度春期  システム監査技術者試験の問題
これらの参照索引を受信配信型試験システムの参照索引作成手段が作成して、多機能編集指定装置・機器に配信
【実施例１６】
【００３８】
本発明の実施例１６を以下に記載する。
試験問題を携帯性も含めて手軽に表示編集したい場合がある。そこで、受信配信型試験システムの保存装置のエッセイ形式（論文、文章形式）試験の問題（ＣＢＴの問題を含む）の索引、それらの問題（ＣＢＴの問題を含む）を紹介表示編集機器の受信手段が受信（含む差分受信）する処理、エッセイ形式（論文、文章形式）試験の問題（ＣＢＴの問題を含む）の索引、それらの問題（ＣＢＴの問題を含む）を紹介表示編集機器の表示編集手段が表示編集する処理、表示編集されたエッセイ形式（論文、文章形式）試験の問題（ＣＢＴの問題を含む）の索引、それらの問題（ＣＢＴの問題を含む）を試験問題ごと（含む索引の利用）に紹介表示編集機器の問題表示編集制御手段が問題表示編集制御する処理、表示編集されたエッセイ形式（論文、文章形式）試験の問題（ＣＢＴの問題を含む）の索引、それらの問題（ＣＢＴの問題を含む）を表示編集頁ごとに紹介表示編集機器の表示編集頁制御手段が表示編集頁制御する処理を実施する。このように、紹介表示編集機器において、試験問題ごと、表示編集頁ごとに問題表示編集できるように制御することによって、試験問題を携帯性も含めて手軽に表示編集できるようにする。
実施例１３試験問題紹介表示編集実施例
図１の６：紹介表示編集機器（タブレット機能付電子ブック等）において、エッセイ形式（論文、文章形式）試験の問題（ＣＢＴの問題を含む）を紹介表示編集機器（タブレット機能付電子ブック等）の受信手段が受信する。
そして、エッセイ形式（論文、文章形式）試験の問題（ＣＢＴの問題を含む）の表示編集は、紹介表示編集機器の表示編集手段が表示編集する。
表示編集例
・試験問題紹介表示
・試験問題頻出箇所蛍光ペンチェツク編集
・試験問題改題メモ書き編集
など
そして、自分が表示編集したい試験問題を紹介させるために、試験問題ごとに紹介表示編集機器の問題表示編集制御手段が問題表示編集制御する。
試験問題ごとの問題表示編集制御例
・試験問題のテーマ別の索引が表示され表示編集したい試験問題を選択
・試験問題の年度別の索引が表示され表示編集したい試験問題を選択
など
また、同様に、表示編集頁ごとに紹介表示編集機器の表示編集頁表示編集制御手段が表示編集頁表示編集制御する。
表示編集頁ごとの表示編集頁表示編集制御例
・次頁紹介
・前頁紹介
・試験問題の各索引頁に戻る
など
【産業上の利用可能性】
【００３９】
本発明の活用例として、以下が挙げられる。
・各種教育機関
・各研修機関
・インターネット講座
・テレビのディジタル化に伴う教育講座
・マスコミ等の開設講座
なお、表示編集機器は、移動手段での活用も可能である。
【図面の簡単な説明】
【００４０】
【図１】想定システム構成図
【図２】システム画面作成方法、操作方法を利用した技術・技法（アイデア）例の図
【図３−１−１−１−１−Ａ】実施例１キーワード抽出判断実施例の一つの図
【図３−１−１−１−１−Ｂ】実施例１キーワード抽出判断実施例の一つの図
【図３−１−１−１−２−Ａ】実施例１キーワード抽出判断実施例の一つの図
【図３−１−１−１−３−Ａ】実施例１キーワード抽出判断実施例の一つの図
【図３−１−１−１−４−Ａ】実施例１キーワード抽出判断実施例の一つの図
【図３−１−１−１−５−Ａ】実施例１キーワード抽出判断実施例の一つの図
【図３−１−１−１−６−Ａ】実施例１キーワード抽出判断実施例の一つの図
【図３−１−１−２−１−Ａ】実施例１キーワード抽出判断実施例の一つの図
【図３−１−１−２−１−Ｂ】実施例１キーワード抽出判断実施例の一つの図
【図３−１−１−２−２−Ａ】実施例１キーワード抽出判断実施例の一つの図
【図３−１−１−２−３−Ａ】実施例１キーワード抽出判断実施例の一つの図
【図３−１−１−２−４−Ａ】実施例１キーワード抽出判断実施例の一つの図
【図３−１−１−２−５−Ａ】実施例１キーワード抽出判断実施例の一つの図
【図３−１−１−２−６−Ａ】実施例１キーワード抽出判断実施例の一つの図
【図３−１−１−３−１−Ａ】実施例１キーワード抽出判断実施例の一つの図
【図３−１−１−３−１−Ｂ】実施例１キーワード抽出判断実施例の一つの図
【図３−１−１−３−３−Ａ】実施例１キーワード抽出判断実施例の一つの図
【図３−１−１−３−６−Ａ】実施例１キーワード抽出判断実施例の一つの図
【図３−１−１−４−１−Ａ】実施例１キーワード抽出判断実施例の一つの図
【図３−１−１−４−１−Ｂ】実施例１キーワード抽出判断実施例の一つの図
【図３−１−１−４−３−Ａ】実施例１キーワード抽出判断実施例の一つの図
【図３−１−１−５−１−Ａ】実施例１キーワード抽出判断実施例の一つの図
【図３−１−１−５−１−Ｂ】実施例１キーワード抽出判断実施例の一つの図
【図３−１−１−５−２−Ａ】実施例１キーワード抽出判断実施例の一つの図
【図３−１−１−５−３−Ａ】実施例１キーワード抽出判断実施例の一つの図
【図３−１−１−５−６−Ａ】実施例１キーワード抽出判断実施例の一つの図
【図３−１−１−６−ａ−Ａ】実施例１キーワード抽出判断実施例の一つの図
【図３−１−１−６−２−Ａ】実施例１キーワード抽出判断実施例の一つの図
【図３−１−１−６−４−Ａ】実施例１キーワード抽出判断実施例の一つの図
【図３−１−１−６−５−Ａ】実施例１キーワード抽出判断実施例の一つの図
【図３−１−１−６−６−Ａ】実施例１キーワード抽出判断実施例の一つの図
【図３−１−１−７−ａ−Ａ】実施例１キーワード抽出判断実施例の一つの図
【図３−１−１−７−２−Ａ】実施例１キーワード抽出判断実施例の一つの図
【図３−１−１−７−４−Ａ】実施例１キーワード抽出判断実施例の一つの図
【図３−１−１−７−５−Ａ】実施例１キーワード抽出判断実施例の一つの図
【図３−１−１−７−６−Ａ】実施例１キーワード抽出判断実施例の一つの図
【図３−１−１−８−１−Ａ】実施例１キーワード抽出判断実施例の一つの図
【図３−１−１−８−１−Ｂ】実施例１キーワード抽出判断実施例の一つの図
【図３−１−１−９−３−Ａ】実施例１キーワード抽出判断実施例の一つの図
【図３−１−１−１０−６−Ａ】実施例１キーワード抽出判断実施例の一つの図
【図３−１−１−１１−３−Ａ】実施例１キーワード抽出判断実施例の一つの図
【図３−１−１−１２−６−Ａ】実施例１キーワード抽出判断実施例の一つの図
【図３−１−１−１３−６−Ａ】実施例１キーワード抽出判断実施例の一つの図
【図３−１−２−１−１−Ａ】実施例１キーワード抽出判断実施例の一つの図
【図３−１−２−１−１−Ｂ】実施例１キーワード抽出判断実施例の一つの図
【図３−１−２−１−２−Ａ】実施例１キーワード抽出判断実施例の一つの図
【図３−１−２−１−３−Ａ】実施例１キーワード抽出判断実施例の一つの図
【図３−１−２−１−４−Ａ】実施例１キーワード抽出判断実施例の一つの図
【図３−１−２−１−５−Ａ】実施例１キーワード抽出判断実施例の一つの図
【図３−１−２−１−６−Ａ】実施例１キーワード抽出判断実施例の一つの図
【図３−１−２−２−１−Ａ】実施例１キーワード抽出判断実施例の一つの図
【図３−１−２−２−１−Ｂ】実施例１キーワード抽出判断実施例の一つの図
【図３−１−２−２−２−Ａ】実施例１キーワード抽出判断実施例の一つの図
【図３−１−２−２−３−Ａ】実施例１キーワード抽出判断実施例の一つの図
【図３−１−２−２−４−Ａ】実施例１キーワード抽出判断実施例の一つの図
【図３−１−２−２−５−Ａ】実施例１キーワード抽出判断実施例の一つの図
【図３−１−２−２−６−Ａ】実施例１キーワード抽出判断実施例の一つの図
【図３−１−２−３−１−Ａ】実施例１キーワード抽出判断実施例の一つの図
【図３−１−２−３−１−Ｂ】実施例１キーワード抽出判断実施例の一つの図
【図３−１−２−３−３−Ａ】実施例１キーワード抽出判断実施例の一つの図
【図３−１−２−３−６−Ａ】実施例１キーワード抽出判断実施例の一つの図
【図３−１−２−４−１−Ａ】実施例１キーワード抽出判断実施例の一つの図
【図３−１−２−４−１−Ｂ】実施例１キーワード抽出判断実施例の一つの図
【図３−１−２−４−３−Ａ】実施例１キーワード抽出判断実施例の一つの図
【図３−１−２−４−６−Ａ】実施例１キーワード抽出判断実施例の一つの図
【図３−１−２−５−１−Ａ】実施例１キーワード抽出判断実施例の一つの図
【図３−１−２−５−１−Ｂ】実施例１キーワード抽出判断実施例の一つの図
【図３−１−２−５−３−Ａ】実施例１キーワード抽出判断実施例の一つの図
【図３−１−２−５−４−Ａ】実施例１キーワード抽出判断実施例の一つの図
【図３−１−２−５−５−Ａ】実施例１キーワード抽出判断実施例の一つの図
【図３−１−２−５−６−Ａ】実施例１キーワード抽出判断実施例の一つの図
【図３−１−２−６−１−Ａ】実施例１キーワード抽出判断実施例の一つの図
【図３−１−２−６−１−Ｂ】実施例１キーワード抽出判断実施例の一つの図
【図３−１−２−６−３−Ａ】実施例１キーワード抽出判断実施例の一つの図
【図３−１−２−６−６−Ａ】実施例１キーワード抽出判断実施例の一つの図
【図３−１−２−７−１−Ａ】実施例１キーワード抽出判断実施例の一つの図
【図３−１−２−７−１−Ｂ】実施例１キーワード抽出判断実施例の一つの図
【図３−１−２−７−２−Ａ】実施例１キーワード抽出判断実施例の一つの図
【図３−１−２−７−３−Ａ】実施例１キーワード抽出判断実施例の一つの図
【図３−１−２−７−６−Ａ】実施例１キーワード抽出判断実施例の一つの図
【図３−１−２−８−ａ−Ａ】実施例１キーワード抽出判断実施例の一つの図
【図３−１−２−８−２−Ａ】実施例１キーワード抽出判断実施例の一つの図
【図３−１−２−８−４−Ａ】実施例１キーワード抽出判断実施例の一つの図
【図３−１−２−８−５−Ａ】実施例１キーワード抽出判断実施例の一つの図
【図３−１−２−８−６−Ａ】実施例１キーワード抽出判断実施例の一つの図
【図３−１−２−９−ａ−Ａ】実施例１キーワード抽出判断実施例の一つの図
【図３−１−２−９−２−Ａ】実施例１キーワード抽出判断実施例の一つの図
【図３−１−２−９−４−Ａ】実施例１キーワード抽出判断実施例の一つの図
【図３−１−２−９−５−Ａ】実施例１キーワード抽出判断実施例の一つの図
【図３−１−２−９−６−Ａ】実施例１キーワード抽出判断実施例の一つの図
【図３−１−２−１０−１−Ａ】実施例１キーワード抽出判断実施例の一つの図
【図３−１−２−１０−１−Ｂ】実施例１キーワード抽出判断実施例の一つの図
【図３−１−２−１１−３−Ａ】実施例１キーワード抽出判断実施例の一つの図
【図３−１−２−１２−６−Ａ】実施例１キーワード抽出判断実施例の一つの図
【図３−１−２−１３−３−Ａ】実施例１キーワード抽出判断実施例の一つの図
【図３−１−２−１４−３−Ａ】実施例１キーワード抽出判断実施例の一つの図
【図３−１−２−１５−３−Ａ】実施例１キーワード抽出判断実施例の一つの図
【図３−１−２−１６−６−Ａ】実施例１キーワード抽出判断実施例の一つの図
【図３−１−２−１７−６−Ａ】実施例１キーワード抽出判断実施例の一つの図
【図３−１−３−１−１−Ａ】実施例１キーワード抽出判断実施例の一つの図
【図３−１−３−１−１−Ｂ】実施例１キーワード抽出判断実施例の一つの図
【図３−１−３−１−２−Ａ】実施例１キーワード抽出判断実施例の一つの図
【図３−１−３−１−３−Ａ】実施例１キーワード抽出判断実施例の一つの図
【図３−１−３−１−４−Ａ】実施例１キーワード抽出判断実施例の一つの図
【図３−１−３−１−５−Ａ】実施例１キーワード抽出判断実施例の一つの図
【図３−１−３−１−６−Ａ】実施例１キーワード抽出判断実施例の一つの図
【図３−１−３−２−１−Ａ】実施例１キーワード抽出判断実施例の一つの図
【図３−１−３−２−１−Ｂ】実施例１キーワード抽出判断実施例の一つの図
【図３−１−３−２−２−Ａ】実施例１キーワード抽出判断実施例の一つの図
【図３−１−３−２−３−Ａ】実施例１キーワード抽出判断実施例の一つの図
【図３−１−３−２−４−Ａ】実施例１キーワード抽出判断実施例の一つの図
【図３−１−３−２−５−Ａ】実施例１キーワード抽出判断実施例の一つの図
【図３−１−３−２−６−Ａ】実施例１キーワード抽出判断実施例の一つの図
【図３−１−３−３−１−Ａ】実施例１キーワード抽出判断実施例の一つの図
【図３−１−３−３−１−Ｂ】実施例１キーワード抽出判断実施例の一つの図
【図３−１−３−３−３−Ａ】実施例１キーワード抽出判断実施例の一つの図
【図３−１−３−３−６−Ａ】実施例１キーワード抽出判断実施例の一つの図
【図３−１−３−４−１−Ａ】実施例１キーワード抽出判断実施例の一つの図
【図３−１−３−４−１−Ｂ】実施例１キーワード抽出判断実施例の一つの図
【図３−１−３−４−３−Ａ】実施例１キーワード抽出判断実施例の一つの図
【図３−１−３−４−４−Ａ】実施例１キーワード抽出判断実施例の一つの図
【図３−１−３−４−５−Ａ】実施例１キーワード抽出判断実施例の一つの図
【図３−１−３−４−６−Ａ】実施例１キーワード抽出判断実施例の一つの図
【図３−１−３−５−１−Ａ】実施例１キーワード抽出判断実施例の一つの図
【図３−１−３−５−１−Ｂ】実施例１キーワード抽出判断実施例の一つの図
【図３−１−３−５−３−Ａ】実施例１キーワード抽出判断実施例の一つの図
【図３−１−３−５−４−Ａ】実施例１キーワード抽出判断実施例の一つの図
【図３−１−３−５−５−Ａ】実施例１キーワード抽出判断実施例の一つの図
【図３−１−３−５−６−Ａ】実施例１キーワード抽出判断実施例の一つの図
【図３−１−３−６−１−Ａ】実施例１キーワード抽出判断実施例の一つの図
【図３−１−３−６−１−Ｂ】実施例１キーワード抽出判断実施例の一つの図
【図３−１−３−６−２−Ａ】実施例１キーワード抽出判断実施例の一つの図
【図３−１−３−６−３−Ａ】実施例１キーワード抽出判断実施例の一つの図
【図３−１−３−６−６−Ａ】実施例１キーワード抽出判断実施例の一つの図
【図３−１−３−７−ａ−Ａ】実施例１キーワード抽出判断実施例の一つの図
【図３−１−３−７−２−Ａ】実施例１キーワード抽出判断実施例の一つの図
【図３−１−３−７−４−Ａ】実施例１キーワード抽出判断実施例の一つの図
【図３−１−３−７−５−Ａ】実施例１キーワード抽出判断実施例の一つの図
【図３−１−３−７−６−Ａ】実施例１キーワード抽出判断実施例の一つの図
【図３−１−３−８−ａ−Ａ】実施例１キーワード抽出判断実施例の一つの図
【図３−１−３−８−２−Ａ】実施例１キーワード抽出判断実施例の一つの図
【図３−１−３−８−４−Ａ】実施例１キーワード抽出判断実施例の一つの図
【図３−１−３−８−５−Ａ】実施例１キーワード抽出判断実施例の一つの図
【図３−１−３−８−６−Ａ】実施例１キーワード抽出判断実施例の一つの図
【図３−１−３−９−１−Ａ】実施例１キーワード抽出判断実施例の一つの図
【図３−１−３−９−１−Ｂ】実施例１キーワード抽出判断実施例の一つの図
【図３−１−３−１０−６−Ａ】実施例１キーワード抽出判断実施例の一つの図
【図３−１−３−１１−６−Ａ】実施例１キーワード抽出判断実施例の一つの図
【図３−１−３−１２−６−Ａ】実施例１キーワード抽出判断実施例の一つの図
【図３−１−３−１３−６−Ａ】実施例１キーワード抽出判断実施例の一つの図
【図３−１−３−１４−６−Ａ】実施例１キーワード抽出判断実施例の一つの図
【図３−１−Ｚ−Ｚ−Ｚ−Ａ】実施例１キーワード抽出判断実施例の一つの図
【図４−１−１−１−１−Ａ】実施例１選択対象（追加対象）の答案書き取りの校正前などの答案の一つの図
【図４−１−１−１−１−Ｂ】実施例１選択対象（追加対象）の答案書き取りの選択対象（追加対象）の答案の一つの図
【図４−１−１−１−２−Ａ】実施例１選択対象（追加対象）の答案書き取りの校正前などの答案の一つの図
【図４−１−１−１−２−Ｂ】実施例１選択対象（追加対象）の答案書き取りの選択対象（追加対象）の答案の一つの図
【図４−１−１−１−３−Ａ】実施例１選択対象（追加対象）の答案書き取りの校正前などの答案の一つの図
【図４−１−１−１−３−Ｂ】実施例１選択対象（追加対象）の答案書き取りの選択対象（追加対象）の答案の一つの図
【図４−１−１−１−４−Ａ】実施例１選択対象（追加対象）の答案書き取りの校正前などの答案の一つの図
【図４−１−１−１−４−Ｂ】実施例１選択対象（追加対象）の答案書き取りの選択対象（追加対象）の答案の一つの図
【図４−１−１−１−５−Ａ】実施例１選択対象（追加対象）の答案書き取りの校正前などの答案の一つの図
【図４−１−１−１−５−Ｂ】実施例１選択対象（追加対象）の答案書き取りの選択対象（追加対象）の答案の一つの図
【図４−１−１−１−６−Ａ１】実施例１選択対象（追加対象）の答案書き取りの校正前などの答案の一つの図
【図４−１−１−１−６−Ａ２】実施例１選択対象（追加対象）の答案書き取りの校正前などの答案の一つの図
【図４−１−１−１−６−Ｂ１】実施例１選択対象（追加対象）の答案書き取りの校正前などの答案の一つの図
【図４−１−１−１−６−Ｂ２】実施例１選択対象（追加対象）の答案書き取りの選択対象（追加対象）の答案の一つの図
【図４−１−２−１−１−Ａ】実施例１選択対象（追加対象）の答案書き取りの校正前などの答案の一つの図
【図４−１−２−１−１−Ｂ】実施例１選択対象（追加対象）の答案書き取りの選択対象（追加対象）の答案の一つの図
【図４−１−２−１−２−Ａ】実施例１選択対象（追加対象）の答案書き取りの校正前などの答案の一つの図
【図４−１−２−１−２−Ｂ】実施例１選択対象（追加対象）の答案書き取りの選択対象（追加対象）の答案の一つの図
【図４−１−２−１−３−Ａ】実施例１選択対象（追加対象）の答案書き取りの校正前などの答案の一つの図
【図４−１−２−１−３−Ｂ】実施例１選択対象（追加対象）の答案書き取りの選択対象（追加対象）の答案の一つの図
【図４−１−２−１−４−Ａ】実施例１選択対象（追加対象）の答案書き取りの校正前などの答案の一つの図
【図４−１−２−１−４−Ｂ】実施例１選択対象（追加対象）の答案書き取りの選択対象（追加対象）の答案の一つの図
【図４−１−２−１−５−Ａ】実施例１選択対象（追加対象）の答案書き取りの校正前などの答案の一つの図
【図４−１−２−１−５−Ｂ】実施例１選択対象（追加対象）の答案書き取りの選択対象（追加対象）の答案の一つの図
【図４−１−２−１−６−Ａ１】実施例１選択対象（追加対象）の答案書き取りの校正前などの答案の一つの図
【図４−１−２−１−６−Ａ２】実施例１選択対象（追加対象）の答案書き取りの校正前などの答案の一つの図
【図４−１−２−１−６−Ｂ１】実施例１選択対象（追加対象）の答案書き取りの校正前などの答案の一つの図
【図４−１−２−１−６−Ｂ２】実施例１選択対象（追加対象）の答案書き取りの選択対象（追加対象）の答案の一つの図
【図４−１−３−１−１−Ａ】実施例１選択対象（追加対象）の答案書き取りの校正前などの答案の一つの図
【図４−１−３−１−１−Ｂ】実施例１選択対象（追加対象）の答案書き取りの選択対象（追加対象）の答案の一つの図
【図４−１−３−１−２−Ａ】実施例１選択対象（追加対象）の答案書き取りの校正前などの答案の一つの図
【図４−１−３−１−２−Ｂ】実施例１選択対象（追加対象）の答案書き取りの選択対象（追加対象）の答案の一つの図
【図４−１−３−１−３−Ａ】実施例１選択対象（追加対象）の答案書き取りの校正前などの答案の一つの図
【図４−１−３−１−３−Ｂ】実施例１選択対象（追加対象）の答案書き取りの選択対象（追加対象）の答案の一つの図
【図４−１−３−１−４−Ａ】実施例１選択対象（追加対象）の答案書き取りの校正前などの答案の一つの図
【図４−１−３−１−４−Ｂ】実施例１選択対象（追加対象）の答案書き取りの選択対象（追加対象）の答案の一つの図
【図４−１−３−１−５−Ａ】実施例１選択対象（追加対象）の答案書き取りの校正前などの答案の一つの図
【図４−１−３−１−５−Ｂ】実施例１選択対象（追加対象）の答案書き取りの選択対象（追加対象）の答案の一つの図
【図４−１−３−１−６−Ａ１】実施例１選択対象（追加対象）の答案書き取りの校正前などの答案の一つの図
【図４−１−３−１−６−Ａ２】実施例１選択対象（追加対象）の答案書き取りの校正前などの答案の一つの図
【図４−１−３−１−６−Ｂ１】実施例１選択対象（追加対象）の答案書き取りの校正前などの答案の一つの図
【図４−１−３−１−６−Ｂ２】実施例１選択対象（追加対象）の答案書き取りの選択対象（追加対象）の答案の一つの図
【図５−１−１−１−１−Ａ−Ａ】実施例１キーワード検討対象抽出判断実施例の一                                  つの図
【図５−１−１−１−１−Ａ−Ｉ】実施例１キーワード検討対象抽出判断実施例の一                                  つの図
【図５−１−１−１−１−Ａ−Ｕ】実施例１キーワード検討対象抽出判断実施例の一                                  つの図
【図５−１−１−１−１−Ｂ−Ａ】実施例１キーワード検討対象抽出判断実施例の一                                  つ
【図５−１−１−１−１−Ｂ−Ｉ】実施例１キーワード検討対象抽出判断実施例の一                                  つの図
【図５−１−１−１−１−Ｂ−Ｕ】実施例１キーワード検討対象抽出判断実施例の一                                  つの図
【図５−１−１−１−２−Ａ】実施例１キーワード検討対象抽出判断実施例の一つの      図
【図５−１−１−１−２−Ｂ】実施例１キーワード検討対象抽出判断実施例の一つの図
【図５−１−１−１−３−Ａ】実施例１キーワード検討対象抽出判断実施例の一つの図
【図５−１−１−１−３−Ｂ】実施例１キーワード検討対象抽出判断実施例の一つの図
【図５−１−１−１−４−Ａ】実施例１キーワード検討対象抽出判断実施例の一つの図
【図５−１−１−１−４−Ｂ】実施例１キーワード検討対象抽出判断実施例の一つの図
【図５−１−１−１−５−Ａ】実施例１キーワード検討対象抽出判断実施例の一つの図
【図５−１−１−１−５−Ｂ】実施例１キーワード検討対象抽出判断実施例の一つの図
【図５−１−１−１−６−Ａ１】実施例１キーワード検討対象抽出判断実施例の一つの図
【図５−１−１−１−６−Ｂ１】実施例１キーワード検討対象抽出判断実施例の一つの図
【図５−１−１−１−６−Ａ２】実施例１キーワード検討対象抽出判断実施例の一つの図
【図５−１−１−１−６−Ｂ２】実施例１キーワード検討対象抽出判断実施例の一つの図
【図５−１−１−２−１−Ａ−Ａ】実施例１キーワード検討対象抽出判断実施例の一                                  つの図
【図５−１−１−２−１−Ａ−Ｉ】実施例１キーワード検討対象抽出判断実施例の一                                  つの図
【図５−１−１−２−１−Ａ−Ｕ】実施例１キーワード検討対象抽出判断実施例の一                                  つの図
【図５−１−１−２−２−Ａ】実施例１キーワード検討対象抽出判断実施例の一つの                                図
【図５−１−１−２−３−Ａ】実施例１キーワード検討対象抽出判断実施例の一つの図
【図５−１−１−２−４−Ａ】実施例１キーワード検討対象抽出判断実施例の一つの図
【図５−１−１−２−５−Ａ】実施例１キーワード検討対象抽出判断実施例の一つの図
【図５−１−１−２−６−Ａ１】実施例１キーワード検討対象抽出判断実施例の一つの図
【図５−１−１−２−６−Ａ２】実施例１キーワード検討対象抽出判断実施例の一つの図
【図５−１−１−３−１−Ａ−Ａ】実施例１キーワード検討対象抽出判断実施例の一                                  つの図
【図５−１−１−３−１−Ａ−Ｉ】実施例１キーワード検討対象抽出判断実施例の一                                  つの図
【図５−１−１−３−１−Ａ−Ｕ】実施例１キーワード検討対象抽出判断実施例の一                                  つの図
【図５−１−１−３−３−Ａ−Ｉ】実施例１キーワード検討対象抽出判断実施例の一                                  つの図
【図５−１−１−３−３−Ａ−Ｕ】実施例１キーワード検討対象抽出判断実施例の一                                  つの図
【図５−１−１−３−６−Ａ】実施例１キーワード検討対象抽出判断実施例の一つ
【図５−１−１−４−１−Ａ−Ｉ】実施例１キーワード検討対象抽出判断実施例の一                                  つの図
【図５−１−１−４−１−Ａ−Ｕ】実施例１キーワード検討対象抽出判断実施例の一                                  つの図
【図５−１−１−４−３−Ａ−Ｉ】実施例１キーワード検討対象抽出判断実施例の一                                  つの図
【図５−１−１−４−３−Ａ−Ｕ】実施例１キーワード検討対象抽出判断実施例の一                                  つの図
【図５−１−１−５−１−Ａ−Ａ】実施例１キーワード検討対象抽出判断実施例の一                                  つの図
【図５−１−１−５−１−Ａ−Ｉ】実施例１キーワード検討対象抽出判断実施例の一                                  つの図
【図５−１−１−５−１−Ａ−Ｕ】実施例１キーワード検討対象抽出判断実施例の一                                  つの図
【図５−１−１−５−２−Ａ】実施例１キーワード検討対象抽出判断実施例の一つの図
【図５−１−１−５−３−Ａ】実施例１キーワード検討対象抽出判断実施例の一つの図
【図５−１−１−５−６−Ａ】実施例１キーワード検討対象抽出判断実施例の一つの図
【図５−１−１−６−ａ−Ａ】実施例１キーワード検討対象抽出判断実施例の一つの図
【図５−１−１−６−ａ−Ｂ】実施例１キーワード検討対象抽出判断実施例の一つの図
【図５−１−１−６−２−Ａ】実施例１キーワード検討対象抽出判断実施例の一つの                            図
【図５−１−１−６−２−Ｂ】実施例１キーワード検討対象抽出判断実施例の一つの図
【図５−１−１−６−４−Ａ】実施例１キーワード検討対象抽出判断実施例の一つの図
【図５−１−１−６−４−Ｂ】実施例１キーワード検討対象抽出判断実施例の一つの図
【図５−１−１−６−５−Ａ】実施例１キーワード検討対象抽出判断実施例の一つの図
【図５−１−１−６−５−Ｂ】実施例１キーワード検討対象抽出判断実施例の一つの図
【図５−１−１−６−６−Ａ】実施例１キーワード検討対象抽出判断実施例の一つの図
【図５−１−１−６−６−Ｂ】実施例１キーワード検討対象抽出判断実施例の一つの図
【図５−１−１−７−ａ−Ａ】実施例１キーワード検討対象抽出判断実施例の一つの図
【図５−１−１−７−２−Ａ】実施例１キーワード検討対象抽出判断実施例の一つの図
【図５−１−１−７−４−Ａ】実施例１キーワード検討対象抽出判断実施例の一つの図
【図５−１−１−７−５−Ａ】実施例１キーワード検討対象抽出判断実施例の一つの図
【図５−１−１−７−６−Ａ】実施例１キーワード検討対象抽出判断実施例の一つの図
【図５−１−１−８−１−Ａ−Ａ】実施例１キーワード検討対象抽出判断実施例の一つの図
【図５−１−１−８−１−Ａ−Ｉ】実施例１キーワード検討対象抽出判断実施例の一つの図
【図５−１−１−８−１−Ａ−Ｕ】実施例１キーワード検討対象抽出判断実施例の一つの図
【図５−１−１−９−３−Ａ−Ｉ】実施例１キーワード検討対象抽出判断実施例の一つの図
【図５−１−１−９−３−Ａ−Ｕ】実施例１キーワード検討対象抽出判断実施例の一つの図
【図５−１−１−１０−６−Ａ−Ａ】実施例１キーワード検討対象抽出判断実施例の一つの図
【図５−１−１−１０−６−Ａ−Ｉ】実施例１キーワード検討対象抽出判断実施例の一つの図
【図５−１−１−１０−６−Ａ−Ｕ】実施例１キーワード検討対象抽出判断実施例の一つの図
【図５−１−１−１１−３−Ａ】実施例１キーワード検討対象抽出判断実施例の一つの図
【図５−１−１−１１−３−Ｂ】実施例１保存答案の図
【図５−１−１−１２−６−Ａ１】実施例１キーワード検討対象抽出判断実施例の一つの図
【図５−１−１−１２−６−Ａ２】実施例１キーワード検討対象抽出判断実施例の一つの図
【図５−１−１−１２−６−Ａ３】実施例１キーワード検討対象抽出判断実施例の一つの図
【図５−１−１−１２−６−Ｂ】実施例１設問ウ全体の解答の図
【図５−１−１−１３−６−Ａ】実施例１実施例１キーワード検討対象抽出判断実施例の一つの図
【図５−１−２−１−１−Ａ−１】実施例１キーワード検討対象抽出判断実施例の一つの図
【図５−１−２−１−１−Ａ−２】実施例１キーワード検討対象抽出判断実施例の一つの図
【図５−１−２−１−１−Ａ−３】実施例１キーワード検討対象抽出判断実施例の一つの図
【図５−１−２−１−１−Ｂ−１】実施例１キーワード検討対象抽出判断実施例の一つの図
【図５−１−２−１−１−Ｂ−２】実施例１キーワード検討対象抽出判断実施例の一つの図
【図５−１−２−１−１−Ｂ−３】実施例１キーワード検討対象抽出判断実施例の一つの図
【図５−１−２−１−２−Ａ】実施例１キーワード検討対象抽出判断実施例の一つの図
【図５−１−２−１−２−Ｂ】実施例１キーワード検討対象抽出判断実施例の一つの図
【図５−１−２−１−３−Ａ】実施例１キーワード検討対象抽出判断実施例の一つの図
【図５−１−２−１−３−Ｂ】実施例１キーワード検討対象抽出判断実施例の一つの図
【図５−１−２−１−４−Ａ】実施例１キーワード検討対象抽出判断実施例の一つの図
【図５−１−２−１−４−Ｂ】実施例１キーワード検討対象抽出判断実施例の一つの図
【図５−１−２−１−５−Ａ】実施例１キーワード検討対象抽出判断実施例の一つの図
【図５−１−２−１−５−Ｂ】実施例１キーワード検討対象抽出判断実施例の一つの図
【図５−１−２−１−６−Ａ１】実施例１キーワード検討対象抽出判断実施例の一つの図
【図５−１−２−１−６−Ｂ１】実施例１キーワード検討対象抽出判断実施例の一つの図
【図５−１−２−１−６−Ａ２】実施例１キーワード検討対象抽出判断実施例の一つの図
【図５−１−２−１−６−Ｂ２】実施例１キーワード検討対象抽出判断実施例の一つの図
【図５−１−２−２−１−Ａ】実施例１キーワード検討対象抽出判断実施例の一つの図
【図５−１−２−２−２−Ａ】実施例１キーワード検討対象抽出判断実施例の一つの図
【図５−１−２−２−３−Ａ】実施例１キーワード検討対象抽出判断実施例の一つの図
【図５−１−２−２−４−Ａ】実施例１キーワード検討対象抽出判断実施例の一つの図
【図５−１−２−２−５−Ａ】実施例１キーワード検討対象抽出判断実施例の一つの図
【図５−１−２−２−６−Ａ１】実施例１キーワード検討対象抽出判断実施例の一つの図
【図５−１−２−２−６−Ａ２】実施例１キーワード検討対象抽出判断実施例の一つの図
【図５−１−２−３−１−Ａ】実施例１キーワード検討対象抽出判断実施例の一つの図
【図５−１−２−３−３−Ａ】実施例１キーワード検討対象抽出判断実施例の一つの図
【図５−１−２−３−６−Ａ】実施例１キーワード検討対象抽出判断実施例の一つの図
【図５−１−２−４−１−Ａ−１】実施例１キーワード検討対象抽出判断実施例の一つの図
【図５−１−２−４−１−Ａ−２】実施例１キーワード検討対象抽出判断実施例の一つの図
【図５−１−２−４−１−Ａ−３】実施例１キーワード検討対象抽出判断実施例の一つの図
【図５−１−２−４−３−Ａ−１】実施例１キーワード検討対象抽出判断実施例の一つの図
【図５−１−２−４−３−Ａ−２】実施例１キーワード検討対象抽出判断実施例の一つの図
【図５−１−２−４−３−Ａ−３】実施例１キーワード検討対象抽出判断実施例の一つの図
【図５−１−２−４−６−Ａ】実施例１キーワード検討対象抽出判断実施例の一つの図
【図５−１−２−５−１−Ａ−１】実施例１キーワード検討対象抽出判断実施例の一つの図
【図５−１−２−５−１−Ａ−２】実施例１キーワード検討対象抽出判断実施例の一つの図
【図５−１−２−５−１−Ａ−３】実施例１キーワード検討対象抽出判断実施例の一つの図
【図５−１−２−５−３−Ａ−２】実施例１キーワード検討対象抽出判断実施例の一つの図
【図５−１−２−５−３−Ａ−３】実施例１キーワード検討対象抽出判断実施例の一つの図
【図５−１−２−５−４−Ａ−Ｘ】実施例１キーワード検討対象抽出判断実施例の一つの図
【図５−１−２−５−４−Ａ−Ｙ】実施例１キーワード検討対象抽出判断実施例の一つの図
【図５−１−２−５−５−Ａ−Ｘ】実施例１キーワード検討対象抽出判断実施例の一つの図
【図５−１−２−５−５−Ａ−Ｙ】実施例１キーワード検討対象抽出判断実施例の一つの図
【図５−１−２−５−６−Ａ１−１】実施例１キーワード検討対象抽出判断実施例の一つの図
【図５−１−２−５−６−Ａ１−２】実施例１キーワード検討対象抽出判断実施例の一つの図
【図５−１−２−５−６−Ａ２−Ｘ】実施例１キーワード検討対象抽出判断実施例の一つの図
【図５−１−２−５−６−Ａ２−Ｙ】実施例１キーワード検討対象抽出判断実施例の一つの図
【図５−１−２−６−１−Ａ−１】実施例１キーワード検討対象抽出判断実施例の一つの図
【図５−１−２−６−１−Ａ−２】実施例１キーワード検討対象抽出判断実施例の一つの図
【図５−１−２−６−１−Ａ−３】実施例１キーワード検討対象抽出判断実施例の一つの図
【図５−１−２−６−３−Ａ−１】実施例１キーワード検討対象抽出判断実施例の一つの図
【図５−１−２−６−３−Ａ−２】実施例１キーワード検討対象抽出判断実施例の一つの図
【図５−１−２−６−３−Ａ−３】実施例１キーワード検討対象抽出判断実施例の一つの図
【図５−１−２−６−６−Ａ】実施例１キーワード検討対象抽出判断実施例の一つの    図
【図５−１−２−７−１−Ａ】実施例１キーワード検討対象抽出判断実施例の一つの図
【図５−１−２−７−２−Ａ】実施例１キーワード検討対象抽出判断実施例の一つの図
【図５−１−２−７−３−Ａ−１】実施例１キーワード検討対象抽出判断実施例の一つの図
【図５−１−２−７−３−Ａ−２】実施例１キーワード検討対象抽出判断実施例の一つの図
【図５−１−２−７−３−Ａ−３】実施例１キーワード検討対象抽出判断実施例の一つの図
【図５−１−２−７−６−Ａ】実施例１キーワード検討対象抽出判断実施例の一つの図
【図５−１−２−８−ａ−Ａ】実施例１キーワード検討対象抽出判断実施例の一つの図
【図５−１−２−８−ａ−Ｂ】実施例１キーワード検討対象抽出判断実施例の一つの図
【図５−１−２−８−２−Ａ】実施例１キーワード検討対象抽出判断実施例の一つの図
【図５−１−２−８−２−Ｂ】実施例１キーワード検討対象抽出判断実施例の一つの図
【図５−１−２−８−４−Ａ】実施例１キーワード検討対象抽出判断実施例の一つの図
【図５−１−２−８−４−Ｂ】実施例１キーワード検討対象抽出判断実施例の一つの図
【図５−１−２−８−５−Ａ】実施例１キーワード検討対象抽出判断実施例の一つの図
【図５−１−２−８−５−Ｂ】実施例１キーワード検討対象抽出判断実施例の一つの図
【図５−１−２−８−６−Ａ】実施例１キーワード検討対象抽出判断実施例の一つの図
【図５−１−２−８−６−Ｂ】実施例１キーワード検討対象抽出判断実施例の一つの図
【図５−１−２−９−ａ−Ａ】実施例１キーワード検討対象抽出判断実施例の一つの図
【図５−１−２−９−２−Ａ】実施例１キーワード検討対象抽出判断実施例の一つの図
【図５−１−２−９−４−Ａ】実施例１キーワード検討対象抽出判断実施例の一つの図
【図５−１−２−９−５−Ａ】実施例１キーワード検討対象抽出判断実施例の一つの図
【図５−１−２−９−６−Ａ】実施例１キーワード検討対象抽出判断実施例の一つの図
【図５−１−２−１０−１−Ａ】実施例１キーワード検討対象抽出判断実施例の一つの図
【図５−１−２−１１−３−Ａ】実施例１キーワード検討対象抽出判断実施例の一つの図
【図５−１−２−１２−６−Ａ−Ｘ】実施例１キーワード検討対象抽出判断実施例の一つの図
【図５−１−２−１２−６−Ａ−Ｙ】実施例１キーワード検討対象抽出判断実施例の一つの図
【図５−１−２−１３−３−Ａ】実施例１キーワード検討対象抽出判断実施例の一つの図
【図５−１−２−１４−３−Ａ−Ｙ１】実施例１キーワード検討対象抽出判断実施例の一つの図
【図５−１−２−１４−３−Ａ−Ｙ２】実施例１キーワード検討対象抽出判断実施例の一つの図
【図５−１−２−１４−３−Ａ−Ｙ３】実施例１キーワード検討対象抽出判断実施例の一つの図
【図５−１−２−１５−３−Ａ】実施例１キーワード検討対象抽出判断実施例の一つの図
【図５−１−２−１５−３−Ｂ】実施例１保存答案の図
【図５−１−２−１６−６−Ａ−１】実施例１キーワード検討対象抽出判断実施例の一つの図
【図５−１−２−１６−６−Ａ−２】実施例１キーワード検討対象抽出判断実施例の一つの図
【図５−１−２−１６−６−Ａ−３】実施例１キーワード検討対象抽出判断実施例の一つの図
【図５−１−２−１６−６−Ｂ】実施例１設問ウ全体の解答の図
【図５−１−２−１７−６−Ａ】実施例１キーワード検討対象抽出判断実施例の一つの図
【図５−１−３−１−１−Ａ】実施例１キーワード検討対象抽出判断実施例の一つの図
【図５−１−３−１−１−Ｂ】実施例１キーワード検討対象抽出判断実施例の一つの図
【図５−１−３−１−２−Ａ】実施例１キーワード検討対象抽出判断実施例の一つの図
【図５−１−３−１−２−Ｂ】実施例１キーワード検討対象抽出判断実施例の一つの図
【図５−１−３−１−３−Ａ】実施例１キーワード検討対象抽出判断実施例の一つの図
【図５−１−３−１−３−Ｂ】実施例１キーワード検討対象抽出判断実施例の一つの図
【図５−１−３−１−４−Ａ】実施例１キーワード検討対象抽出判断実施例の一つの図
【図５−１−３−１−４−Ｂ】実施例１キーワード検討対象抽出判断実施例の一つの図
【図５−１−３−１−５−Ａ】実施例１キーワード検討対象抽出判断実施例の一つの図
【図５−１−３−１−５−Ｂ】実施例１キーワード検討対象抽出判断実施例の一つの図
【図５−１−３−１−６−Ａ１】実施例１キーワード検討対象抽出判断実施例の一つの図
【図５−１−３−１−６−Ｂ１】実施例１キーワード検討対象抽出判断実施例の一つの図
【図５−１−３−１−６−Ａ２】実施例１キーワード検討対象抽出判断実施例の一つの図
【図５−１−３−１−６−Ｂ２】実施例１キーワード検討対象抽出判断実施例の一つの図
【図５−１−３−２−１−Ａ】実施例１キーワード検討対象抽出判断実施例の一つの図
【図５−１−３−２−２−Ａ】実施例１キーワード検討対象抽出判断実施例の一つの図
【図５−１−３−２−３−Ａ】実施例１キーワード検討対象抽出判断実施例の一つの図
【図５−１−３−２−４−Ａ】実施例１キーワード検討対象抽出判断実施例の一つの図
【図５−１−３−２−５−Ａ】実施例１キーワード検討対象抽出判断実施例の一つの図
【図５−１−３−２−６−Ａ１】実施例１キーワード検討対象抽出判断実施例の一つの図
【図５−１−３−２−６−Ａ２】実施例１キーワード検討対象抽出判断実施例の一つの図
【図５−１−３−３−１−Ａ】実施例１キーワード検討対象抽出判断実施例の一つの図
【図５−１−３−３−３−Ａ】実施例１キーワード検討対象抽出判断実施例の一つの図
【図５−１−３−３−６−Ａ】実施例１キーワード検討対象抽出判断実施例の一つの図
【図５−１−３−４−１−Ａ】実施例１キーワード検討対象抽出判断実施例の一つの図
【図５−１−３−４−３−Ａ】実施例１キーワード検討対象抽出判断実施例の一つの図
【図５−１−３−４−４−Ａ】実施例１キーワード検討対象抽出判断実施例の一つの図
【図５−１−３−４−５−Ａ】実施例１キーワード検討対象抽出判断実施例の一つの図
【図５−１−３−４−６−Ａ１】実施例１キーワード検討対象抽出判断実施例の一つの図
【図５−１−３−４−６−Ａ２】実施例１キーワード検討対象抽出判断実施例の一つの図
【図５−１−３−５−１−Ａ】実施例１キーワード検討対象抽出判断実施例の一つの図
【図５−１−３−５−３−Ａ】実施例１キーワード検討対象抽出判断実施例の一つの図
【図５−１−３−５−４−Ａ】実施例１キーワード検討対象抽出判断実施例の一つの図
【図５−１−３−５−５−Ａ】実施例１キーワード検討対象抽出判断実施例の一つの図
【図５−１−３−５−６−Ａ１】実施例１キーワード検討対象抽出判断実施例の一つの図
【図５−１−３−５−６−Ａ２】実施例１キーワード検討対象抽出判断実施例の一つの図
【図５−１−３−６−１−Ａ】実施例１キーワード検討対象抽出判断実施例の一つの図
【図５−１−３−６−２−Ａ】実施例１キーワード検討対象抽出判断実施例の一つの図
【図５−１−３−６−３−Ａ】実施例１キーワード検討対象抽出判断実施例の一つの図
【図５−１−３−６−６−Ａ】実施例１キーワード検討対象抽出判断実施例の一つの図
【図５−１−３−７−ａ−Ａ】実施例１キーワード検討対象抽出判断実施例の一つの図
【図５−１−３−７−ａ−Ｂ】実施例１キーワード検討対象抽出判断実施例の一つの図
【図５−１−３−７−２−Ａ】実施例１キーワード検討対象抽出判断実施例の一つの図
【図５−１−３−７−２−Ｂ】実施例１キーワード検討対象抽出判断実施例の一つの図
【図５−１−３−７−４−Ａ】実施例１キーワード検討対象抽出判断実施例の一つの図
【図５−１−３−７−４−Ｂ】実施例１キーワード検討対象抽出判断実施例の一つの図
【図５−１−３−７−５−Ａ】実施例１キーワード検討対象抽出判断実施例の一つの図
【図５−１−３−７−５−Ｂ】実施例１キーワード検討対象抽出判断実施例の一つの図
【図５−１−３−７−６−Ａ】実施例１キーワード検討対象抽出判断実施例の一つの図
【図５−１−３−７−６−Ｂ】実施例１キーワード検討対象抽出判断実施例の一つの図
【図５−１−３−８−ａ−Ａ】実施例１キーワード検討対象抽出判断実施例の一つの図
【図５−１−３−８−２−Ａ】実施例１キーワード検討対象抽出判断実施例の一つの図
【図５−１−３−８−４−Ａ】実施例１キーワード検討対象抽出判断実施例の一つの図
【図５−１−３−８−５−Ａ】実施例１キーワード検討対象抽出判断実施例の一つの図
【図５−１−３−８−６−Ａ】実施例１キーワード検討対象抽出判断実施例の一つの図
【図５−１−３−９−１−Ａ】実施例１キーワード検討対象抽出判断実施例の一つの図
【図５−１−３−１０−６−Ａ】実施例１キーワード検討対象抽出判断実施例の一つの図
【図５−１−３−１１−６−Ａ】実施例１キーワード検討対象抽出判断実施例の一つの図
【図５−１−３−１２−６−Ａ】実施例１キーワード検討対象抽出判断実施例の一つの図
【図５−１−３−１２−６−Ｂ】実施例１他の解答の部分の図
【図５−１−３−１３−６−Ａ】実施例１キーワード検討対象抽出判断実施例の一つの図
【図５−１−３−１３−６−Ｂ】実施例１設問ウ全体の解答の図
【図５−１−３−１４−６−Ａ】実施例１キーワード検討対象抽出判断実施例の一つの図
【図５−１−Ｚ−Ｚ−Ｚ−Ａ】実施例１キーワード検討対象抽出判断実施例の一つの図
【図６−１−１−１−１】実施例１書き取り実施後の答案の一つの図
【図６−１−１−１−２】実施例１書き取り実施後の答案の一つの図
【図６−１−１−１−３】実施例１書き取り実施後の答案の一つの図
【図６−１−１−１−４】実施例１書き取り実施後の答案の一つの図
【図６−１−１−１−５】実施例１書き取り実施後の答案の一つの図
【図６−１−１−１−６−１】実施例１書き取り実施後の答案の一つの図
【図６−１−１−１−６−２】実施例１書き取り実施後の答案の一つの図
【図６−１−１−２−１】実施例１書き取り実施後の答案の一つの図
【図６−１−１−２−２】実施例１書き取り実施後の答案の一つの図
【図６−１−１−２−３】実施例１書き取り実施後の答案の一つの図
【図６−１−１−２−４】実施例１書き取り実施後の答案の一つの図
【図６−１−１−２−５】実施例１書き取り実施後の答案の一つの図
【図６−１−１−２−６−１】実施例１書き取り実施後の答案の一つの図
【図６−１−１−２−６−２】実施例１書き取り実施後の答案の一つの図
【図６−１−１−３−１】実施例１書き取り実施後の答案の一つの図
【図６−１−１−３−３】実施例１書き取り実施後の答案の一つの図
【図６−１−１−３−６】実施例１書き取り実施後の答案の一つの図
【図６−１−１−４−１】実施例１書き取り実施後の答案の一つの図
【図６−１−１−４−３】実施例１書き取り実施後の答案の一つの図
【図６−１−１−５−１】実施例１書き取り実施後の答案の一つの図
【図６−１−１−５−２】実施例１書き取り実施後の答案の一つの図
【図６−１−１−５−３】実施例１書き取り実施後の答案の一つの図
【図６−１−１−５−６】実施例１書き取り実施後の答案の一つの図
【図６−１−１−６−ａ】実施例１書き取り実施後の答案の一つの図
【図６−１−１−６−２】実施例１書き取り実施後の答案の一つの図
【図６−１−１−６−４】実施例１書き取り実施後の答案の一つの図
【図６−１−１−６−５】実施例１書き取り実施後の答案の一つの図
【図６−１−１−６−６】実施例１書き取り実施後の答案の一つの図
【図６−１−１−７−ａ】実施例１書き取り実施後の答案の一つの図
【図６−１−１−７−２】実施例１書き取り実施後の答案の一つの図
【図６−１−１−７−４】実施例１書き取り実施後の答案の一つの図
【図６−１−１−７−５】実施例１書き取り実施後の答案の一つの図
【図６−１−１−７−６】実施例１書き取り実施後の答案の一つの図
【図６−１−１−８−１】実施例１書き取り実施後の答案の一つの図
【図６−１−１−９−３】実施例１書き取り実施後の答案の一つの図
【図６−１−１−１０−６】実施例１書き取り実施後の答案の一つの図
【図６−１−１−１１−３】実施例１書き取り実施後の答案の一つの図
【図６−１−１−１２−６−１】実施例１書き取り実施後の答案の一つの図
【図６−１−１−１２−６−２】実施例１書き取り実施後の答案の一つの図
【図６−１−１−１２−６−３】実施例１書き取り実施後の答案の一つの図
【図６−１−１−１３−６】実施例１書き取り実施後の答案の一つの図
【図６−１−２−１−１】実施例１書き取り実施後の答案の一つの図
【図６−１−２−１−２】実施例１書き取り実施後の答案の一つの図
【図６−１−２−１−３】実施例１書き取り実施後の答案の一つの図
【図６−１−２−１−４】実施例１書き取り実施後の答案の一つの図
【図６−１−２−１−５】実施例１書き取り実施後の答案の一つの図
【図６−１−２−１−６−１】実施例１書き取り実施後の答案の一つの図
【図６−１−２−１−６−２】実施例１書き取り実施後の答案の一つの図
【図６−１−２−２−１】実施例１書き取り実施後の答案の一つの図
【図６−１−２−２−２】実施例１書き取り実施後の答案の一つの図
【図６−１−２−２−３】実施例１書き取り実施後の答案の一つの図
【図６−１−２−２−４】実施例１書き取り実施後の答案の一つの図
【図６−１−２−２−５】実施例１書き取り実施後の答案の一つの図
【図６−１−２−２−６−１】実施例１書き取り実施後の答案の一つの図
【図６−１−２−２−６−２】実施例１書き取り実施後の答案の一つの図
【図６−１−２−３−１】実施例１書き取り実施後の答案の一つの図
【図６−１−２−３−３】実施例１書き取り実施後の答案の一つの図
【図６−１−２−３−６】実施例１書き取り実施後の答案の一つの図
【図６−１−２−４−１】実施例１書き取り実施後の答案の一つの図
【図６−１−２−４−３】実施例１書き取り実施後の答案の一つの図
【図６−１−２−４−６】実施例１書き取り実施後の答案の一つの図
【図６−１−２−５−１】実施例１書き取り実施後の答案の一つの図
【図６−１−２−５−３】実施例１書き取り実施後の答案の一つの図
【図６−１−２−５−４】実施例１書き取り実施後の答案の一つの図
【図６−１−２−５−５】実施例１書き取り実施後の答案の一つの図
【図６−１−２−５−６−１】実施例１書き取り実施後の答案の一つの図
【図６−１−２−５−６−２】実施例１書き取り実施後の答案の一つの図
【図６−１−２−６−１】実施例１書き取り実施後の答案の一つの図
【図６−１−２−６−３】実施例１書き取り実施後の答案の一つの図
【図６−１−２−６−６】実施例１書き取り実施後の答案の一つの図
【図６−１−２−７−１】実施例１書き取り実施後の答案の一つの図
【図６−１−２−７−２】実施例１書き取り実施後の答案の一つの図
【図６−１−２−７−３】実施例１書き取り実施後の答案の一つの図
【図６−１−２−７−６】実施例１書き取り実施後の答案の一つの図
【図６−１−２−８−ａ】実施例１書き取り実施後の答案の一つの図
【図６−１−２−８−２】実施例１書き取り実施後の答案の一つの図
【図６−１−２−８−４】実施例１書き取り実施後の答案の一つの図
【図６−１−２−８−５】実施例１書き取り実施後の答案の一つの図
【図６−１−２−８−６】実施例１書き取り実施後の答案の一つの図
【図６−１−２−９−ａ】実施例１書き取り実施後の答案の一つの図
【図６−１−２−９−２】実施例１書き取り実施後の答案の一つの図
【図６−１−２−９−４】実施例１書き取り実施後の答案の一つの図
【図６−１−２−９−５】実施例１書き取り実施後の答案の一つの図
【図６−１−２−９−６】実施例１書き取り実施後の答案の一つの図
【図６−１−２−１０−１】実施例１書き取り実施後の答案の一つの図
【図６−１−２−１１−３】実施例１書き取り実施後の答案の一つの図
【図６−１−２−１２−６】実施例１書き取り実施後の答案の一つの図
【図６−１−２−１３−３】実施例１書き取り実施後の答案の一つの図
【図６−１−２−１４−３】実施例１書き取り実施後の答案の一つの図
【図６−１−２−１５−３】実施例１書き取り実施後の答案の一つの図
【図６−１−２−１６−６】実施例１書き取り実施後の答案の一つの図
【図６−１−２−１７−６】実施例１書き取り実施後の答案の一つの図
【図６−１−３−１−１】実施例１書き取り実施後の答案の一つの図
【図６−１−３−１−２】実施例１書き取り実施後の答案の一つの図
【図６−１−３−１−３】実施例１書き取り実施後の答案の一つの図
【図６−１−３−１−４】実施例１書き取り実施後の答案の一つの図
【図６−１−３−１−５】実施例１書き取り実施後の答案の一つの図
【図６−１−３−１−６−１】実施例１書き取り実施後の答案の一つの図
【図６−１−３−１−６−２】実施例１書き取り実施後の答案の一つの図
【図６−１−３−２−１】実施例１書き取り実施後の答案の一つの図
【図６−１−３−２−２】実施例１書き取り実施後の答案の一つの図
【図６−１−３−２−３】実施例１書き取り実施後の答案の一つの図
【図６−１−３−２−４】実施例１書き取り実施後の答案の一つの図
【図６−１−３−２−５】実施例１書き取り実施後の答案の一つの図
【図６−１−３−２−６−１】実施例１書き取り実施後の答案の一つの図
【図６−１−３−２−６−２】実施例１書き取り実施後の答案の一つの図
【図６−１−３−３−１】実施例１書き取り実施後の答案の一つの図
【図６−１−３−３−３】実施例１書き取り実施後の答案の一つの図
【図６−１−３−３−６】実施例１書き取り実施後の答案の一つの図
【図６−１−３−４−１】実施例１書き取り実施後の答案の一つの図
【図６−１−３−４−３】実施例１書き取り実施後の答案の一つの図
【図６−１−３−４−４】実施例１書き取り実施後の答案の一つの図
【図６−１−３−４−５】実施例１書き取り実施後の答案の一つの図
【図６−１−３−４−６−１】実施例１書き取り実施後の答案の一つの図
【図６−１−３−４−６−２】実施例１書き取り実施後の答案の一つの図
【図６−１−３−５−１】実施例１書き取り実施後の答案の一つの図
【図６−１−３−５−３】実施例１書き取り実施後の答案の一つの図
【図６−１−３−５−４】実施例１書き取り実施後の答案の一つの図
【図６−１−３−５−５】実施例１書き取り実施後の答案の一つの図
【図６−１−３−５−６−１】実施例１書き取り実施後の答案の一つの図
【図６−１−３−５−６−２】実施例１書き取り実施後の答案の一つの図
【図６−１−３−６−１】実施例１書き取り実施後の答案の一つの図
【図６−１−３−６−２】実施例１書き取り実施後の答案の一つの図
【図６−１−３−６−３】実施例１書き取り実施後の答案の一つの図
【図６−１−３−６−６】実施例１書き取り実施後の答案の一つの図
【図６−１−３−７−ａ】実施例１書き取り実施後の答案の一つの図
【図６−１−３−７−２】実施例１書き取り実施後の答案の一つの図
【図６−１−３−７−４】実施例１書き取り実施後の答案の一つの図
【図６−１−３−７−５】実施例１書き取り実施後の答案の一つの図
【図６−１−３−７−６】実施例１書き取り実施後の答案の一つの図
【図６−１−３−８−ａ】実施例１書き取り実施後の答案の一つの図
【図６−１−３−８−２】実施例１書き取り実施後の答案の一つの図
【図６−１−３−８−４】実施例１書き取り実施後の答案の一つの図
【図６−１−３−８−５】実施例１書き取り実施後の答案の一つの図
【図６−１−３−８−６】実施例１書き取り実施後の答案の一つの図
【図６−１−３−９−１】実施例１書き取り実施後の答案の一つの図
【図６−１−３−１０−６】実施例１書き取り実施後の答案の一つの図
【図６−１−３−１１−６】実施例１書き取り実施後の答案の一つの図
【図６−１−３−１２−６】実施例１書き取り実施後の答案の一つの図
【図６−１−３−１３−６】実施例１書き取り実施後の答案の一つの図
【図６−１−３−１４−６】実施例１書き取り実施後の答案の一つの図
【図６−１−Ｚ−Ｚ−Ｚ】実施例１書き取り実施後の答案の一つの図
【図７−２】実施例２解答作成途中の答案（ＣＢＴの答案を含む）からも含めて模範答案作成できる例の図
【図８−３−Ａ】実施例３校正前などの答案の図
【図８−３−Ｂ】実施例３校正前などの答案の図
【図９−３】実施例３の１回目の処理サイクルのキーワード抽出判断実施例の図
【図１０−３−Ａ】実施例３の１回目の処理サイクルのキーワード検討対象抽出判断実施例の図
【図１０−３−Ｂ】実施例３の１回目の処理サイクルのキーワード検討対象抽出判断実施例の図
【図１１−３−Ａ】実施例３の１回目の処理サイクルの書き取り実施後の答案の図
【図１１−３−Ｂ】実施例３の１回目の処理サイクルの書き取り実施後の答案の図
【図１２−３】実施例の２回目の処理サイクルの３キーワード抽出判断実施例の図
【図１３−３−Ａ】実施例３の２回目の処理サイクルのキーワード検討対象抽出判断実施例の図
【図１３−３−Ｂ】実施例３の２回目の処理サイクルのキーワード検討対象抽出判断実施例の図
【図１４−３】実施例３の２回目の処理サイクルの書き取り実施後の答案の図
【図１５−３】実施例３書き取り実施後の答案の図
【図１６−４】実施例４校正前答案の図
【図１７−４】実施例４キーワード抽出判断実施例の図
【図１８−４−Ａ】実施例４選択対象（追加対象）の答案書き取りの校正前答案の図
【図１８−４−Ｂ】実施例４選択対象（追加対象）の答案書き取りの選択対象（追加対象）の答案の図
【図１８−４−Ｃ】実施例４選択対象（追加対象）の答案書き取りの選択対象（追加対象）の答案の図
【図１９−４−Ａ】実施例４キーワード検討対象抽出判断実施例の図
【図１９−４−Ｂ】実施例４キーワード検討対象抽出判断実施例の図
【図１９−４−Ｃ】実施例４キーワード検討対象抽出判断実施例の図
【図２０−４−Ｂ】実施例４書き取り実施後答案１の図
【図２０−４−Ｃ】実施例４書き取り実施後答案２の図
【図２１−５】実施例５校正前答案の図
【図２２−５】実施例５答案書き取り実施後の答案の図
【図２３−６−Ａ】実施例６校正前答案の一部の図
【図２３−６−Ｂ】実施例６校正前答案の一部の図
【図２４−６−Ａ】実施例６模範答案作成後答案の一部の図
【図２４−６−Ｂ】実施例６模範答案作成後答案の一部の図
【図２５−６】実施例６採点結果例の図
【図２６−７−Ａ】実施例７校正前答案の一部の図
【図２６−７−Ｂ】実施例７校正前答案の一部の図
【図２７−７−Ａ】実施例７選択、書き換え、調整後答案の一部の図
【図２７−７−Ｂ】実施例７選択、書き換え、調整後答案の一部の図
【図２８−７】実施例７採点結果例の図
【図２９−８】実施例８答案解説実施例の図
【図３０−１１】実施例１１答案作成技術・技法解説実施例の図
【図３１−１４】実施例１４校正前答案
【図３２−１４】実施例１４の１回目の処理サイクルのエッセイ形式（論文、文章形式）試験問題のキーワード抽出判断実施例の図
【図３３−１４】実施例１４の１回目の処理サイクルのアウトラインのキーワード抽出判断実施例の図
【図３４−１４】実施例１４の１回目の処理サイクルのキーワード検討対象抽出判断実施例の図
【図３５−１４】実施例１４の１回目の処理サイクルの書き取り実施後の答案の図
【図３６−１４】実施例１４の２回目の処理サイクルのエッセイ形式（論文、文章形式）試験問題のキーワード抽出判断実施例の図
【図３７−１４】実施例１４の２回目の処理サイクルのアウトラインのキーワード抽出判断実施例の図
【図３８−１４】実施例１４の２回目の処理サイクルのキーワード検討対象抽出判断実施例の図
【図３９−１４】実施例１４の２回目の処理サイクルの書き取り実施後の答案の図
【図４０−１４】実施例１４書き取り実施後の答案の図
【符号の説明】
【００４１】
１：読取装置・機器（スキャナ等）
２：多機能編集指定装置・機器（多機能編集指定端末）
３：受信配信型システム（汎用機、サーバ等の受信配信型試験システム）
４：表示装置・機器（プリンタ等）
５：外部保存装置・機器
６：紹介表示編集機器（タブレット機能付電子ブック等）
７：多機能編集指定装置・機器（パソコン等）
８：多機能編集指定装置・機器（スライド編集モニタ等）
９：多機能編集指定装置・機器（ディジタル編集テレビ等）
【図１】
2005010728.tif 000002
【図２】
2005010728.tif 000003
【図３−１−１−１−１−Ａ】
2005010728.tif 000004
【図３−１−１−１−１−Ｂ】
2005010728.tif 000005
【図３−１−１−１−２−Ａ】
2005010728.tif 000006
【図３−１−１−１−３−Ａ】
2005010728.tif 000007
【図３−１−１−１−４−Ａ】
2005010728.tif 000008
【図３−１−１−１−５−Ａ】
2005010728.tif 000009
【図３−１−１−１−６−Ａ】
2005010728.tif 000010
【図３−１−１−２−１−Ａ】
2005010728.tif 000011
【図３−１−１−２−１−Ｂ】
2005010728.tif 000012
【図３−１−１−２−２−Ａ】
2005010728.tif 000013
【図３−１−１−２−３−Ａ】
2005010728.tif 000014
【図３−１−１−２−４−Ａ】
2005010728.tif 000015
【図３−１−１−２−５−Ａ】
2005010728.tif 000016
【図３−１−１−２−６−Ａ】
2005010728.tif 000017
【図３−１−１−３−１−Ａ】
2005010728.tif 000018
【図３−１−１−３−１−Ｂ】
2005010728.tif 000019
【図３−１−１−３−３−Ａ】
2005010728.tif 000020
【図３−１−１−３−６−Ａ】
2005010728.tif 000021
【図３−１−１−４−１−Ａ】
2005010728.tif 000022
【図３−１−１−４−１−Ｂ】
2005010728.tif 000023
【図３−１−１−４−３−Ａ】
2005010728.tif 000024
【図３−１−１−５−１−Ａ】
2005010728.tif 000025
【図３−１−１−５−１−Ｂ】
2005010728.tif 000026
【図３−１−１−５−２−Ａ】
2005010728.tif 000027
【図３−１−１−５−３−Ａ】
2005010728.tif 000028
【図３−１−１−５−６−Ａ】
2005010728.tif 000029
【図３−１−１−６−ａ−Ａ】
2005010728.tif 000030
【図３−１−１−６−２−Ａ】
2005010728.tif 000031
【図３−１−１−６−４−Ａ】
2005010728.tif 000032
【図３−１−１−６−５−Ａ】
2005010728.tif 000033
【図３−１−１−６−６−Ａ】
2005010728.tif 000034
【図３−１−１−７−ａ−Ａ】
2005010728.tif 000035
【図３−１−１−７−２−Ａ】
2005010728.tif 000036
【図３−１−１−７−４−Ａ】
2005010728.tif 000037
【図３−１−１−７−５−Ａ】
2005010728.tif 000038
【図３−１−１−７−６−Ａ】
2005010728.tif 000039
【図３−１−１−８−１−Ａ】
2005010728.tif 000040
【図３−１−１−８−１−Ｂ】
2005010728.tif 000041
【図３−１−１−９−３−Ａ】
2005010728.tif 000042
【図３−１−１−１０−６−Ａ】
2005010728.tif 000043
【図３−１−１−１１−３−Ａ】
2005010728.tif 000044
【図３−１−１−１２−６−Ａ】
2005010728.tif 000045
【図３−１−１−１３−６−Ａ】
2005010728.tif 000046
【図３−１−２−１−１−Ａ】
2005010728.tif 000047
【図３−１−２−１−１−Ｂ】
2005010728.tif 000048
【図３−１−２−１−２−Ａ】
2005010728.tif 000049
【図３−１−２−１−３−Ａ】
2005010728.tif 000050
【図３−１−２−１−４−Ａ】
2005010728.tif 000051
【図３−１−２−１−５−Ａ】
2005010728.tif 000052
【図３−１−２−１−６−Ａ】
2005010728.tif 000053
【図３−１−２−２−１−Ａ】
2005010728.tif 000054
【図３−１−２−２−１−Ｂ】
2005010728.tif 000055
【図３−１−２−２−２−Ａ】
2005010728.tif 000056
【図３−１−２−２−３−Ａ】
2005010728.tif 000057
【図３−１−２−２−４−Ａ】
2005010728.tif 000058
【図３−１−２−２−５−Ａ】
2005010728.tif 000059
【図３−１−２−２−６−Ａ】
2005010728.tif 000060
【図３−１−２−３−１−Ａ】
2005010728.tif 000061
【図３−１−２−３−１−Ｂ】
2005010728.tif 000062
【図３−１−２−３−３−Ａ】
2005010728.tif 000063
【図３−１−２−３−６−Ａ】
2005010728.tif 000064
【図３−１−２−４−１−Ａ】
2005010728.tif 000065
【図３−１−２−４−１−Ｂ】
2005010728.tif 000066
【図３−１−２−４−３−Ａ】
2005010728.tif 000067
【図３−１−２−４−６−Ａ】
2005010728.tif 000068
【図３−１−２−５−１−Ａ】
2005010728.tif 000069
【図３−１−２−５−１−Ｂ】
2005010728.tif 000070
【図３−１−２−５−３−Ａ】
2005010728.tif 000071
【図３−１−２−５−４−Ａ】
2005010728.tif 000072
【図３−１−２−５−５−Ａ】
2005010728.tif 000073
【図３−１−２−５−６−Ａ】
2005010728.tif 000074
【図３−１−２−６−１−Ａ】
2005010728.tif 000075
【図３−１−２−６−１−Ｂ】
2005010728.tif 000076
【図３−１−２−６−３−Ａ】
2005010728.tif 000077
【図３−１−２−６−６−Ａ】
2005010728.tif 000078
【図３−１−２−７−１−Ａ】
2005010728.tif 000079
【図３−１−２−７−１−Ｂ】
2005010728.tif 000080
【図３−１−２−７−２−Ａ】
2005010728.tif 000081
【図３−１−２−７−３−Ａ】
2005010728.tif 000082
【図３−１−２−７−６−Ａ】
2005010728.tif 000083
【図３−１−２−８−ａ−Ａ】
2005010728.tif 000084
【図３−１−２−８−２−Ａ】
2005010728.tif 000085
【図３−１−２−８−４−Ａ】
2005010728.tif 000086
【図３−１−２−８−５−Ａ】
2005010728.tif 000087
【図３−１−２−８−６−Ａ】
2005010728.tif 000088
【図３−１−２−９−ａ−Ａ】
2005010728.tif 000089
【図３−１−２−９−２−Ａ】
2005010728.tif 000090
【図３−１−２−９−４−Ａ】
2005010728.tif 000091
【図３−１−２−９−５−Ａ】
2005010728.tif 000092
【図３−１−２−９−６−Ａ】
2005010728.tif 000093
【図３−１−２−１０−１−Ａ】
2005010728.tif 000094
【図３−１−２−１０−１−Ｂ】
2005010728.tif 000095
【図３−１−２−１１−３−Ａ】
2005010728.tif 000096
【図３−１−２−１２−６−Ａ】
2005010728.tif 000097
【図３−１−２−１３−３−Ａ】
2005010728.tif 000098
【図３−１−２−１４−３−Ａ】
2005010728.tif 000099
【図３−１−２−１５−３−Ａ】
2005010728.tif 000100
【図３−１−２−１６−６−Ａ】
2005010728.tif 000101
【図３−１−２−１７−６−Ａ】
2005010728.tif 000102
【図３−１−３−１−１−Ａ】
2005010728.tif 000103
【図３−１−３−１−１−Ｂ】
2005010728.tif 000104
【図３−１−３−１−２−Ａ】
2005010728.tif 000105
【図３−１−３−１−３−Ａ】
2005010728.tif 000106
【図３−１−３−１−４−Ａ】
2005010728.tif 000107
【図３−１−３−１−５−Ａ】
2005010728.tif 000108
【図３−１−３−１−６−Ａ】
2005010728.tif 000109
【図３−１−３−２−１−Ａ】
2005010728.tif 000110
【図３−１−３−２−１−Ｂ】
2005010728.tif 000111
【図３−１−３−２−２−Ａ】
2005010728.tif 000112
【図３−１−３−２−３−Ａ】
2005010728.tif 000113
【図３−１−３−２−４−Ａ】
2005010728.tif 000114
【図３−１−３−２−５−Ａ】
2005010728.tif 000115
【図３−１−３−２−６−Ａ】
2005010728.tif 000116
【図３−１−３−３−１−Ａ】
2005010728.tif 000117
【図３−１−３−３−１−Ｂ】
2005010728.tif 000118
【図３−１−３−３−３−Ａ】
2005010728.tif 000119
【図３−１−３−３−６−Ａ】
2005010728.tif 000120
【図３−１−３−４−１−Ａ】
2005010728.tif 000121
【図３−１−３−４−１−Ｂ】
2005010728.tif 000122
【図３−１−３−４−３−Ａ】
2005010728.tif 000123
【図３−１−３−４−４−Ａ】
2005010728.tif 000124
【図３−１−３−４−５−Ａ】
2005010728.tif 000125
【図３−１−３−４−６−Ａ】
2005010728.tif 000126
【図３−１−３−５−１−Ａ】
2005010728.tif 000127
【図３−１−３−５−１−Ｂ】
2005010728.tif 000128
【図３−１−３−５−３−Ａ】
2005010728.tif 000129
【図３−１−３−５−４−Ａ】
2005010728.tif 000130
【図３−１−３−５−５−Ａ】
2005010728.tif 000131
【図３−１−３−５−６−Ａ】
2005010728.tif 000132
【図３−１−３−６−１−Ａ】
2005010728.tif 000133
【図３−１−３−６−１−Ｂ】
2005010728.tif 000134
【図３−１−３−６−２−Ａ】
2005010728.tif 000135
【図３−１−３−６−３−Ａ】
2005010728.tif 000136
【図３−１−３−６−６−Ａ】
2005010728.tif 000137
【図３−１−３−７−ａ−Ａ】
2005010728.tif 000138
【図３−１−３−７−２−Ａ】
2005010728.tif 000139
【図３−１−３−７−４−Ａ】
2005010728.tif 000140
【図３−１−３−７−５−Ａ】
2005010728.tif 000141
【図３−１−３−７−６−Ａ】
2005010728.tif 000142
【図３−１−３−８−ａ−Ａ】
2005010728.tif 000143
【図３−１−３−８−２−Ａ】
2005010728.tif 000144
【図３−１−３−８−４−Ａ】
2005010728.tif 000145
【図３−１−３−８−５−Ａ】
2005010728.tif 000146
【図３−１−３−８−６−Ａ】
2005010728.tif 000147
【図３−１−３−９−１−Ａ】
2005010728.tif 000148
【図３−１−３−９−１−Ｂ】
2005010728.tif 000149
【図３−１−３−１０−６−Ａ】
2005010728.tif 000150
【図３−１−３−１１−６−Ａ】
2005010728.tif 000151
【図３−１−３−１２−６−Ａ】
2005010728.tif 000152
【図３−１−３−１３−６−Ａ】
2005010728.tif 000153
【図３−１−３−１４−６−Ａ】
2005010728.tif 000154
【図３−１−Ｚ−Ｚ−Ｚ−Ａ】
2005010728.tif 000155
【図４−１−１−１−１−Ａ】
2005010728.tif 000156
【図４−１−１−１−１−Ｂ】
2005010728.tif 000157
【図４−１−１−１−２−Ａ】
2005010728.tif 000158
【図４−１−１−１−２−Ｂ】
2005010728.tif 000159
【図４−１−１−１−３−Ａ】
2005010728.tif 000160
【図４−１−１−１−３−Ｂ】
2005010728.tif 000161
【図４−１−１−１−４−Ａ】
2005010728.tif 000162
【図４−１−１−１−４−Ｂ】
2005010728.tif 000163
【図４−１−１−１−５−Ａ】
2005010728.tif 000164
【図４−１−１−１−５−Ｂ】
2005010728.tif 000165
【図４−１−１−１−６−Ａ１】
2005010728.tif 000166
【図４−１−１−１−６−Ａ２】
2005010728.tif 000167
【図４−１−１−１−６−Ｂ１】
2005010728.tif 000168
【図４−１−１−１−６−Ｂ２】
2005010728.tif 000169
【図４−１−２−１−１−Ａ】
2005010728.tif 000170
【図４−１−２−１−１−Ｂ】
2005010728.tif 000171
【図４−１−２−１−２−Ａ】
2005010728.tif 000172
【図４−１−２−１−２−Ｂ】
2005010728.tif 000173
【図４−１−２−１−３−Ａ】
2005010728.tif 000174
【図４−１−２−１−３−Ｂ】
2005010728.tif 000175
【図４−１−２−１−４−Ａ】
2005010728.tif 000176
【図４−１−２−１−４−Ｂ】
2005010728.tif 000177
【図４−１−２−１−５−Ａ】
2005010728.tif 000178
【図４−１−２−１−５−Ｂ】
2005010728.tif 000179
【図４−１−２−１−６−Ａ１】
2005010728.tif 000180
【図４−１−２−１−６−Ａ２】
2005010728.tif 000181
【図４−１−２−１−６−Ｂ１】
2005010728.tif 000182
【図４−１−２−１−６−Ｂ２】
2005010728.tif 000183
【図４−１−３−１−１−Ａ】
2005010728.tif 000184
【図４−１−３−１−１−Ｂ】
2005010728.tif 000185
【図４−１−３−１−２−Ａ】
2005010728.tif 000186
【図４−１−３−１−２−Ｂ】
2005010728.tif 000187
【図４−１−３−１−３−Ａ】
2005010728.tif 000188
【図４−１−３−１−３−Ｂ】
2005010728.tif 000189
【図４−１−３−１−４−Ａ】
2005010728.tif 000190
【図４−１−３−１−４−Ｂ】
2005010728.tif 000191
【図４−１−３−１−５−Ａ】
2005010728.tif 000192
【図４−１−３−１−５−Ｂ】
2005010728.tif 000193
【図４−１−３−１−６−Ａ１】
2005010728.tif 000194
【図４−１−３−１−６−Ａ２】
2005010728.tif 000195
【図４−１−３−１−６−Ｂ１】
2005010728.tif 000196
【図４−１−３−１−６−Ｂ２】
2005010728.tif 000197
【図５−１−１−１−１−Ａ−Ａ】
2005010728.tif 000198
【図５−１−１−１−１−Ａ−Ｉ】
2005010728.tif 000199
【図５−１−１−１−１−Ａ−Ｕ】
2005010728.tif 000200
【図５−１−１−１−１−Ｂ−Ａ】
2005010728.tif 000201
【図５−１−１−１−１−Ｂ−Ｉ】
2005010728.tif 000202
【図５−１−１−１−１−Ｂ−Ｕ】
2005010728.tif 000203
【図５−１−１−１−２−Ａ】
2005010728.tif 000204
【図５−１−１−１−２−Ｂ】
2005010728.tif 000205
【図５−１−１−１−３−Ａ】
2005010728.tif 000206
【図５−１−１−１−３−Ｂ】
2005010728.tif 000207
【図５−１−１−１−４−Ａ】
2005010728.tif 000208
【図５−１−１−１−４−Ｂ】
2005010728.tif 000209
【図５−１−１−１−５−Ａ】
2005010728.tif 000210
【図５−１−１−１−５−Ｂ】
2005010728.tif 000211
【図５−１−１−１−６−Ａ１】
2005010728.tif 000212
【図５−１−１−１−６−Ｂ１】
2005010728.tif 000213
【図５−１−１−１−６−Ａ２】
2005010728.tif 000214
【図５−１−１−１−６−Ｂ２】
2005010728.tif 000215
【図５−１−１−２−１−Ａ−Ａ】
2005010728.tif 000216
【図５−１−１−２−１−Ａ−Ｉ】
2005010728.tif 000217
【図５−１−１−２−１−Ａ−Ｕ】
2005010728.tif 000218
【図５−１−１−２−２−Ａ】
2005010728.tif 000219
【図５−１−１−２−３−Ａ】
2005010728.tif 000220
【図５−１−１−２−４−Ａ】
2005010728.tif 000221
【図５−１−１−２−５−Ａ】
2005010728.tif 000222
【図５−１−１−２−６−Ａ１】
2005010728.tif 000223
【図５−１−１−２−６−Ａ２】
2005010728.tif 000224
【図５−１−１−３−１−Ａ−Ａ】
2005010728.tif 000225
【図５−１−１−３−１−Ａ−Ｉ】
2005010728.tif 000226
【図５−１−１−３−１−Ａ−Ｕ】
2005010728.tif 000227
【図５−１−１−３−３−Ａ−Ｉ】
2005010728.tif 000228
【図５−１−１−３−３−Ａ−Ｕ】
2005010728.tif 000229
【図５−１−１−３−６−Ａ】
2005010728.tif 000230
【図５−１−１−４−１−Ａ−Ｉ】
2005010728.tif 000231
【図５−１−１−４−１−Ａ−Ｕ】
2005010728.tif 000232
【図５−１−１−４−３−Ａ−Ｉ】
2005010728.tif 000233
【図５−１−１−４−３−Ａ−Ｕ】
2005010728.tif 000234
【図５−１−１−５−１−Ａ−Ａ】
2005010728.tif 000235
【図５−１−１−５−１−Ａ−Ｉ】
2005010728.tif 000236
【図５−１−１−５−１−Ａ−Ｕ】
2005010728.tif 000237
【図５−１−１−５−２−Ａ】
2005010728.tif 000238
【図５−１−１−５−３−Ａ】
2005010728.tif 000239
【図５−１−１−５−６−Ａ】
2005010728.tif 000240
【図５−１−１−６−ａ−Ａ】
2005010728.tif 000241
【図５−１−１−６−ａ−Ｂ】
2005010728.tif 000242
【図５−１−１−６−２−Ａ】
2005010728.tif 000243
【図５−１−１−６−２−Ｂ】
2005010728.tif 000244
【図５−１−１−６−４−Ａ】
2005010728.tif 000245
【図５−１−１−６−４−Ｂ】
2005010728.tif 000246
【図５−１−１−６−５−Ａ】
2005010728.tif 000247
【図５−１−１−６−５−Ｂ】
2005010728.tif 000248
【図５−１−１−６−６−Ａ】
2005010728.tif 000249
【図５−１−１−６−６−Ｂ】
2005010728.tif 000250
【図５−１−１−７−ａ−Ａ】
2005010728.tif 000251
【図５−１−１−７−２−Ａ】
2005010728.tif 000252
【図５−１−１−７−４−Ａ】
2005010728.tif 000253
【図５−１−１−７−５−Ａ】
2005010728.tif 000254
【図５−１−１−７−６−Ａ】
2005010728.tif 000255
【図５−１−１−８−１−Ａ−Ａ】
2005010728.tif 000256
【図５−１−１−８−１−Ａ−Ｉ】
2005010728.tif 000257
【図５−１−１−８−１−Ａ−Ｕ】
2005010728.tif 000258
【図５−１−１−９−３−Ａ−Ｉ】
2005010728.tif 000259
【図５−１−１−９−３−Ａ−Ｕ】
2005010728.tif 000260
【図５−１−１−１０−６−Ａ−Ａ】
2005010728.tif 000261
【図５−１−１−１０−６−Ａ−Ｉ】
2005010728.tif 000262
【図５−１−１−１０−６−Ａ−Ｕ】
2005010728.tif 000263
【図５−１−１−１１−３−Ａ】
2005010728.tif 000264
【図５−１−１−１１−３−Ｂ】
2005010728.tif 000265
【図５−１−１−１２−６−Ａ１】
2005010728.tif 000266
【図５−１−１−１２−６−Ａ２】
2005010728.tif 000267
【図５−１−１−１２−６−Ａ３】
2005010728.tif 000268
【図５−１−１−１２−６−Ｂ】
2005010728.tif 000269
【図５−１−１−１３−６−Ａ】
2005010728.tif 000270
【図５−１−２−１−１−Ａ−１】
2005010728.tif 000271
【図５−１−２−１−１−Ａ−２】
2005010728.tif 000272
【図５−１−２−１−１−Ａ−３】
2005010728.tif 000273
【図５−１−２−１−１−Ｂ−１】
2005010728.tif 000274
【図５−１−２−１−１−Ｂ−２】
2005010728.tif 000275
【図５−１−２−１−１−Ｂ−３】
2005010728.tif 000276
【図５−１−２−１−２−Ａ】
2005010728.tif 000277
【図５−１−２−１−２−Ｂ】
2005010728.tif 000278
【図５−１−２−１−３−Ａ】
2005010728.tif 000279
【図５−１−２−１−３−Ｂ】
2005010728.tif 000280
【図５−１−２−１−４−Ａ】
2005010728.tif 000281
【図５−１−２−１−４−Ｂ】
2005010728.tif 000282
【図５−１−２−１−５−Ａ】
2005010728.tif 000283
【図５−１−２−１−５−Ｂ】
2005010728.tif 000284
【図５−１−２−１−６−Ａ１】
2005010728.tif 000285
【図５−１−２−１−６−Ｂ１】
2005010728.tif 000286
【図５−１−２−１−６−Ａ２】
2005010728.tif 000287
【図５−１−２−１−６−Ｂ２】
2005010728.tif 000288
【図５−１−２−２−１−Ａ】
2005010728.tif 000289
【図５−１−２−２−２−Ａ】
2005010728.tif 000290
【図５−１−２−２−３−Ａ】
2005010728.tif 000291
【図５−１−２−２−４−Ａ】
2005010728.tif 000292
【図５−１−２−２−５−Ａ】
2005010728.tif 000293
【図５−１−２−２−６−Ａ１】
2005010728.tif 000294
【図５−１−２−２−６−Ａ２】
2005010728.tif 000295
【図５−１−２−３−１−Ａ】
2005010728.tif 000296
【図５−１−２−３−３−Ａ】
2005010728.tif 000297
【図５−１−２−３−６−Ａ】
2005010728.tif 000298
【図５−１−２−４−１−Ａ−１】
2005010728.tif 000299
【図５−１−２−４−１−Ａ−２】
2005010728.tif 000300
【図５−１−２−４−１−Ａ−３】
2005010728.tif 000301
【図５−１−２−４−３−Ａ−１】
2005010728.tif 000302
【図５−１−２−４−３−Ａ−２】
2005010728.tif 000303
【図５−１−２−４−３−Ａ−３】
2005010728.tif 000304
【図５−１−２−４−６−Ａ】
2005010728.tif 000305
【図５−１−２−５−１−Ａ−１】
2005010728.tif 000306
【図５−１−２−５−１−Ａ−２】
2005010728.tif 000307
【図５−１−２−５−１−Ａ−３】
2005010728.tif 000308
【図５−１−２−５−３−Ａ−２】
2005010728.tif 000309
【図５−１−２−５−３−Ａ−３】
2005010728.tif 000310
【図５−１−２−５−４−Ａ−Ｘ】
2005010728.tif 000311
【図５−１−２−５−４−Ａ−Ｙ】
2005010728.tif 000312
【図５−１−２−５−５−Ａ−Ｘ】
2005010728.tif 000313
【図５−１−２−５−５−Ａ−Ｙ】
2005010728.tif 000314
【図５−１−２−５−６−Ａ１−１】
2005010728.tif 000315
【図５−１−２−５−６−Ａ１−２】
2005010728.tif 000316
【図５−１−２−５−６−Ａ２−Ｘ】
2005010728.tif 000317
【図５−１−２−５−６−Ａ２−Ｙ】
2005010728.tif 000318
【図５−１−２−６−１−Ａ−１】
2005010728.tif 000319
【図５−１−２−６−１−Ａ−２】
2005010728.tif 000320
【図５−１−２−６−１−Ａ−３】
2005010728.tif 000321
【図５−１−２−６−３−Ａ−１】
2005010728.tif 000322
【図５−１−２−６−３−Ａ−２】
2005010728.tif 000323
【図５−１−２−６−３−Ａ−３】
2005010728.tif 000324
【図５−１−２−６−６−Ａ】
2005010728.tif 000325
【図５−１−２−７−１−Ａ】
2005010728.tif 000326
【図５−１−２−７−２−Ａ】
2005010728.tif 000327
【図５−１−２−７−３−Ａ−１】
2005010728.tif 000328
【図５−１−２−７−３−Ａ−２】
2005010728.tif 000329
【図５−１−２−７−３−Ａ−３】
2005010728.tif 000330
【図５−１−２−７−６−Ａ】
2005010728.tif 000331
【図５−１−２−８−ａ−Ａ】
2005010728.tif 000332
【図５−１−２−８−ａ−Ｂ】
2005010728.tif 000333
【図５−１−２−８−２−Ａ】
2005010728.tif 000334
【図５−１−２−８−２−Ｂ】
2005010728.tif 000335
【図５−１−２−８−４−Ａ】
2005010728.tif 000336
【図５−１−２−８−４−Ｂ】
2005010728.tif 000337
【図５−１−２−８−５−Ａ】
2005010728.tif 000338
【図５−１−２−８−５−Ｂ】
2005010728.tif 000339
【図５−１−２−８−６−Ａ】
2005010728.tif 000340
【図５−１−２−８−６−Ｂ】
2005010728.tif 000341
【図５−１−２−９−ａ−Ａ】
2005010728.tif 000342
【図５−１−２−９−２−Ａ】
2005010728.tif 000343
【図５−１−２−９−４−Ａ】
2005010728.tif 000344
【図５−１−２−９−５−Ａ】
2005010728.tif 000345
【図５−１−２−９−６−Ａ】
2005010728.tif 000346
【図５−１−２−１０−１−Ａ】
2005010728.tif 000347
【図５−１−２−１１−３−Ａ】
2005010728.tif 000348
【図５−１−２−１２−６−Ａ−Ｘ】
2005010728.tif 000349
【図５−１−２−１２−６−Ａ−Ｙ】
2005010728.tif 000350
【図５−１−２−１３−３−Ａ】
2005010728.tif 000351
【図５−１−２−１４−３−Ａ−Ｙ１】
2005010728.tif 000352
【図５−１−２−１４−３−Ａ−Ｙ２】
2005010728.tif 000353
【図５−１−２−１４−３−Ａ−Ｙ３】
2005010728.tif 000354
【図５−１−２−１５−３−Ａ】
2005010728.tif 000355
【図５−１−２−１５−３−Ｂ】
2005010728.tif 000356
【図５−１−２−１６−６−Ａ−１】
2005010728.tif 000357
【図５−１−２−１６−６−Ａ−２】
2005010728.tif 000358
【図５−１−２−１６−６−Ａ−３】
2005010728.tif 000359
【図５−１−２−１６−６−Ｂ】
2005010728.tif 000360
【図５−１−２−１７−６−Ａ】
2005010728.tif 000361
【図５−１−３−１−１−Ａ】
2005010728.tif 000362
【図５−１−３−１−１−Ｂ】
2005010728.tif 000363
【図５−１−３−１−２−Ａ】
2005010728.tif 000364
【図５−１−３−１−２−Ｂ】
2005010728.tif 000365
【図５−１−３−１−３−Ａ】
2005010728.tif 000366
【図５−１−３−１−３−Ｂ】
2005010728.tif 000367
【図５−１−３−１−４−Ａ】
2005010728.tif 000368
【図５−１−３−１−４−Ｂ】
2005010728.tif 000369
【図５−１−３−１−５−Ａ】
2005010728.tif 000370
【図５−１−３−１−５−Ｂ】
2005010728.tif 000371
【図５−１−３−１−６−Ａ１】
2005010728.tif 000372
【図５−１−３−１−６−Ｂ１】
2005010728.tif 000373
【図５−１−３−１−６−Ａ２】
2005010728.tif 000374
【図５−１−３−１−６−Ｂ２】
2005010728.tif 000375
【図５−１−３−２−１−Ａ】
2005010728.tif 000376
【図５−１−３−２−２−Ａ】
2005010728.tif 000377
【図５−１−３−２−３−Ａ】
2005010728.tif 000378
【図５−１−３−２−４−Ａ】
2005010728.tif 000379
【図５−１−３−２−５−Ａ】
2005010728.tif 000380
【図５−１−３−２−６−Ａ１】
2005010728.tif 000381
【図５−１−３−２−６−Ａ２】
2005010728.tif 000382
【図５−１−３−３−１−Ａ】
2005010728.tif 000383
【図５−１−３−３−３−Ａ】
2005010728.tif 000384
【図５−１−３−３−６−Ａ】
2005010728.tif 000385
【図５−１−３−４−１−Ａ】
2005010728.tif 000386
【図５−１−３−４−３−Ａ】
2005010728.tif 000387
【図５−１−３−４−４−Ａ】
2005010728.tif 000388
【図５−１−３−４−５−Ａ】
2005010728.tif 000389
【図５−１−３−４−６−Ａ１】
2005010728.tif 000390
【図５−１−３−４−６−Ａ２】
2005010728.tif 000391
【図５−１−３−５−１−Ａ】
2005010728.tif 000392
【図５−１−３−５−３−Ａ】
2005010728.tif 000393
【図５−１−３−５−４−Ａ】
2005010728.tif 000394
【図５−１−３−５−５−Ａ】
2005010728.tif 000395
【図５−１−３−５−６−Ａ１】
2005010728.tif 000396
【図５−１−３−５−６−Ａ２】
2005010728.tif 000397
【図５−１−３−６−１−Ａ】
2005010728.tif 000398
【図５−１−３−６−２−Ａ】
2005010728.tif 000399
【図５−１−３−６−３−Ａ】
2005010728.tif 000400
【図５−１−３−６−６−Ａ】
2005010728.tif 000401
【図５−１−３−７−ａ−Ａ】
2005010728.tif 000402
【図５−１−３−７−ａ−Ｂ】
2005010728.tif 000403
【図５−１−３−７−２−Ａ】
2005010728.tif 000404
【図５−１−３−７−２−Ｂ】
2005010728.tif 000405
【図５−１−３−７−４−Ａ】
2005010728.tif 000406
【図５−１−３−７−４−Ｂ】
2005010728.tif 000407
【図５−１−３−７−５−Ａ】
2005010728.tif 000408
【図５−１−３−７−５−Ｂ】
2005010728.tif 000409
【図５−１−３−７−６−Ａ】
2005010728.tif 000410
【図５−１−３−７−６−Ｂ】
2005010728.tif 000411
【図５−１−３−８−ａ−Ａ】
2005010728.tif 000412
【図５−１−３−８−２−Ａ】
2005010728.tif 000413
【図５−１−３−８−４−Ａ】
2005010728.tif 000414
【図５−１−３−８−５−Ａ】
2005010728.tif 000415
【図５−１−３−８−６−Ａ】
2005010728.tif 000416
【図５−１−３−９−１−Ａ】
2005010728.tif 000417
【図５−１−３−１０−６−Ａ】
2005010728.tif 000418
【図５−１−３−１１−６−Ａ】
2005010728.tif 000419
【図５−１−３−１２−６−Ａ】
2005010728.tif 000420
【図５−１−３−１２−６−Ｂ】
2005010728.tif 000421
【図５−１−３−１３−６−Ａ】
2005010728.tif 000422
【図５−１−３−１３−６−Ｂ】
2005010728.tif 000423
【図５−１−３−１４−６−Ａ】
2005010728.tif 000424
【図５−１−Ｚ−Ｚ−Ｚ−Ａ】
2005010728.tif 000425
【図６−１−１−１−１】
2005010728.tif 000426
【図６−１−１−１−２】
2005010728.tif 000427
【図６−１−１−１−３】
2005010728.tif 000428
【図６−１−１−１−４】
2005010728.tif 000429
【図６−１−１−１−５】
2005010728.tif 000430
【図６−１−１−１−６−１】
2005010728.tif 000431
【図６−１−１−１−６−２】
2005010728.tif 000432
【図６−１−１−２−１】
2005010728.tif 000433
【図６−１−１−２−２】
2005010728.tif 000434
【図６−１−１−２−３】
2005010728.tif 000435
【図６−１−１−２−４】
2005010728.tif 000436
【図６−１−１−２−５】
2005010728.tif 000437
【図６−１−１−２−６−１】
2005010728.tif 000438
【図６−１−１−２−６−２】
2005010728.tif 000439
【図６−１−１−３−１】
2005010728.tif 000440
【図６−１−１−３−３】
2005010728.tif 000441
【図６−１−１−３−６】
2005010728.tif 000442
【図６−１−１−４−１】
2005010728.tif 000443
【図６−１−１−４−３】
2005010728.tif 000444
【図６−１−１−５−１】
2005010728.tif 000445
【図６−１−１−５−２】
2005010728.tif 000446
【図６−１−１−５−３】
2005010728.tif 000447
【図６−１−１−５−６】
2005010728.tif 000448
【図６−１−１−６−ａ】
2005010728.tif 000449
【図６−１−１−６−２】
2005010728.tif 000450
【図６−１−１−６−４】
2005010728.tif 000451
【図６−１−１−６−５】
2005010728.tif 000452
【図６−１−１−６−６】
2005010728.tif 000453
【図６−１−１−７−ａ】
2005010728.tif 000454
【図６−１−１−７−２】
2005010728.tif 000455
【図６−１−１−７−４】
2005010728.tif 000456
【図６−１−１−７−５】
2005010728.tif 000457
【図６−１−１−７−６】
2005010728.tif 000458
【図６−１−１−８−１】
2005010728.tif 000459
【図６−１−１−９−３】
2005010728.tif 000460
【図６−１−１−１０−６】
2005010728.tif 000461
【図６−１−１−１１−３】
2005010728.tif 000462
【図６−１−１−１２−６−１】
2005010728.tif 000463
【図６−１−１−１２−６−２】
2005010728.tif 000464
【図６−１−１−１２−６−３】
2005010728.tif 000465
【図６−１−１−１３−６】
2005010728.tif 000466
【図６−１−２−１−１】
2005010728.tif 000467
【図６−１−２−１−２】
2005010728.tif 000468
【図６−１−２−１−３】
2005010728.tif 000469
【図６−１−２−１−４】
2005010728.tif 000470
【図６−１−２−１−５】
2005010728.tif 000471
【図６−１−２−１−６−１】
2005010728.tif 000472
【図６−１−２−１−６−２】
2005010728.tif 000473
【図６−１−２−２−１】
2005010728.tif 000474
【図６−１−２−２−２】
2005010728.tif 000475
【図６−１−２−２−３】
2005010728.tif 000476
【図６−１−２−２−４】
2005010728.tif 000477
【図６−１−２−２−５】
2005010728.tif 000478
【図６−１−２−２−６−１】
2005010728.tif 000479
【図６−１−２−２−６−２】
2005010728.tif 000480
【図６−１−２−３−１】
2005010728.tif 000481
【図６−１−２−３−３】
2005010728.tif 000482
【図６−１−２−３−６】
2005010728.tif 000483
【図６−１−２−４−１】
2005010728.tif 000484
【図６−１−２−４−３】
2005010728.tif 000485
【図６−１−２−４−６】
2005010728.tif 000486
【図６−１−２−５−１】
2005010728.tif 000487
【図６−１−２−５−３】
2005010728.tif 000488
【図６−１−２−５−４】
2005010728.tif 000489
【図６−１−２−５−５】
2005010728.tif 000490
【図６−１−２−５−６−１】
2005010728.tif 000491
【図６−１−２−５−６−２】
2005010728.tif 000492
【図６−１−２−６−１】
2005010728.tif 000493
【図６−１−２−６−３】
2005010728.tif 000494
【図６−１−２−６−６】
2005010728.tif 000495
【図６−１−２−７−１】
2005010728.tif 000496
【図６−１−２−７−２】
2005010728.tif 000497
【図６−１−２−７−３】
2005010728.tif 000498
【図６−１−２−７−６】
2005010728.tif 000499
【図６−１−２−８−ａ】
2005010728.tif 000500
【図６−１−２−８−２】
2005010728.tif 000501
【図６−１−２−８−４】
2005010728.tif 000502
【図６−１−２−８−５】
2005010728.tif 000503
【図６−１−２−８−６】
2005010728.tif 000504
【図６−１−２−９−ａ】
2005010728.tif 000505
【図６−１−２−９−２】
2005010728.tif 000506
【図６−１−２−９−４】
2005010728.tif 000507
【図６−１−２−９−５】
2005010728.tif 000508
【図６−１−２−９−６】
2005010728.tif 000509
【図６−１−２−１０−１】
2005010728.tif 000510
【図６−１−２−１１−３】
2005010728.tif 000511
【図６−１−２−１２−６】
2005010728.tif 000512
【図６−１−２−１３−３】
2005010728.tif 000513
【図６−１−２−１４−３】
2005010728.tif 000514
【図６−１−２−１５−３】
2005010728.tif 000515
【図６−１−２−１６−６】
2005010728.tif 000516
【図６−１−２−１７−６】
2005010728.tif 000517
【図６−１−３−１−１】
2005010728.tif 000518
【図６−１−３−１−２】
2005010728.tif 000519
【図６−１−３−１−３】
2005010728.tif 000520
【図６−１−３−１−４】
2005010728.tif 000521
【図６−１−３−１−５】
2005010728.tif 000522
【図６−１−３−１−６−１】
2005010728.tif 000523
【図６−１−３−１−６−２】
2005010728.tif 000524
【図６−１−３−２−１】
2005010728.tif 000525
【図６−１−３−２−２】
2005010728.tif 000526
【図６−１−３−２−３】
2005010728.tif 000527
【図６−１−３−２−４】
2005010728.tif 000528
【図６−１−３−２−５】
2005010728.tif 000529
【図６−１−３−２−６−１】
2005010728.tif 000530
【図６−１−３−２−６−２】
2005010728.tif 000531
【図６−１−３−３−１】
2005010728.tif 000532
【図６−１−３−３−３】
2005010728.tif 000533
【図６−１−３−３−６】
2005010728.tif 000534
【図６−１−３−４−１】
2005010728.tif 000535
【図６−１−３−４−３】
2005010728.tif 000536
【図６−１−３−４−４】
2005010728.tif 000537
【図６−１−３−４−５】
2005010728.tif 000538
【図６−１−３−４−６−１】
2005010728.tif 000539
【図６−１−３−４−６−２】
2005010728.tif 000540
【図６−１−３−５−１】
2005010728.tif 000541
【図６−１−３−５−３】
2005010728.tif 000542
【図６−１−３−５−４】
2005010728.tif 000543
【図６−１−３−５−５】
2005010728.tif 000544
【図６−１−３−５−６−１】
2005010728.tif 000545
【図６−１−３−５−６−２】
2005010728.tif 000546
【図６−１−３−６−１】
2005010728.tif 000547
【図６−１−３−６−２】
2005010728.tif 000548
【図６−１−３−６−３】
2005010728.tif 000549
【図６−１−３−６−６】
2005010728.tif 000550
【図６−１−３−７−ａ】
2005010728.tif 000551
【図６−１−３−７−２】
2005010728.tif 000552
【図６−１−３−７−４】
2005010728.tif 000553
【図６−１−３−７−５】
2005010728.tif 000554
【図６−１−３−７−６】
2005010728.tif 000555
【図６−１−３−８−ａ】
2005010728.tif 000556
【図６−１−３−８−２】
2005010728.tif 000557
【図６−１−３−８−４】
2005010728.tif 000558
【図６−１−３−８−５】
2005010728.tif 000559
【図６−１−３−８−６】
2005010728.tif 000560
【図６−１−３−９−１】
2005010728.tif 000561
【図６−１−３−１０−６】
2005010728.tif 000562
【図６−１−３−１１−６】
2005010728.tif 000563
【図６−１−３−１２−６】
2005010728.tif 000564
【図６−１−３−１３−６】
2005010728.tif 000565
【図６−１−３−１４−６】
2005010728.tif 000566
【図６−１−Ｚ−Ｚ−Ｚ】
2005010728.tif 000567
【図７−２】
2005010728.tif 000568
【図８−３−Ａ】
2005010728.tif 000569
【図８−３−Ｂ】
2005010728.tif 000570
【図９−３】
2005010728.tif 000571
【図１０−３−Ａ】
2005010728.tif 000572
【図１０−３−Ｂ】
2005010728.tif 000573
【図１１−３−Ａ】
2005010728.tif 000574
【図１１−３−Ｂ】
2005010728.tif 000575
【図１２−３】
2005010728.tif 000576
【図１３−３−Ａ】
2005010728.tif 000577
【図１３−３−Ｂ】
2005010728.tif 000578
【図１４−３】
2005010728.tif 000579
【図１５−３】
2005010728.tif 000580
【図１６−４】
2005010728.tif 000581
【図１７−４】
2005010728.tif 000582
【図１８−４−Ａ】
2005010728.tif 000583
【図１８−４−Ｂ】
2005010728.tif 000584
【図１８−４−Ｃ】
2005010728.tif 000585
【図１９−４−Ａ】
2005010728.tif 000586
【図１９−４−Ｂ】
2005010728.tif 000587
【図１９−４−Ｃ】
2005010728.tif 000588
【図２０−４−Ｂ】
2005010728.tif 000589
【図２０−４−Ｃ】
2005010728.tif 000590
【図２１−５】
2005010728.tif 000591
【図２２−５】
2005010728.tif 000592
【図２３−６−Ａ】
2005010728.tif 000593
【図２３−６−Ｂ】
2005010728.tif 000594
【図２４−６−Ａ】
2005010728.tif 000595
【図２４−６−Ｂ】
2005010728.tif 000596
【図２５−６】
2005010728.tif 000597
【図２６−７−Ａ】
2005010728.tif 000598
【図２６−７−Ｂ】
2005010728.tif 000599
【図２７−７−Ａ】
2005010728.tif 000600
【図２７−７−Ｂ】
2005010728.tif 000601
【図２８−７】
2005010728.tif 000602
【図２９−８】
2005010728.tif 000603
【図３０−１１】
2005010728.tif 000604
【図３１−１４】
2005010728.tif 000605
【図３２−１４】
2005010728.tif 000606
【図３３−１４】
2005010728.tif 000607
【図３４−１４】
2005010728.tif 000608
【図３５−１４】
2005010728.tif 000609
【図３６−１４】
2005010728.tif 000610
【図３７−１４】
2005010728.tif 000611
【図３８−１４】
2005010728.tif 000612
【図３９−１４】
2005010728.tif 000613
【図４０−１４】
2005010728.tif 000614
【手続補正書】
【提出日】平成16年3月10日(2004.3.10)
【手続補正２】
【補正対象書類名】特許請求の範囲
【補正対象項目名】請求項１１
【補正方法】変更
【補正の内容】
【請求項１１】
受信配信型システムにおけるシステム画面作成方法、操作方法を利用したエッセイ形式（論文、文章形式）試験の技術・技法の索引、エッセイ形式（論文、文章形式）試験の技術・技法（含む既存映像音声解説付き）、エッセイ形式（論文、文章形式）試験の技術・技法の索引、エッセイ形式（論文、文章形式）試験の技術・技法（含む既存映像音声解説付き）の映像音声解説（多機能編集指定装置・機器を介した映像音声解説を含む）を受信配信型システムの保存装置にすべて保存しているものとして、上記保存装置の上記技術・技法の索引、上記技術・技法（含む既存映像音声解説付き）と上記映像音声解説（多機能編集指定装置・機器を介した映像音声解説を含む）を請求項８の保存制御手段が受け取り制御するステップ、上記保存制御手段が上記技術・技法の索引、上記技術・技法（含む既存映像音声解説付き）を上記映像音声解説を付けて上記編集表示配信（含む拡大縮小調整配信）手段によって多機能編集指定装置・機器（通信ネットワーク型を含める）に編集表示配信（含む拡大縮小調整配信）させるステップ、を含む、受信配信型システムにおけるシステム画面作成方法、操作方法を利用したエッセイ形式（論文、文章形式）試験の技術・技法の索引、エッセイ形式（論文、文章形式）試験の技術・技法（含む既存映像音声解説付き）の答案作成技術・技法解説方法。
【手続補正３】
【補正対象書類名】明細書
【補正対象項目名】００３３
【補正方法】変更
【補正の内容】
【００３３】本発明の実施例１１を以下に記載する。答案解説に関しても実践的な内容の視点から実施する必要がある。そこで、受信配信型試験システムにおけるシステム画面作成方法、操作方法を利用したエッセイ形式（論文、文章形式）試験の技術・技法の索引、エッセイ形式（論文、文章形式）試験の技術・技法（含む既存映像音声解説付き）、エッセイ形式（論文、文章形式）試験の技術・技法の索引、エッセイ形式（論文、文章形式）試験の技術・技法（含む既存映像音声解説付き）の映像音声解説（多機能編集指定装置・機器を介した映像音声解説を含む）を受信配信型試験システムの保存装置にすべて保存しているものとして、受信配信型試験システムの保存装置の技術・技法の索引、技術・技法（含む既存映像音声解説付き）と映像音声解説（多機能編集指定装置・機器を介した映像音声解説を含む）を受信配信型試験システムの保存制御手段が受け取り制御する処理、受信配信型試験システムの保存制御手段が技術・技法の索引、技術・技法（含む既存映像音声解説付き）を映像音声解説を付けて受信配信型試験システムの編集表示配信（含む拡大縮小調整配信）手段によって多機能編集指定装置・機器（通信ネットワーク型を含める）に編集表示配信（含む拡大縮小調整配信）させる処理を実施する。このように、受信配信型試験システムにおいて、技術・技法解説を映像音声解説を付けて多機能編集指定装置・機器（通信ネットワーク型を含める）に編集表示配信（含む拡大縮小調整配信）させることによって、答案作成技術・技法解説に関しても実践的な内容の視点から実施する。実施例１１答案作成技術・技法解説実施例図３０‐１１
【手続補正４】
【補正対象書類名】明細書
【補正対象項目名】００４１
【補正方法】変更
【補正の内容】
【００４１】１：読取装置：機器（スキャナ等）２：多機能編集指定装置・機器（多機能編集指定端末）３：受信配信型システム（サーバ、汎用機等の受信配信型試験システム）４：表示装置・機器（プリンタ等）５：外部保存装置・機器６：紹介表示編集機器（タブレット機能付電子ブック等）７：多機能編集指定装置・機器（パソコン等）８：多機能編集指定装置・機器（スライド編集モニタ等）９：多機能編集指定装置・機器（ディジタル編集テレビ等）１０：答案作成処理、答案採点処理の答案の各処理経過１１：答案作成処理、答案採点処理の答案の各処理経過の映像音声解説（多機能編集指定装置・機器を介した映像音声解説を含む）１２：エッセイ形式（論文、文章形式）試験の技術・技法の索引１３：エッセイ形式（論文、文章形式）試験の技術・技法（含む既存映像音声解説付き）１４：エッセイ形式（論文、文章形式）試験の技術・技法の索引、エッセイ形式（論文、文章形式）試験の技術・技法（含む既存映像音声解説付き）の音声映像解説（多機能編集装置・機器を介した映像音声解説を含む）
【手続補正５】
【補正対象書類名】図面
【補正対象項目名】図２９−８
【補正方法】変更
【補正の内容】
【図２９−８】
2005010728.tif 000615
【手続補正６】
【補正対象書類名】図面
【補正対象項目名】図３０−１１
【補正方法】変更
【補正の内容】
【図３０−１１】
2005010728.tif 000616